(57)【特許請求の範囲】
【請求項１】
非同期転送モードで運用される複数のＡＴＭ網と、
これら複数のＡＴＭ網にそれぞれ収容された複数の端末と、
前記複数のＡＴＭ網全体で少なくとも一つ設けられた複数のデータグラムサーバと、
前記複数のＡＴＭ網の相互間に設けられ、該ＡＴＭ網間のインターネットワーキングを行う網間接続装置とを具備し、
前記網間接続装置は、該網間接続装置につながるＡＴＭ網からのアドレスレゾリューションを要求するためのＡＲＰ要求に対し、アドレスレゾリューションの対象ノードが該網間接続装置につながる該ＡＴＭ網に存在しない場合は該網間接続装置へつながるＡＴＭコネクションのＡＴＭアドレスの返答をもって該ＡＲＰ要求に対するＡＲＰ応答を行う応答手段と、
この応答手段からのＡＲＰ応答によって返答されたＡＴＭアドレスで示される第１のＡＴＭコネクションと該網間接続装置・前記データグラムサーバ間に設定された第２のＡＴＭコネクションとを接続するコネクション接続手段とを有し、前記データグラムの送信端末と前記データグラムサーバとの間を直接ＡＴＭコネクションで結合するようにしたことを特徴とするＡＴＭ通信システム。
【請求項２】
非同期転送モードで運用される複数のＡＴＭ網と、
これら複数のＡＴＭ網にそれぞれ収容された複数の端末と、
前記複数のＡＴＭ網全体で少なくとも一つ設けられた複数のデータグラムサーバと、
前記複数のＡＴＭ網の相互間に設けられ、該ＡＴＭ網間のインターネットワーキングを行う網間接続装置とを具備し、
前記網間接続装置は、ルーチングプロトコル終端手段と、
該網間接続装置につながる第１のＡＴＭ網からのアドレスレゾリューションを要求するためのＡＲＰ要求を受けたときアドレスレゾリューションを行うためのＡＲＰサーバに対してルーチングに関する情報を通知する通知手段と、
この通知手段により通された前記情報に対して前記アドレスレゾリューションサーバからのアドレスレゾリューション応答によって返答されたＡＴＭアドレスで示される第１のＡＴＭコネクションと該網間接続装置・前記データグラムサーバ間に設定された第２のＡＴＭコネクションとを接続するコネクション接続手段とを有し、
前記データグラムの送信端末と前記データグラムサーバとの間を直接ＡＴＭコネクションで結合するようにしたことを特徴とするＡＴＭ通信システム。
【請求項３】
前記コネクション接続手段は、前記第１のＡＴＭコネクションと前記第２のＡＴＭコネクションとの接続をＡＴＭセルヘッダ変換手段およびＡＴＭセルスイッチング手段の少なくとも一方によって行うものであり、前記データグラムサーバの増減設または変更はこれらＡＴＭセルヘッダ変換手段およびＡＴＭセルスイッチング手段の少なくとも一方の設定によって行われることを特徴とする請求項２または３に記載のＡＴＭ通信システム。
【請求項４】
非同期転送モードで運用されるＡＴＭ網と、
このＡＴＭ網に収容された複数の端末とを具備し、
前記端末は、前記ＡＴＭ網よりのＡＴＭセルから前記端末に宛てられたアドレスレゾリューションを要求するためのＡＲＰ要求セルを抽出するＡＲＰ要求セル抽出手段と、
このＡＲＰ要求セルにより抽出されたＡＲＰ要求セルに基づいて前記アドレスレゾリューションの要求に対する応答を行うためのＡＲＰ応答セルを生成するＡＲＰ応答セル生成手段と、
このＡＲＰ応答セル生成手段により生成されたＡＲＰ応答セルを前記端末装置から送出されるＡＴＭセル流と多重化する多重化手段とを有することを特徴とするＡＴＭ通信システム。
【発明の詳細な説明】
【０００１】
【発明の属する技術分野】
本発明は、ＡＴＭ通信システムに関する。
【０００２】
【従来の技術】
近年、画像通信、高速データ通信などの多様な通信の要求が高まり、効率的で柔軟性に富む通信サービスを提供するために通信網の統合化（Ｂ−ＩＳＤＮ）が望まれている。その実現方法としてＡＴＭ（Ａｓｙｎｃｈｒｏｎｏｕｓ  Ｔｒａｎｓｆｅｒ  Ｍｏｄｅ：非同期転送モード）交換が有望視されている。ＡＴＭ交換方式は、情報をその属性に関わらずセルと呼ばれる固定長パケットに収め、このセルを交換の単位として用いることにより、通信サービスを実現しようというものである。
【０００３】
ＣＣＩＴＴでは、このＡＴＭ交換方式を正式な次世代交換方式であると定め、Ｂ−ＩＳＤＮを正式にＡＴＭ交換方式を用いて実現することを決定した。これに伴い、公衆網および企業網がＡＴＭ交換方式をベースに構築され、これが次世代のマルチメディア通信や広帯域通信などのニーズを実現する可能性が高い。
【０００４】
このＡＴＭ交換方式をＬＡＮ（ローカルエリアネットワーク）の分野に適用しようという動きがある。これは、従来イーサネットを代表としたＬＡＮの通信方式をＡＴＭ交換方式（以下、ＡＴＭ通信方式とも呼ぶ）にて実現しようというもので、既にアメリカなどでは標準化の動きも始まっている。
【０００５】
ＡＴＭ交換方式をＬＡＮに適用した場合、以下に述べるような利点が考えられる。
【０００６】
（１）広帯域通信を実現できる
現在のＬＡＮの実質的標準といえるイーサネットの通信速度は、１０Ｍｂｐｓ  である。ＦＤＤＩ（１００Ｍｂｐｓ  ）など、より高速のＬＡＮも登場しつつあるが、これらは共にシェアードメディア（その帯域を全ての端末が共用する方式）である。これに対し、１５０Ｍｂｐｓ／６２０Ｍｂｐｓ  を標準としたＡＴＭ交換方式の導入は、基本的にスター型の構成であるため、その帯域を端末が独占的に使用することができ、ＬＡＮのスループットを飛躍的に向上する可能性がある。
【０００７】
（２）マルチメディアに適している
現在のＬＡＮでは、ファイル転送やトランザクション処理などのいわゆるデータ通信をサポートしてきたが、その方式の関係から音声・画像などに代表されるリアルタイム通信のサポートができないか、もしくはできてもそのオーバヘッドが非常に重く、サポート帯域は非常に小さい。
【０００８】
これに対し、ＡＴＭ交換方式はハードウエアによる統一的処理、網の信頼性の飛躍的向上などにより、音声・画像などのリアルタイム／コンティニュアス通信と、データ通信などの非コンティニュアス通信の融合、すなわちマルチメディア通信が可能な通信方式である。このことから、ＡＴＭ交換方式をＬＡＮに導入することによりＬＡＮにおけるマルチメディア環境の実現を促す可能性がある。
【０００９】
（３）公衆網との親和性がよい。
【００１０】
先にも述べたように、公衆網における広帯域通信実現のターゲットはＡＴＭ交換方式であることがＣＣＩＴＴで決められていることから、将来の公衆網（公衆通信網）はＡＴＭ網として構築される可能性が極めて高い。
【００１１】
また、これとは別に最近ＬＡＮの環境をより広い領域で使用したいという要求が高まっている。これはＬＡＮと同一の環境をより広域化すること、すなわちＭＡＮ（Ｍｅｔｒｏｐｏｌｉｔａｎ  Ａｒｅａ  Ｎｅｔｗｏｒｋ）  やＷＡＮ（Ｗｉｄｅ  Ａｒｅａ  Ｎｅｔｗｏｒｋ）  へのニーズの高まりを示している。これを実現するためには、端末同士あるいはＬＡＮ同士を公衆網を介して相互接続する必要があり、一般にこれら端末あるいは網が物理的に離れている場合には、公衆網を介して相互接続する必要がある。
【００１２】
公衆網にＡＴＭ交換方式が用いられ、ＬＡＮでも同様の通信方式が用いられるとすると、その境界点においては簡単なプロトコル変換のみで情報／パケットの相互乗り入れを行うことが可能であると考えられ、公衆網への親和性の高さを示している。これらのことから、ＬＡＮにＡＴＭ交換方式を適用することは、これまでの公衆網では不可能であった遠距離端末／網間の広帯域通信回線の確保、及びリアルタイム性の確保ができると考えられ、ＭＡＮあるいはＷＡＮへのＬＡＮの展開を促進するものといえよう。
【００１３】
一方、従来のＬＡＮ環境、例えばイーサネット等においては、ＬＡＮ間接続、即ちＬＡＮ間のインターネットワーキングを行う場合、各々のＬＡＮ間にルーターが配置されていた。このルーターはＯＳＩプロトコルレイヤスタックのレイヤ３（ネットワークレイヤ）までの処理を行い、ＬＡＮ間をまたがるデータグラム通信のルーチング処理を主にその機能としている。即ち、２つのＬＡＮをまたがるデータグラムについては、必ずルーターにてレイヤ３まで上げられ、ここで宛先ネットワークレイヤアドレスが解析され、この解析結果に従って宛先のＬＡＮに配送される。このルーターは、しばしばコンピュータ通信の世界で「ゲートウェイ」と呼ばれることもあるが、「ゲートウェイ」なる用語はＯＳＩにてレイヤ７までの処理を行う実体として定義されており、ここでの用語の使い方と異なるので、以降はルーターという呼び方で統一する。
【００１４】
また、ＬＡＮ間接続を実現するためのものの中でルーターに類似したものとして、「ブリッジ」なるものも知られている。これは、ルーターが宛先ネットワークレイヤアドレスを解析して、送出するＬＡＮを決定しているのに対し、ブリッジではデータリンクレイヤアドレス（ＭＡＣアドレス）を解析して送出するＬＡＮを決定している。具体的には、ブリッジは受信したデータグラムの宛先ＭＡＣアドレスを解析し、該受信したＭＡＣアドレスが自ＬＡＮ内宛てでない場合は、該データグラムを他方のＬＡＮに透過させることでＬＡＮ間接続を実現させる機能である。さらに、これに類似したものとして、ある決められたネットワークレイヤプロトコルについてはルーターとして機能し、それ以外のプロトコルについてはブリッジとして機能する「ブルータ」が知られている。
【００１５】
これらのルーター、ブリッジおよびブルータには、通常ワークステーション  （ＷＳ）が用いられてきた。即ち、ＷＳ内のＣＰＵがアドレスの解析などを行い、割り当てられた物理ポートに対してこれを送出することでルーター、ブリッジ、ブルータの機能を実現していた。
【００１６】
【発明が解決しようとする課題】
ＡＴＭ通信方式は、ＡＴＭセルのハードウエアスイッチングによって高速化を達成することが一つの特徴となっている。すなわち、ＡＴＭ網は「コネクションオリエンテッド」（以下、ＣＯともいう）な網であり、エンド−エンド間に仮想コネクション（Ｖｉｒｔｕａｌ  Ｃｏｎｎｅｃｔｉｏｎ：ＶＣ）または仮想パス（Ｖｉｒｔｕａｌ  Ｐａｔｈ：ＶＰともいう）を張り、これらＶＣまたはＶＰをその識別子（ＶＣＩまたはＶＰＩ）でラベル多重またはラベル交換される形でセルと呼ばれるパケットがエンド−エンド間で配送される。
【００１７】
エンド−エンド間で配送される情報（データ）はＡＴＭセルのペイロード内に格納され、ＡＴＭセルはＶＣ／ＶＰに沿う形でソフトウエアの介在無しにハードウエアスイッチングのみで宛先端末まで交換・転送される。ハードウエアスイッチングは、ＡＴＭセルヘッダに含まれるＶＰＩ／ＶＣＩ（場合によっては、ＡＴＭセルヘッダのこれ以外の領域の値、例えばＰＴなど）を参照してＡＴＭスイッチにより行われる。
【００１８】
このＡＴＭ通信方式をＬＡＮの分野に適用する場合、ＬＡＮ内の端末間の通信は、上記のようなＡＴＭ−ＶＣ／ＡＴＭ−ＶＰを通した通信によって達成できると考えられ、端末間通信の飛躍的な高速化・大容量化を期待できる。
【００１９】
しかしながら、このようなＡＴＭ通信方式を適用したＬＡＮ（以下ＡＴＭ−ＬＡＮと呼ぶ）間での通信を行う場合、前述したようにＬＡＮ間に位置するルーター、ブリッジまたはブルータによって強制的にレイヤ３またはレイヤ２での終端がなされる。この終端後のレイヤ２、レイヤ３処理は通常ソフトウエア処理にて行われる可能性が大きい。このためＬＡＮ間にまたがる通信に関しては、ＬＡＮ内の通信と比べて著しく高速性・大容量性が失われる可能性が大きい。また、従来のようにＬＡＮ間にルーター、ブリッジ、ブルータなどを配してＬＡＮ間通信を行う方式においては、ＬＡＮ間をまたがったＶＰ／ＶＣは基本的に張れないこととなる。ＶＰ／ＶＣは、そのエンドポイント間でＡＴＭレイヤ以上のレイヤ処理がされることはないからである。これはＡＴＭ網間にまたがる通信については、ＡＴＭ通信方式の特徴の一つであるコネクションオリエンテッドな通信回線を設定できないことを意味する。
【００２０】
コネクションオリエンテッドな通信方式であるＡＴＭ通信方式に対し、従来のデータ通信で用いられてきた通信方式は「コネクションレス」（以下、ＣＬともいう）である。コネクションレス通信方式では、エンド−エンド間でコネクションは必ずしも張らず、宛先情報をパケットの一部に添付する形でパケットを網に送り出し、網内の何らかのノードが宛先情報を解析してルーチング処理を行い、宛先端末まで該パケットを転送する。すなわち、コネクションレス通信は端末がコネクションの設定手続を行うことなく通信をデータグラム実現するこのようにしてコネクションレスで宛先端末まで送出するパケットをデータグラムと呼び、これを用いた通信方式をデータグラム転送方式と呼んでいる。換言すれば、コネクションレス通信は端末がコネクションの設定手続を行うことなく通信をデータグラム転送の形で実現する方式である。
【００２１】
既存のデータ端末、例えばワークステーション（ＷＳ）やパーソナルコンピュータ（ＰＣ）などは、このデータグラム転送方式を適用しているものがほとんどである。これは、従来のほとんどのＬＡＮがデータグラム転送方式をサポートしており、またデータ端末内に搭載されていたソフトウエア（例えばＯＳ）がデータグラム転送向けのものであったためでもある。この代表例としてＴＣＰ／ＩＰ、ＵＤＰ／ＩＰを挙げることができる。
【００２２】
これら既存の端末、あるいは既存のプロトコルを搭載した端末、すなわちデータグラムを生成し、ＡＴＭ網を介して相手側端末／網へ送出する端末では、データグラム転送方式を端末−端末間の通信に用いる。このため、これらの端末をＡＴＭ網に適応させるためには、（ａ）  端末において現状のＬＡＮ用の基板、例えばイーサネットボードをＡＴＭ網用の基板（ＡＴＭボード）と入れ替え、またはターミナルアダプタ（ＴＡ）などを用いてＡＴＭ−ＬＡＮとのインタフェースに適合させる機能、（ｂ）  端末において、データグラムを何らかの形でＡＴＭセルに乗せ込む機能、（ｃ）  網において、データグラムをその宛先アドレスが示す宛先端末まで配達する機能、を設けるといった改良が端末側や網に必要となる。なお、ここでいう端末とは、既存のＬＡＮとＡＴＭ網とのゲートウエイも含む。
【００２３】
これを実現する機能として、従来ＣＬＳＦ（コネクションレスサービス機能）を用いたデータグラム配送方式が知られていた。このＣＬＳＦを用いたデータグラム配送方式は、以下のようにして実現される。
【００２４】
ＡＴＭ網内にＣＬＳＦ処理部を配置し、データグラムは全てここに集める。すなわち、全てのデータグラム端末とＣＬＳＦ処理部はＰＶＣ（パーマネントＶＣ）（ＶＣ、ＶＰ、ＰＶＰでもよい）でつながれ、端末は送出したいデータグラムを全てＡＴＭセル化してＣＬＳＦ処理部へ向かうＰＶＣに乗せ込み、ＣＬＳＦ処理部へ送出する。ＣＬＳＦ処理部では受信したデータグラムを再生し、宛先アドレスを解析して宛先アドレスにつながるＰＶＣを選択し、再度データグラムをＡＴＭセル化して送出する。宛先アドレスにつながるＰＶＣが存在しない場合、複数のＣＬＳＦ処理部が網内に存在するときは宛先アドレスである端末を含むと考えられる、またはルーチング規則で予め定められた次段のＣＬＳＦ処理部にデータグラムを再度ＡＴＭセル化して送出する。
【００２５】
ＣＬＳＦ処理部では、必ずしもデータグラムを再生してから宛先アドレスを解析し、再度ＡＴＭセル化して送出する必要はなく、データグラムをＡＴＭセル化した最初の１セル内に宛先アドレスが含まれている場合は、最初の１セル内の宛先アドレスを解析して、そのまま該セルを宛先端末に向かって転送するとともに、データグラムをＡＴＭセル化した２セル目以降を順次宛先端末に送信する方法を用いても良い。
【００２６】
しかしながら、上述したＣＬＳＦを用いる方法では、網内から送信された全てのデータグラムは必ずＣＬＳＦ処理部を経由することになり、送信するデータグラムの量が増えるほど、また網内の端末数が増えるほどＣＬＳＦ処理部にはより高いスループットが求められ、ＣＬＳＦ処理部には非常に高いスループットと、柔軟な拡張性が求められることになる。
【００２７】
データグラムを宛先端末まで送出するもう一つの方法は、宛先端末までＡＴＭコネクション、例えばＶＣを張り、ＡＴＭセル化したデータグラムをこのＶＣ上に乗せ込んで配送する方法である。しかし、この方法ではどの宛先端末に対してＶＣを張るかという点が非常に問題になる。すなわち、データグラムを送り得る相手端末は実質上無数にあり、さらにデータグラムは音声情報などと違ってその発生がバースト的であるために、無駄にコネクションを張ることは網資源の浪費となる。
【００２８】
さらに、従来のＡＴＭ網においてはコネクションレス通信を実現する場合、必ずＣＬＳＦ処理部においてＡＴＭコネクションが終端され、ＡＡＬレイヤより上位のプロトコル処理、例えばＣＬＮＡＰと呼ばれるコネクションレスサービス用のプロトコル処理が行われる。つまり、非常に近接した端末間でデータグラム通信を行う場合にも、一旦ＣＬＳＦ処理部においてＡＴＭコネクションが終端されてしまう。また、遠くの端末間でデータグラム通信を行う場合には、データグラムは複数のＣＬＳＦ処理部を通過することになり、各ＣＬＳＦ処理部でそれぞれＡＡＬレイヤ以上のプロトコル処理が行われる。
【００２９】
一般に、ＡＡＬレイヤより上位のＣＬＮＡＰといったプロトコル処理は、ソフトウェア処理で行われ（ＡＡＬレイヤ以下は、一般にハードウェア処理で行われる）、処理速度が遅い。また、ＣＬＳＦ処理部は自分がサポートしている網に属する端末間の通信だけではなく、他のＣＬＳＦ処理部がサポートしている網内の端末との通信に際しても、データグラム中のアドレス情報（例えばネットワークレイヤアドレス情報）の解析を行う必要があり、ＣＬＳＦ処理部にデータグラム転送処理の負荷が集中してしまう。これらの理由により、従来のＡＴＭ通信システムでは端末間でのコネクションレス通信（データグラム配送）においては、高速な通信を実現することが難しいという問題があった。
【００３０】
本発明の目的は、高速性・大容量性・コネクションオリエンテッド性を犠牲にすることなくＡＴＭ網間の通信を実現できるＡＴＭ通信システムを提供することにある。
【００３１】
本発明の他の目的は、ＡＴＭ網を用いたデータグラム配送を効率的に行うことができるＡＴＭ通信システムを提供することにある。
【００３２】
本発明のさらに別の目的は、ＡＴＭ網に接続された端末間のコネクションレス通信、すなわちデータグラム配送を高速に行うことができるＡＴＭ通信システムを提供することにある。
【００３３】
【課題を解決するための手段】
上記課題を解決するため、本発明によるＡＴＭ通信システムは、以下のように構成される。
【００３４】
（１）非同期転送モードで運用される複数のＡＴＭ網と、これら複数のＡＴＭ網にそれぞれ収容された複数の端末と、前記複数のＡＴＭ網の相互間に設けられ、該ＡＴＭ網間のインターネットワーキングを行う網間接続装置とを具備し、前記網間接続装置は、該網間接続装置に接続される一つのＡＴＭ網から他のＡＴＭ網に宛てて送られるパケットのうち少なくとも一部のパケットに関してはＡＴＭアダプテーションレイヤ以上の処理を行わず、ＡＴＭレイヤ処理のうち少なくともＡＴＭセルヘッダの参照とＡＴＭセルのスイッチングの少なくとも一方を行うことを特徴とするＡＴＭ通信システム。
【００３５】
この網間接続装置は、好ましくはＡＴＭセルヘッダ変換手段を有する。
【００３６】
また、この網間接続装置は、好ましくはＣＬＳＦ（コネクションレスサービス機能）処理手段を有する。このＣＬＳＦ処理部は、少なくとも網間接続装置をまたがるデータグラムについてネットワークレイヤ処理（ネットワークレイヤアドレスの解析、ルーチング処理など）を施す。
【００３７】
さらに、ＡＴＭ網内で展開されるデータグラム配送におけるアドレスレゾリューションプロトコル（データグラムの送出先のネットワークレイヤアドレスが既知で、該データグラムを送出すべき物理アドレスが未知の場合に、ネットワークレイヤアドレスから物理アドレスを獲得するためのプロトコル）において、該ＡＴＭ網外に位置するアドレスのレゾリューションについては、網間接続装置内のＣＬＳＦ処理部につながるＶＰＩ／ＶＣＩを通知することをもって行ってもよい。
【００３８】
（２）非同期転送モードで運用される複数のＡＴＭ網と、これら複数のＡＴＭ網にそれぞれ収容された複数の端末と、前記複数のＡＴＭ網の相互間に設けられ、該ＡＴＭ網間のインターネットワーキングを行う網間接続装置とを具備し、前記網間接続装置はコネクションレスサービス処理手段を有する。
【００３９】
該コネクションレスサービス処理手段は少なくとも該コネクションレスサービス処理手段を有する網間接続装置をまたがって配送されるデータグラムについてはネットワークレイヤ処理を施し、３つ以上のＡＴＭ網をまたがるデータグラムの配送は該コネクションレスサービス処理手段間のリレーイングにより行うようにしてもよい。
【００４０】
この網間接続装置が複数存在する場合、該網間接続装置内のＣＬＳＦ処理手段間はパーマネントコネクションにより結合されていてもよい。
【００４１】
また、この網間接続装置内のＣＬＳＦ処理部間を結合するコネクションは、帯域管理エンティティの管理対象外のコネクションであってもよい。
【００４２】
また、この網間接続装置において内部に呼／コネクション処理手段（呼またはコネクション、あるいはその双方の設定、切断、変更、管理を行う機能を有する部分）を有していてもよい。
【００４３】
また、この網間接続装置内の呼／コネクション処理手段は、少なくとも該網間接続装置をまたがる呼／コネクションについての処理を行ってもよい。
【００４４】
また、ＡＴＭ網内で展開される呼／コネクションの設定／変更／切断処理に伴う呼処理を探知するためのアドレスレゾリューションプロトコルに関し、該処理の対象となる呼／コネクションがＡＴＭ網外に位置するアドレスとの間のものである場合のアドレスレゾリューションについては、該網間接続装置内の呼処理部宛てのＶＰＩ／ＶＣＩをもって行ってもよい。
【００４５】
また、ＡＴＭ網内の呼／コネクション処理手段は、対象とする呼／コネクションが該ＡＴＭ網内に閉じたものでないときは該網間接続装置内の呼処理に呼／コネクション処理をリレーイングしてもよい。
【００４６】
（３）非同期転送モードで運用される複数のＡＴＭ網と、これら複数のＡＴＭ網にそれぞれ収容された複数の端末と、前記複数のＡＴＭ網の相互間に設けられ、該ＡＴＭ網間のインターネットワーキングを行う網間接続装置とを具備し、前記網間接続装置は呼処理手段を有し、該呼処理手段は少なくとも該呼処理手段を有する網間接続装置をまたがる呼／コネクションの処理を施す。
【００４７】
この呼処理手段は、３つ以上のＡＴＭ網間をまたがる呼／コネクションの処理は該呼処理手段間のリレーイングにより行うようにしてもよい。
【００４８】
該網間接続装置内の呼処理手段間は、パーマネントコネクションにより結合されていてもよい。
【００４９】
（４）非同期転送モードで運用される複数のＡＴＭ−ＬＡＮと、これら複数のＡＴＭ−ＬＡＮにそれぞれ収容された複数の端末と、前記複数のＡＴＭ−ＬＡＮ全体で少なくとも一つ設けられたデータグラムサーバと、同一の前記ＡＴＭ−ＬＡＮ内に収容された前記複数の端末間にエンド−エンドにＡＴＭコネクションを設定するコネクション設定手段と、同一の前記ＡＴＭ−ＬＡＮ内に収容された前記複数の端末間のデータグラム配送については前記コネクション設定手段により設定されたＡＴＭコネクションを通して行い、異なる前記ＡＴＭ−ＬＡＮ内の前記複数の端末間のデータグラム配送については前記データグラムサーバを通して行うデータグラム配送手段とを具備することを特徴とするＡＴＭ通信システム。
【００５０】
ここで、データグラムサーバは次のような処理を行う。ＡＴＭセル化されたデータグラム（コネクションレスパケット）を１度終端する。但し、必ずしもデータグラムをリアセンブリする必要はない。即ち、必ずしもネットワークレイヤ終端を行う必要はなく、ＣＣＩＴＴにて審議されているＣＬレイヤにて終端を行っても良い。そして、ネットワークレイヤアドレスを１度参照した後、しかるべきＡＴＭコネクション（該ネットワークレイヤアドレスを有するノードとつながるＶＰ／ＶＣ、または該ネットワークレイヤアドレスを配送する機能を有すると考えられるＣＬＳＦ処理手段とつながるＶＰ／ＶＣ）に送出する。
【００５１】
上記端末は、他の端末とのエンド−エンドのＡＴＭコネクションの設定、またはアドレスレゾリューションを該自端末の立ち上げ時またはブート時に行ってもよい。
【００５２】
また、上記端末は他の端末とのエンド−エンドのＡＴＭコネクションの設定、またはアドレスレゾリューションを該自端末のログイン時に行ってもよい。
【００５３】
また、上記データグラム配送方式において、同一ＡＴＭ−ＬＡＮ内の端末同士間のＡＴＭコネクションを確立することのできない場合、あるいはアドレスレゾリューションを行うことができない場合、該端末は送出するデータグラムをデータグラムサーバに転送してもよいし、該ＡＴＭ−ＬＡＮ内に放送してもよい。
【００５４】
（５）非同期転送モードで運用される複数のＡＴＭ網と、これら複数のＡＴＭ網にそれぞれ収容された複数の端末と、前記複数のＡＴＭ網全体で少なくとも一つ設けられた複数のデータグラムサーバと、前記複数のＡＴＭ網の相互間に設けられ、該ＡＴＭ網間のインターネットワーキングを行う網間接続装置とを具備し、前記網間接続装置は、該網間接続装置につながるＡＴＭ網からのアドレスレゾリューションを要求するためのＡＲＰ要求に対し、アドレスレゾリューションの対象ノードが該網間接続装置につながる該ＡＴＭ網に存在しない場合は該網間接続装置へつながるＡＴＭコネクションのＡＴＭアドレスの返答をもって該ＡＲＰ要求に対するＡＲＰ応答を行う応答手段と、この応答手段からのＡＲＰ応答によって返答されたＡＴＭアドレスで示される第１のＡＴＭコネクションと該網間接続装置・前記データグラムサーバ間に設定された第２のＡＴＭコネクションとを接続するコネクション接続手段とを有し、前記データグラムの送信端末と前記データグラムサーバとの間を直接ＡＴＭコネクションで結合するようにしたことを特徴とするＡＴＭ通信システム。
【００５５】
（６）非同期転送モードで運用される複数のＡＴＭ網と、これら複数のＡＴＭ網にそれぞれ収容された複数の端末と、前記複数のＡＴＭ網全体で少なくとも一つ設けられた複数のデータグラムサーバと、前記複数のＡＴＭ網の相互間に設けられ、該ＡＴＭ網間のインターネットワーキングを行う網間接続装置とを具備し、前記網間接続装置は、ルーチングプロトコル終端手段と、該網間接続装置につながる第１のＡＴＭ網からのアドレスレゾリューションを要求するためのＡＲＰ要求を受けたときアドレスレゾリューションを行うためのＡＲＰサーバに対してルーチングに関する情報を通知する通知手段と、この通知手段により通された前記情報に対して前記アドレスレゾリューションサーバからのアドレスレゾリューション応答によって返答されたＡＴＭアドレスで示される第１のＡＴＭコネクションと該網間接続装置・前記データグラムサーバ間に設定された第２のＡＴＭコネクションとを接続するコネクション接続手段とを有し、前記データグラムの送信端末と前記データグラムサーバとの間を直接ＡＴＭコネクションで結合するようにしたことを特徴とするＡＴＭ通信システム。
【００５６】
（７）ここで、（５）または（６）におけるコネクション接続手段は、例えば前記第１のＡＴＭコネクションと前記第２のＡＴＭコネクションとの接続をＡＴＭセルヘッダ変換手段およびＡＴＭセルスイッチング手段の少なくとも一方によって行うように構成される。
【００５７】
この場合、前記データグラムサーバの増減設または変更をこれらＡＴＭセルヘッダ変換手段およびＡＴＭセルスイッチング手段の少なくとも一方の設定によって行うことができる。
【００５８】
（８）非同期転送モードで運用されるＡＴＭ網と、このＡＴＭ網に収容された複数の端末とを具備し、前記端末はＡＴＭ通信用基板として、前記ＡＴＭ網よりのＡＴＭセルから前記端末に宛てられたアドレスレゾリューションを要求するためのＡＲＰ要求セルを抽出するＡＲＰ要求セル抽出手段と、このＡＲＰ要求セルにより抽出されたＡＲＰ要求セルに基づいて前記アドレスレゾリューションの要求に対する応答を行うためのＡＲＰ応答セルを生成するＡＲＰ応答セル生成手段と、このＡＲＰ応答セル生成手段により生成されたＡＲＰ応答セルを前記端末装置から送出されるＡＴＭセル流と多重化する多重化手段とを有することを特徴とするＡＴＭ通信システム。
【００５９】
以下に本発明によるＡＴＭ通信システムの作用を示す。
【００６０】
（１）従来のＡＴＭ通信システムでは、網間接続装置にて入力されたパケットを上位レイヤ（データリンクレイヤ、ネットワークレイヤ、あるいはそれ以上のレイヤ）に上げて処理を行っていたのに対し、本発明では網間接続装置において該網間接続装置に接続される１つのＡＴＭ網からこれとは異なるＡＴＭ網に宛てて送られるパケットの一部をＡＡＬ以上の処理を行わず、ＡＴＭレイヤ処理のうちの少なくともＡＴＭセルヘッダの参照および／またはＡＴＭセルのスイッチングのみで透過させる。これにより、網間接続装置をまたがるＡＴＭコネクション（ＶＰ、ＶＣ）を網間接続装置にて該コネクションを終端すること無しに生成することができる。このＡＴＭコネクションは、上位レイヤで終端されることなくＡＴＭレイヤ処理のみで網間接続装置内を通過するため、各々の網間を渡るデータの高速化と大容量の転送を可能とする。
【００６１】
また、ＡＴＭ網ではその物理アドレス体系の及ぶ範囲を一つの閉域網（ＡＴＭ−ＬＡＮ）と判断することができる。即ち、ＡＴＭ網における物理アドレス体系であるＶＰＩ／ＶＣＩの値を決定する実体の範囲の及ぶ範囲は一つのＡＴＭ−ＬＡＮであると判断できる。このＶＰＩ／ＶＣＩの値を決定する実体はＡＴＭ−ＬＡＮ内に一つないし複数存在し、これらが協調して動作する。このようにＶＰＩ／ＶＣＩの体系が独立したＡＴＭ−ＬＡＮ同士を接続する網間接続装置においては、これらのアドレス体系を変換する、即ち片側のＶＰＩ／ＶＣＩアドレス体系からもう片側のＶＰＩ／ＶＣＩアドレス体系へとアドレス変換を行う機構が必要である。網間接続装置内にＡＴＭセルヘッダ変換手段を有することにより、ＶＰＩ／ＶＣＩ値をはじめとするＡＴＭセルヘッダ値の参照を行うことができ、また該変換手段によりアドレス体系の乗換を行うことが可能となる。
【００６２】
（２）本発明では網間接続装置内にＣＬＳＦ処理手段を設けることにより、網間接続装置間をまたがって配送されるデータグラムをここで処理（終端）することができる。ＣＬＳＦ処理手段を用いてデータグラムを配送する場合、一度ＣＬＳＦ処理手段にてＡＴＭコネクションが終端され、ＡＴＭセル化されたデータグラムは上位レイヤ（ネットワークレイヤあるいはＣＬレイヤ）処理まで一度上げられる。すなわち、ネットワークレイヤアドレスまたはＣＬレイヤアドレスが参照される。この場合、データグラムのリアセンブリは必ずしも必要ない。この後、参照されたアドレスにつながるＡＴＭコネクションが選択され、該ＡＴＭコネクションを通して該データグラムは送出される。
【００６３】
このように網間接続装置内にＣＬＳＦ処理手段を配置することにより、網間をまたがって配送されるデータグラムについては、ここでＡＴＭコネクションを終端していることから、（１）  網間接続装置に接続されたＡＴＭ網から、このＣＬＳＦ処理手段に対して直接アクセスすることができる。また、このアクセスは複数の網間をまたがるＡＴＭコネクションを用いることなく行うことができる、（２）  該網間接続装置に接続されたＡＴＭ網間にまたがるデータグラム配送については、ここで処理を行うことにより、各々のＡＴＭ網におけるアドレス体系（ＶＰＩ／ＶＣＩ値）の変換をここで集中的に行うことができる、さらに（３）  該網間接続装置に接続されたルーチング情報（ネットワークレイヤアドレス、ＣＬレイヤアドレスとＶＰＩ／ＶＣＩ値との関係情報）を網間に渡って交換する必要がなくなる、などの利点を享受することができる。
【００６４】
また、上記網間接続装置に接続されたＡＴＭ網（ＡＴＭ−ＬＡＮ）内において、データグラム配送を欲する端末が該データグラムをどこに送出すればよいかを探知するアドレスレゾリューションの際、該データグラムの送出アドレスが該ＡＴＭ−ＬＡＮ外に位置するアドレス宛である場合は、該網間接続装置内のＣＬＳＦ処理手段につながるＶＰＩ／ＶＣＩを例えばＣＬＳＦ処理手段自身や後述するＡＲＰサーバなどが通知することにより、網外へのデータグラム配送を統一的に行うことができる。
【００６５】
以上の構成はＡＴＭ網間の網間接続装置のみならず、ＡＴＭ網と他の方式（たとえばイーサネット方式）で運用される網間の網間接続装置においても適用することができる。
【００６６】
また、データグラム配送が３つ以上の網間をまたがる場合、該網間接続装置内に配置されたＣＬＳＦ手段間のリレーイングにてこれを行うことにより、自ＡＴＭ−ＬＡＮ外へ配送されるデータグラムに関しては、網間接続装置内に配置されたＣＬＳＦ処理手段に送出するという方法、及び該ＣＬＳＦ処理手段が管理対象とするデータグラム送出先は、他ＣＬＳＦ処理手段を除いて該網間接続装置に接続された網内の端末／ノードのみとする方法を維持することができ、効率的なＣＬＳＦ運用を図ることができる。
【００６７】
ここで、上記ＣＬＳＦ処理手段間の接続をパーマネントコネクション、具体的にはＰＶＰ（パーマネントＶＰ）またはＰＶＣ（パーマネントＶＣ）にて行うことにより、ＣＬＳＦ処理手段間のデータグラム転送の都度生じるコネクション設定オーバヘッドを削減することができると共に、３つ以上の網間をまたがるデータグラムの配送については、該パーマネントコネクションを介して行われるようにすることができるため、データグラム配送のために使われるトラヒックの監視を行い易くすることができる。
【００６８】
（３）また、データグラム配送は通常、信頼性の無いコネクションで行われる。すなわち、送出したデータグラムが途中で紛失する可能性がある、あるいは送出したデータグラムが送出先まで届くまでの遅延時間は予測できないことを前提にして行われると考えることができる。このため、ＣＬＳＦ処理手段間をつなぐコネクションについても、帯域管理エンティティの管理対象外のコネクション、すなわち該コネクションの設定に際し、帯域管理のためのコネクション接続制御の対象外とし、セル配送優先度の低いコネクションとすることができる。これにより、コネクション接続制御の対象のコネクション（優先度の高いコネクション）のセルを優先的に通すようなストラテジがとられることとなるが、データグラム配送については、その性質上妥当なものとなる。
【００６９】
また、網間接続装置内に呼／コネクション処理手段を設けることにより、網間接続装置間をまたがるＡＴＭコネクションの処理（設定、切断、変更、管理など）をここで処理（終端）することができる。このことにより、（１）  網間接続装置をまたがったＡＴＭコネクションの処理は、その接続される双方の網内の情報が必要である。各々の網間に位置し、その各々の網内の情報を知ることのできる網間接続装置内に呼／コネクション処理手段を配置することにより、網間接続装置をまたいだＡＴＭコネクションの処理について効率的に行うことができる。（２）  網間接続装置とつながる各々の網から、この呼／コネクション処理手段に対して、アクセスすることができる。また、このアクセスは、複数の網間をまたがるＡＴＭコネクションを用いることなく行うことができる。（３）  該網間接続装置内の呼／コネクション処理手段は、該網間接続装置をまたがるＡＴＭコネクションの処理に特化させることが可能となる。（４）  網間をまたがるＡＴＭコネクションについては、網間接続装置においてその各々のＡＴＭアドレス体系（ＶＰＩ／ＶＣＩ体系）を変換する必要がある。網間接続装置内にて呼／コネクション処理手段を設けることにより、該ＶＰＩ／ＶＣＩ体系の変換テーブルの設定手段などのアドレス体系の変換に不可欠な要素を、呼／コネクション処理手段に含めたり、同処理手段と密に結合させることが可能となる、などの利点を享受できる。
【００７０】
さらに、上記網間接続装置に接続されたＡＴＭ網（ＡＴＭ−ＬＡＮ）内において、呼／コネクションの処理要求（設定、切断、変更要求など）を欲する端末が、該処理要求をどこに送出すればよいかを探知するアドレスレゾリューションの際、該呼／コネクションの接続先アドレスが、該ＡＴＭ−ＬＡＮ外に位置するアドレスである場合は、上記網間接続装置内の呼／コネクション処理手段につながるＶＰＩ／ＶＣＩを通知することにより、網外との呼／コネクション処理を統一的に行うことができる。
【００７１】
また、ＡＴＭ−ＬＡＮ内に呼／コネクション処理手段が備わっている場合、要求された呼／コネクションについての処理がＡＴＭ−ＬＡＮ内に閉じたものであるときは、該ＡＴＭ−ＬＡＮ内の呼／コネクション処理手段内にて処理を行い、該処理がＡＴＭ−ＬＡＮ外の実体との処理要求である場合は、ＡＴＭ−ＬＡＮ外との呼／コネクションの処理を司る網間接続装置内の呼／コネクション処理手段に該処理をリレーイングすることにより、網外との呼／コネクションに関する処理を統一的に行うことができる。
【００７２】
以上の構成はＡＴＭ網間の網間接続装置のみならず、ＡＴＭ網と他の方式（たとえばイーサネット方式）で運用される網間の網間接続装置においても適用することができる。
【００７３】
上述した呼／コネクション処理が３つ以上の網間をまたがる場合、該網間接続装置内に配置された呼／コネクション処理手段間のリレーイングにてこれを行うことにより、自ＡＴＭ−ＬＡＮ外とのＡＴＭコネクションに関しては網間接続装置内に配置された呼／コネクション処理手段に送出するという方法、及び該呼／コネクション処理手段が管理対象とする実体（端末、ノードなど）は、他呼／コネクション処理手段を除いて該網間接続装置に接続された網内の端末／ノードのみとする方法を維持することができ、効率的な呼／コネクション処理の運用を図ることができる。
【００７４】
また、上記呼／コネクション処理手段間の接続をパーマネントコネクション、（ＰＶＰまたはＰＶＣ）にて行うことにより、呼／コネクション処理手段間の処理情報転送の都度生じるコネクション設定オーバヘッドを削減することができると共に、３つ以上の網間をまたがる呼／コネクションの処理については、該パーマネントコネクションを介して網間接続装置内の呼／コネクション処理手段間のリレーイングで常に行われるようにすることができる。また、呼／コネクション処理のために使われるトラヒックの監視を行い易くすることができる。
【００７５】
（４）前述したように、ＬＡＮ環境においては広域網環境とは異なり、アプリケーションプログラムはＬＡＮに対して十分に小さいレイテンシと短い呼設定時間を要求すると考えられる。データグラムは呼設定が不要であるため、上記の後者の要求を満足することができるが、ＡＴＭ環境においてデータグラムサーバを用いた場合は、一般に該データグラムサーバにおけるデータグラムの滞留時間が問題となり、小さなレイテンシを確保できない。小さなレイテンシを特に求める環境は、ＬＡＮ内におけるアプリケーションと考えられるから（ＷＡＮ環境では物理的距離が存在するため、伝搬遅延が避けられない）、ＡＴＭ−ＬＡＮ内の端末は同一ＡＴＭ−ＬＡＮ内の他の端末とはエンド−エンドにＡＴＭコネクションを設けてデータグラム配送を行うことにより、上記の要求をともに満足させることができる。また、ＬＡＮ内におけるデータグラムの通信量は、一般にＬＡＮ間をまたがるデータグラムの通信量を大幅に上回ると考えられることから、ＬＡＮ内にて完結しているデータグラムのやり取りをデータグラムサーバを介さずに直接行うことは、データグラムサーバに過度のスループットを求めることを未然に防ぐこともできる。この場合、複数の網間をまたがるデータグラムについては、データグラム配送手段を有したデータグラムサーバを通してデータグラム配送を行えばよい。
【００７６】
また、データグラムを送出する端末装置は、送出したいデータグラムが生じた際に、該データグラムをＡＴＭ通信用基板または任意のメモリに待機させて、ＡＴＭコネクションの設定なりアドレスレゾリューションを行って、物理アドレス（ＡＴＭ網の場合ＶＰＩ／ＶＣＩ値等のＡＴＭセルヘッダ値）が判明した後、上記ＡＴＭ通信用基板、または任意のメモリからデータグラムを取り出し、これをＡＴＭセル化して、上記物理アドレスを付与して送出する必要は必ずしも無い。なぜなら、上記のＡＲＰを行っている時間はデータグラムを待ちの状態にしておくことになることから、データグラムを送出する立場からいえば無駄な時間である。データグラムを送出する可能性のある相手先端末に関しては、予めＡＴＭコネクションの設定、あるいはアドレスのレゾリューションを行っておくことにより、効率的なデータグラム配送を行うことができると考えられる。このエンド−エンドのＡＴＭコネクションの設定またはアドレスレゾリューションは、該自端末装置の立ち上げ時（ブート時）、あるいはログイン時に行えばよい。
【００７７】
また、同一ＡＴＭ−ＬＡＮ内の端末同士間のＡＴＭコネクションを確立することのできない場合、あるいはアドレスレゾリューションを行うことができない場合、該端末は送出するデータグラムをデータグラムサーバに転送することにより、データグラムによる通信を可能とすることができる。これは、一般に該データグラムサーバがデータグラムの配送先端末に対してデータグラムを配送する能力が存在すると考えられることから（何故なら、該データグラムサーバは該ＡＴＭ−ＬＡＮにつながるノード／ＩＷＵ／端末の全ネットワークレイヤアドレスの存在を認識しているから）、同一ＡＴＭ−ＬＡＮ内へのデータグラム配送はたとえエンド−エンドのＡＴＭコネクションが存在しない、あるいはデータグラム送出側端末が該ＡＴＭコネクションを認識できない場合でも、該データグラムサーバをもって可能になるという理由による。
【００７８】
また、同一ＡＴＭ−ＬＡＮ内の端末同士間にＡＴＭコネクションを確立することのできない場合、あるいはアドレスレゾリューションを行うことができない場合、該端末は送出するデータグラムを該ＡＴＭ−ＬＡＮ内に放送すれば、放送される情報については該ＡＴＭ−ＬＡＮ内の全端末が受信・解析を行っていることから情報の伝達が可能となる。
【００７９】
（５）次に、本発明における網間接続装置において説明する。一般に、網間接続装置においては、該装置につながる網に関する情報（どのようなネットワークレイヤアドレスあるいはその他のアドレスを有したノードがどの様に配置されているか、どの様にルーチングすれば良いかなどに関する情報；ルーチング情報）を直接収集できる立場に位置していることから、ルーチングプロトコルの主要動作点（バックボーン網におけるルーチング情報の交換という意味においても、支線網における、ルーチング情報の集中点という意味においても）となっている。これまでの既存の網間接続装置（俗にいう、ＬＡＮにおけるルーター）においては、「ルーチングプロトコルの終端点」という意味と、該網間接続装置に入力されてきたデータグラムのネットワークレイヤアドレスを解析し、上記ルーチングプロトコルなどを通して得たルーチング情報を基に、「該入力データグラムのルーチング」を行うという意味で、２つの機能を有していた。これに対し、ＡＴＭ網では後者の機能、即ち「入力されてきたデータグラムのネットワークレイヤアドレスを解析し、上記ルーチングプロトコルなどを通して得たルーチング情報をもとに、該データグラムのルーチングを行う」機能は、データグラムサーバの機能であり、一般に高いコストと複雑な装置を必要とする。また、上記のようなデータグラムサーバを実際に通信されるデータグラムの総量がそれほど多くはないにも関わらず多数設けることは、通信資源の無駄となると考えられる。
【００８０】
（６）そこで、本発明のようにルーチングプロトコル終端手段と、データグラムサービス処理手段を分離し、更にアドレスレゾリューションの結果のＡＴＭアドレスを必要な場合（アドレスレゾリューション先のノードがエンド−エンドのＡＴＭコネクションで結合されていない場合、即ち同一ＡＴＭ−ＬＡＮ内に存在していない場合）はデータグラムサーバへと導くＡＴＭアドレスとすることにより、必要数以上のデータグラムサーバを用いることなく、適切なコストと規模でデータグラムサービスを提供することができる。
【００８１】
（７）上記の網間接続装置において、上記ＡＲＰ応答にて返答したＡＴＭアドレスにて示される、該網間接続装置へとつながるＡＴＭコネクションと、網間接続装置からデータグラムサーバとを接続するＡＴＭコネクションとの接続を、網間接続装置内のＡＴＭセルヘッダ変換手段、あるいは／及びＡＴＭセルスイッチング手段への設定によって行うことにより、データグラムの送信端末とデータグラムサーバ間を直接ＡＴＭコネクションで、つまりＡＴＭレイヤ処理のみで結合することができる。
【００８２】
また、上記のような形で任意の端末とデータグラムサーバ間のデータグラム転送を行うＡＴＭ網において、データグラムサーバの増減設、あるいは変更の場合は、上記網間接続装置内のＡＴＭセルヘッダ変換手段、あるいは／及びＡＴＭセルスイッチング手段への設定の変更によりこれを行うことにより、データグラムサーバの増減設時、または変更時などの設定変更が網間接続装置内の簡単なテーブル変更のみで、しかも非常に短時間で容易に行うことができる。
【００８３】
（８）本発明のような端末（ＡＴＭ通信用基板）を用いることにより、一般にブロードキャストチャネル（任意の送信側端末から該ＡＴＭ−ＬＡＮに属する全てのノード／ＩＷＵ／端末に対して、送出したセルをブロードキャストすることのできるＡＴＭコネクション）を介して行われると考えられるＡＲＰ要求セル  （アドレスレゾリューション要求セル）に対する対応を迅速に、かつ上位の（端末装置内部の）処理装置（ＣＰＵなど）の処理時間を消費することなく行うことができる。
【００８４】
また、以上のようにＡＴＭ通信システムのネットワーク全体を複数のＡＴＭ網によって構成する、すなわちサブネット化することにより、アドレス解析プロトコルとルーチングプロトコルの切り分けが明確化され、ネットワークの拡張に柔軟に対応することができる。
【００８５】
【発明の実施の形態】
以下、図面を参照しながら発明の実施の形態を説明する。
【００８６】
（第１の実施形態）
図１に、第１の実施形態に関わるＡＴＭ網を示す。同図に示されるように、本実施形態のＡＴＭ網は、第１のＡＴＭ−ＬＡＮ１１、第２のＡＴＭ−ＬＡＮ１２、網間接続装置（以降、ＩＷＵとも呼ぶ）１３からなる。
【００８７】
第１のＡＴＭ−ＬＡＮ１１、第２のＡＴＭ−ＬＡＮ１２は、それぞれＡＴＭ方式にて運用されるローカルエリアネットワークである。各々のＡＴＭ−ＬＡＮ内では、アドレス体系は独立している。即ち、各々のＡＴＭ−ＬＡＮの内部にて使用されるＶＰＩ／ＶＣＩ値は、その内部に存在するＶＰＩ／ＶＣＩ値決定機能が決める権限を持っており、この権限は各々のＡＴＭ−ＬＡＮにおいて独立である。ＡＴＭ−ＬＡＮ内の端末装置およびノードは、送出したい情報が存在する場合は（その送出先が該ＡＴＭ−ＬＡＮ内であっても、そうでなくても）、該情報をＡＴＭセルに格納し、しかるべきＡＴＭセルヘッダを付与して、該ＡＴＭ−ＬＡＮ内に送出する。
【００８８】
図２に、網間接続装置１３の内部構造の図を示す。この網間接続装置１３は、アッド・ドロップ処理部２１、マルチプレクサ／デマルチプレクサ（以下、ＭＵＸ／ＤＥＭＵＸという）２２、ＣＬＳＦ処理部２３、呼処理部２４、ＩＷＵ管理部２５、ＡＴＭセルヘッダ変換部２６からなる。本網間接続装置１３は、２つのＡＴＭ−ＬＡＮ間に位置し、該２つのＡＴＭ−ＬＡＮのインターネットワーキング（ＬＡＮ間接続）を司る機能を有する。
【００８９】
アッド・ドロップ処理部２１は、入力されてきたＡＴＭセルのヘッダ部を参照し、該セルがしかるべきヘッダ値を有している場合（即ち、該セルが網間接続装置１３内にて終端されるべきセルである場合）には、該セルをＤＥＭＵＸ２２側にドロップさせる処理及びＭＵＸ２２側からのセルをセル伝送路上に挿入する  （アッドさせる）処理を行う。ここで、本アッド・ドロップ処理部２１はセル伝送路上の左右どちらからのセルをもドロップさせる機能を持ち、かつ左右どちら方向のセル伝送路上へもセルを挿入させる機能を持っている。
【００９０】
このアッド・ドロップ処理部２１において、左右どちら方向のセル伝送路上ににセルを挿入させるかに関する情報は、後述するＣＬＳＦ処理部２３、呼処理部２４、ＩＷＵ管理部２５の各々により指定されるものとする。すなわち、例えば左方向のセル伝送路に挿入するなら０、右方向なら１などの値と共に該挿入セルをアッド・ドロップ処理部２１に渡し、アッド・ドロップ処理部２１はこの値を参照して挿入方向を決める。また、該セルを挿入する箇所は、セル伝送路上のセルスロット上に空セルが通過している際に、これを置き換える形で挿入する形になっていても良い。
【００９１】
また、アッド・ドロップ処理部２１からセルをＭＵＸ／ＤＥＭＵＸ２２側にドロップするに際し、図３に示すようなドロップテーブルが参照される。このドロップテーブルは、左右両方向のセル伝送路に各々設けられ、このテーブルの値に従って、セルのドロップ先（ＣＬＳＦ処理部２３か、呼処理部２４か、ＩＷＵ管理部２５か）が決定される。図３のように、ドロップテーブルはセルヘッダ値をエントリーとし、ドロップ先を示す値が参照される。このドロップ先を示す値としては、例えばＣＬＳＦ処理部２３ならば１、呼処理部２４ならば２、ＩＷＵ管理部２５ならば３、などというように値が割り当てられている。アッド・ドロップ処理部２１にてドロップさせるセルは、このドロップ先を示す値と、左右どちら方向のセル伝送路からのドロップセルであるかを示す値（例えば左方向からならば０、右ならば１など）と共に、ＭＵＸ／ＤＥＭＵＸ２２側に送出される。なお、このドロップテーブル上の情報は、後述するＩＷＵ管理部２５によって、初期化、追加、変更などが行われる。
【００９２】
ＭＵＸ／ＤＥＭＵＸ２２は、アッド・ドロップ処理部より送られてきたセル  （ドロップセル）を並行して送られてきた情報を参照して下部につながるいずれかのモジュール（本実施形態ではＣＬＳＦ処理部２３、呼処理部２４、ＩＷＵ管理部２５）に送出する機能（ＤＥＭＵＸ機能）、および該下部につながるモジュール群から送られてきたセル伝送路に挿入すべきセル（アッドセル、挿入セル）を多重し、アッド・ドロップ処理部２１側に、どちらの方向に挿入すべきかの情報と共に渡す機能（ＭＵＸ機能）を有する。
【００９３】
ＣＬＳＦ処理部２３は、コネクションレスサービス機能（Ｃｏｎｎｅｃｔｉｏｎ  Ｌｅｓｓ  Ｓｅｒｖｉｃｅ  Ｆｕｎｃｔｉｏｎ）の処理を行うものである。後に詳述するように、ＣＬＳＦ処理部２３は網間接続装置１３をまたがって配送されるデータグラム（コネクションレスパケット）を一度終端し（必ずしも、データグラムをリアセンブリする必要はないことに注意する。即ち、必ずしもネットワークレイヤ終端を行う必要はなく、ＣＣＩＴＴにて審議されているＣＬレイヤにて終端を行うこともできる）、ネットワークレイヤアドレスを一度参照した後、しかるべきＡＴＭコネクション（該ネットワークレイヤアドレスを有する端末／ノードとつながるＶＰ／ＶＣ、または該ネットワークレイヤアドレスを配送する機能を有すると考えられるＣＬＳＦ処理部とつながるＶＰ／ＶＣ）に送出する機能を有する。このＣＬＳＦ処理部２３にて、データグラム配送のためのＡＴＭコネクションは一度終端されていることに注意が必要である。
【００９４】
呼処理部２４は、基本的に網間接続装置１３をまたがるＡＴＭコネクションの設定、切断、変更、管理などを行う機能を有している。また、該ＡＴＭコネクション、あるいは網間接続装置内のＡＴＭ伝送路上の帯域を管理する機能を有していても良い。詳細は後述する。
【００９５】
ＩＷＵ管理部２５は、網間接続装置１３の管理、制御を行う機能を有する。
【００９６】
ヘッダ変換部２６は、（左右両方向から）入力されてきたセルのヘッダ値を参照し、該ヘッダ値がしかるべき値である場合、これを別のヘッダ値に書き換える機能を有する。このヘッダ変換部２６は、基本的にセルヘッダ値を参照（入力セルヘッダ値）し、これをあるセルヘッダ値（出力セルヘッダ値）に書き換える機能を有しているため、該入力セルヘッダ値と、出力セルヘッダ値との対応テーブルを内部に有している。この対応テーブルの初期化、追加、変更などは、ＩＷＵ管理部２５によって行われる。この対応テーブルは、エントリー値が入力セルヘッダ値である点で、図３のドロップテーブルと一致しているため、該テーブルをドロップテーブルと一体化させることが容易に可能である。
【００９７】
網間接続装置１３内の各モジュールは、各々バス接続されているものとし（図示せず）、ＩＷＵ管理部２５からの各モジュールの設定値の変更などの制御は、このバスを通して行われるものとする。
【００９８】
なお、各モジュール間の情報のやり取りを上記のようにバスを通して行うのではなく、ＡＴＭセルに該情報を乗せて、セルをモジュール間で交換することにより、これを行っても良い。
【００９９】
なお、本実施形態では、左右両方向のセル伝送路上の色々の処理（ＣＬＳＦ処理、呼処理など）を左右で同一のモジュールにて行っているが、左右の方向別にこれを行うことも可能である。
【０１００】
また、本実施形態では、本ＩＷＵ内の色々の処理を別個に行っているが（即ち、ＣＬＳＦ処理部はＣＬＳＦ処理専用モジュールにて、呼処理は呼処理専用モジュールにてそれぞれ処理を行っている）、全て、あるいはこれらの処理のいくつかを同一のＣＰＵ／ＭＰＵにて行うことも可能である。
【０１０１】
また、本実施形態の図２の網間接続装置内にはヘッダ変換部２６が一つしかない場合を記しているが、左右両方向のＡＴＭセル流に対して、アッド・ドロップの前、および／または後にヘッダ変換部を設けて、その各々がそれぞれ片方向のセル流のＡＴＭセルのヘッダ変換を行う方式（図３８）や、図３９のようにヘッダ変換部の前後にアッド・ドロップ処理部を設けて、それぞれ片方向のセル流のＡＴＭセルのアッド・ドロップを行う方式も考えられる。これらのようにすることにより、左右両方向からみて、網間接続装置１３の機能を対称にみせることができる。
【０１０２】
次に、図４に第１のＡＴＭ−ＬＡＮ１１、第２のＡＴＭ−ＬＡＮ１２の内部のノード・端末構成の一実施形態を示す。このように、第１のＡＴＭ−ＬＡＮは１１は、３つのスイッチノード４１、４２、４３と、これらに接続された端末４Ａ、４Ｂ、４Ｃ、４Ｄからなる。また、第２のＡＴＭ−ＬＡＮ１２は、２つのスイッチノード４４、４５と、これらに接続された端末４Ｅ、４Ｆ、４Ｇからなる。
【０１０３】
スイッチノード内には、ＡＴＭスイッチが実装され、スイッチノード同士の接続、網間接続装置との接続、端末装置との接続を行うことができ、その際はスター型（あるいはツリー型など）の構成をとることとなる。これらスイッチノードと、端末装置／スイッチノード／網間接続装置間のインタフェース速度は１０Ｍ、２０Ｍ、１５５Ｍ、６２２Ｍなど様々な値を選択できるものとする。
【０１０４】
次に、図５に両ＡＴＭ−ＬＡＮ内の端末と、網間接続装置１３内のＣＬＳＦ処理部間のＡＴＭコネクション接続状態の一実施形態を示す。ここで、簡単のため端末・スイッチノード間、スイッチノード・網間接続装置間の配線は省略してある。また、網間接続装置内の呼処理部、ヘッダ変換部などのその他の構成要素も図中では省略してある。
【０１０５】
このように、各端末装置と網間接続装置１３内のＣＬＳＦ処理部２３間は、それぞれＡＴＭコネクションで結ばれている。このＡＴＭコネクションは、ＶＰであってもＶＣであっても構わない。このＡＴＭコネクションは、帯域管理の対象外のコネクションである。即ち、端末装置と、網間接続装置１３内のＣＬＳＦ処理部２３とのＡＴＭコネクションを物理的に張るのに際し、帯域の予約がなされることなく（即ち、呼受付制御に際し、帯域管理のための評価関数を経ることなく）張られたものである。このような帯域管理を行わないＡＴＭコネクションは、帯域管理を行うＡＴＭコネクションと比較して、優先度が低いと考えられる。即ち、セル配送遅延、あるいはセル廃棄率などのパラメータに関して、帯域管理を行うＡＴＭコネクションと比較すると、帯域管理を行わないＡＴＭコネクションは悪い値を示すことになる。この端末装置と、ＣＬＳＦ処理部間を結ぶＡＴＭコネクションは、データグラムの配送のために使われるものであるが、元来データグラムの配送は、大きな遅延時間、および信頼性のない物理コネクションを前提にして考えられたものであるため、このようなＡＴＭコネクションを使用するのは、妥当である。
【０１０６】
このように、本実施形態においてはＡＴＭ−ＬＡＮ内のＡＴＭコネクション（場合によっては、ＡＴＭ−ＬＡＮ間をまたがるＡＴＭコネクションについても）には、帯域管理を行うＡＴＭコネクションと、帯域管理を行わないＡＴＭコネクションとがある。帯域管理を行うＡＴＭコネクションは一定の通信品質（ＱＯＳ）を保ちつつ通信を行うことのできるコネクション（一定以上のセル廃棄率、一定以下の遅延時間が期待できるコネクション）であり、帯域管理を行わないＡＴＭコネクションは通信品質に一切の保証がないコネクション（セル廃棄率、遅延時間に関して、制限がない）である。
【０１０７】
帯域管理を行うＡＴＭコネクションは、優先度の高いコネクション、帯域管理を行わないＡＴＭコネクションは優先度の低いコネクションと考えられ、例えば優先度の高いコネクションに属するセルが無い場合に限り、優先度の低いコネクションに属するセルの通過を許すなどの優先制御を行うことにより、これを実現することができる。
【０１０８】
帯域管理を行うＡＴＭコネクションに関しては、該コネクションの通過するセル伝送路、および交換ノード内の通信資源が確保された場合に限り、設定を許可されるコネクションであるのに対し、帯域管理を行わないＡＴＭコネクションに関しては、帯域管理対象外であるため、呼／コネクション受付制御に際しても、（各コネクション管理エンティティの）受付上限数以下である限り、無条件に受け付けられるものである。
【０１０９】
なお、この端末装置と網間接続装置１３内のＣＬＳＦ処理部２３間を結ぶＡＴＭコネクションは、網間接続装置をまたがる、即ちＡＴＭ−ＬＡＮ間をまたがるものではないことに注意が必要である。ＡＴＭ−ＬＡＮ間をまたがるＡＴＭコネクションを設定する場合は、一般に、後述するように両ＡＴＭ−ＬＡＮ間でのネゴシエイションや、アドレス変換、プロトコル変換などが一般に必要であり、網間接続装置内にＣＬＳＦ処理部を設けることにより、このようなＡＴＭ−ＬＡＮ間をまたがるＡＴＭコネクションをデータグラム配送のために設ける必要がなくなる。
【０１１０】
さて、端末装置は、網間接続装置１３を介した、即ち自ＡＴＭ−ＬＡＮ外へのデータグラムについては、網間接続装置１３内のＣＬＳＦ処理部２３を介して配送することになる。即ち、ＡＴＭセル化したデータグラムを該ＣＬＳＦ処理部２３に送り込むことになるが、該データグラムを該ＣＬＳＦ処理部２３に送出すれば良いということを端末装置が知るまでのアプローチとしては、いくつかの方法が考えられる。
【０１１１】
端末装置は、送出したいデータグラムの宛先アドレス（ネットワークレイヤアドレス、あるいはドメイン名を含んだメイルアドレスなどでも良い）から、該データグラムをどのＡＴＭアドレス（即ち、どのＶＰＩ／ＶＣＩの値）をつけて送出すれば良いかをレゾリューションしなくてはならない。このように、宛先アドレスから送出するデータグラム／ＡＴＭセルに付与するＶＰＩ／ＶＣＩ値をレゾリューションする作業を、ここではＬＡＮの慣例に習ってＡＲＰ（Ａｄｄｒｅｓｓ  Ｒｅｓｏｌｕｔｉｏｎ  Ｐｒｏｔｏｃｏｌ：アドレスレゾリューションプロトコル）  と呼ぶことにする。
【０１１２】
このＡＲＰの実現方法には、以下のように幾つかの方法がある。
【０１１３】
（方法１）：予めＣＬＳＦ処理部宛のＶＰＩ／ＶＣＩが割り当てられている場合。
【０１１４】
この場合は、予めＣＬＳＦ処理部のＡＴＭアドレス（ＶＰＩ／ＶＣＩ）がＬＡＮ一意に割り当てられており、データグラムは無条件に該ＶＰＩ／ＶＣＩをつけて送出すれば良いとなっている方式である。
【０１１５】
このような方式の場合、端末は自ＡＴＭ−ＬＡＮ内へのデータグラムの配送と、網間接続装置を介した他ＬＡＮへのデータグラム配送を区別することができないため、網間接続装置１３内のＣＬＳＦ処理部２３が、ＡＴＭ−ＬＡＮ内に閉じたデータグラムの配送機能をも有している必要がある。なお、図６に示すようにＡＴＭ−ＬＡＮ内にＣＬＳＦ処理部が別に用意されており、網間接続装置をまたがるデータグラム配送については、該データグラムが網間接続装置内のＣＬＳＦ処理部にリレーイングされてくる形式のデータグラム配送方式は、本方法に含まれるものである（あらかじめＡＴＭ−ＬＡＮ内のＣＬＳＦ処理部宛のＶＰＩ／ＶＣＩが定められている）。  （方法２）：ＡＲＰサーバを用いる方法
ＡＴＭ−ＬＡＮ内にＡＲＰサーバなるものが存在しており（図示せず）、端末装置はＡＲＰサーバに対して、該宛先アドレスのデータグラムをどのＶＰＩ／ＶＣＩをつけて送り出したら良いのかを尋ねにいく方式である。
【０１１６】
ＡＲＰサーバは、内部にテーブルを有しており、このテーブルには、あて先アドレスと、ＶＰＩ／ＶＣＩ値とが対応している。問い合わせを受け取ったＡＲＰサーバは、該宛先アドレスに対応するＶＰＩ／ＶＣＩ値を内部のテーブルを参照して解析し、その解析結果（ＶＰＩ／ＶＣＩ値）を該問い合わせ元の端末装置に対して返す。その際、両端末装置／ノード間にＡＴＭコネクションが張られていない場合は、その旨を通知しても良いし、該ＡＲＰサーバが両端末／ノード間のＡＴＭコネクションを設定して、その後に該ＡＴＭコネクションのＶＰＩ／ＶＣＩ値を返しても良い。このようにしてＡＲＰが行われる。
【０１１７】
ここで、端末装置が、ＡＲＰサーバのＡＴＭアドレス（該端末装置からＡＲＰサーバ宛のＶＰＩ／ＶＣＩ値）を知っている場合と、知らない場合とが考えられる。
【０１１８】
知っている場合は、該ＶＰＩ／ＶＣＩ値を使って問い合わせを行えば問題ない。
【０１１９】
知らない場合は、ＡＲＰサーバ自身のＡＴＭアドレスのレゾリューション（ＡＲＰ）を行うか、ブロードキャストチャネルを用いて、該問い合わせを自ＡＴＭ−ＬＡＮ中に放送し、その放送された問い合わせをＡＲＰサーバが、この問い合わせは自分に対する問い合わせであると認識して、その後の処理を行う方式とが考えられる。このブロードキャストチャネルを用いる場合は、該ブロードキャストセル中に、自分のアドレス（ネットワークレイヤアドレス、必要ならばメイルアドレス、ＡＴＭアドレスＶＰＩ／ＶＣＩ値、サーバ名（ＡＲＰサーバ）、通信ボードに付与された物理アドレスなど）、相手先アドレス（該ブロードキャストセルを受け取ってもらいたい実体のネットワークレイヤアドレス、必要ならばメイルアドレス、ＡＴＭアドレス、サーバ名、機能名など）、ブロードキャストセル種別（どの様な意味あいのブロードキャストセルであるか）の情報を少なくとも含める必要がある（図７）。また、この自分のアドレス（送出元アドレス）や、相手先アドレス（受信側アドレス）に、「どのプロトコルのアドレスか」（たとえばＩＰアドレスか、Ｅ。１６４アドレスか、など）を示す領域が含まれていても良い。また、同一の送出元が、同一の相手先に複数の要求を同時に行う際に、その返答がどの要求に対するものであるかを示すために、該セル内に乱数や、判別用の番号などを付加しても良い。
【０１２０】
この放送セルをＡＲＰ用に使う場合は、例えば図７のその他の情報のフィールドに、アドレスレゾリューションの対象先である端末装置／ノードのアドレス  （ネットワークレイヤアドレス、必要ならばメイルアドレスなど）の情報を少なくとも含めることが考えられる。この場合、放送セルフォーマットの中の、受信側アドレスに関しては不定（例えばオール１など）にしてもよい。受信側アドレスを不定にする理由としては、放送セルにおける受信側アドレスとは、該放送セルの受信対象端末のアドレスが入る。ＡＲＰに放送セルを用いる場合は、アドレスレゾリューション対象の端末装置が必ずしも該ＡＲＰに対して返答するとは考えられない、即ち該ＡＲＰを行うセルを受信し、処理するとは考えられないためである。
【０１２１】
この、ブロードキャストを行うに際しては、たとえばＶＰＩ＝オール１を用いる。ＶＣＩ＝オール１でも良いし、ＶＣＩの値に、ブロードキャストセル種別情報を含めても良い。
【０１２２】
ブロードキャストを用いて、ＡＲＰを行う例としては、例えば、放送セル（ＡＲＰセル）を受信した適当なＡＲＰサーバが、放送セル種別を参照して、これがデータグラム送出要求ＡＲＰであることを知り、更に該ＡＲＰ要求が、網間接続装置内のＣＬＳＦ処理部を介して処理するべきものであるということをアドレスレゾリューション対象アドレスを参照して認識し、該網間接続装置内のＣＬＳＦ処理部へのＡＴＭアドレス（ＶＰＩ／ＶＣＩ値）を返答する場合などがある。このようなＡＲＰを放送セルを用いて行う場合の放送セルのフォーマットの一例を図８に示す。
【０１２３】
ブロードキャストを用いずにアドレスレゾリューションの要求をＡＲＰサーバに対して（エンド−エンドのＡＴＭコネクションを通して）行う場合でも、該問い合わせにアドレスレゾリューションの対象アドレスを含む必要があるのは言うまでもない。
【０１２４】
ＡＲＰサーバは、該データグラムの送出先が、網間接続装置の先である（即ち自ＡＴＭ−ＬＡＮ外である）と認識した場合、レゾリューション結果として、網間接続装置内のＣＬＳＦ処理部へのＡＴＭアドレス（ＶＰＩ／ＶＣＩ値）を返答する。
【０１２５】
この［該データグラムの送出先が網間接続装置の先である］と認識するには、例えばサブネットマスク等を用いて該データグラムの宛先アドレスが自ＡＴＭ−ＬＡＮのサブアドレスを有しているか否かを検査する方式が考えられる。
【０１２６】
ＡＲＰサーバが解析結果を問い合わせ元に対して返答する際にも、いくつかの方法が考えられる。
【０１２７】
まず、ブロードキャストチャネルを用いて、該問い合わせ結果を返答する方法がある。この場合は、図８の放送セル種別にＡＲＰの返答である旨が入り、アドレスレゾリューション結果であるＡＴＭアドレス（ＶＰＩ／ＶＣＩ）がアドレスレゾリューション対象アドレスに代わり、または引き続き入ることになる。
【０１２８】
なお、詳細は後述するが、前願特願平５−１２６７において提案した、方式  （ここでは、これをＶＰルーチング方式と呼ぶ）、即ち各端末／ノードに対して、ＶＰＩを一つ割り振り、ＡＴＭ−ＬＡＮ内のルーチングをＶＰＩを用いて行うような方式である以外は、本ＡＲＰに際しては、「データグラム送出要求ＡＲＰ」としてＡＲＰが行われることになる。
【０１２９】
即ち、ＡＲＰには、「データグラム送出要求ＡＲＰ」（必ずしも相手先とエンド−エンドで直接つながるＡＴＭコネクションのＶＰＩ／ＶＣＩが返ってくるとは限らない。例えばＣＬＳＦ処理部へのＡＴＭコネクションのＶＰＩ／ＶＣＩ値がレゾリューションされてくることも有り得る）と、「コネクション接続要求ＡＲＰ」（相手先とエンド−エンドで直接つながるＡＴＭコネクションのＶＰＩ／ＶＣＩが返ってくる）とがある点に注意が必要である。。
【０１３０】
（方法３）呼処理サーバを介する方法
ＡＲＰを欲する端末装置が、ＡＴＭ−ＬＡＮ内に存在する呼処理サーバ（図示せず）に対して、ＣＬＳＦ処理部とのＡＴＭコネクションの設定を要求する方式である。該呼処理サーバは、データグラムの配送先が網間接続装置をまたがった先であると認識した場合は、網間接続装置内のＣＬＳＦ処理部との間にＡＴＭコネクションを張るといった形でも良い。
【０１３１】
（方法４）端末／ノード間の直接ＡＲＰ
ＡＴＭ−ＬＡＮ内の各端末／ノードにＶＰＩを一つ割り振ってあり、ＡＴＭ−ＬＡＮ内のルーチングをＶＰＩを用いて行うような方式（ＶＰルーチング方式）では、ＡＲＰはなんらサーバを介することなく、データグラムの送信側端末と網間接続装置１３内のＣＬＳＦ処理部２３間で直接行うことができる。即ち、端末装置は、ブロードキャストチャネルを用いて、ＡＲＰ要求を出す。
【０１３２】
要求セルの内容は図８の通りである。送信元アドレスには該自端末装置のアドレス（ＶＰＩ値、またはＶＰＩ／ＶＣＩ値でも良い）、受信側アドレスには相手側のアドレス、または不定、ＡＲＰ先アドレスには相手側のアドレスが入る。なお、この場合、相手先アドレスのはいる領域が２カ所あり、冗長と考えられることから、直接ＡＲＰに関しては、該ＡＲＰセル（放送セル）のフォーマットを図３７のように、簡略化することが可能である。
【０１３３】
これを受け取った網間接続装置１３（必要ならば、網間接続装置１３のＣＬＳＦ処理部２３は、としてもよい。この場合は、ドロップテーブルに放送セル種別を判別して、ＡＲＰであればＣＬＳＦ処理部２３にドロップするように設定しておけば良い）は、これが自網間接続装置をまたがって配送されるデータグラムであると認識した場合は、自分宛のＡＴＭアドレスが該アドレスのレゾリューションになることから、自網間接続装置１３のＶＰＩと、必要なＶＣＩ値をもってレゾリューション結果を問い合わせ元端末装置に返す。これは、問い合わせ元端末装置は、該ＶＰＩ／ＶＣＩ値を付加してセルを送出することにより、ＶＰＩ値によって、該網間接続装置にセルが届き、ＶＣＩ値によってＣＬＳＦ処理部にドロップされることになる。このレゾリューション結果の返送の際、ブロードキャストチャネルを用いても良いし、問い合わせ元端末装置宛のＶＰを介してこれを行っても良い。
【０１３４】
なお、ＡＴＭ−ＬＡＮは必ずしもＶＰＩールーチングを適用している必要はなく、受信側端末が送信側端末との間のＡＴＭコネクションのＡＴＭアドレスを認知している一般の場合に直接ＡＲＰは適用可能である。
【０１３５】
以上のようにして、網間接続装置をまたがるデータグラムの配送に関してのＡＲＰが行われ、以降データグラムを送出する端末装置は、該データグラムをＡＴＭセル化した後、該データグラムの宛先が網間接続装置をまたがる宛先である場合には、先にレゾリューションしたＡＴＭアドレス（ＶＰＩ／ＶＣＩ）を用いて、これを網間接続装置内のＣＬＳＦ処理部に送出する。一度レゾリューションしたアドレスについては、以降もこれを用いるものとする。該網間接続装置内のＣＬＳＦ処理部は、これを一度ネットワークレイヤ、あるいはＣＬレイヤにて終端し、宛先アドレスを解析した後、（必要であれば再度ＡＴＭセル化した後）宛先へとつながるＡＴＭコネクションを適当に選択してこれを通して該データグラムを配送することになる。
【０１３６】
このように、網間接続装置内にＣＬＳＦ処理部を配置することにより、
（１）網間接続装置に接続された網から、このＣＬＳＦ処理部に対して直接アクセスすることができる。また、このアクセスは、複数の網間をまたがるＡＴＭコネクションを用いることなく行うことができる。
（２）該網間接続装置に接続されたＡＴＭ網間にまたがるデータグラム配送について、ここで処理を行うことにより、各々の網におけるアドレス体系（ＶＰＩ／ＶＣＩ値）の変換をここで集中的に行うことができる。
（３）該網間接続装置に接続されたＡＴＭ網に関するルーチング情報（たとえばネットワークレイヤアドレス、ＣＬレイヤアドレスとＶＰＩ／ＶＣＩ値との関係情報や存在情報）を網間接続装置／ＣＬＳＦ処理部にて終端／集中的に管理することができるため網間に渡って交換する必要がなくなる。
などの利点を享受することができる。
【０１３７】
なお、本実施形態で述べたＡＲＰ手法（方法１〜方法４）は、必ずしもＣＬＳＦ処理部がＩＷＵ内に存在する必要はなく、ＣＬＳＦ処理部が網内の任意位置に存在する構成も考えられる。
【０１３８】
また、（方法２）において詳述したように、ＡＲＰには、「データグラム送出要求ＡＲＰ」（必ずしも相手先とエンド−エンドで直接つながるＡＴＭコネクションのＶＰＩ／ＶＣＩが返ってくるとは限らない。例えばＣＬＳＦ処理部へのＡＴＭコネクションのＶＰＩ／ＶＣＩ値がレゾリューションされてくることも有り得る）と、「コネクション接続要求ＡＲＰ」（相手先とエンド−エンドで直接つながるＡＴＭコネクションのＶＰＩ／ＶＣＩが返ってくる）とに主に分類できる点に注意が必要である。
【０１３９】
次に、図９に、両ＡＴＭ−ＬＡＮ内の端末と、網間接続装置１３内の呼処理部２４間のＡＴＭコネクション接続状態の一実施形態を示す。ここで、簡単のため、端末・スイッチノード間、スイッチノード・網間接続装置間の配線は省略してある。また、網間接続装置内のＣＬＳＦ処理部、ヘッダ変換部などのその他の構成要素も図中では省略してある。また、両ＡＴＭ−ＬＡＮ内に、呼処理部９１、９２が追加されている。
【０１４０】
このように、各端末装置と、網間接続装置１３内の呼処理部２４間は、それぞれＡＴＭコネクションで結ばれている。このＡＴＭコネクションは、ＶＰであってもＶＣであってもかまわない。この端末装置と、網間接続装置１３内の呼処理部２４間を結ぶＡＴＭコネクションも、ＣＬＳＦ処理部と同様に網間接続装置をまたがる、即ちＡＴＭ−ＬＡＮ間をまたがるものではないことに注意が必要である。本ＡＴＭコネクションはシグナリングのためのコネクションである。
【０１４１】
また、この場合、両ＡＴＭ−ＬＡＮの構成情報を有しているのは、網間接続装置内の呼処理部のみでよいことに注意が必要である。
【０１４２】
さて、ＡＴＭ−ＬＡＮ内の端末装置／ノードが網間接続装置１３をまたがるＡＴＭコネクションを張ることを欲している場合、この呼処理部２４が使われることになるわけであるが、上記網間接続装置１３をまたがるＡＴＭコネクションが帯域管理を行うコネクションであるか、帯域管理が不要な、単なるコネクション接続を求めているかで、若干対応が異なる。以下に、順に説明を行う。
【０１４３】
まず、単なるコネクション接続（帯域管理が不要）のみを求めている場合の説明を行う。
【０１４４】
（方法１）端末が網間接続装置内の呼処理部にコネクション接続要求を行う場合。
【０１４５】
この場合は、「コネクション設定要求ＡＲＰ」を行うこととなる。前述したように、「コネクション設定要求ＡＲＰ」では、相手先と直接つながるＡＴＭコネクションのＶＰＩ／ＶＣＩがレゾリューションされてくるため、ＣＣＩＴＴで議論されている一般のシグナリングに対応したものである。
【０１４６】
まず、網間接続装置をまたがるＡＴＭコネクションを張りたいと欲する端末装置／ノード（送信側端末と呼ぶ）は、網間接続装置内１３内の呼処理部２４に対して、コネクション接続要求を出す。
【０１４７】
その際、送信側端末が、どの呼処理部に対してコネクション接続要求を出したら良いのかがわからない場合や、どのＡＴＭアドレス（ＶＰＩ／ＶＣＩ）のシグナリングチャネルを用いれば網間にわたるコネクション設定要求が出せるのかがわからない場合が考えられる。この場合は、どの呼処理部に対してコネクション接続要求を出せば良いのかを尋ねる「呼処理要求ＡＲＰ」を用いることになる。即ち、詳細はＣＬＳＦ処理部の場合に準ずるが、受信側端末の宛先アドレスをアドレスレゾリューション対象アドレスとして「呼処理要求ＡＲＰ」を出す。「呼処理要求ＡＲＰ」をブロードキャストチャネルを通して送出する際は、放送セルフォーマットの放送セル種別の領域にその旨を書き入れる。これに対して、該宛先アドレスが網間接続装置を介した向こう側である場合には、網間接続装置１３内の呼処理部２４へのＡＴＭアドレス（ＶＰＩ／ＶＣＩ）を返答するものである。この返答は、例えば網間接続装置が行っても、ＡＲＰサーバが行っても良い。これを受け取った送信側端末は、再度この網間接続装置１３内の呼処理部２４宛にコネクション接続要求（コネクション設定要求ＡＲＰ）をだすこととなる。
【０１４８】
なお、「呼処理要求ＡＲＰ」を出さずに、直接「コネクション設定要求ＡＲＰ」をブロードキャストチャネルを通して放送する方式も考えられる。
【０１４９】
このようにして、コネクション接続要求を受け取った網間接続装置１３内の呼処理部２４は、各々のＡＴＭ−ＬＡＮ内において送信側端末と網間接続装置間、および網間接続装置と受信側端末間のＡＴＭコネクションを張り、さらにヘッダ変換部２６を適当に設定することにより、両ＡＴＭコネクションを結合し、最終的に両端末間のＡＴＭコネクションを確立する。ここで、各々のＡＴＭ−ＬＡＮ内におけるＡＴＭコネクションを確立する場合、両ＡＴＭ−ＬＡＮ内の呼処理部９１、９２を用いても良い。
【０１５０】
（方法２）網間接続装置がＡＲＰをリレーイングする方式
この方法では、送信側端末装置が、「コネクション設定要求ＡＲＰ」を発した場合、これを受信した網間接続装置が該コネクション設定要求ＡＲＰをリレーイングする。即ち、送信側端末装置は、受信側端末のアドレス（ネットワークレイヤアドレス、またはメイルアドレスなど）、コネクションの設定要求である旨を（例えばブロードキャストでこのＡＲＰを行う場合は、放送セル種別にこの旨を記す）含めて（コネクション設定要求）ＡＲＰを行う。これを受信した、網間接続装置内の呼処理部は、このコネクション設定要求ＡＲＰが網間接続装置をまたがったコネクション設定要求ＡＲＰであることを認識し、このＡＲＰを網間接続装置をまたがった次のＡＴＭ−ＬＡＮにリレーイングする。これは、例えば該ＡＲＰ要求を行うＡＲＰ要求セルを次段のＡＴＭ−ＬＡＮに送出（リレーイング）することにより行われる。また、このＡＲＰのリレーイングと並行してあるいは前後して、送信側端末と網間接続装置間のＡＴＭコネクションの設定／確立を行う。
【０１５１】
この間、送信側端末に対して、現在ＡＲＰ中である旨を伝えても良い。
【０１５２】
このＡＲＰが完了したら、即ち網間接続装置と、受信側端末との間のＡＴＭコネクションが確立したら、このＡＴＭコネクション（網間接続装置と、受信側端末間のＡＴＭコネクション）と、送信側端末装置と網間接続装置間に確立したＡＴＭコネクションとを接続する。その際は、網間接続装置内のヘッダ変換部を適当に設定することにより、これを行うことができる。このようにして、送信側端末と、受信側端末間にエンド−エンドに結ばれたＡＴＭコネクションについて、該ＡＴＭコネクションのＶＰＩ／ＶＣＩ値を送信側端末装置に通知することで、コネクション接続は完了する。
【０１５３】
このようにＡＲＰのリレーイングでＡＴＭコネクションの確立がなされる場合は、網間接続装置内には特別な呼処理部は不要であり、単にＡＲＰのリレーイング機能が備わっていれば良いことに注意が必要である。よって、この方法２は先の方法１の手法の特別な場合であると考えることができる。
【０１５４】
次に、方法２の具体例として、両ＡＴＭ−ＬＡＮにおいてＶＰルーチング方式が用いられている場合の網間接続装置をまたがるコネクション設定要求の流れの一例について概説する。
【０１５５】
例えば、第１のＡＴＭ−ＬＡＮの端末Ａが第２のＡＴＭ−ＬＡＮの端末ＢとのＡＴＭコネクション（エンド−エンドのＡＴＭコネクション）の設定を求めている場合の例を示す。
【０１５６】
第１のＡＴＭ−ＬＡＮの端末Ａは、アドレスレゾリューション対象のアドレスとして端末Ｂのアドレス（例えばネットワークレイヤアドレス）を指定して、コネクション設定要求ＡＲＰを送出する。これを受け取った網間接続装置では、例えば呼処理部において該コネクション設定要求ＡＲＰのアドレスレゾリューション対象の端末Ｂが第２のＡＴＭ−ＬＡＮ内に存在していることを識別するか、またはデフォルトで定められているＡＲＰ先である第２のＡＴＭ−ＬＡＮを選択し、第２のＡＴＭ−ＬＡＮに上記コネクション設定要求ＡＲＰをリレーイングする（即ち、第２のＡＴＭ−ＬＡＮに向かってコネクション設定要求ＡＲＰを送出する）。その際、ＡＲＰセルの送出元アドレスは、書き換えて該網間接続装置内の呼処理部のアドレスとしても良い。
【０１５７】
これと並行してあるいは前後して、網間接続装置の呼処理部は送信側端末Ａと網間接続装置間のＡＴＭコネクションを確保する。具体的には、第１のＡＴＭ−ＬＡＮ側で自分（網間接続装置）に割り当てられたＶＰＩ値（ＶＰＩ値＝＃Ｐとする）において、使われていないＶＣＩ値を適当に選択して（選択したＶＣＩ値＝＃Ｑとする）、これを持って送信側端末Ａと網間接続装置間のＡＴＭコネクションと定める。この間、第１のＡＴＭ−ＬＡＮ内のスイッチノード（のルーチングテーブル）への設定がなんら行われていない点に注意が必要である。
【０１５８】
第２のＡＴＭ−ＬＡＮにおいては、受信側端末Ｂと網間接続装置間のＡＴＭコネクションがＡＲＰによって確立、またはアドレスレゾリューションされ（即ち、網間接続装置から受信側端末ＢへのＡＴＭアドレスを網間接続装置が得る。このＡＴＭアドレス値をＶＰＩ値＝＃Ｒ、ＶＣＩ値＝＃Ｓとする）、網間接続装置と受信側端末Ｂ間のＡＴＭコネクションが定められる。
【０１５９】
網間接続装置内の呼処理部は、上記送信側端末Ａと網間接続装置間のＡＴＭコネクションと、網間接続装置と受信側端末Ｂ間のＡＴＭコネクションとをヘッダ変換機能内のテーブルを適当に定めることにより、即ち（ＶＰＩ、ＶＣＩ）＝  （＃Ｐ、＃Ｑ）と（ＶＰＩ、ＶＣＩ）＝（＃Ｒ、＃Ｓ）とのヘッダ変換を定めることにより、両ＡＴＭコネクションを結合し、送信側端末Ａと受信側端末Ｂとの間のエンド−エンドのＡＴＭコネクションを確立する。
【０１６０】
ここで、網間接続装置内の呼処理部はＡＲＰのリレーイングを行っていることと、網間接続装置内のテーブルの設定などを行っているのみである点に注意が必要である。すなわち、両ＡＴＭ−ＬＡＮ内に特別な呼処理部の存在を必ずしも仮定していない。
【０１６１】
このようにして確立したエンド−エンドのＡＴＭコネクションについて、ＡＲＰ応答として、網間接続装置では呼処理部において（ＶＰＩ、ＶＣＩ）＝（＃Ｐ、＃Ｑ）をレゾリューション結果として送信側端末Ａに返すことになる。送信側端末Ａは、（ＶＰＩ、ＶＣＩ）＝（＃Ｐ、＃Ｑ）なるＡＴＭアドレスにてセルを送出すれば、該セルは途中ＡＡＬ以上の終端を受けることなく、受信側端末ＢとＡＴＭレイヤ処理のみでエンド−エンドの通信ができることとなり、エンド−エンドのＡＴＭコネクションが確立したこととなる。
【０１６２】
なお、コネクション接続要求ＡＲＰのセルの情報部に、接続したい通信の属性（ＵＰＣパラメータやＱＯＳなど）の情報を乗せ込んでも良い。
【０１６３】
以上は、送信側端末から受信側端末へのＡＴＭコネクションを張るまでの流れであったが、むろんこれと並行して受信側端末から送信側端末へのＡＴＭコネクションをも確立し、両方向通信が可能にすることも容易に可能である。なお、この場合はコネクション設定要求ＡＲＰ内に逆方向ＡＴＭコネクション（例えば網間接続装置から送信側端末Ａ、または受信側端末Ｂから網間接続装置）で使用してもらいたいＶＣＩ値を乗せ込んでおいても良い（逆方向ＡＴＭコネクションにはこのＶＣＩ値を用いる）。
【０１６４】
なお、ここでは第１、第２のＡＴＭ−ＬＡＮ内にそれぞれ呼処理部９１，９２の存在を前提に記述してきたが、必ずしもＡＴＭ−ＬＡＮ内に呼処理部が一つ以上存在する必要はなく、ＩＷＵ内あるいは他のＡＴＭ−ＬＡＮ内の呼処理部を用いて呼処理を行う構成も考えられる。
【０１６５】
次に、該網間接続装置をまたがるＡＴＭコネクションに帯域管理を行うとき、即ち適当なＱＯＳを該ＡＴＭコネクションに求めるときの説明を行う。
【０１６６】
前記（方法１）の場合は、各々のＡＴＭ−ＬＡＮ内でのＡＴＭコネクションの設定の際に、帯域管理を行うとともに、網間接続装置内のＡＴＭ伝送路の帯域管理を行う実体（呼処理部内にあっても良い）が網間接続装置内の帯域管理を行い、両ＡＴＭ−ＬＡＮ内のＡＴＭコネクションの帯域管理部（呼処理部９１、９２内にあっても良い）、及び網間接続装置内の帯域管理部の全てが該ＡＴＭコネクションの確立が可能であると判断した場合に限り、該ＡＴＭコネクション間を網間接続装置内のヘッダ変換機能を適当に定めることにより接続し、該ＡＴＭコネクションを確立すれば良い。
【０１６７】
前記（方法２）の場合は、網間接続装置をまたがるＡＴＭコネクションが確立した後、または確立する際、両ＡＴＭ−ＬＡＮ内及び網間接続装置内の帯域管理部に該ＡＴＭコネクションの帯域管理の妥当性を問い合わせ、許可がおりた場合に帯域管理を介した（即ち、一定以上のＱＯＳを保った）ＡＴＭコネクションの使用を許可する。ここで、帯域管理部が該一定以上のＱＯＳを保ったＡＴＭコネクションの使用を許可しなかった場合は、帯域管理に関しては確保できなかった旨を送信側端末（必要であれば受信側端末にも）に通知する。この場合、帯域管理のなされていないＡＴＭコネクションの確立はなされている点に注意が必要である。ここで、端末側は帯域管理のなされていないコネクションでも構わない場合は、該ＡＴＭコネクションにて通信を開始し、帯域管理がなされていないＡＴＭコネクションでは通信が不可能であると判断したときは、該通信を断念することとなる。その際は、該ＡＴＭコネクション切断要求を出しても良い。
【０１６８】
なお、以上のようなプロセスはコネクション設定要求に限らず、コネクションの設定／切断／変更要求の際にそれぞれほぼ同様にとられるものである。
【０１６９】
このように、網間接続装置内に呼処理機能を設けることにより、以下の利点を享受することができる。
【０１７０】
（１）網間接続装置をまたがったＡＴＭコネクションの処理は、その接続される双方の網内の情報が必要である。各々の網間に位置し、その各々の網内の情報を知ることのできる網間接続装置内に呼／コネクション処理部を配置することにより、網間接続装置をまたいだＡＴＭコネクションの処理について効率的に行うことができる。
【０１７１】
（２）網間接続装置とつながる各々の網から、この呼／コネクション処理部に対して、アクセスすることができる。また、このアクセスは複数の網間をまたがるＡＴＭコネクションを用いることなく行うことができる。
【０１７２】
（３）該網間接続装置内の呼／コネクション処理部は、該網間接続装置をまたがるＡＴＭコネクションの処理に特化させることが可能となる。
【０１７３】
（４）網間をまたがるＡＴＭコネクションについては、網間接続装置においてその各々のＡＴＭアドレス体系（ＶＰＩ／ＶＣＩ体系）を変換する必要がある。網間接続装置内にて呼／コネクション処理部を設けることで、該ＶＰＩ／ＶＣＩ体系の変換テーブルの設定部などのアドレス体系の変換に不可欠な要素を呼／コネクション処理部に含めたり、同処理部と密に結合させることが可能となる。
【０１７４】
なお、本実施形態で述べた呼処理方は必ずしも呼処理部がＩＷＵ内に存在する必要はなく、網内の任意位置に存在する構成も考えられる。但し、この場合、該呼処理部はＩＷＵ内のテーブルの設定等を行う必要があるため、ＩＷＵと直接接続されたＡＴＭコネクションが存在することが望まれる。
【０１７５】
次に、図１０に両ＡＴＭ−ＬＡＮ内の端末と、網間接続装置１３内の呼処理部２４間のＡＴＭコネクションの接続状態の別の実施形態を示す。本実施形態では、各ＡＴＭ−ＬＡＮ内の呼処理部１０１、１０２と、網間接続装置１３内の呼処理部２４間が、それぞれＡＴＭコネクションで結ばれている。このＡＴＭコネクションは、ＶＰであってもＶＣであっても構わない。
【０１７６】
この場合は、網間接続装置１３をまたがるＡＴＭコネクション接続要求は、まずＡＴＭ−ＬＡＮ内の呼処理部１０１、１０２にて終端され、ここで要求されているＡＴＭコネクションが網間接続装置をまたがるものであると該呼処理部１０１、１０２により認識されると、該呼処理は網間接続装置１３内の呼処理部２４との間にリレーイングされ、さらに該網間接続装置１３内の呼処理部２４から、対向側のＡＴＭ−ＬＡＮ内の呼処理部にリレーイングされる。この過程において、両ＡＴＭ−ＬＡＮ内のＡＴＭコネクションが各々のＡＴＭ−ＬＡＮ内の呼処理部により確立され、さらに網間接続装置内でヘッダ変換部を適当に設定することにより両ＡＴＭコネクションが結ばれ、結果として網間接続装置をまたがるＡＴＭコネクションが確立される。
【０１７７】
ここで、この図１０のような形の呼処理方式は、まずＡＴＭ−ＬＡＮ内の端末からのコネクション設定要求は、それが自ＡＴＭ−ＬＡＮ内に閉じたものであろうと、網間接続装置をまたがるものであろうと、必ずＡＴＭ−ＬＡＮ内の呼処理部１０１、１０２に出される方式である。なお、この方式においてもＡＴＭ−ＬＡＮ内の呼処理部と、網間接続装置１３内の呼処理部２４間を結ぶＡＴＭコネクションも、ＣＬＳＦ処理部、あるいは先の実施形態と同様に網間接続装置をまたがる、即ちＡＴＭ−ＬＡＮ間をまたがるものではないことに注意が必要である。
【０１７８】
また、このような形で呼処理部を配置することにより、ＡＴＭ−ＬＡＮ内の呼処理部１０１、１０２内には、自ＡＴＭ−ＬＡＮ内の構成情報のみを配置すればよく、両方のＡＴＭ−ＬＡＮに関する構成情報は網間接続装置内の呼処理部のみが有すれば良いことに注意が必要である。ここで、ＡＴＭ−ＬＡＮ内の呼処理部１０１、１０２は、到着したＡＴＭコネクション設定要求が自ＡＴＭ−ＬＡＮに閉じたものではないときには、網間接続装置内の呼処理部にリレーイングすれば良いとのルール化も可能である。
【０１７９】
次に、図１１に網間接続装置内には呼処理部が存在しない例を示す。このような形態における複数のＡＴＭ−ＬＡＮをまたがるＡＴＭコネクションの設定は、第１のＡＴＭ−ＬＡＮ１１１内の呼処理部１１Ａと、第２のＡＴＭ−ＬＡＮ１１２内の呼処理部１１Ｂとの協調分散により行われることとなる。即ち、例えば第１のＡＴＭ−ＬＡＮ内の端末からの複数のＡＴＭ−ＬＡＮをまたがるＡＴＭコネクションの設定要求は、まず第１のＡＴＭ−ＬＡＮ内の呼処理部１１Ａにまず渡され、該呼処理部１１Ａが、該要求が複数のＡＴＭ−ＬＡＮをまたがるものであることを認識し、この要求を第２のＡＴＭ−ＬＡＮ１１２内の呼処理部１１Ｂにリレーイングし、その後はこれら複数の呼処理部が協調分散してＡＴＭコネクションを確立する。ここで、網間接続装置内のＡＴＭコネクションの確立、即ち網間接続装置内のヘッダ変換部の設定もどちらかの呼処理部の責任となることに注意が必要である。また、両呼処理部間は例えばパーマネントＡＴＭコネクション（ＶＰでもＶＣでも良い）によって結ばれているが、この呼処理部間を結ぶＡＴＭコネクションは、両ＡＴＭ−ＬＡＮ間をまたがるものであることに注意が必要である。また、この場合は、すべての呼処理部は、基本的に隣接したＡＴＭ−ＬＡＮの構成に関する情報を内部に有している必要がある。
【０１８０】
以上詳述したように（図１１の例を除いて）、複数の網間をまたがるべきコネクションに関するＣプレーンのセルは基本的にＬＡＮ間接続用の呼処理部（本実施形態では網間接続装置内の呼処理部）にて終端される。ここで、Ｍプレーンのセルについても網間接続装置内にて終端する構成にすることもできる。この場合は、網管理部が網間接続装置内に配置されることになる。該網間接続装置内に配置された網管理部は、そこから先のＡＴＭ−ＬＡＮの管理情報を一括して管理、または保持、または容易に準備することが可能とすることにより、例えばＡＴＭ−ＬＡＮを階層化して構成する際などの網管理情報の交換、獲得などの際の付加を大幅に軽減することができる（網間接続装置の前後で終端することも可能）。
【０１８１】
また、本網間接続装置が他ベンダのＡＴＭ−ＬＡＮ間に位置する場合は、その内部にプロトコル変換部（即ち、ベンダごとのＡＴＭ−ＬＡＮ内プロトコルの変換部）を内部に含んでいても良い。
【０１８２】
また、ＡＴＭ−ＬＡＮ内で放送される、いわゆるブロードキャストチャネルはこの網間接続装置内で基本的に終端される。これは、網間接続装置内のヘッダ変換部において、ある定まった放送セルについては次のＡＴＭ−ＬＡＮへは伝送せず、該ヘッダ変換部内にて廃棄する様に定めることにより、容易に実現可能である。
【０１８３】
なお、ＶＰＩ＝オール１を放送セルとし、ＶＣＩの値でその放送セルの属性を定めるようにしたとすると、ある放送セルつまり、あるＶＣＩ値を有した放送セルについては、該ヘッダ変換部内にて廃棄し、別のある放送セル（別のあるＶＣＩ値を有した放送セルセル）については、次のＬＡＮのブロードキャストチャネルに該放送セルを必要に応じてヘッダ変換を施した後に送り出すことにより、放送セルのリレーイングを行うことも容易に可能である。また、ブロードキャストチャネルを介して受け取ったセルについても、ヘッダ変換部を適当に定めることにより次のＡＴＭ−ＬＡＮにおいては、ブロードキャストチャネルを介して放送することも容易に可能である。これらをまとめた図を図１２に記す。
【０１８４】
（第２の実施形態）
次に、図１３に本発明の第２の実施形態に関わるＡＴＭ網を示す。同図に示されるように、本実施形態のＡＴＭ網は、第１のＡＴＭ−ＬＡＮ１３１、第２のＡＴＭ−ＬＡＮ１３２、第３のＡＴＭ−ＬＡＮ１３３、網間接続装置（ＩＷＵ）１３４からなる。
【０１８５】
第１のＡＴＭ−ＬＡＮ１３１、第２のＡＴＭ−ＬＡＮ１３２、第３のＡＴＭ−ＬＡＮ１３３は、第１の実施形態と同じくそれぞれＡＴＭ方式にて運用されるローカルエリアネットワークである。また、各々のＡＴＭ−ＬＡＮ内ではアドレス体系は独立している。ＡＴＭ−ＬＡＮ内の端末装置、ノードは、送出したい情報が存在する場合は、その送出先が該ＡＴＭ−ＬＡＮ内であっても、そうでなくても、該情報をＡＴＭセルに格納し、しかるべきＡＴＭセルヘッダを付与して該ＡＴＭ−ＬＡＮ内に送出する。
【０１８６】
図１４に、網間接続装置１３４の内部構造の図を示す。このように、網間接続装置１３４は、ＡＴＭスイッチ１４１、ＣＬＳＦ処理部１４２、呼処理部１４３、ＩＷＵ管理部１４４、入力処理部１４Ａ、１４Ｂ、…、出力処理部１４Ｘ、１４Ｙ、…からなる。
【０１８７】
本網間接続装置１３４は、２つあるいはそれ以上のＡＴＭ−ＬＡＮ間に位置し、該複数のＡＴＭ−ＬＡＮのインターネットワーキング（ＬＡＮ間接続）を司る機能を有する。
【０１８８】
入力処理部１４Ａ、…は入力されたＡＴＭセルに対して、ヘッダ値（例えばＶＰＩ／ＶＣＩ値）の解析を行い（必要ならばその変換も行う）、ＡＴＭスイッチ内でのセルのルーチングを行うためのルーチングタグを新たに入力セルに付加する機能を有する。
【０１８９】
ＡＴＭスイッチ１４１は、Ｎ入力Ｍ出力（Ｎ、Ｍは正数、たとえばＮ＝Ｍ＝８）のＡＴＭスイッチである。セルに付与されているルーチングタグにしたがってセルのルーチングを行う。ブロードキャスト機能、マルチキャスト機能を内部に有していても良い。
【０１９０】
出力処理部１４Ｘ、…は、ＡＴＭスイッチを介して到来したＡＴＭセルからルーチングタグを削除する機能と、必要であればＡＴＭセルヘッダの値の変換機能を有する。
【０１９１】
このＡＴＭセルヘッダの変換機能は、入力処理部と出力処理部のいずれかに必要な機能である。この入力処理部、出力処理部が組で隣接するＬＡＮ内のスイッチノード、あるいは端末装置、あるいは必要な場合は他の網間接続装置との間の接続を司ることとなる。
【０１９２】
ＣＬＳＦ処理部１４２の機能は、コネクションレスサービス機能（Ｃｏｎｎｅｃｔｉｏｎ  Ｌｅｓｓ  Ｓｅｒｖｉｃｅ  Ｆｕｎｃｔｉｏｎ）である。この機能は基本的に第１の実施形態のＣＬＳＦ処理部２３に準ずるものであるから、詳細な説明は省略する。
【０１９３】
呼処理部１４３は、基本的に本網間接続装置１３４をまたがるＡＴＭコネクションの設定、切断、変更、管理などを行う機能を有しており、基本的に第１の実施形態の呼処理部２４にその機能は準ずる。よって、詳細の説明は省略する。
【０１９４】
ＩＷＵ管理部１４４は、本網間接続装置１３４の管理、制御を行う機能を有する。網間接続装置１３４内の各モジュールは、各々バス接続されているものとし（図示せず）、ＩＷＵ管理部１４４からの各モジュールの設定値の変更などの制御は、このバスを通して行われるものとする。
【０１９５】
なお、各モジュール間の情報のやり取りを上記のようにバスを通して行うのではなく、ＡＴＭセルに該情報を乗せて、セルをモジュール間で交換することにより、これを行っても良い。
【０１９６】
また、本実施形態ではＩＷＵ内の色々の処理を別個に行っているが（即ち、ＣＬＳＦ処理部はＣＬＳＦ処理専用モジュールにて、呼処理は呼処理専用モジュールにてそれぞれ処理を行っている）、全てあるいはこれらの処理の幾つかを同一のＣＰＵ／ＭＰＵにて行うことも可能である。
【０１９７】
次に、図１５に第１のＡＴＭ−ＬＡＮ１３１、第２のＡＴＭ−ＬＡＮ１３２、第３のＡＴＭ−ＬＡＮ１３３の内部のノード・端末構成の一実施形態を示す。第１のＡＴＭ−ＬＡＮは１３１は、３つのスイッチノード１５１、１５２、１５３と、これらに接続された端末１５Ａ、１５Ｂ、１５Ｃ、１５Ｄからなる。第２のＡＴＭ−ＬＡＮ１３２は、２つのスイッチノード１５４、１５５と、これらに接続された端末１５Ｅ、１５Ｆ、１５Ｇからなる。第３のＡＴＭ−ＬＡＮ１３３は、２つのスイッチノード１５６、１５７と、これらに接続された端末１５Ｈ、１５Ｉ、１５Ｊからなる。スイッチノードの機能は第１の実施形態と同様である。
【０１９８】
次に、図１６に各々のＡＴＭ−ＬＡＮ内の端末と、網間接続装置１３４内のＣＬＳＦ処理部間のＡＴＭコネクション接続状態の一実施形態を示す。ここで、簡単のため、端末・スイッチノード間、スイッチノード・網間接続装置間の配線は省略してある。また、網間接続装置内の呼処理部、ヘッダ変換部などのその他の構成要素及びＡＴＭ−ＬＡＮ内のスイッチノードも図中では省略してある。
【０１９９】
このように、各端末装置と網間接続装置１３４内のＣＬＳＦ処理部１４２間は、それぞれＡＴＭコネクション（ＶＰまたはＶＣ）で結ばれている。このＡＴＭコネクションは、第１の実施形態と同様に、帯域管理の対象外のコネクションである。この端末装置と、網間接続装置１３４内のＣＬＳＦ処理部１４２間を結ぶＡＴＭコネクションは、第１の実施形態と同様に、網間接続装置をまたがる、即ちＡＴＭ−ＬＡＮ間をまたがるものではないことに注意が必要である。
【０２００】
さて、端末装置が網間接続装置１３４を介した、即ち自ＡＴＭ−ＬＡＮ外へのデータグラムの配送を欲した場合は、ほぼ第１の実施形態と同様のプロセスでこれが行われる。以下に、簡単に説明する。
【０２０１】
網間接続装置１３４をまたいだデータグラムの配送については、網間接続装置１３４内のＣＬＳＦ処理部１４２を介して配送することになる。即ち、ＡＴＭセル化したデータグラムを該ＣＬＳＦ処理部１４２に送り込むことになる。ここで、ＡＴＭ−ＬＡＮ内の端末／ノードが、該データグラムを該ＣＬＳＦ処理部１４２に送出すれば良いということを端末装置が知るまでのアプローチ（ＡＲＰ）については、第１の実施形態と同様であるので、詳細は省略する。第１の実施形態と同様に、網間接続装置をまたがるデータグラムの配送に関してのＡＲＰが行われ、以降データグラムを送出する端末装置は、該データグラムをＡＴＭセル化した後、該データグラムの宛先が網間接続装置をまたがる宛先である場合には、先にレゾリューションしたＡＴＭアドレス（ＶＰＩ／ＶＣＩ）を用いて、これを網間接続装置内のＣＬＳＦ処理部に送出する。該網間接続装置内のＣＬＳＦ処理部は、これを一度ネットワークレイヤ、あるいはＣＬレイヤにて終端し、宛先アドレスを解析した後、（必要であれば再度ＡＴＭセル化した後）宛先へとつながるＡＴＭコネクションを適当に選択してこれを通して該データグラムを配送することになる。
【０２０２】
ここで、この方式でも第１の実施形態における網間接続装置内ＣＬＳＦ処理部の利点と同様の利点を享受することができる。
【０２０３】
次に、図１７に各々のＡＴＭ−ＬＡＮ内の端末と網間接続装置１３４内の呼処理部１４３間のＡＴＭコネクション接続状態の一実施形態を示す。ここで、簡単のため、端末・スイッチノード間、スイッチノード・網間接続装置間の配線は省略してある。また、網間接続装置内のＣＬＳＦ処理部処理部、ヘッダ変換部などのその他の構成要素も図中では省略してある。また、両ＡＴＭ−ＬＡＮ内に呼処理部１７１、１７２、１７３が追加されている。
【０２０４】
このように、各端末装置と、網間接続装置１３４内の呼処理部１４３間は、それぞれＡＴＭコネクション（ＶＰ、あるいはＶＣ）で結ばれている。この端末装置と、網間接続装置１３４内の呼処理部１４３間を結ぶＡＴＭコネクションも、ＣＬＳＦ処理部と同様に網間接続装置をまたがる、即ちＡＴＭ−ＬＡＮ間をまたがるものではないことに注意が必要である。
【０２０５】
また、この場合、各々のＡＴＭ−ＬＡＮの構成情報をすべて有しているのは、網間接続装置内の呼処理部のみでよいことに注意が必要である。
【０２０６】
さて、ＡＴＭ−ＬＡＮ内の端末装置／ノードが網間接続装置１３４をまたがるＡＴＭコネクションを張ることを欲している場合、この呼処理部１４３が使われることになる。基本的には、第１の実施形態と同様であるが、若干の相違点もあるため簡単に説明する。
【０２０７】
まず、単なるコネクション接続のみを求めている場合の説明を行う。
【０２０８】
（方法１）：端末が、網間接続装置内の呼処理部にコネクション接続要求を行う場合。
【０２０９】
この場合は、第１の実施形態に準ずるものである。よって、詳細な説明は省略する。
【０２１０】
（方法２）：網間接続装置がＡＲＰをリレーイングする方法。
【０２１１】
この方法でも、第１の実施形態と同様に、送信側端末装置が「コネクション設定要求ＡＲＰ」を発した場合、これを受信した網間接続装置が該ＡＲＰをリレーイングするが、ＡＲＰの対象アドレスが該網間接続装置１３４につながる複数のＡＴＭ−ＬＡＮのうち、どのＡＴＭ−ＬＡＮに属するものであるかを解析し、その後、該ＡＴＭ−ＬＡＮに関してのみ、ＡＲＰをリレーイングする点が第１の実施形態と異なる。即ち、本呼処理部は内部のデータベース（つながるＬＡＮとネットワークアドレス、あるいはドメイン名などとの対応表など）を参照し（ネットワークレベルでのレゾリューション）、そこで判明したＡＴＭ−ＬＡＮに対して、端末／ノードレベルでのレゾリューションをかけることとなる。
【０２１２】
勿論、本網間接続装置内でネットワークレベルのレゾリューションは行わず、該網間接続装置につながる全ＡＴＭ−ＬＡＮに対してＡＲＰをリレーイングしても良いし、網間接続装置とつながるＡＴＭ−ＬＡＮに対して順次ＡＲＰが完了するまで、ＡＲＰを行って入っても良い（例えばスイッチのポート番号の小さい順に、など）。
【０２１３】
なお、該網間接続装置をまたがるＡＴＭコネクションに帯域管理を行うとき、即ち、適当なＱＯＳを該ＡＴＭコネクションに求めるときは、第１の実施形態に準ずるので、詳細の説明は省略する。
【０２１４】
以上のようなプロセスは、コネクション設定要求に限らず、コネクションの設定／切断／変更要求の際に、それぞれ、ほぼ同様にとられるものである。
【０２１５】
ここで、この方式でも、第１の実施形態における網間接続装置内の呼処理部の利点を享受することができる。
【０２１６】
また、呼処理部１４３は必ずしもＩＷＵ１３４内に位置せず、網内の任意位置にあってもよい。
【０２１７】
次に、図１８に各々のＡＴＭ−ＬＡＮ内の端末と、網間接続装置１３４内の呼処理部１４３間のＡＴＭコネクションの接続状態の別の実施形態を示す。各ＡＴＭ−ＬＡＮ内の呼処理部１８１、１８２、１８３と、網間接続装置１３４内の呼処理部１４３間がそれぞれＡＴＭコネクション（ＶＰあるいはＶＣ）で結ばれている。この場合も、第１の実施形態の図１０と同様に、網間接続装置１３４をまたがるＡＴＭコネクション接続要求は、まずＡＴＭ−ＬＡＮ内の呼処理部１８１、１８２、１８３にて終端され、ここで要求されているＡＴＭコネクションが網間接続装置をまたがるものであると該呼処理部１８１、１８２、１８３により認識されると、該呼処理部は網間接続装置１３４内の呼処理部１４３との間にリレーイングされ、さらに該網間接続装置１３４内の呼処理部１４３にて、どこのＡＴＭ−ＬＡＮ内の端末／ノードとのコネクション接続要求であるかを判別し、この判別結果に基づいて、対応するＡＴＭ−ＬＡＮの呼処理部にリレーイングされる。この過程において、各々のＡＴＭ−ＬＡＮ内のＡＴＭコネクションが各ＡＴＭ−ＬＡＮ内の呼処理部により確立され、さらに網間接続装置内の入力処理部、あるいは出力処理部内のヘッダ変換部を適当に設定することにより、両ＡＴＭコネクションが結ばれ、結果として網間接続装置をまたがるＡＴＭコネクションが確立される。
【０２１８】
なお、到着した、網間接続装置をまたがるコネクション接続要求を網間接続装置１３４内の呼処理部１４３が、ＡＴＭ−ＬＡＮ内の呼処理部にリレーイングするのに際し、上記のように網間接続装置内の呼処理部にてどこのＡＴＭ−ＬＡＮの呼処理部にこれをリレーイングするかを解析するのではなく、（必要であれば、該コネクション設定要求が発せられたＡＴＭ−ＬＡＮ内の呼処理部をのぞいた）接続されたすべてのＡＴＭ−ＬＡＮ内の呼処理部に対して、これを放送する方式、あるいは順次これらに問い合わせを送る方式をとることもできる。
【０２１９】
ここで、第１の実施形態と同様に、この図１８のような形の呼処理方式も、ＡＴＭ−ＬＡＮ内の端末からのコネクション設定要求は、それが自ＡＴＭ−ＬＡＮ内に閉じたものであろうと、網間接続装置をまたがるものであろうと、必ずＡＴＭ−ＬＡＮ内の呼処理部１８１、１８２、１８３に出される方式である。なお、この方式においても、ＡＴＭ−ＬＡＮ内の呼処理部と、網間接続装置１３４内の呼処理部１４３間を結ぶＡＴＭコネクションも、ＣＬＳＦ処理部あるいは先の実施形態と同様に網間接続装置をまたがる、即ちＡＴＭ−ＬＡＮ間をまたがるものではないことに注意が必要である。
【０２２０】
また、このような形で呼処理部を配置することにより、ＡＴＭ−ＬＡＮ内の呼処理部１８１、１８２、１８３内には、自ＡＴＭ−ＬＡＮ内の構成情報のみを配置すればよく、両方のＡＴＭ−ＬＡＮに関する構成情報は網間接続装置内の呼処理部のみが有すれば良いことに注意が必要である。ここで、ＡＴＭ−ＬＡＮ内の呼処理部１８１、１８２、１８３は、到着したＡＴＭコネクション設定要求が自ＡＴＭ−ＬＡＮに閉じたものではないときには、網間接続装置内の呼処理部にリレーイングすれば良いとのルール化も可能である。
【０２２１】
次に、図１９に網間接続装置内には呼処理部が存在しない例を示す。この場合も、第１の実施形態と同様に、このような形態における複数のＡＴＭ−ＬＡＮをまたがるＡＴＭコネクションの設定は、第１のＡＴＭ−ＬＡＮ１９１内の呼処理部１９Ａと、第２のＡＴＭ−ＬＡＮ１９２内の呼処理部１９Ｂと第３のＡＴＭ−ＬＡＮ１９３内の呼処理部１９Ｃとの協調分散により行われることとなる。即ち、例えば第１のＡＴＭ−ＬＡＮ内の端末から第２のＡＴＭ−ＬＡＮ内の端末に対しての、複数のＡＴＭ−ＬＡＮをまたがるＡＴＭコネクションの設定要求は、まず第１のＡＴＭ−ＬＡＮ内の呼処理部１９Ａにまず渡され、該呼処理部１９Ａが、該要求が複数のＡＴＭ−ＬＡＮをまたがるものであることを認識し、この要求を第２のＡＴＭ−ＬＡＮ１９２内の呼処理部１９Ｂにリレーイングし、その後はこれら複数の呼処理部が協調分散してＡＴＭコネクションを確立する。ここで、網間接続装置内のＡＴＭコネクションの確立、即ち網間接続装置内のヘッダ変換部の設定もいずれかの呼処理部の責任となることに注意が必要である。また、各呼処理部間は、例えばパーマネントＡＴＭコネクション（ＶＰでもＶＣでも良い）によって結ばれているが、この呼処理部間を結ぶＡＴＭコネクションは、両ＡＴＭ−ＬＡＮ間をまたがるものであることに注意が必要である。また、この場合は、全ての呼処理部は基本的に隣接したＡＴＭ−ＬＡＮの構成に関する情報を内部に有している必要がある。また、一つの網間接続装置に複数のＡＴＭ−ＬＡＮがぶら下がる状況下では、各ＡＴＭ−ＬＡＮ内の呼処理部間でのパーマネントコネクションを基本的にメッシュ状に張っておく必要がある。
【０２２２】
以上詳述したように、第２の実施形態においても第１の実施形態と同様に（図１９の例を除いて）、複数の網間をまたがるべきコネクションに関するＣプレーンのセルは基本的にＬＡＮ間接続用の呼処理部（本実施形態では網間接続装置内の呼処理部）にて終端される。また、Ｍプレーンのセルについても網間接続装置内にて終端する構成にすることもできるのも、第１の実施形態と同様である。また、本網間接続装置が他ベンダのＡＴＭ−ＬＡＮ間に位置する場合は、その内部にプロトコル変換部（即ち、ベンダごとのＡＴＭ−ＬＡＮ内プロトコルの変換部）を内部に含んでいても良い。また、ＡＴＭ−ＬＡＮ内のブロードキャストチャネルはこの網間接続装置内で基本的に終端されるのも第１の実施形態と同様である。
【０２２３】
（第３の実施形態）
次に、第３の実施形態として図２０に大規模ＡＴＭネットワークの構成法の例を示した。この大規模ＡＴＭネットワークは、ＡＴＭバックボーン網２０１、第１のＡＴＭ−ＬＡＮ２０２、第２のＡＴＭ−ＬＡＮ２０３、第３のＡＴＭ−ＬＡＮ２０４、ＡＴＭバックボーン網と、各ＡＴＭ−ＬＡＮとの間の網間接続装置２０Ａ、２０Ｂ、２０Ｃからなる。これらのＡＴＭ−ＬＡＮは、ＡＴＭバックボーン網２０１を介して、階層的なネットワーク構造をとることができる。
【０２２４】
ＡＴＭバックボーン網２０１は、各ＡＴＭ−ＬＡＮのＬＡＮ間接続や、公衆網（図示せず）とのインタフェースをとる網である。内部のアーキテクチャは特に限定しないが、リング／スター／バス／ツリー／その混合など、色々のアーキテクチャをとることのできる柔軟性、拡張性に富んだ、また信頼性の非常に高いネットワークである。ＡＴＭ−ＬＡＮ２０２、２０３、２０４は、第１、２の実施形態と同様である。
【０２２５】
網間接続装置２０Ａ、２０Ｂ、２０Ｃは、ＡＴＭバックボーン網とＡＴＭ−ＬＡＮとの間のインターネットワーキングを司る以外、図２中の網間接続装置１３とほぼ同様のものであるが、ＡＴＭバックボーン網では、その信頼性確保の観点からＡＴＭ−ＬＡＮと比べて厳しいトラヒック管理を行っているため、網間接続装置のバックボーン網側への出力インタフェースにはポリシング機構がついており、定められたトラヒック条件を遵守するようになっている。更にその他の細かなＡＴＭ−ＬＡＮとＡＴＭバックボーン網間のプロトコル変換機構がついているのが、図２の網間接続装置１３との主な相違点である。
【０２２６】
ここで、例えばＡＴＭバックボーン網は企業や大学全体の管理部門、あるいは事業所全体の管理部門が管轄する網であり、これに対し、ＡＴＭ−ＬＡＮは企業や大学の各部、課、研究室単位に敷設されるＬＡＮである。現状と比較すると、ＡＴＭバックボーン網は現在の電話網（ＰＢＸ網）に、ＡＴＭ−ＬＡＮは現在のコンピュータ通信用ＬＡＮにそれぞれ対応するものであると考えて良い。本実施形態における大規模ネットワークは、階層的ネットワークとして電話網と計算機網をＡＴＭ方式によって統合したネットワークと考えられる。また、ＡＴＭバックボーン網は、公衆網の専用線を介して全国規模で展開される網であると仮定しても良い。
【０２２７】
図２１に、本大規模ネットワークにおけるＡＴＭ−ＬＡＮの内部構造を示す。第１のＡＴＭ−ＬＡＮ２０２は、３つのスイッチノード２１１、２１２、２１３と、これらに接続された端末２１Ａ、２１Ｂ、２１Ｃ、２１Ｄからなる。また、第２のＡＴＭ−ＬＡＮ２０３は、２つのスイッチノード２１４、２１５と、これらに接続された端末２１Ｅ、２１Ｆ、２１Ｇからなる。また、第３のＡＴＭ−ＬＡＮ２０４は、２つのスイッチノード２１６、２１７と、これらに接続された端末２１Ｈ、２１Ｉ、２１Ｊからなる。スイッチノードの機能は、第１の実施形態と同様である。
【０２２８】
次に、本実施形態の大規模ネットワークにおけるＡＴＭ−ＬＡＮ内におけるデータグラムの配送法の詳細について述べる。第１〜第３のＡＴＭ−ＬＡＮ２０２〜２０４の各々についてデータグラム配送の方法は同一であるので、代表して第１のＡＴＭ−ＬＡＮ２０２を例にとり、説明する。
【０２２９】
第１のＡＴＭ−ＬＡＮ２０２においては、その内部の全てのノード、ＩＷＵおよび端末装置にそれぞれＬＡＮで一意のＶＰＩ値が割り当てられている。即ち、他の任意のノード／ＩＷＵ／端末から発せられたセルが、該ＶＰＩ値をそのＡＴＭセルヘッダのＶＰＩフィールドに持っている場合は、該セルは必ず対応する該ノード／ＩＷＵ／端末にルーチングされる。ここで、スイッチノードおよび網間接続装置などにもＬＡＮで一意のＶＰＩ値が割り当てられていることに注意が必要である。
【０２３０】
例えば、図２２のようにノード／ＩＷＵ／端末にＶＰＩ値がそれぞれ一つずつ割り当てられている場合は、「ＶＰＩ値＝＃Ａ」として、任意の端末／ノードから送出されたセルは、ＶＣＩ値が幾つであったとしても必ず端末２１Ａにルーチング、すなわち配送される。また、このようにセルがルーチングされるべく、ＡＴＭ−ＬＡＮ内のスイッチノードのルーチングテーブルは設定されている。
【０２３１】
このように設定することにより、本ＡＴＭ−ＬＡＮに属するノード／ＩＷＵ／端末間は互いにメッシュ状に（エンド−エンドに）ＡＴＭコネクションが予め張られているのと等価である。即ち、任意の端末／ＩＷＵ／ノード（送信側端末と呼ぶ）から、任意の端末／ＩＷＵ／ノード（受信側端末と呼ぶ）へ通信を行う場合（セルを送出する場合）、該受信側端末に割り当てられているＶＰＩ値（ＡＴＭセルヘッダ値）を用いれば、該セルは受信側端末へルーチングされる。これは、任意の送信側端末から、任意の受信側端末へのＡＴＭコネクションが（ＱＯＳの保証はないが）メッシュ状に張られていることを意味する（ＶＰルーチング方式）。
【０２３２】
なお、本実施形態のＡＴＭ−ＬＡＮ内におけるＡＴＭセルヘッダのフォーマットは、ＣＣＩＴＴ勧告におけるＵＮＩ（ユーザ・網インタフェース）セルのフォーマットに従うものとする。ＶＰＩ値をＡＴＭ−ＬＡＮにて一意になるように、該ＡＴＭ−ＬＡＮを構成する構成要素（ノード／ＩＷＵ／端末）に割り当てているため、該ＡＴＭ−ＬＡＮ内のノード／ＩＷＵ／端末の総数の上限は、２５６に限られる。ＶＰＩ領域が８ビットしかないためである。なお、本実施形態においては、後述のようにＡＴＭ−ＬＡＮ内のノード／ＩＷＵ／端末の総数の上限は更に少ない。
【０２３３】
ここで、スイッチノード内にＶＰルーチング方式を行うべく、スイッチの設定が行われている。即ち、適当なＶＰをＡＴＭセルヘッダに設定して、該セルを送出すれば、該セルは目的の受信側端末にルーチングされる。これにも関わらず、送信側端末が受信側端末のＡＴＭアドレス（ＶＰＩ値）を認知していない場合が考えられる。この場合、送信側端末は目的の受信側端末のネットワークレイヤアドレスは認識しているものとする（または通信ボードの物理アドレス値などでもよい）。
【０２３４】
このような状況は、既存のＬＡＮ（例えばイーサネット）において、受信側端末のネットワークレイヤアドレス（例えばＩＰアドレス）はわかっているにも関わらず、物理アドレス（ＭＡＣアドレス、例えばイーサネットアドレス）がわからない場合に対応する。既存のＬＡＮでは、このような場合、ネットワークレイヤアドレスから、物理アドレスをレゾリューションするプロトコル（アドレスレゾリューションプロトコル、ＡＲＰ）を働かせることになる。
【０２３５】
これと同様に、本実施形態のＡＴＭ−ＬＡＮにおいても、受信側端末のネットワークレイヤアドレスから、該受信側端末へとつながるＡＴＭアドレス（ＶＰＩ値）を得る（レゾリューションする）ことをＡＲＰを行うと表現する。
【０２３６】
以下に、受信側端末が送信側端末と同一のＡＴＭ−ＬＡＮ内に存在する場合のＡＲＰの手法について説明する。まず、この方法としては、以下の２つの方法が考えられる。
【０２３７】
（方法１）：送信側端末−受信側端末の直接ＡＲＰ
送信側端末は、受信側端末のネットワークレイヤアドレス（例えばＩＰアドレスやＥ．１６４アドレスなど）はわかっているが、このアドレスがどのＡＴＭアドレス（具体的にはＶＰＩ／ＶＣＩ値）に対応しているのかがわからない。この場合、送信側端末は、予め該ＡＴＭ−ＬＡＮ内にて定められたブロードキャストチャネルを通して、ＡＲＰを行う。詳細は後述するが、ＡＲＰにはいくつかの種類があり、本ＡＲＰはその中の「データグラム送出要求ＡＲＰ」である。
【０２３８】
ここで、ブロードキャストチャネルとは、任意の送信側端末から、該ＡＴＭ−ＬＡＮに属するすべてのノード／ＩＷＵ／端末に対して、送出したセルをブロードキャストすることのできるＡＴＭコネクションであり、本ＡＴＭ−ＬＡＮでは、例えば「ＶＰＩ値＝オール１」のセルを送出した場合、該セルは網によってブロードキャストセル（放送セル）であると認識され、該セルは該ＡＴＭ−ＬＡＮに属するすべてのノード／ＩＷＵ／端末に配送される。ここで、放送セルとして送信したセルが該セルを送出した端末自身にも配送されても良いし、されなくても良い。
【０２３９】
図２３に、データグラム送出要求ＡＲＰを行うセルのフォーマットの一例を示す。この様に、データグラム送出要求ＡＲＰセルには、送出元アドレス（Ｓｏｕｒｃｅ  Ａｄｄｒｅｓｓ）、相手先アドレス（Ｄｅｓｔｉｎａｔｉｏｎ  Ａｄｄｒｅｓｓ）  、放送セル種別、ＡＲＰ種別が少なくとも含まれる。送出元アドレスには、ネットワークレイヤアドレス種別、送信側端末のネットワークレイヤアドレス、該ＡＴＭ−ＬＡＮにおいて、送信側端末に割り当てられたＶＰＩ値が含まれる。
【０２４０】
ここで、ネットワークレイヤアドレス種別とは、この領域に引き続いて含まれる送信側端末のネットワークレイヤアドレスが、どのネットワークレイヤアドレスであるか（どのネットワークレイヤプロトコルのアドレスであるか）を示すための領域である。例えば、図２４のようにＬＬＣ＋（ＳＮＡＰ（ＳｕｂＮｅｔｗｏｒｋ  Ａｔｔａｔｃｈｍｅｎｔ  Ｐｏｉｎｔ）  ｏｒ  ＮＬＰＩＤ（Ｎｅｔｗｏｒｋ  Ｌａｙｅｒ  Ｐｒｏｔｏｃｏｌ  ＩＤ）  ）にて識別する方法が考えられる。また、このネットワークレイヤアドレス種別として、インターネット・リクエスト・フォア・コメンツ（ＲＦＣ）１１３４のＰＰＰ（Ｐｏｉｎｔ  ｔｏ  Ｐｏｉｎｔ  Ｐｒｏｔｏｃｏｌ）  のプロトコル種別と同様のものを使っても良い。
【０２４１】
また、送信側端末に割り当てられたＶＰＩ値を用いれば、該ＡＴＭ−ＬＡＮに属するすべてのノード／ＩＷＵ／端末から該「送信側端末」に対してセルを配送できる（ＶＰルーチング方式）ことは、前述の通りである。即ち、この値は自分の該ＡＴＭ−ＬＡＮにおけるＡＴＭアドレスを通知することとなる。
【０２４２】
相手先アドレスには、ネットワークレイヤアドレス種別、受信側端末のネットワークレイヤアドレスが含まれる。ネットワークレイヤアドレス種別と、受信側端末のネットワークレイヤアドレスについては、送信元アドレスの同種別、同アドレスとの関係と同一であるので、詳細は省略する。
【０２４３】
放送セル種別とは、該放送セルがいかなる意味を有した放送セルであるのかを記したフィールドである。具体的な「放送セルの意味」とは、例えば「データグラム送出要求ＡＲＰ」、「コネクション接続要求ＡＲＰ」（意味は後述）、「放送」（該ＡＴＭ−ＬＡＮ内のすべてのノード／ＩＷＵ／端末が必要とする情報を乗せたセル、例えばルーチング情報など。この種別のセルは基本的に全てのノード／ＩＷＵ／端末が受信・処理を行う）などの種類がある。放送セル種別識別のための６ビットのコーディング方法として、たとえば「００００００；データグラム送出要求ＡＲＰ」、「０００００１；コネクション接続要求ＡＲＰ」、「００００１０；放送」などとすることができる。
【０２４４】
ＡＲＰ種別とは、該放送セルがＡＲＰ（「データグラム送出要求ＡＲＰ」、または「コネクション設定要求ＡＲＰ」）である場合に、そのＡＲＰが「ＡＲＰ要求」であるのか（例えばＡＲＰ種別値＝０）、「ＡＲＰ応答」であるのか（同＝１））、に関する情報を少なくとも有する。
【０２４５】
ＡＲＰ種別識別のための２ビットのコーディング方法として、たとえば「００；ＡＲＰ要求」、「０１；ＡＲＰ応答」、「１０；ＲＡＲＰ要求」、「１１；ＲＡＲＰ応答」などとすることができる。ここで、ＡＲＰにおける「ＡＲＰ要求」とは、相手側のＡＴＭアドレス（ＶＰＩ値など）を問い合わせる際に用いるＡＲＰセルの種別、「ＡＲＰ応答」とは、上記「ＡＲＰ要求」に対する返答として、ＡＴＭアドレスを返すＡＲＰセルの種別である。
【０２４６】
なお、本ＡＲＰセルにパリティ、ＣＲＣなどの誤り訂正符号をいれても良い。この誤り訂正符号は、該セルのパイプライン処理を容易にするために、セルの最後部に挿入するのが望ましい。
【０２４７】
また、本ＡＲＰセルは複数セルにわたることなく、１セルにて完結することが望ましい。ＡＲＰセルが複数セルにわたる場合には、該複数セルにわたる情報のリアセンブリが必要となり、処理の複雑化を招くからである。即ち、ある情報パケットをＡＴＭセル化し、これをブロードキャストチャネルを通して転送する場合、受信側端末では、該セルに含まれる宛先アドレスを参照して、自分宛のブロードキャストセルであることをまず認識し、次に送信元アドレスを参照して送信元を判別し、送信元アドレスごとにセルのリアセンブリを行い、情報パケットを得る。よって、受信側端末は、該放送セルが複数の送信側端末から多重化されて受信される場合は、情報パケットのリアセンブリを、該宛先アドレス、送信元アドレスの組ごとに、個別にこれを行う機能が必要となる。これは放送セルの解析・処理機能の実現、特にハードウエアによる実現に、大きなコストがかかることを意味する。これに対し、放送セルが１セルで完結するならば、リアセンブリが不要となり、１セルごとの処理を順次行えば良いため、その実現が容易である。これはＡＲＰセルに限らず、放送セル全般に共通する事情である。
【０２４８】
さて、送信側端末はＡＲＰを行う場合、「データグラム送出要求ＡＲＰ（ＡＲＰ要求）」を用いて該放送セルを該ＡＴＭ−ＬＡＮに送出する。その際は、相手側アドレスのＡＴＭアドレスのフィールドには無意データが入っている。プロトコルとして、このように定めておいても良い。該ＡＴＭ−ＬＡＮに属するノード／ＩＷＵ／端末は、全てこの放送セルを受信し、放送セル種別を識別して該放送セルが「データグラム送出要求ＡＲＰ（ＡＲＰ要求）」であることを識別し、更に、これが自分に宛てられたＡＲＰであるか否か（該ＡＲＰセルの相手先アドレスに自分のアドレスが含まれているか否か）を判別する。該セルが自分に宛てられた「データグラム送出要求ＡＲＰ（ＡＲＰ要求）」である場合には、該ＡＲＰを要求している送信側端末に対して、自分のＡＴＭアドレス（自分に割り当てられたＶＰＩ値）を通知すべく、自分のＡＴＭアドレス（ＶＰＩ値）を含んだ返答セル（ＡＲＰ応答）を送出する。この返答は、受信側端末からのブロードキャストチャネルを用いて行ってもよいが、本実施形態では、ネットワークの通信資源を考慮し、「データグラム送出要求ＡＲＰ（ＡＲＰ要求）」セル内に含まれる送信側端末のＡＴＭアドレス（ＶＰＩ値）を、返答セル（ＡＲＰ応答セル）のＡＴＭアドレス（ＶＰＩ値）として用いて、該応答を行うものとする。これらの場合、応答セルの内部には、送信側端末（ＡＲＰの応答を行った端末）のアドレス、受信側端末（ＡＲＰの問い合わせを行った端末）のアドレス、放送セル種別（放送セルを用いて返答をする場合）、ＡＲＰ種別が入る。このように、ＡＲＰの問い合わせ（ＡＲＰ要求）と比べると、送信元アドレスと受信側アドレスが入れ替わっていることになる。
【０２４９】
ここで、ＡＲＰ応答をブロードキャストチャネルを用いずに行う場合、即ちＡＲＰ応答を該ＡＲＰの問い合わせを行った送信側端末に対して、ポイント−ポイントのＡＴＭコネクション（送信側端末のＶＰＩ値を用いたＶＰルーチング方式によるＡＴＭコネクション）を用いて行う場合について説明する。
【０２５０】
ＡＲＰ応答など、ブロードキャストチャネル（のＡＲＰ）に対する返答の際に用いるＶＣＩ値を例えば「ＶＣＩ値＝０」などというように予め決めておく。このように「ＶＣＩ値＝０」となっているセルのペイロード（４８オクテット）は、放送セルと同様のフォーマットとなっているものとする（図２５参照）。このようにすることにより、該ペイロードに放送セル種別、ＡＲＰ種別、送信元アドレス、相手側アドレスなどの情報が乗っているため、ＡＲＰ応答を受け取った「送信側端末（ＡＲＰ要求を行った端末）」は、これが「自分の発行したＡＲＰ要求に対するＡＲＰ応答である」と認識することができる。
【０２５１】
以上のような、ＡＴＭ−ＬＡＮ内ノード／ＩＷＵ／端末同士のＡＲＰの流れを図２６にまとめる。この図のように、自分宛てでないＡＲＰ要求を受け取ったノード／ＩＷＵ／端末は、該セル（ＡＲＰ要求セル）は廃棄してしまえば良い。
【０２５２】
なお、その他の端末は自端末とは必ずしも関係のないこれらのＡＲＰセルを参照して自端末内のアドレステーブル（Ｌ３アドレスとＶＰＩとの対応表）を順次更新・学習していってもよい。
【０２５３】
（方法２）：ＡＲＰサーバを用いる場合
ＡＴＭ−ＬＡＮ内のネットワークレイヤアドレスと、ＡＴＭアドレス（ＶＰＩ値）との対応を管理、認知しているサーバ（ＡＲＰサーバ）がＡＴＭ−ＬＡＮ内に少なくとも一つ存在するか、または存在しなくとも該ＡＴＭ−ＬＡＮ内に属する全ノード／ＩＷＵ／端末が、該ＡＲＰサーバへのアクセス方法を認知している場合、任意の端末はネットワークレイヤアドレスからＡＴＭアドレス（ＶＰＩ）へのレゾリューションを行うためには、このＡＲＰサーバに対して問い合わせを行うといった方式である。但し、図２１内にＡＲＰサーバは図示していない。
【０２５４】
ＡＲＰ要求を行う送信側端末は、ＡＲＰ要求セルをブロードキャストチャネルを通して、またはＡＲＰサーバ宛てのＶＰＩ値をＡＴＭセルヘッダに設定し（この際、例えばＶＣＩ＝０とする。理由は（方法１）と同じ）、ＡＲＰ要求セルをＡＲＰサーバに宛てて送出する。
【０２５５】
ただし、ＡＲＰサーバのＡＴＭアドレス（ＶＰＩ値）が未知の場合は、このアドレスのレゾリューションを行う必要があることに注意が必要である。ここで、ＡＲＰサーバのアドレスのレゾリューションを行う場合は、ブロードキャストチャネルを通して、ＡＲＰサーバのネットワークレイヤアドレスからＡＴＭアドレスへのアドレスレゾリューションを行っても良いし、ＡＲＰサーバのネットワークレイヤアドレスが未知の場合は、放送セルの種別がＡＲＰ要求セルであることをＡＲＰサーバが自律的に認識し、これに応答する形でも良い。また、プロセスサーバなどを用いてこれを行っても良い。
【０２５６】
なお、ＡＲＰサーバのＡＴＭアドレスは、デフォルトであらかじめ決められていても（ＡＴＭ−ＬＡＮ一意に決められる）よい。
【０２５７】
このようにしてＡＲＰ要求（データグラム送出要求ＡＲＰ）を受け取ったＡＲＰサーバは、該ＡＲＰ要求のレゾリューション先が該ＡＴＭ−ＬＡＮ内のノード／ＩＷＵ／端末である場合は、該レゾリューション先に対応するＶＰＩ値をＡＲＰ応答として返答する。このＡＲＰ応答は、（方法１）と同様に、ブロードキャストチャネルを通して行っても良いし、該ＡＲＰ要求を行った送信側端末に対するポイント−ポイントのＡＴＭコネクションを用いて行っても良い。
【０２５８】
前述のように、該ＡＲＰサーバは一つのＡＴＭ−ＬＡＮ内に一つ存在する形態のみならず、同一のＡＴＭ−ＬＡＮ内に複数個存在していても良いし、複数のＡＴＭ−ＬＡＮ内に一つのみ存在し、該複数のＡＴＭ−ＬＡＮからのアクセスが可能な構成になっていても良い。
【０２５９】
以上の実施形態は、受信側端末が送信側端末と同一のＡＴＭ−ＬＡＮ内に存在する場合のアドレスレゾリューション方法であった。そこで、次に受信側端末が送信側端末と異なるＡＴＭ−ＬＡＮ内に存在する場合のアドレスレゾリューション方法について説明する。
【０２６０】
基本的に、ここまでの実施形態におけるＡＴＭ網においては、複数のＡＴＭ−ＬＡＮをまたがるデータグラム配送、即ち網間接続装置（ＩＷＵ）をまたがって配送されるデータグラムについては、ＣＬＳＦ処理部にてＡＴＭコネクションは一度終端され、該データグラムはネットワークレイヤアドレスの処理（ネットワークレイヤ処理、またはＣＬレイヤ処理）を受けることになる。
【０２６１】
よって、アドレスレゾリューション先（該ネットワークレイヤアドレスを有した受信側端末）が送信側端末からみて異なるＡＴＭ−ＬＡＮに属している場合、それが「データグラム送出要求ＡＲＰ」である場合には、該ＡＲＰ要求に対するＡＲＰ応答における、アドレスのレゾリューション結果は網間接続装置におけるＣＬＳＦ処理部へのＡＴＭコネクションのＶＰＩ／ＶＣＩ値すなわちＡＴＭアドレスである必要がある。
【０２６２】
ここで、「データグラム送出要求ＡＲＰ」と「コネクション接続要求ＡＲＰ」の区別の説明を行う。「データグラム送出要求ＡＲＰ」では、送出したいデータグラム（をＡＴＭセル化したもの）がある場合（送出したいデータグラムのネットワークレイヤアドレスのみが既知であり、ＡＴＭアドレスが未知である場合）、「ＡＲＰ要求」としてこのレゾリューションを要求する。これに対し、どの様なＡＴＭアドレスを用いれば該データグラムを所望の受信側端末に配送できるかをレゾリューション結果として返答するのが「データグラム送出要求ＡＲＰ」である。ここでは、レゾリューション結果として帰されてきたＡＴＭアドレス値にて配送される配送先が必ずしも受信側端末であるとは限らない。例えば、該ＡＴＭアドレス値にて配送される先がＣＬＳＦ処理部であるような場合がこれに当たる。
【０２６３】
これに対し、「コネクション設定要求ＡＲＰ」では、受信側端末に直接つながるＡＴＭコネクションをアドレスレゾリューション結果として要求するＡＲＰである。即ち、受信側端末が送信側端末と同一ＡＴＭ−ＬＡＮ内であろうとなかろうと、レゾリューション結果であるＡＴＭアドレス値を用いれば、そのＡＴＭアドレスで示されるＡＴＭコネクションが途中（例えばＩＷＵや、ＣＬＳＦ処理部など）で終端されることなく、該受信側端末とエンド−エンドのＡＴＭコネクションでつながれているような状態を要求するＡＲＰである。このようなＡＲＰは、ＣＣＩＴＴにて議論されているシグナリング手順により規定されているコネクション設定方法に類似するものである。ただし、該コネクション設定に際し、本実施形態においては帯域の管理（帯域の確保）などのオーバヘッドは必ずしも必要なく、単にエンド−エンドのＡＴＭコネクションの設定が（スイッチノード内のテーブル設定を行ってあるという意味において）行われており、該ＡＴＭアドレスを用いれば該ＡＴＭコネクションを通して、エンド−エンドの通信が行えることを保証するのみであり、ＱＯＳなどの保証は必ずしも行われていない点に注意が必要である。このＡＲＰ（コネクション設定要求ＡＲＰ）を用いれば、エンド−エンドに結合されたＡＴＭコネクションが得られるため、呼設定サーバなどを介することなく両端末間でＱＯＳ（Ｑｕａｌｉｔｙ  Ｏｆ  Ｓｅｒｖｉｃｅ）や、通信属性のネゴシエイションなどが可能になる。
【０２６４】
次に、受信側端末が送信側端末と異なるＡＴＭ−ＬＡＮ内に存在する場合のアドレスレゾリューション方法（「データグラム送出要求ＡＲＰ」）について具体的に説明する。この場合も、以下の２つの方法が考えられる。
【０２６５】
（方法Ｉ）：送信側端末−ＩＷＵ内ＣＬＳＦ処理部の直接ＡＲＰ
基本的に、受信側端末が送信側端末と同一のＡＴＭ−ＬＡＮ内に存在する場合の（方法１）に準ずる。即ち、受信側端末のネットワークレイヤアドレス（あるいは通信ボードの物理アドレスなど）は分かっているが、このアドレスがどのＡＴＭアドレスに対応しているのかが分からない場合に、送信側端末が予め該ＡＴＭ−ＬＡＮ内にて定められたブロードキャストチャネルを通してＡＲＰを行う方式である。
【０２６６】
先の（方法１）との相違点は、該ＡＲＰ（データグラム送出要求ＡＲＰ）を行う先の受信側端末が送信側端末と異なるＡＴＭ−ＬＡＮ内に属している場合（網間接続装置をまたがらないと、該データグラムを配送できない場合）、ＡＲＰ応答を返すのが網間接続装置であるという点である。
【０２６７】
網間接続装置は、送信側端末が属するＡＴＭ−ＬＡＮ内の全ノード／ＩＷＵ／端末のネットワークレイヤアドレスを把握しており、ＡＲＰ要求に含まれる受信側アドレスが該ＡＴＭ−ＬＡＮ内に存在しないと認識することが可能である。この場合、該網間接続装置がデフォルトルータとして、自分のＡＴＭアドレス値  （ＶＰＩ値）をＡＲＰ応答として応答する形になっていても良い。
【０２６８】
また、網間接続装置をまたがった対向側に、該ＡＲＰ要求に含まれる受信側アドレスを有した受信側端末の存在を確認した上で、ＡＲＰ応答を行う形になっていても良い。
【０２６９】
また、何らかのルーチングプロトコルがＩＷＵ間、またはＣＬＳＦ処理部間などで動作しており、ルーチング情報の交換を行っており、該ルーチング情報に基づいてＡＲＰ応答を行う形になっていても良い。
【０２７０】
その他の点に関しては、受信側端末が送信側端末と同一のＡＴＭ−ＬＡＮ内に存在する場合の（方法１）とほぼ同様である。この場合、網間接続装置内のアッド・ドロップ機能は、受信した放送セルがデータグラム送出要求ＡＲＰである場合、これを内部のＡＲＰ処理を行うことができる処理部（本実施形態ではＬＳＦ処理部）にドロップさせる処理が必要である。例えば、受信した放送セルが「コネクション設定要求ＡＲＰ」である場合には、これを内部の呼処理部にドロップする。
【０２７１】
また、ＣＬＳＦ処理部は上記のように網間接続装置につながるＡＴＭ−ＬＡＮそれぞれに属するノード／ＩＷＵ／端末のネットワークレイヤアドレスを把握し、ＡＲＰ要求に含まれる受信側アドレスがそのＡＲＰ要求を発した送信側端末と同一のＡＴＭ−ＬＡＮ内にあるか否かを解析し、無い場合にはＡＲＰ応答を生成して、該送信側端末に対しＡＲＰ応答セルを送出する処理が必要である。
【０２７２】
また、サブネットマスク等を用いて該要求が自サブネット宛てであるか否かを勘弁に図る方法も考えられる。
【０２７３】
このように本ＣＬＳＦ処理部は、データグラムのリレーイング機能、アドレスレゾリューションを行う機能、ルーチング情報の処理機能を有していることになる。なお、アドレスレゾリューション機能、あるいは／及びルーチング情報の処理機能をＣＬＳＦ処理部と別に有していても良い。
【０２７４】
（方法ＩＩ）：ＡＲＰサーバを用いる場合
基本的に、受信側端末が送信側端末と同一のＡＴＭ−ＬＡＮ内に存在する場合の（方法２）に準ずる。即ち、該ＡＴＭ−ＬＡＮ内のネットワークレイヤアドレスと、ＡＴＭアドレス（ＶＰＩ値）との対応を管理、認知しているサーバ（ＡＲＰサーバ）が存在し、ネットワークレイヤアドレスからＡＴＭアドレス（ＶＰＩ）へのレゾリューションを行うためには、このＡＲＰサーバに対して問い合わせを行うといった方式である。
【０２７５】
先の（方法２）との相違点は、該ＡＲＰ（データグラム送出要求ＡＲＰ）を行う先の受信側端末が、送信側端末と異なるＡＴＭ−ＬＡＮ内に属している場合、即ち網間接続装置をまたがらないと該データグラムを配送できない場合、ＡＲＰ応答として、網間接続装置（のＣＬＳＦ処理部）へのＡＴＭアドレスを返すという点である。
【０２７６】
このことから、ＡＲＰサーバはＡＴＭ−ＬＡＮ毎にテーブル（ネットワークレイヤアドレスとＡＴＭアドレス（ＶＰＩ値）の対応表、図２７参照）を有しており、その対象としているＡＴＭ−ＬＡＮ内のノード／ＩＷＵ／端末のネットワークレイヤアドレス以外には、網間接続装置のＡＴＭアドレスが記されている。こうして、送信側端末と異なるＡＴＭ−ＬＡＮに属する受信側端末へのＡＲＰ応答としては、網間接続装置（内のＣＬＳＦ処理部）が選択される。
【０２７７】
このＡＲＰサーバ内のテーブルの設定は、人手でマニュアルで行っても良い。また、適当なルーチングプロトコルにより、ＡＲＰサーバがルーチングに関する情報を得る形で、テーブル設定が自動的に行なわれる形でも良い。
【０２７８】
その他の点に関しては、受信側端末が送信側端末と同一のＡＴＭ−ＬＡＮ内に存在する場合の（方法２）とほぼ同様である。
【０２７９】
なお、上述の（方法２）、（方法ＩＩ）において、ＡＴＭ−ＬＡＮ内が「ＶＰルーチング方式」にてルーチングされない網である場合、例えば呼処理サーバにより、ＡＴＭコネクションが張られる形態のネットワークである場合、ＡＲＰ要求を受け取ったＡＲＰサーバは、ＡＲＰ要求を出した送信側端末と該ＡＲＰ要求にて要求された受信側端末間に、呼処理サーバ（図示せず、ＡＴＭ−ＬＡＮ内のＡＴＭコネクションの設定、切断、変更、管理などを行っているサーバ）を使ってＡＴＭコネクションを（ＡＴＭ−ＬＡＮ内にはエンド−エンドに、ＡＴＭ−ＬＡＮ外とは網間接続装置内のＣＬＳＦ処理部間に）設定し、該ＡＴＭコネクションのＶＰＩ／ＶＣＩ値などのＡＴＭセルヘッダ値を送信側端末、さらに必要であれば受信側端末に通知する方式を用いても良い。
【０２８０】
また、上記の（方法２）、（方法ＩＩ）について、ＡＲＰサーバが認証（コネクション設定の許可など）の機能、即ち特定の端末に対してだけアドレスレゾリューションを行う機能を有していても良い。
【０２８１】
以上述べた（方法Ｉ）または（方法ＩＩ）のようにして、複数のＡＴＭ−ＬＡＮをまたがるデータグラム送出に関してのＡＲＰ要求に対する処理は行われる。（データグラムに関してのアドレスレゾリューションプロトコル）
なお、何らかの形でＡＲＰに失敗した場合は、ブロードキャストチャネルを通して、放送セル種別を「放送」として、相手先アドレスフィールドに相手先ネットワークレイヤアドレスを書き込んでおくことにより、ＡＴＭ−ＬＡＮ内での最低限の通信を行うことができる。
【０２８２】
また、ＡＲＰに失敗した場合、網間接続装置内（あるいは内外でも良い）のＣＬＳＦ処理部処理部に送出したいデータグラムを送出すれば、（該ＣＬＳＦ処理部は網間接続装置につながるノード／ＩＷＵ／端末の全ネットワークレイヤアドレスの存在を認識していることから）該ＣＬＳＦ処理部にデータグラムを配送することにより、同一ＡＴＭ−ＬＡＮ内へのデータグラム配送も可能になる点に注意が必要である。
【０２８３】
次に、本実施形態におけるデータグラム配送に関するＡＴＭセルヘッダの付け方のルールについて説明する。
【０２８４】
本実施形態におけるＡＴＭ−ＬＡＮ内におけるＡＴＭセルとしては、ＣＣＩＴＴ勧告におけるＵＮＩセルを用いているため、ＶＰＩの値は０から２５５まで、ＶＣＩの値は０から６５５３５までの値が使用可能である。
【０２８５】
ＶＰＩの付け方のルールとしては、先に説明したように、ＡＴＭ−ＬＡＮ内の各ノード／ＩＷＵ／端末にそれぞれ少なくとも一つずつのＶＰＩ値を割り当ててあり、任意の送信側端末から適当なＶＰＩ値をＡＴＭセルヘッダに付与して送出すれば、該当する受信側端末（該ＶＰＩ値が与えられた受信側端末）にルーチングされる（ＶＰルーチング方式）。本実施形態では、特別な意味を有したＶＰＩ値の存在を考慮し（例えばメタシグナリング用、網管理用、非常用など）、ＡＴＭ−ＬＡＮ内の各ノード／ＩＷＵ／端末に割り当てられるＶＰＩ値は、１６〜２５４までの値とする。即ち、同一のＡＴＭ−ＬＡＮ内に存在することのできるノード／ＩＷＵ／端末の総数は、本実施形態においては２３９までとなる。なお、このＶＰＩ値の割当方法の例外として「ＶＰＩ＝オール１（２５５）」があり、このＶＰＩ値の場合は、ブロードキャストチャネルとして、該ＶＰＩ値を持ったＡＴＭセルはＡＴＭ−ＬＡＮ内にブロードキャストされる。
【０２８６】
なお、リザーブされたＶＰＩ値（ＶＣＩ値）は、ＣＣＩＴＴにて審議されているＢ−ＩＳＤＮにおけるリザーブされたＶＰＩ値（ＶＣＩ値）と同様の意味を持たせても良い。
【０２８７】
次に、本実施形態におけるＶＣＩの付け方のルールの例を説明する。先に説明したように、「ＶＣＩ＝０」は放送セルの応答に用いられる。また、ＶＰＩの場合と同様に、「ＶＣＩ＝１〜１５」まではリザーブビットとしておく。「ＶＣＩ＝１６〜２５４」の場合は、これはデータグラム配送用に用いられるものとする。即ち、任意の送信側端末がデータグラムを送出する場合は、宛先アドレス（宛先ＶＰＩ）と合わせて「ＶＣＩ＝１６〜２５４」の値を有したセルを用いる。その際、ＶＣＩ値としては自分に割り当てられているＶＰＩ値を入れておくものとする。即ち、「ＶＰＩ値＝＃Ｘ」が割り当てられているノード／ＩＷＵ／端末は、データグラムを送出する際には、該データグラムをＡＴＭセル化したＡＴＭセルのヘッダのＶＰＩ領域は、該データグラムの宛先に対応するＶＰＩ値（データグラム送出要求ＡＲＰのレゾリューション結果）を、同ＶＣＩ領域には自分に割り当てられているＶＰＩ値を（即ち「ＶＣＩ値＝自分のＶＰＩ値」）それぞれ入れて送出する。
【０２８８】
このセルを受信したノード／ＩＷＵ／端末は、ＶＰＩ値により該セルが自分宛に配送されたものであると認識し、ＶＣＩ値が「１６≦ＶＣＩ値≦２５４」であることから、これがデータグラムであることを認識することができる。受信側端末は、各セル毎にＡＡＬタイプ３／４のようなＡＴＭレイヤよりも上位のレイヤに送出元を判別できるようなＩＤがない限り、送出元を判別するためには、異なる送信側端末、あるいはＣＬＳＦ処理部などからから発せられたデータグラムには異なるＡＴＭセルヘッダが付与されている必要がある。本実施形態のようなＡＴＭセルヘッダ値付与方式を用いることにより、これが可能となる。
【０２８９】
更に、網間接続装置ではＶＰＩ値が自分宛のものであり、ＶＣＩ値が１６〜２５４であるセルを受信した場合には、該セルが網間接続装置自身、または網間接続装置をまたいで配送されるべきデータグラムであると認識することができ、該セルを内部のＣＬＳＦ処理部にルーチングすることができる。
【０２９０】
このように、ＶＣＩ値が１６〜２５４である場合には、受信側端末は該セルはデータグラムであることが認識でき、更にこれは送信元端末毎にそれぞれ対応するＶＣＩ値がつけられてデータグラムが転送されてくるため、ＡＡＬタイプ５のような同一送出元ＡＴＭ−ＳＡＰからのパケットが連続して送られなければならないようなモードのＡＡＬ（ＡＴＭ  Ａｄａｐｔａｔｉｏｎ  Ｌａｙｅｒ）に関しても、データグラムのリアセンブリが可能である（送信側端末毎に、異なるＶＰＩ／ＶＣＩ値を有している）ことから、使用可能である点に注意が必要である。即ち、送信側端末、及び受信側端末間での使用するＶＣＩ値に関するネゴシエイションなしに、データグラム配送が行うことができる。
【０２９１】
なお、ＶＣＩ値＝２５６〜６５５３５に関しては、例えばエンド−エンド間でどの様に使うかをネゴシエイションするなどして適当に使うことができる。
【０２９２】
次に、上記データグラム送出要求ＡＲＰを行うタイミングについて説明する。データグラム送出要求ＡＲＰを行うタイミングは、必ずしもＡＴＭボード（ＡＴＭ通信用基板）内に、データグラムがＯＳ（オペレーティングシステム）から降りてきた際に行う必要はない。即ち、送出したいデータグラムが生じた際に、該データグラムをＡＴＭボード、または任意のメモリに待機させて、データグラム送出要求ＡＲＰを行い、アドレスレゾリューションを行って、ＡＴＭアドレスが判明した後、上記ＡＴＭボードまたは任意のメモリからデータグラムを取り出し、これをＡＴＭセル化してレゾリューションされたＡＴＭアドレスを付与して送出する必要は必ずしも無い。なぜなら、ＡＲＰを行っている時間はデータグラムを待ちの状態にしておくことになることから、データグラムを送出する立場からいえば無駄な時間である。データグラムを送出する可能性のある相手先端末に関しては、予めアドレスのレゾリューションを行っておくことにより、効率的なデータグラム配送を行うことができると考えられる。
【０２９３】
データグラム送出要求ＡＲＰを行うタイミングとしては、該ノード／ＩＷＵ／端末のブート時（ブートプログラムに、データグラム送出要求ＡＲＰを行うべきネットワークレイヤアドレスを明記しておき、該ネットワークレイヤアドレスについて、それぞれたとえばバッチ処理などにより、データグラム送出要求ＡＲＰを行っていく）に行う方式が考えられる。
【０２９４】
また、該ノード／ＩＷＵ／端末のユーザログイン時（ログインプログラム、即ちログインの際に起動するプログラムに、データグラム送出要求ＡＲＰを行うべきネットワークレイヤアドレスを明記しておき、該ネットワークレイヤアドレスについて、それぞれ例えばバッチ処理などにより、データグラム送出要求ＡＲＰを行っていく）に行う方式が考えられる。
【０２９５】
例えば、前者の方法では、任意のノード／ＩＷＵ／端末について必須の相手先（例えばＮＩＳサーバ、ファイルサーバ、網管理サーバ、ネットワークサーバなど）とのデータグラム向けＡＴＭコネクションのアドレスをレゾリューションし、後者の方法では、ユーザ毎に該ユーザが頻繁にデータグラム通信を行う相手との間にデータグラム向けＡＴＭコネクションのアドレスをレゾリューションするなどの応用が考えられる。
【０２９６】
ここで、上記のようなブート、あるいはログイン時のＡＴＭコネクションのアドレスレゾリューションは、データグラム向けに限らず、即ちデータグラム配送要求ＡＲＰに限らず、コネクション設定要求ＡＲＰについても行って良いことに注意が必要である。
【０２９７】
また、本実施形態では「ブート時、あるいはログイン時にＡＲＰを行う」との記述から、ＡＲＰを行う前にあらかじめスイッチノードの設定（ＶＰルーチングのためのルーチングテーブルの設定）は終了しており、端末は適当なＡＴＭアドレス（ＶＰＩ値）をつけてＡＴＭセルを送出すれば所望の相手先端末に対してセルを送出できる状態になっていることを仮定している。例えば、端末／ＩＷＵ／ノードのブート時には、まず上記スイッチノードの設定が行われ、その後ＡＲＰが行われるなどである。
【０２９８】
しかしながら、予めスイッチノードの設定（ＶＰルーチングのためのルーチングテーブルの設定）は終了しておらず、「ブート時、あるいはログイン時に呼設定サーバなどを用いて、ＡＴＭコネクションの設定を行う」ような場合も考えられることに注意が必要である。
【０２９９】
なお、後述のように、ブート時、あるいはログイン時などにあらかじめＡＴＭコネクションを設定するに際して、特に通信資源を圧迫するものではないことに注意が必要である。即ち、上記の段階で張られたＡＴＭコネクションは、コネクションの受付制御などを経ずに、単にスイッチノード内のテーブルに設定されたＡＴＭコネクションに過ぎないので、帯域管理の対象外のコネクション、即ち優先度の低いコネクションであると考えることができ、通信資源を圧迫することはない。
【０３００】
以下に、この理由について説明する。本実施形態においては、ＡＴＭ−ＬＡＮ内のＡＴＭコネクション（場合によっては、ＡＴＭ−ＬＡＮ間をまたがるＡＴＭコネクションも含む）には、帯域管理を行うＡＴＭコネクションと、帯域管理を行わないＡＴＭコネクションとがある。帯域管理を行うＡＴＭコネクションは一定の通信品質（ＱＯＳ）を保ちつつ通信を行うことのできるコネクション（一定以上のセル廃棄率、一定以下の遅延時間が期待できるコネクション）であり、帯域管理を行わないＡＴＭコネクションは通信品質に一切の保証がないコネクション（セル廃棄率、遅延時間に関して、制限がない）である。帯域管理を行うＡＴＭコネクションは、優先度の高いコネクション、帯域管理を行わないＡＴＭコネクションは優先度の低いコネクションと考えられ、たとえば優先度の高いコネクションに属するセルが無い場合に限り、優先度の低いコネクションに属するセルの通過を許すなどの優先制御を行うことにより、これを実現することができる。帯域管理を行うＡＴＭコネクションに関しては、該コネクションの通過するセル伝送路、および交換ノード内の通信資源が確保された場合に限り、設定を許可されるコネクションであるのに対し、帯域管理を行わないＡＴＭコネクションに関しては、帯域管理対象外であるため、呼／コネクション受付制御に際しても、各コネクション管理エンティティの受付上限数以下である限り、無条件に受け付けられるものである。この受付上限数とは、たとえばスイッチノード内のテーブルの容量などにより規定されるものである。帯域管理を行うＡＴＭコネクションについては、特に「帯域管理サーバ」なるものが用意されており（図示せず）、ここが一元的にＡＴＭ−ＬＡＮ内の通信資源の管理、受付制御の際の評価関数の演算実行などを行っている。この帯域管理サーバにより許可を得たＡＴＭコネクションに限り、帯域管理を行うＡＴＭコネクションとして使用することができる。
【０３０１】
次に、図２８にＡＴＭバックボーン網における網間接続装置内のＣＬＳＦ処理部間のＡＴＭコネクション接続状態の一実施形態を示す。ここで、簡単のため、各物理配線などは省略してある。また、網間接続装置内の呼処理機能、ヘッダ変換機能などのその他の機能や、ＡＴＭ−ＬＡＮ内のスイッチノード、ＡＴＭバックボーン網内の構成要素も図中では省略してある（実際には、ＡＴＭ−ＬＡＮ内のスイッチノードからも網間接続装置内のＣＬＳＦ処理部にＡＴＭコネクションが確立していても良い）。
【０３０２】
このように、ＡＴＭバックボーン網内においては、網間接続装置内のＣＬＳＦ処理部間が例えばパーマネントコネクション（ＶＰ、あるいはＶＣ）で結ばれている。このパーマネントコネクションも帯域管理の対象外のコネクションである。ＡＴＭバックボーン網をまたがる（あるいはＡＴＭバックボーン網内に存在する端末／ノードへの）データグラムについては、これらＣＬＳＦ処理部のリレーイングにより行われる。即ち、該網間接続装置内のＣＬＳＦ処理部は、これを一度ネットワークレイヤ、あるいはＣＬレイヤにて終端し、あて先アドレスを解析した後、（必要であれば再度ＡＴＭセル化した後）あて先へとつながるＡＴＭコネクションを適当に選択してこれを通して該データグラムを配送することになる。図２８にあるように、網間接続装置内のＣＬＳＦ処理部間は、パーマネントＡＴＭコネクションにて結合されているため、該ＣＬＳＦ処理部はこれらのパーマネントＡＴＭコネクションを介して該データグラム（ＡＴＭセル化したもの）を次なる網間接続装置内のＣＬＳＦ処理部へリレーイングする。
【０３０３】
さて、上述のように網間接続装置内にＣＬＳＦ処理部を配置し、網間をまたがるデータグラムの配送についてはこの網間接続装置内のＣＬＳＦ処理部を介して行うことにより、以下のような利点を享受することができる。
【０３０４】
（１）網間接続装置に接続された網から、このＣＬＳＦ処理部に対して直接アクセスすることができる。また、このアクセスは、複数の網間をまたがるＡＴＭコネクションを用いることなく行うことができる。
【０３０５】
（２）該網間接続装置に接続されたＡＴＭ網間にまたがるデータグラム配送について、ここで処理を行うことにより、各々の網におけるアドレス体系（ＶＰＩ／ＶＣＩ値）の変換をここで集中的に行うことができる。
【０３０６】
（３）該網間接続装置に接続された網に関するルーチング情報（ネットワークレイヤアドレス、ＣＬレイヤアドレスに関する情報、及び該アドレスとＶＰＩ／ＶＣＩ値との関係情報など）は、通常、網間接続装置において終端、交換されるため、該ルーチング情報を用いてデータグラムの解析、処理を行うＣＬＳＦ処理部を網間接続装置を配置するのは、ルーチングプロトコルとＣＬＳＦ処理部間の関係を密にできる、ルーチングテーブルの共用がはかれる、などの理由から妥当である。
【０３０７】
但し、ＣＬＳＦ処理部の機能のうち、データグラム（コネクションレスパケット）を終端し、ネットワークレイヤアドレスを一度参照した後、しかるべきＡＴＭコネクション（該ネットワークレイヤアドレスを有する端末／ノードとつながるＶＰ／ＶＣ、または該ネットワークレイヤアドレスに配送する機能を有すると考えられるＣＬＳＦ処理部とつながるＶＰ／ＶＣ）に送出する機能は、網内の機能としては大きな装置が必要となり、必要以上の該ＣＬＳＦ処理部の機能を網内に設けることはコストの増大（オーバースペック）につながると考えられる。よって、図２８に示すような大規模ＡＴＭネットワークにおいて、各網間接続装置ごとに、あるいは各ＡＴＭ−ＬＡＮごとにＣＬＳＦ処理部を設けるのは、各ＡＴＭ−ＬＡＮ間、またはＡＴＭバックボーン網や外部の網とのデータグラムの通信量が十分に大きくなった場合の最終形態であると考えられる。
【０３０８】
よって、以下では大規模ＡＴＭネットワークにおけるＣＬＳＦ処理部の配置法の発展形態の一例について説明する。これまでに説明したように、図２８のように、各網間接続装置にＣＬＳＦ処理部を配置するのは、この発展形態の最終形態であると考えられる。以下に、ＣＬＳＦ処理部の配置法の発展形態を３つのフェーズに分けて説明する。
【０３０９】
図２９に、フェーズ１として、初期導入時の図を示す。このように、ＣＬＳＦ処理部は、ＡＴＭバックボーン網内に１つ設けられているのみである。なお、該ＣＬＳＦ処理部は、いずれかの網間接続装置内あるいは任意のＡＴＭ−ＬＡＮ内に位置していても良い。該ＣＬＳＦ処理部は、フェーズ１の時期において該大規模ＡＴＭネットワークに属する（網間をわたる）データグラムの配送を十分に処理できるだけのスループットを有しているものとする。ここで、前述のようにＡＴＭ−ＬＡＮ内の端末間のデータグラム通信は、エンド−エンドのＡＴＭコネクションにて行われていてもよいことに注意が必要である。
【０３１０】
この形態においては、全ての網間接続装置内にＣＬＳＦ処理部が存在するわけではない。しかしながら、網間接続装置では該大規模ＡＴＭネットワークにおいて動作しているルーチングプロトコルの終端処理部（以降、ルーチング処理部と呼ぶ。このフェーズ１における網間接続装置は、第２図のＣＬＳＦ処理部の代わりにルーチング処理部、または図２のＣＬＳＦ処理部および呼処理部の代わりにルーチング処理部が入る構成となっている）が存在していることに注意が必要である。
【０３１１】
通常、網間接続装置は該網間接続装置につながる網（あるいは、網間接続装置と直接接続された網の更に先に位置するその他の網）に関するルーチング情報を得られる立場にある。このことから、該網間接続装置間でルーチング情報のやり取りを行うという形で、大規模ネットワーク内のルーチングプロトコルは動作している場合がある。本大規模ＡＴＭネットワークにおいても、上述のようなルーチングプロトコルが働いており、各々の網間接続装置がルーチング情報の収集あるいは交換などを行っている。本実施形態においては、ルーチング処理部が上記ルーチングプロトコルを終端している。
【０３１２】
これらのうち、ルーチング情報の交換あるいは位置情報（どのアドレスを有した端末がどこにいるか）の交換（ルーチングプロトコルの動作）は、網間接続装置間のデータグラムの配送により行われても良い。網間接続装置間に、ルーチング情報交換のためのＡＴＭコネクションを設け、また必要であればルーチングプロトコルごとにＡＴＭコネクションを別々に設け、これを通してルーチング・位置情報の交換を行っても良い。このようにして、網間接続装置は、ルーチング・位置に関する情報を得ることができる。
【０３１３】
このフェーズ１においては、網間接続装置内にＣＬＳＦ処理部が存在しないため、受信側端末が送信側端末と異なるＡＴＭ−ＬＡＮ内に存在する場合のアドレスレゾリューション方法が、先に説明した（方法Ｉ）、（方法ＩＩ）の場合と若干異なることとなる。以下に一実施形態を説明する。
【０３１４】
（方法Ｉ′）：送信側端末−ＩＷＵ内ルーチング機能間の直接ＡＲＰ
送信側端末からのＡＲＰ要求に対して応答を返すのが網間接続装置内のルーチング機能である点を除いて基本的に（方法Ｉ）に準ずる。
【０３１５】
網間接続装置内のルーチング処理部は、送信側端末の属する網に関するルーチング情報を有しているため、該ＡＲＰ要求がＡＴＭ−ＬＡＮに閉じたものであるか、否かを判別することができる。よって、該ＡＲＰ要求がＡＴＭ−ＬＡＮ内に閉じたものではない、即ちアドレスレゾリューションすべきアドレスが該送信側端末の属するＡＴＭ−ＬＡＮ内には存在しないと認識した場合は、該ルーチング機能がＡＲＰ応答を行う。ここで、ＡＲＰ応答としては、先の（方法Ｉ）の場合と同様に、自網間接続装置に割り当てられたＶＰＩ値を返答することとなる。よって、送信側端末からみると、ＣＬＳＦ処理部が網間接続装置内（ひいては自ＡＴＭ−ＬＡＮ内）に位置しているのか、否かは判断できない。
【０３１６】
（方法ＩＩ′）：ＡＲＰサーバを用いる場合
（方法ＩＩ）に準ずる。ただし、ＡＲＰサーバはルーチングに関する情報を網間接続装置内のルーチング処理部からもらう形となっていても良い。
【０３１７】
ただし、上記の（方法Ｉ′）、（方法ＩＩ′）のどちらの場合においても、網間接続装置内にはＣＬＳＦ処理部は存在しないため、該ルーチング処理部は送られてきたデータグラムをＣＬＳＦ処理部に転送する必要がある。以下に、この一実施形態を示す。
【０３１８】
これは、網間接続装置内のヘッダ変換機能を適当に設定することにより行う方法である。即ち、網間接続装置に対してデータグラム（実際にはこれをＡＴＭセル化したもの）が送られてきた場合（前述のように、これは自網間接続装置に割り当てられたＶＰＩ値と８〜２５４のＶＣＩ値を有したＡＴＭセルが到着したことにより判別できる）は、これをヘッダ変換テーブルにて適当なヘッダ（後述）に変換し、ネットワークレイヤ、あるいはＣＬレイヤによる終端は行わずに、ＡＴＭ処理のみで、ＣＬＳＦ処理部に該セルを転送してしまう。このヘッダ変換テーブル（ヘッダ変換部）の設定は、はじめてＡＲＰが行われた際に行っても良いし、事前に行われても良い。
【０３１９】
この場合、ＣＬＳＦ処理部は受信したセルについて、それぞれ送信側端末を一意に識別する必要があることから（ここでいう「識別」とは、送信側端末がどの端末であるのかを例えばネットワークレイヤアドレス等まで識別するという意味ではなく、「異なる端末から発せられたセル（異なるコネクションレスパケットに属するセルである）である」ということを識別するという意味である）、送信側端末毎に異なるＡＴＭセルヘッダ値を付与する必要があることに注意が必要である。
【０３２０】
以下に、ＣＬＳＦ処理部にて送信側端末を一意に識別することのできるＡＴＭセルヘッダ値の割当法の一例について、ＡＴＭバックボーン網においても「ＶＰルーチング方式」が適用されている場合を例にとり説明する。
【０３２１】
ＡＴＭバックボーン網においても、「ＶＰルーチング方式」が行われているため、ＡＴＭバックボーン網内のＣＬＳＦ処理部に対しても、少なくとも一つのＶＰＩ値が割り当てられており、ＣＬＳＦ処理部に向かうデータグラム（ＡＴＭセル化したもの）には、該ＶＰＩ値が付与される（ヘッダ変換機能に登録されている）。よってＣＬＳＦ処理部は、ＶＣＩ値によって送信側端末を識別することとなる。
【０３２２】
ＶＣＩ値としては、例えば図３０に示すようにＶＣＩ値の上８桁については送信側端末のＡＴＭ−ＬＡＮにおけるＶＰＩ値、続く下８桁については、該網間接続装置に割り当てられているＡＴＭバックボーン網側のＶＰＩ値を使うものとする。こうすることにより、ＣＬＳＦ処理部は受信したセルのＡＴＭセルヘッダから（送信側端末が異なれば、必ず異なるＶＣＩ値が使われることから）一意に送信側端末を識別することができることとなる。このようなＶＣＩ値をヘッダ変換機能に登録しておくことにより、網間接続装置は、網間接続装置をまたがって配送されるデータグラムをＡＴＭレイヤ処理のみでＣＬＳＦ処理部に転送することができることとなる。このような方法をとることにより、６４ｋ個（＝２の１６乗）までの端末を該ＣＬＳＦ処理部はサポートできることとなる。
【０３２３】
このルールは、本実施形態のような２階層のネットワークのみならず、ＶＣＩフィールド階層化を適当に工夫することにより、更に多階層のネットワークにも適用することができる。
【０３２４】
ここで、ＡＴＭ−ＬＡＮにおいて、上述のようなルールでは網間接続装置自身へ向けたデータグラムをＣＬＳＦ処理部に転送する可能性が存在するため、網間接続装置にはＶＰＩ値を複数、例えば＃Ｘと＃Ｙの２つ与え、ＡＲＰにて網間接続装置自身のアドレスのレゾリューションを求められたときは「ＶＰＩ値＝＃Ｘ」を、また網間接続装置をまたがった受信側端末のアドレスレゾリューションを求められた時は「ＶＰＩ値＝＃Ｙ」を、それぞれＡＲＰ応答として答えるものとし、「ＶＰＩ値＝＃Ｘ」の時は自網間接続装置内に該データグラムを取り込み、「ＶＰＩ値＝＃Ｙ」の時は自網間接続装置宛のデータグラムではないと判断して、ヘッダ変換機能にてヘッダの変換を行った上、ＣＬＳＦ処理部に該セルを転送するといった方法をとることもできる。
【０３２５】
また、反対にＣＬＳＦ処理部からセルを受信した場合は、前記の処理と逆の処理を行った上、ＡＴＭ−ＬＡＮ内の端末に該データグラムを送出すれば良いことに注意が必要である。
【０３２６】
以上のやり取りについての具体例を図３１にまとめる。スイッチノードなどの記述は省略してある。ＡＴＭ−ＬＡＮ３１１及びＡＴＭバックボーン網３１２はＶＰルーチング方式で運用されており、ＡＴＭ−ＬＡＮ３１１内の端末３１Ａ、３１Ｂ、３１Ｃ、網間接続装置３１Ｐには各々＃Ａ、＃Ｂ、＃Ｃ、＃ＰなるＶＰＩ値が割り当てられている。ＡＴＭバックボーン網３１２内のＣＬＳＦ処理部３１Ｘ、網間接続装置には各々＃Ｘ、＃ＹなるＶＰＩ値が割り当てられている。
【０３２７】
ＡＴＭ−ＬＡＮ３１１内の端末は、網間接続装置３１Ｐをまたがって配送されるデータグラム（ＡＴＭセル化したもの）については、図のように「ＶＰＩ値＝＃Ｐ」を付与して送出する。前述のように、ＶＣＩ値は自分に割り当てられたＶＰＩ値を入れて送出する（例えば端末３１Ａでは「ＶＣＩ値＝＃Ａ」とする）。
【０３２８】
網間接続装置３１Ｃ内のヘッダ変換テーブル（ＡＴＭ−ＬＡＮ３１１からＡＴＭバックボーン網に向かう側）は、図のように設定されており、自動的に該データグラム（をＡＴＭセル化したもの）をＡＴＭレイヤ処理のみでＣＬＳＦ処理部に転送できるようになっている。
【０３２９】
たとえば上記のデータグラムは、ＣＬＳＦ処理部に向かうため、ＶＰＩ値は＃Ｘに書き換えられ、更にＶＣＩ値は、
（１）ＶＣＩ値の下８桁は、該データグラム（をＡＴＭセル化したもの）を受信したＣＬＳＦ処理部が、該データグラムがどこの網間接続装置から転送されてきたものかを判別するために、網間接続装置のＶＰＩ値（この場合、＝＃Ｙ）が入る。
（２）ＶＣＩ値の上８桁は、網間接続装置毎に送信側端末を識別するために、送信側端末のＶＰＩ値（この場合、＝＃Ａ）が入る。
のようにして運用される。
【０３３０】
本例では、ＣＬＳＦ処理部に到達するセルについては、データグラムであるにも関わらずＶＣＩ値が１６〜２５４以外の値が入ることとなるが、ＣＬＳＦ処理部には基本的にデータグラムしか転送されないため、これはＣＬＳＦ処理部向けのＡＴＭセルヘッダ値割当ルールとして妥当である（即ちこの例では、ＡＴＭバックボーン網におけるＣＬＳＦ処理部では、ＡＴＭ−ＬＡＮにおけるＶＣＩ値割当ルールとは異なるＶＣＩ値の割当を行っていることになる）。なお、ＣＬＳＦ処理部自身に向けたデータグラムについては、「ＶＣＩ値の上８桁が０である場合は、自分自身宛のデータグラム」等と認識することができる。
【０３３１】
反対に、ＣＬＳＦ処理部から網間接続装置に向かうデータグラム（をＡＴＭセル化したもの）は、ＶＰＩ値は網間接続装置のＶＰＩ値（この場合、＝＃Ｙ）が入り、またＶＣＩ値は、下８桁にはＣＬＳＦ処理部に割り当てられたＶＰＩ値  （この場合、＝＃Ｘ）が入り、上８桁には受信側端末のＶＰＩ値（受信側端末が端末３１Ｂである場合は、＝＃Ｂ）が入ることとなる。
【０３３２】
網間接続装置における（ＡＴＭバックボーン網３１２からＡＴＭ−ＬＡＮ３１１に向かう側の）ヘッダ変換部については、図のようにＣＬＳＦ処理部側から送られてくるＡＴＭセルヘッダ値、つまりＶＣＩ値の下８桁を参照して、これがＣＬＳＦ処理部から送られてきたデータグラムであることを認識し、ＶＣＩ値の上８桁を参照して、この値を受信側端末に送出するセルのＶＰＩ値として用いる。ここで、受信側端末に送出するセルのＶＣＩ値としては、ＡＴＭ−ＬＡＮ３１１において割り当てられているＶＰＩ値をいれておくのは前述の通りである。
【０３３３】
また、ＡＴＭバックボーン網３１２に２００以上もの網間接続装置（またはＡＴＭ−ＬＡＮ）が属することがない場合は、ＶＣＩ値の下８桁の値を更に例えば４桁と４桁等と階層化し、網間接続装置の多段構成をとることも可能である。
【０３３４】
また、本実施形態では網間接続装置に接続されるＡＴＭ−ＬＡＮの数は１つとしているが、網間接続装置に接続されるＡＴＭ−ＬＡＮの数が複数個にわたる場合は、ＡＴＭバックボーン網において各々のＡＴＭ−ＬＡＮごとにＶＰＩ値を一つずつ割り当ててもよい。この場合、ＡＴＭバックボーン網において該網間接続装置は複数のＶＰＩ値を有することとなる。また、網間接続装置に複数（網間接続装置に接続されるＡＴＭ−ＬＡＮの数と等しい）のＶＰＩ値を割り当てることができない場合は、ＣＬＳＦ処理部と網間接続装置のヘッダ変換部間で該データグラム（ＡＴＭセル化したもの）をどのＡＴＭ−ＬＡＮのどの端末に振り分けるのかを取り決める必要があるため、ＶＣＩ値の論理的な割付方法のネゴシエイションが必要である。
【０３３５】
次に、図３２にフェーズ２としてＣＬＳＦ処理部を増設した場合の図を示す。このように、ＣＬＳＦ処理部はＡＴＭバックボーン網内に複数個設けられる。該ＣＬＳＦ処理部のうち幾つかは、いずれかの網間接続装置内、あるいは任意のＡＴＭ−ＬＡＮ内に位置していても良い。このような場合は、例えば本ネットワークにおけるデータグラムの通信量が増大し、フェーズ１にて設置したＣＬＳＦ処理部のスループットでは不足となり、ＣＬＳＦ処理部を増設するような場合と考えられる。
【０３３６】
この形態においても、網間接続装置内にルーチング処理部が存在していることに注意が必要である。このフェーズ２においては、受信側端末が送信側端末と異なるＡＴＭ−ＬＡＮ内に存在する場合のアドレスレゾリューション方法は、フェーズ１の場合と同様である。ただし、ＣＬＳＦ処理部が増設されたため、いくつかの網間接続装置内のヘッダ変換機能において、データグラム（をＡＴＭセル化したもの）の転送先を増設ＣＬＳＦ処理部に変更するべく、増設ＣＬＳＦ処理部へとつながるＡＴＭコネクションのヘッダ（ＡＴＭセルヘッダ）に変換するように、ヘッダ書換テーブルの書換を行うこととなる。この書換のみでＣＬＳＦ処理部の増設（場合によっては減設、変更など）を行うことができるため、非常に容易にＣＬＳＦ処理部の増減設を行うことができる点に注意が必要である。
【０３３７】
この場合、ＡＴＭ−ＬＡＮ内の送信側端末（受信側端末）からは、ＣＬＳＦ処理部の増設に伴う網間接続装置内の変化（ヘッダ書換テーブルの設定変更など）はまったく認知する必要はない点に注意が必要である。送信側端末は、フェーズ１と全く同様にしてアドレスレゾリューション、及びデータグラムを用いた通信行うことができる。これは、フェーズ２のみならず後述のフェーズ３においても同様である。このフェーズ２のような増設（またはＣＬＳＦ処理部の切り替え、変更でも良いことに注意）を繰り返して行うことによって、図２８のような全ての網間接続装置にＣＬＳＦ処理部を配置するような形態（フェーズ３）に変更していくことができる。ここで、網間接続装置内にＣＬＳＦ処理部を増設する場合は、ルーチング処理部に代わってＣＬＳＦ処理部を増設する形になっていても良いし、ルーチング処理部を配置した状態で、ＣＬＳＦ処理部を増設する形になっていても良い。これは、ヘッダ変換テーブル（ヘッダ変換部）及びアッド・ドロップ処理部（網間接続装置内のセルの振り分けをＡＴＭスイッチ機能で行っている場合は、該スイッチング機能）の設定変更のみでこれを行うことができるため、非常に容易にＣＬＳＦ処理部の増減設を行うことができる点に注意が必要である。
【０３３８】
ここで、網間接続装置、及びＣＬＳＦ処理部間のＡＴＭコネクション、及びＣＬＳＦ処理部−各端末間のＡＴＭコネクションは、帯域管理を行わないＡＴＭコネクションであれば良い点に注意が必要である。
【０３３９】
次に、図２８に戻り「ＣＬＳＦ処理部間ＡＲＰ」について説明する。図２８において、ＣＬＳＦ処理部がデータグラムを配送する場合に、ＡＴＭバックボーン網内に張られている網間接続装置内のＣＬＳＦ処理部へのパーマネントＡＴＭコネクション（ＰＶＣ、ＰＶＰ）の内、どのＰＶＣ／ＰＶＰに送出すれば良いかの選択を行う必要があるときがある。即ち、解析したデータグラムの宛先アドレス（ネットワークレイヤアドレス、あるいはメイルアドレスなどでも良い）がＣＬＳＦ処理部内部のテーブル（この宛先アドレスの場合は、このＰＶＣ／ＰＶＰに送出せよ、という指示の書いてあるテーブル）に未登録の場合は、該宛先アドレスからどのＰＶＣ／ＰＶＰに該データグラムを送出したら良いかのレゾリューションを行うこととなる。これをここでは「ＣＬＳＦ処理部間ＡＲＰ」と呼ぶ。この「ＣＬＳＦ処理部間ＡＲＰ」を行う方法としても、以下のようないくつかの方法がある。
【０３４０】
（方法１）：ＡＲＰサーバを用いる方法
先の第１の実施形態のＡＴＭ−ＬＡＮ内のデータグラム配送の際のＡＲＰの（方法２）に類似した方法である。ＡＴＭバックボーン網内にＡＲＰサーバをおく（図示せず）。このＡＲＰサーバは、内部にテーブルを有しており、このテーブルには宛先アドレスと、ＶＰＩ／ＶＣＩ値とが対応している。このＶＰＩ／ＶＣＩ値は、他の網間接続装置内のＣＬＳＦ処理部（場合によっては、ＡＴＭバックボーン網内のＣＬＳＦ処理部。これはＡＴＭバックボーン網内の端末装置を担当する）へとつながるＰＶＣ／ＰＶＰのＶＣＩ／ＶＰＩ値である。該テーブルの概要の一実施形態を図３３に示す。このように本テーブルはＣＬＳＦ処理部の数だけ存在し、各々のテーブルが１つのＣＬＳＦ処理部からの問い合わせに対応する。問い合わせを受け取ったＡＲＰサーバは、該宛先アドレスに対応するＶＰＩ／ＶＣＩ値を該テーブルを参照して解析し、その解析結果（ＶＰＩ／ＶＣＩ値）を該問い合わせ元のＣＬＳＦ処理部に対して返す。
【０３４１】
ここで、ＡＴＭバックボーン網がその内部の端末／ノードにＶＰＩを一つ割り当て、ＡＴＭバックボーン網内のセルのルーチングをＶＰＩを用いて行うような方式では、宛先アドレスによって付与すべきＶＰＩ値は一意に決定するから、宛先アドレス別のテーブルを用意する必要はなく、一つのテーブルを用意するだけでよいことから、大幅なテーブル量削減が可能である。この場合、データグラムまたはＡＲＰ送出の際は、たとえばＶＣＩ値の上８桁はオール０とし（これをデータグラム配送の印とする。即ち、網間接続装置内では、ＶＣＩ値の上８桁がオール０のセルについては、ＣＬＳＦ処理部に転送する）、下８桁を送出元ＣＬＳＦ処理部の属する網間接続装置のＶＰＩ値を入れることにより、これを受信したＣＬＳＦ処理部は該セルの送出元を知ることができると共に、データグラム配送処理を引き続き行うことができる。ＡＲＰの返送に際しては、ＶＣＩ領域に入っていた送出元ＣＬＳＦ処理部のＶＰＩを用いれば、ＡＲＰの返答が放送を用いずに行える。なお、ＣＬＳＦ処理部が送出元ＣＬＳＦ処理部を知る必要がない場合は、必ずしも上記の下８桁に送出元ＣＬＳＦ処理部が属する網間接続装置のＶＰＩを入れるという作業は省くことができる。
【０３４２】
その他は、第１の実施形態の先のＡＴＭ−ＬＡＮ内でのＣＬＳＦ処理部へのＡＲＰについて説明した（方法２）とほぼ同様である。
【０３４３】
（方法２）：ＡＴＭバックボーン網内にてＣＬＳＦ処理部間で直接ＡＲＰを行う方法
ＡＴＭバックボーン網内にて、網間接続装置内あるいはＡＴＭバックボーン網内のその他のＣＬＳＦ処理部に対して直接ＡＲＰを行う方法である。即ち、ＡＲＰを行う側（即ち、ＶＰＩ／ＶＣＩ値を尋ねる側）のＣＬＳＦ処理部は、その他のＣＬＳＦ処理部に対してＡＲＰ要求を放送、あるいは放送に準ずる方法（たとえば順に聞いて回るなど）を行い、該当するＣＬＳＦ処理部がこれに答える形で自分宛のＶＰＩ／ＶＣＩ値を通知する方法である。
【０３４４】
これはＡＴＭバックボーン網内の各ノード／網間接続装置にＶＰＩが一つ割り振ってあり、バックボーン網内のルーチングをＶＰＩを用いて行うような方式  （ＶＰルーチング方式）では、自分のＶＰＩ値と適当なＶＣＩ値を通知することにより行うことができる。
【０３４５】
また、このＡＲＰを受け取ったＣＬＳＦ処理部は、これが自分が担当すべき宛先アドレスであると判断した場合には、自ＣＬＳＦ処理部と送出元ＣＬＳＦ処理部間に結ばれているＰＶＣ／ＰＶＰのＶＰＩ／ＶＣＩ値を通知するといった形でも、これを行うことができ、必ずしもＶＰルーチング方式でなくても良い。
【０３４６】
（方法３）：ＡＲＰを用いず、予め全アドレスに関するテーブルを各ＣＬＳＦ処理部に与えておく方法
全体のネットワーク規模がそれほど大きくない場合は、全アドレスに関するテーブルを予め各ＣＬＳＦ処理部に与えておくことが可能である。このテーブルのローディングは、例えばＣＬＳＦ処理部の立ち上げ時に行えば良い。
【０３４７】
この場合、該テーブルにない宛先アドレスに対しては、デフォルトで転送先ＣＬＳＦ処理部を決めておき、ここへ転送すれば良い、このデフォルトの転送先ＣＬＳＦ処理部は全ての完全なテーブルを有しているなどという様な構成法をとることも可能である。
【０３４８】
このような「ＣＬＳＦ処理部間ＡＲＰ」の後、該データグラムはＡＲＰの結果であるＶＰＩ／ＶＣＩにて示されるＣＬＳＦ処理部へ転送（リレーイング）され、該ＣＬＳＦ処理部まで配送されたデータグラムは、再度宛先アドレスが解析され、しかるべき宛先とつながるＡＴＭコネクションにリレーイングされる。なお、該「ＣＬＳＦ処理部間ＡＲＰ」にてレゾリューションされた宛先アドレスとＶＰＩ／ＶＣＩ値の組は、以降ＣＬＳＦ処理部内のテーブルに保持されてもよい。
【０３４９】
ＡＴＭバックボーン網に関しては、効率的なルーチングを実現するため、アドレッシングには充分な配慮が必要である。例えば、サブネットマスクの作成を容易にするため、物理的に近いＬＡＮや、同一の網間接続装置／ＡＴＭバックボーン網中のスイッチノードにつながるＬＡＮ同士には、値の重なりの大きいネットワークアドレスを与えるなどである。
【０３５０】
この方式においても、第１、２の実施形態における網間接続装置内のＣＬＳＦ処理部の利点を享受できる。
【０３５１】
次に、図３４に網間接続装置内の呼処理部とＡＴＭ−ＬＡＮ内の端末間のＡＴＭコネクション接続状態、及びＡＴＭバックボーン網における網間接続装置内の呼処理部間のＡＴＭコネクション接続状態の一実施形態を示す。ここで、簡単のため、各物理配線は省略してある。また、網間接続装置内のＣＬＳＦ処理部、ヘッダ変換部などのその他の構成要素や、ＡＴＭ−ＬＡＮ内のスイッチノード、ＡＴＭバックボーン網内の構成要素も図中では省略してある。実際には、ＡＴＭ−ＬＡＮ内のスイッチノードからも網間接続装置内の呼処理部にＡＴＭコネクションが確立していても良い。
【０３５２】
このように、ＡＴＭ−ＬＡＮ内の各端末装置と網間接続装置内の呼処理部間は、それぞれＡＴＭコネクション（ＶＰまたはＶＣ）で結ばれている。このＡＴＭ−ＬＡＮ内の端末装置と、網間接続装置内の呼処理部間を結ぶＡＴＭコネクションは、第１、２の実施形態と同様に、網間接続装置をまたがるコネクションではないことに注意が必要である。
【０３５３】
また、ＡＴＭバックボーン網内においては、網間接続装置内の呼処理部間が例えばパーマネントコネクション（ＶＰあるいはＶＣ）で結ばれている。このパーマネントコネクションに関しても、ＡＴＭバックボーン網内に閉じたＡＴＭコネクションであり、網間接続装置をまたがるコネクションではないことに注意が必要である。
【０３５４】
また、上記呼処理部間の接続をパーマネントＡＴＭコネクションにて行うことにより、呼処理部間の処理情報転送の都度生じるコネクション設定オーバヘッドを削減することができると共に、３つ以上の網間をまたがる呼／コネクションの処理については、該パーマネントＡＴＭコネクションを介して網間接続装置内の呼処理部間のリレーイングで常に行われるようにすることができる。また、呼／コネクション処理のために使われるトラヒックの監視を行い易くすることができる。
【０３５５】
以下に、ＡＴＭ−ＬＡＮ内の端末／ノード（以下、送信側端末と呼ぶ）から、他のＡＴＭ−ＬＡＮ内の端末／ノード（以下、受信側端末と呼ぶ）へのＡＴＭコネクションの設定を行う際のプロセスについて説明する。
【０３５６】
さて、ＡＴＭ−ＬＡＮ内の端末装置／ノードが網間接続装置、及びＡＴＭバックボーン網をまたがるＡＴＭコネクションを張ることを欲している場合、網間接続装置内の呼処理部が使われることになる。基本的には、第１、２の実施形態と同様であるが、若干の相違点もあるため、簡単に説明する。
【０３５７】
まず、単なるコネクション接続のみ（帯域管理が不要）を求めている場合の説明を行う。
【０３５８】
まず、ＡＴＭコネクションの設定要求を行うＡＴＭ−ＬＡＮ内の端末／ノード（送信側端末と呼ぶ）が網間接続装置内の呼処理部に働きかける点は、第１、２の実施形態とほぼ同様のプロセスにて行われる。詳細の説明は省略する。
【０３５９】
次に、これを受け取った網間接続装置内の呼処理部は、「コネクション設定要求ＡＲＰ」の対象アドレスが、どの網間接続装置内の呼処理部の担当であるかを検索し、該網間接続装置内の呼処理部に該ＡＲＰをリレーイングする。図３４にあるように、網間接続装置内の呼処理部間は、パーマネントＡＴＭコネクションにて結合されているため、該呼処理部はこれらのパーマネントＡＴＭコネクションを介して該コネクション設定要求を次なる網間接続装置内の呼処理部へリレーイングすることになる。
【０３６０】
ここで、該呼処理部がＡＴＭバックボーン網内に張られている網間接続装置内の呼処理部のパーマネントＡＴＭコネクション（ＰＶＣ、ＰＶＰ）の内、どのＰＶＣ／ＰＶＰに送出すれば良いかの選択を行う必要があるときがある。即ち、解析したコネクション接続要求の宛先アドレス（ネットワークレイヤアドレス、あるいはメイルアドレスなどでも良い）が呼処理部内部のテーブル（この宛先アドレスの場合は、このＰＶＣ／ＰＶＰに送出せよ、この呼処理部にリレーイングせよ、という指示の書いてあるテーブル）に未登録の場合は、該宛先アドレスから、どのＰＶＣ／ＰＶＰに該接続要求を送出したら良いかのレゾリューションを行うこととなる。これを、ここでは「呼処理部間ＡＲＰ」と呼ぶ。
【０３６１】
この「呼処理部間ＡＲＰ」を行う方法としても、以下のようないくつかの方法がある。
【０３６２】
（方法１）：ＡＲＰサーバを用いる方法
先の、図２８のＣＬＳＦ処理部におけるＡＲＰサーバの場合とほぼ同様であり、相違点はＡＲＰサーバ内部のテーブルのＶＰＩ／ＶＣＩ値が他の網間接続装置内の呼処理部（場合によっては、ＡＴＭバックボーン網内の呼処理部。これはＡＴＭバックボーン網内の端末装置を担当することになる）へとつながるＰＶＣ／ＰＶＰのＶＣＩ／ＶＰＩ値である点である。なお、このテーブルについては、ＣＬＳＦ処理部にて用いていたテーブルと共用することが容易に可能である。
【０３６３】
（方法２）：ＡＴＭバックボーン網内で呼処理部間で直接ＡＲＰを行う方法
ＡＴＭバックボーン網内にて、網間接続装置内のあるいはＡＴＭバックボーン網内のその他の呼処理部に対して直接ＡＲＰを行う方法である。図２８に示すＣＬＳＦ処理部における（方法２）とほぼ同様の方法にて実現することができるので、詳細は省略する。
【０３６４】
（方法３）：ＡＲＰを用いず、予め全アドレスに関するテーブルを各呼処理部に与えておく方法
ＣＬＳＦ処理部の場合と同様に、全体のネットワーク規模がそれほど大きくない場合は、全アドレスに関するテーブルを予め各呼処理部に与えておくことが可能である。このテーブルのローディングは、例えば呼処理部の立ち上げ時に行えば良い。また、該テーブルをＣＬＳＦ処理部と共用することも容易に可能である。詳細はＣＬＳＦ処理部の場合とほぼ同様であるので、省略する。
【０３６５】
この場合、該テーブルにない宛先アドレスに対しては、デフォルトで転送先呼処理部を決めておき、ここへ転送すれば良い。このデフォルトの転送先呼処理部は、全ての完全なテーブルを有しているなどという様な構成法をとることも可能である。
【０３６６】
このような「呼処理部間ＡＲＰ」の後、該コネクション設定要求は、このＡＲＰの結果であるＶＰＩ／ＶＣＩにて示される呼処理部へ転送（リレーイング）され、該呼処理部まで配送されたコネクション設定要求は、再度宛先アドレスが解析され、第１、２の実施形態の受信側端末側を担当する呼処理部と同様の動作を行うこととなる。なお、該「呼処理部間ＡＲＰ」にてレゾリューションされた宛先アドレスとＶＰＩ／ＶＣＩ値の組は、以降呼処理部内のテーブルに保持される。
【０３６７】
以上のようなプロセスは、コネクション設定要求に限らず、コネクションの設定／切断／変更要求の際にそれぞれほぼ同様にとられるものである。
【０３６８】
なお、網間接続装置内の呼処理部間にパーマネントＡＴＭコネクションは張られておらず、コネクション設定／切断／変更要求の際にその都度呼処理部間にパーマネントＡＴＭコネクション／ＡＴＭコネクションを張る方式や、ＡＲＰをＡＴＭバックボーン網全体にわたって行使する方法も考えられる。
【０３６９】
また、該網間接続装置、ＡＴＭバックボーン網をまたがるＡＴＭコネクションに帯域管理を行うとき、即ち適当なＱＯＳを該ＡＴＭコネクションに求めるときは、第１、２の実施形態に準ずるので、詳細の説明は省略する。
【０３７０】
この方式においても、第１、２の実施形態における網間接続装置内の呼処理部の利点を享受できる。
【０３７１】
なお、呼処理部の場合も、ＣＬＳＦの場合と同様に図２９、図３２、図２８のような段階的な呼処理部の増減設／変更が可能である点に注意が必要である。その変更に際しては、ＩＷＵ内のテーブルの簡単な変更のみで対処できるのも同様である。なお、これはＣＬＳＦ、呼処理部に限らず、任意のサーバに間して一般的ないえる点である。
【０３７２】
次に、図３５に大規模ネットワークにおける呼処理部の配置方法の別の実施形態を示す。図３５の例では、ＡＴＭバックボーン網内に呼処理部３５１が配置されている。このＡＴＭバックボーン網内の呼処理部は、一つである必要は必ずしもなく、分散配置（負荷分散であっても、機能分散であっても良い）されていても良い。網間接続装置内の呼処理部がＡＴＭバックボーン網をまたいだＡＴＭコネクションを欲する場合、呼処理部３５１にそのコネクション接続要求をリレーイングする。ここで、図３５のように網間接続装置内の呼処理部とＡＴＭバックボーン網内の呼処理部３５１間は、パーマネントＡＴＭコネクションで結合されている。このパーマネントＡＴＭコネクションは、網間接続装置をまたがるコネクションではなく、ＡＴＭバックボーン網内に閉じたものであることに注意が必要である。呼処理部３５１は、ＡＴＭバックボーン網内のＡＴＭコネクションの設定、切断、管理などを一括して行っており、この呼処理部が網間接続装置間のＡＴＭバックボーン網を横断するＡＴＭコネクションを設定／切断／変更する。網間接続装置内の呼処理部は、ＡＴＭ−ＬＡＮ内のＡＴＭコネクションと該ＡＴＭバックボーン網間のＡＴＭコネクションをヘッダ変換部を適当に設定することにより結合し、ＡＴＭバックボーン網をまたがるＡＴＭコネクションを制御する。
【０３７３】
同様の動作が、ＡＴＭ−ＬＡＮ内の端末／ノードと、ＡＴＭバックボーン網内の端末／ノード間のＡＴＭコネクションを制御する際にも用いられる。
【０３７４】
また、このような形で呼処理部を配置することにより、ＡＴＭバックボーン網内の呼処理部３５１内にのみ、該ＡＴＭバックボーン網につながるＡＴＭ−ＬＡＮに関する構成情報を保持すれば良いことに注意が必要である。ここでは、網間接続装置内の呼処理部は、ＡＴＭバックボーン網内の呼処理部３５１への多重化機能を有しているといえる。
【０３７５】
さて、これまで述べてきたようなＡＲＰ（ネットワークレイヤアドレスからＡＴＭアドレス＝ＶＰＩ値へのアドレスレゾリューション）を行う際、該ＡＲＰを行う実体が送信側端末（ノード／ＩＷＵ／端末）のどこに位置するかという点に関しても、いくつかの場合が考えられる。以下に、それぞれの場合について説明する。ここでは、ＡＴＭボードという言葉を用いるが、これはＡＴＭ通信方式を使って通信を行う端末装置の通信用拡張ボードであり、ＡＴＭインタフェースと、端末内部バスインタフェースを有するボード（基板）である。
【０３７６】
まず、ＡＲＰ要求について説明する。
【０３７７】
（場合１）：ＡＴＭボードが自律的にＡＲＰ要求を行う場合。
【０３７８】
この場合は、端末内部バスインタフェースを介して、上位（たとえばＯＳ）から転送すべきデータグラムを受け取る。このデータグラムはネットワークレイヤデータグラム（例えばＩＰデータグラム）である。よって、上位から転送先のネットワークレイヤアドレスが（ネットワークレイヤデータグラムのしかるべき領域に格納されている形で）ＡＴＭボードに通知される。
【０３７９】
なお、これと並行してＡＴＭ方式とは異なるＭＡＣアドレスに関する情報などがＡＴＭボードに転送されてきても良い。これは、既存端末（例えばＵＮＩＸ・ＴＣＰ／ＩＰ＋イーサネット）のイーサネットボードの代わりに、ＡＴＭボードをＯＳ、あるいはデバイスドライバなどの設定に一切の変更を行わずに通信用ボードとして使用した場合などに考えられる状況である。即ち、先の例で考えると、ＯＳは、通信用ボードがＡＴＭボードであることを認識しておらず、イーサネットボードであると認識している場合である。
【０３８０】
この例においては、ＡＲＰ要求の機能はＡＴＭボードが有しているため、ネットワークレイヤアドレスと、ＡＴＭアドレス（本実施形態の場合はＶＰＩ値、一般の場合はＶＰＩ／ＶＣＩ値などを含むＡＴＭセルヘッダ値）との対応テーブル（ＡＲＰテーブル）はＡＴＭボード上に存在することになる。上位から受け取ったデータグラムの相手先アドレスについてＡＴＭアドレスのレゾリューションが終了していない場合に、ＡＴＭボードは自律的にＡＲＰ要求を行うこととなる。
【０３８１】
このＡＲＰは、ＡＲＰ要求セルをＡＴＭボード上に実装されているプロセッサなどがソフトウエア的／ファームウエア的に生成しても良いし、ＡＴＭボード上の専用ハードが生成しても良い。生成されたＡＲＰ要求セルは、前記のような方法でＡＴＭ−ＬＡＮに向けて送出される。ＡＲＰを行っている間、該データグラムはＡＴＭボード上のメモリにて待ち合わせを行うこととなる。この間、ＡＴＭボードは該データグラムの次に、上位から送られてきたデータグラムに関する処理を行っていても良いし、該データグラムのＡＴＭセル化などを行っていても良い。
【０３８２】
ＡＲＰ応答が返ってきたなら、該応答に記載されているＡＴＭアドレス（ＶＰＩ値）をＡＴＭセルヘッダとして、前記のルールに従いＡＴＭセルヘッダを生成し、該データグラム（ＡＴＭセル化したもの）をＡＴＭ−ＬＡＮに向けて送出する。
【０３８３】
また、これと並行してアドレスレゾリューションされたＡＴＭアドレスを該ＡＴＭボード内のＡＲＰテーブルに登録する。この登録により、次の同一宛先へのデータグラムについては、アドレスレゾリューションを行うことなく、ネットワークレイヤアドレスからＡＴＭアドレスへの変換を行うことができる。
【０３８４】
なお、このネットワークレイヤアドレスからＡＴＭアドレスへの変換についても、ＡＴＭボード上に実装されているプロセッサなどがソフトウエア的／ファームウエア的に行っても良いし、ＡＴＭボード上の専用ハードが行っても良い。
【０３８５】
なお、このＡＲＰテーブルに登録されたネットワークレイヤアドレスと、ＡＴＭアドレスとの変換表については、一定の時間使われなかった場合、登録を抹消されても良い。これは、ＡＲＰテーブルの大きさに限界があり、新たに登録すべきデータが存在するときに、抹消するべきデータを決める際に適用することのできる方法である。
【０３８６】
（場合２）：端末内のＯＳプログラム、またはデバイスドライバとしてＡＲＰ要求プログラムが動いている場合。
【０３８７】
この場合は、ＡＲＰ要求を行うのは端末内のプログラムである。このＡＲＰの起動は、
（１）ＡＴＭボード内にネットワークレイヤアドレスとＡＴＭアドレスの対応表があり、該対応表に存在しないネットワークレイヤアドレスの出現によりＡＲＰ要求の必要が生じたＡＴＭボード側がＡＲＰプログラムを起動する場合
（２）ＯＳまたはデバイスドライバ側にネットワークレイヤアドレスとＡＴＭアドレスの対応表があり、該対応表に存在しないネットワークレイヤアドレスの出現により、ＡＲＰ要求の必要をＯＳまたはデバイスドライバが自律的に認識し、ＯＳのＡＲＰ要求処理プログラムまたはデバイスドライバのＡＲＰ要求処理プログラムを起動する場合
の２つの場合が考えられる。なお、（２）の場合においても、ＡＴＭボード内にもネットワークレイヤアドレスと、ＡＴＭアドレスの対応表が存在していても構わない。
【０３８８】
ＡＲＰ処理プログラムの動作としても、いくつかの場合が考えられ、
（Ａ）ＡＲＰ要求処理プログラムは、ＡＲＰ要求セルまたは「該セルのペイロード（即ち、ＡＲＰ要求である旨を伝える内容）＋該情報がＡＲＰであることをＡＴＭボードに伝える情報」を自律的に生成し、ＡＴＭボードに通知する。ＡＴＭボードは、上記の情報をＡＲＰとして、ＡＴＭ−ＬＡＮに向けて送出する。即ち、ＡＲＰ情報を生成する能力はＡＲＰ処理プログラム側が有する。
（Ｂ）ＡＲＰ要求処理プログラムは、「該ネットワークレイヤアドレスについてＡＲＰ要求を行え」との命令をＡＴＭボード側に出す。ＡＴＭボード側はＡＲＰ要求セルを生成し、ＡＴＭ−ＬＡＮに向けて送出する。
【０３８９】
の２つの場合が考えられる。
【０３９０】
更に、ＡＲＰ応答が返ってきた場合のＡＴＭボードの対応もいくつかの場合が考えられ、
（ｉ）ＡＴＭボード上にＡＴＭボード内にネットワークレイヤアドレスとＡＴＭアドレスの対応表があり、該対応表にレゾリューション結果のＡＴＭアドレスを登録する。
（ｉｉ）ＯＳまたはデバイスドライバ側にネットワークレイヤアドレスとＡＴＭアドレスの対応表があり、該対応表にレゾリューション結果のＡＴＭアドレスを登録する。
（ｉｉｉ）ＡＴＭボード上とＯＳまたはデバイスドライバ側の両方にＡＴＭボード内にネットワークレイヤアドレスとＡＴＭアドレスの対応表があり、両対応表にレゾリューション結果のＡＴＭアドレスを登録する。
の３つの場合が考えられる。
【０３９１】
ここで、（ｉｉｉ）においては、ＡＴＭボード上の対応表については、ＯＳまたはデバイスドライバの対応表のキャッシュになっていても良い。即ち、ＯＳまたはデバイスドライバ側が有している対応表内のデータのうち、一部分のみを記載している。どの様に一部分を記載するかの選択方式としては、ＦＩＦＯ方式、ラウンドロビン方式などいろいろな場合が考えられる。
【０３９２】
次に、ＡＲＰ応答について説明する。
【０３９３】
（場合Ａ）：ＡＴＭボードが自律的にＡＲＰ応答を行う場合。
【０３９４】
これは、ＡＴＭインタフェース側からＡＲＰ要求を受け取ったＡＴＭボードが自律的に自分宛のＡＲＰ要求を検出し、該自分宛のＡＲＰ要求に対してＡＲＰ応答を行う場合である。
【０３９５】
図３６に、このような処理を行うＡＴＭボードの例を示した。このＡＴＭボードは、ＡＴＭインタフェース３６１、ＡＲＰフィルタ部３６２、ＡＲＰ処理部３６３、挿入部３６４、バスインタフェース部３６５からなる。ＡＴＭインタフェース３６１は、ＡＴＭボードと、ＡＴＭ−ＬＡＮとのインタフェースをとる機能を有する。
【０３９６】
ＡＲＰフィルタ部３６２は、入力伝送路上を流れるセルのうち、ＡＲＰセルを抽出して、該ＡＲＰセルをＡＲＰ処理部３６３にドロップする機能を有する。また、ドロップして空いたセルスロットには空セルを挿入する機能をさらに有していても良い。
【０３９７】
ＡＲＰ処理部３６３は、ＡＲＰフィルタ部３６２から送られてきたＡＲＰセルを解析し、該ＡＲＰセルが自分宛のＡＲＰセルであるかを相手先アドレスを解析することにより調べ、自分宛のＡＲＰセルでない場合は該セルを廃棄し、自分宛のＡＲＰセルである場合はＡＲＰ応答セルを生成し、該ＡＲＰ応答セルを挿入部３６４に送出する機能を有する。該ＡＲＰ処理部の処理はハードウエア論理により行われても良いし、プロセッサなどによりソフトウエア的／ファームウエア的に処理されても良い。
【０３９８】
挿入部３６４では、ＡＲＰ処理部３６３から送られてきたＡＲＰ応答セルと、バスインタフェース部３６５から送られてきたセルとを適当に多重化し、ＡＴＭ−ＬＡＮ側は該セルを送出する機能を有する。
【０３９９】
バスインタフェース部３６５は、ＡＴＭボードと、端末内部のバスとのインタフェースをとる機能を有する。
【０４００】
ここで、図３６には代表的なＡＴＭセルの転送経路のみを矢印で記している。実際には、端末内部バスを介して、上位ＣＰＵ等が各モジュールとの間で互いにアクセスする、例えばＡＲＰ処理部に該端末装置のネットワークレイヤアドレスを通知したり、エラー通知をやり取りしたりするなどの機能を実現するための制御線が存在している。
【０４０１】
本ＡＴＭボードに到着したＡＲＰ要求セルは、ＡＲＰフィルタ部３６２によりＡＲＰ処理部３６３側にドロップされ、該ＡＲＰセルが自分宛（該ＡＴＭボードを実装した端末向け）であったとすると、ＡＲＰ処理部３６３によりＡＲＰ応答セルが生成され、挿入部３６４を介してＡＴＭ−ＬＡＮ側に送出される。その際、ＡＴＭボード内にネットワークレイヤアドレスと、ＡＴＭアドレスとの対応表が存在する場合には、ＡＲＰ要求セルに含まれる情報（具体的には送出元アドレス）を利用し、該対応表に送出元アドレスに含まれる情報（送出元端末のネットワークレイヤアドレスと、ＡＴＭアドレスとの対応情報）を登録しても良い。
【０４０２】
また、ＯＳまたはデバイスドライバ内にネットワークレイヤアドレスとＡＴＭアドレスとの対応表が存在する場合には、上記情報（送出元端末のネットワークレイヤアドレスと、ＡＴＭアドレスとの対応情報）を登録すべく、ＯＳまたはデバイスドライバ側に該情報を通知しても良い。
【０４０３】
以上の記述からわかるように、ＡＲＰ要求および応答について、両方ともＡＴＭボードあるいはソフトウエアで（即ち、ＯＳまたはデバイスドライバで）行うといった形態のほかに、「ＡＲＰ要求についてはソフトウエアで（即ち、ＯＳまたはデバイスドライバが、ＡＲＰ応答についてはＡＴＭボードが行う」といった形態も考えられることに注意が必要である。
【０４０４】
（場合Ｂ）：端末内のＯＳプログラムまたはデバイスドライバがＡＲＰ応答を行う場合。
【０４０５】
この場合は、ＡＲＰ応答を行うのは端末内のプログラムである。このＡＲＰ応答プログラムの起動は、
（１）ＡＴＭボードが、自分宛のＡＲＰ要求セルの到着を認識し、ＯＳ、またはデバイスドライバ側に通知する場合。
（２）ＡＴＭボードは、ＡＲＰ要求セルとそれ以外のセルを区別なくＯＳ、またはデバイスドライバ側に転送し、該ＯＳ、またはデバイスドライバが自分宛のＡＲＰ要求セルの到着を認識して、ＯＳのＡＲＰ応答処理プログラム、またはＡＲＰ応答処理デバイスドライバを起動する場合。
の２つが考えられる。
【０４０６】
ＡＲＰ応答処理プログラムの動作としてもいくつかの場合が考えられ、
（Ａ）ＡＲＰ応答処理プログラムは、ＡＲＰ応答セルまたは「該セルのペイロード（即ち、ＡＲＰ応答の内容）＋該情報がＡＲＰ応答であることをＡＴＭボードに伝える情報」を自律的に生成し、ＡＴＭボードに通知する。ＡＴＭボードは、上記の情報をＡＲＰ応答セルとしてＡＴＭ−ＬＡＮに向けて送出する。即ち、ＡＲＰ応答情報を生成する能力はＡＲＰ処理プログラム側が有する。
（Ｂ）ＡＲＰ応答処理プログラムは、「該ネットワークレイヤアドレス（及びＡＴＭアドレス）についてＡＲＰ応答を行え」との命令をＡＴＭボード側に出す。ＡＴＭボード側は、ＡＲＰ応答セルを生成し、ＡＴＭ−ＬＡＮに向けて送出する、の２つの場合が考えられる。
【０４０７】
なお、本第３の実施形態においては、ＡＴＭ−ＬＡＮ、あるいはＡＴＭバックボーン網におけるセルのルーチング、アドレッシング方式として「ＶＰルーチング方式」を用いたものを例として示したが、本発明における各種方式はその適用をＶＰルーチング方式に限定するものではなく、一般のＡＴＭ通信方式に適用が可能である点に注意が必要である。
【０４０８】
例えば、「ＶＰルーチング方式」ではなく、「呼処理サーバなどの処理部がコネクション接続要求の度にエンド−エンドのＡＴＭコネクションを設定して（セルの転送中にＡＴＭセルヘッダの書換があっても良い）、エンド−エンドの通信を行う方式（以下では、呼処理サーバ方式とも呼ぶ）のＡＴＭ−ＬＡＮ、あるいはＡＴＭバックボーン網」や、「ＡＴＭ−ＬＡＮはＶＰルーチング方式で運用され、ＡＴＭバックボーン網は呼処理サーバ方式で運用される大規模ＡＴＭネットワーク」、また逆に「ＡＴＭバックボーン網はＶＰルーチング方式で運用れ、ＡＴＭ−ＬＡＮは呼処理サーバ方式で運用される大規模ＡＴＭネットワーク」、更には、一部のＡＴＭ−ＬＡＮにおいてはＶＰルーチング方式、一部のＡＴＭ−ＬＡＮにおいては呼処理サーバ方式といったように、各種方式が混在したＡＴＭネットワークにおいても、本発明における各種方式は容易に適用が可能である。
【０４０９】
また、本実施形態においては、ＡＴＭ−ＬＡＮ、あるいはＡＴＭバックボーン網におけるデータグラム配送法などについて述べてきたが、これらはＡＴＭ−ＬＡＮ、あるいはＡＴＭバックボーン網に限定するものではなく、サブネット化されたＡＴＭ−ＬＡＮ、あるいはサブネット化されたＡＴＭバックボーン網についても容易に適用が可能である点に注意が必要である。
【０４１０】
また、これまで述べてきた第１・第２・第３の実施形態における網間接続装置は、任意のＡＴＭ−ＬＡＮ、あるいはＡＴＭバックボーン網に帰属していると考えることができる。また、該網間接続装置は接続している網すべてに帰属していると考えることも可能である。
【０４１１】
また、これまで述べてきた実施形態における網間接続装置は、計算機（ワークステーションなど）に、拡張ユニット／拡張ボードを加えた形態であっても、計算機と一体化した構造となっていても良い。この場合、ＣＬＳＦ処理部、呼処理部およびＩＷＵ管理部については、該計算機のＣＰＵにより実現する構成になっていても良い。
【０４１２】
（第４の実施形態）
次に、サブネットワーク内部でのデータグラム通信に関する実施形態について説明する。ここでは、一般的なＡＴＭネットワークの場合と、江崎、津田、夏堀：“ＡＴＭ−ＬＡＮにおけるデータ転送実現法”、電子情報通信学会（情報ネットワーク研究会資料，Ｍａｒｃｈ，１９９３）に記載されているようなＶＰＩルーティング方法を適用した場合についてそれぞれ説明する。
【０４１３】
（実施形態４−１）サブネットワーク内部でのデータグラム通信を一般のＡＴＭネットワークに適用した場合について。
【０４１４】
図４０はその実施形態であり、端末（ＴＥ）４１１にデータグラム送信要求が発生すると、端末４１１はＡＴＭコネクション４１Ａを用いて、アドレスレゾリューションサーバ（以下、ＡＲＳという）４１３に対して、目的の端末にデータグラムを転送するためＡＴＭアドレスの獲得要求（ＡＲ要求）を行う。このアドレス獲得要求は、データグラム転送要求が発生したときには常に行うことも、端末４１１に格納されたアドレスレゾリューションテーブルに宛先端末のアドレス情報がないときにのみ行う方法（図４２参照）とがある。後者の方法の場合、ＡＲテーブルに内に既にアドレスが存在していれば、ＡＲ要求とＡＲ応答の手続きを実行する必要がない。
【０４１５】
ＡＲＳ４１３は、宛先端末４１２にデータグラムを転送するためのＡＴＭコネクションの識別子であるＶＣＩ／ＶＰＩ情報（端末４１１が付加すべきＶＣＩ／ＶＰＩ情報）をＡＴＭコネクション４１Ｂを用いて端末４１１に通知する（ＡＲ応答という）。ＡＲ応答を受け取った端末４１１は、通知されたＶＣＩ／ＶＰＩを付加してデータグラムをネットワークに投入する。データグラムはＡＴＭコネクション４１Ｃを通して、端末４１２へ直接配送される。この実施形態の場合には、サブネットワーク内のすべての端末間にＡＴＭコネクションがフルメッシュ状に設定されておく必要がある。
【０４１６】
図４２に、送信側端末（この例では端末４１１）で実行されるプロトコルの一例に関するフローチャートを示す。これは送信側端末が送信先のアドレス情報をキャッシングすることができる場合の例である。ステップ４３２で自端末内のアドレスレゾリューション用のキャッシュテーブルを検索している。キャッシュエントリに宛先端末４１２の情報がなければ、ＡＲ応答をＡＲＳ４１３に対して行う。
【０４１７】
図４１は、端末４１１，４１２およびＡＲＳ４１３間のデータのやり取りを示している。これは、端末４１１のアドレスレゾリューションキャッシュエントリに宛先端末４１２の情報がなかった場合の例である。なお、ＡＲ要求４１ＡおよびＡＲ応答４１Ｂはポイント−ポイントのＡＴＭコネクションでも実現可能であるが、ブロードキャストチャネルを用いて実現することも可能である。
【０４１８】
図４３に、他の実施形態を示す。実際のデータグラムの転送をＣＬＳＦ４１４に実行させる。端末４１１でデータグラム転送要求が発生すると、端末４１１は目的の端末４１２へデータグラムを転送するためのＡＴＭコネクション情報のレゾリューションを行う。端末４１１が宛先端末４１２へデータグラムを転送するためのＡＴＭコネクション情報を持っていないとき、つまりキャッシュテーブルにエントリがないときは、ＡＴＭコネクション４１Ａを用いて、アドレスのレゾリューションを行う（ＡＲ要求）。
【０４１９】
ＡＲＳ４１３は、宛先端末が自サブネットワーク内の端末であるときには、端末４１１がＣＬＳＦ４１４へデータグラムを転送するためのＡＴＭレイヤアドレス情報を端末４１１へ返答する（ＡＲ応答）。なお、データグラムが転送されるべき端末が自サブネットワーク以外のネットワークに属する場合の実施形態は、次サブセクション以降で説明する。
【０４２０】
アドレスのレゾリューションを完了した端末４１１は、適切なＶＣＩ／ＶＰＩ（キャッシュテーブルあるいはＡＲ応答で獲得したＶＣＩ／ＶＰＩ情報）をデータグラムを転送するためのセルに付加して、ネットワークに投入する。このＶＣＩ／ＶＰＩはＡＴＭコネクション４４１の識別子であり、セルはＡＴＭコネクション４４１上を転送されてＣＬＳＦ４１４に到達する。ＣＬＳＦ４１４は受信したデータグラムのアドレス情報を解析し、宛先端末４１２へデータグラムを転送するためのＶＣＩ／ＶＰＩを付加して、セルをネットワークに投入する。投入されたセルは、ＡＴＭコネクション４４２を用いて端末４１２へ到達する。本実施形態の場合には、ＣＳＬＦ４１４と各端末間にスター状のＡＴＭコネクションが設定されておく必要がある。なお、ＡＲ要求およびＡＲ応答は、ポイント−ポイントのＡＴＭコネクションではなく、ブロードキャストチャネルを用いて行うことも可能である。
【０４２１】
ＡＲＳ４１３で行うアドレスレゾリューション手続きは、ネットワークのアドレス空間情報（アドレスマスク）に関する検索を行えば良い。以下に示すように、ＡＲＳ４１３では外部のネットワークに対しても、その端末がどのネットワークアドレス空間に存在するかを解析すればよく、必ずしも宛先端末を直接ＡＴＭコネクションでアクセスするためのＶＣＩ／ＶＰＩ情報をレゾリューションする必要はない。
【０４２２】
図４４に、データの受け渡しの手続きを示している。ここで、端末４１１からＣＬＳＦ４１４へのデータグラムの転送については、一旦データグラム全体がＣＬＳＦ４１４に取り込まれた後に、まとめて端末４１２に転送する場合を示しているが、データグラムの転送をパイプライン状に行うことも可能である。
【０４２３】
（実施形態４−２）サブネットワーク内部でのデータグラム通信にＶＰＩルーティングを適用した場合について。
【０４２４】
図４５に示したように、各ネットワーク要素にＶＰＩが割り当てられているものとする。各端末／サーバは、サブネットワーク内の全てのＵＮＩポイントからマルチポイント−ポイントＡＴＭコネクションが設定されているのに等しい。つまり、端末は宛先端末のＶＰＩを付けたセルをネットワークに投入すると、セルは目的のＵＮＩポイントに転送される。例えば、ＡＲＳ４１３へセルを転送するには、ＶＰＩとしてＶＰＩ４１３  を付加すればよい。
【０４２５】
図４０で説明した方法は、コネクション４６Ａ，４６Ｂ，４６Ｃを用いる。端末４１１は、ＶＰＩ４１３  をＶＰＩ情報とするＡＲ要求セルをＡＲＳ４１３に転送する。このとき、ＶＣＩ情報あるいは上位レイヤの識別子を用いて、受信したセルが端末４１１から送信されたセルであることをＡＲＳ４１３は認識することがきる。例えば、ＶＣＩフィールドに端末４１１のＶＰＩ情報であるＶＰＩ４１１  書き込めば、ＡＲＳ４１３はＡＴＭヘッダを参照することにより受信したセルが端末４１１からのものであることを認識できる。また、ＶＣＩ情報はセルがデータグラム通信のためのＡＲ要求セルであることを陽に示す識別番号とすることも可能である。
【０４２６】
端末４１２のアドレスレゾリューションを行ったＡＲＳ４１３は、ＡＲ応答セルにＶＰＩ＝ＶＰＩ４１１  と書き込んで端末４１１へネットワークへ投入する。ＡＲＳ４１３と同様に、端末４１１はＶＣＩ情報と上位レイヤのヘッダ情報の少なくとも一方を用いて、受信したセルがＡＲ応答であることを認識する。ＡＲ応答セルの中には、端末４１２のアクセスアドレス情報であるＶＰＩ４１２  が少なくとも書き込まれている。
【０４２７】
端末４１２で受信したデータグラム転送用のセルが端末４１１から転送されたものであることを識別するための識別情報は、ＶＣＩ情報あるいは上位レイヤのヘッダ情報であるが、この識別情報をＡＲＳ４１３がＡＲ応答内に書き込まれた情報として、端末４１１に通知することも可能である。送信元およびセルのタイプを受信元で識別する最も簡単な方法としては、上記の一連の手続きで、ＶＣＩフィールドの情報として、８ビットは送信元のＶＰＩ情報、後の８ビットがセルのタイプを示すという方法が可能である。
【０４２８】
端末４１１端末４１２へ転送するセルのＶＣＩフィールド（１６ビット）のコーディング方法としては、以下のような方法がある。
【０４２９】
例１：８ビットが自分の端末のアクセスアドレス（ＶＰＩ番号と同じ番号）、残り８ビットはコネクションレス通信であるとを示す識別番号
例２：８ビットが自分の端末のアクセスアドレス、残り８ビットは自分のネットワークの識別番号。但し、この時には各端末はコネクションレス通信用にＶＰＩをコネクションオリエンティッド用のＶＰＩとは別に獲得する必要がある（ＣＬとＣＯで別のＶＰＩを用いる）。
【０４３０】
例３：１６ビットを端末のブート時に設定しておく。受信側端末が適当にアサインすることも可能。
【０４３１】
図４３で説明した方法は、コネクション４６Ａ，４６Ｂ，４６Ｄ，４６Ｅを用いる。端末４１１は、ＶＰＩ４１３  をＶＰＩ情報とするＡＲ要求セルをＡＲＳ４１３に転送する。端末４１２のアドレスレゾリューションを行ったＡＲＳ４１３は、ＡＲ応答セルにＶＰＩ＝ＶＰＩ４１４  を書き込んで、セル（ＡＲ応答）をネットワークへ投入する。ＡＲ応答セルの中には、ＣＬＳＦ４１４のアクセスアドレス情報であるＶＰＩ４１４  が少なくとも書き込まれている。ＣＬＳＦ４１４で受信したデータグラム転送用のセルが端末４１１から転送されたものであることを識別するための情報は、ＶＣＩ情報あるいは上位レイヤのヘッダ情報であるが、この識別情報をＡＲＳ４１３がＡＲ応答内に書き込まれた情報として、端末４１１に通知することも可能である。ＣＬＳ４１４は受け取ったセルのアドレス情報を解析し、端末４１２にデータグラムセルを転送するためにＶＰＩ＝ＶＰＩ４１２  をセルに付加してネットワークにセルを投入する。セルはＡＴＭコネクション４６Ｅを通って端末４１２へ転送される。
【０４３２】
本実施形態における５つの具体例を以下に示す。
【０４３３】
（１）  受信端末のアクセスアドレスのレゾリューションをＣＬＳＦ４１４が行う。ＣＬＳＦ４１４は受信データグラムの中に書き込まれているネットワークレイヤアドレス（または、それ以外のレイヤのアドレスでも可能）を基に宛先端末のアドレスを解析する。このとき、データグラムは一旦ＣＬＳＦ４１４でリアセンブリされる。
【０４３４】
（２）  受信端末のアクセスアドレスのレゾリューションをＣＬＳＦ４１４が行う。ＣＬＳＦ４１４は受信データグラムの中に書き込まれているネットワークレイヤアドレス（または、それ以外のレイヤのアドレスでも可能）を基に宛先端末のアドレスを解析する。このとき、データグラムは一旦ＣＬＳＦ４１４でリアセンブリされず、パイプイライン処理によりセルがリレーイングされる。つまり、データグラムの先頭セルに書き込まれているアドレス情報を解析して宛先端末のアクセスアドレスを解析し、先頭セル以降のセルは、ＶＣＩ情報を基にしてＶＰＩ／ＶＣＩを書き替えて宛先端末へリレーイングする。ＣＬＳＦ４１４はデータグラム毎に異なるＶＣＩをアサインする必要がある。
【０４３５】
（３）  送信端末が宛先端末のアクセスアドレスをレゾリューションし、これを先頭のセルのペイロード部に書き込む。先頭セルを受信したＣＬＳＦ４１４は先頭セルのペイロード部の情報を読み、これをもちいて、セルを宛先端末へ転送する。このとき、データグラムは一旦ＣＬＳＦ４１４でリアセンブリされる。
【０４３６】
（４）  送信端末が宛先端末のアクセスアドレスをレゾリューションし、これを先頭のセルのペイロード部に書き込む。先頭セルを受信したＣＬＳＦ４１４は先頭セルのペイロード部の情報を読み、これを用いてセルを宛先端末へ転送する。このとき、データグラムは一旦ＣＬＳＦ４１４でリアセンブリされず、パイプイライン処理によりセルがリレーイングされる。つまり、データグラムの先頭セルに書き込まれているアドレス情報を解析することで宛先端末のアクセスアドレスを解析し、先頭セル以降のセルは、ＶＣＩ情報を基にしてＶＰＩ／ＶＣＩを書き替えて宛先端末へリレーイングする。ＣＬＳＦ４１４はデータグラム毎に異なるＶＣＩをアサインする必要がある。
【０４３７】
（５）  送信端末が宛先端末のアクセスアドレスをレゾリューションし、これをＶＣＩフィールドを利用してＣＬＳＦ４１４へ転送する。つまり、例えばＶＣＩの８ビットを宛先端末のアクセスアドレス、残り８ビットを送信元端末のアクセスアドレスとする。ＣＬＳＦ４１４は、ＶＣＩフィールドの宛先端末のアドレスをコピーしてセルを宛先の端末にリレーイングする。リレーイングには、データグラムを一旦リアセンブリする方法とパイプライン的にセルをリレーイングする方法とがある。
【０４３８】
（第５の実施形態）
次に、外部ネットワークへのデータグラム転送に関する実施形態として、まず２階層ネットワークを用いた場合について説明する。
【０４３９】
（実施形態５−１）一般のＡＴＭネットワークを用いた場合−その１。
【０４４０】
図４６に、本実施形態のネットワークアーキテクチャの概略図を示した。このネットワークは、２階層のネットワークで構成されている。各ネットワーク４７１〜４７５は、ＩＷＵ（インターネットワーキングユニット）４７６〜４７９を介してインターネットワーキングされている。ネットワーク４７１と公衆網４７５は、ＩＷＵ４７９を介して接続されている。ＩＷＵ４７６〜４７９は、ＡＴＭコネクションを終端することなくＡＴＭセルのリレーイングを実現することができる。すなわち、受信したセルのＶＣＩ／ＶＰＩを隣接するネットワークで対応するＡＴＭコネクションに割り当てられているＶＣＩ／ＶＰＩに変換する機能を持つ。
【０４４１】
図４７および図５１に、アドレスレゾリューションの関連するＡＴＭコネクションの設定を示す。各ＡＲＳ４８１〜４８４は、少なくとも各ＡＲＳが属するネットワーク４７１〜４７４が収容している端末あるいはネットワークのアドレス情報を管理している。図４８に、ネットワーク４７２から他のネットワーク４７１，４７３，４７４，４７５へデータグラムを転送するために必要なＡＴＭコネクション４９６，４９７，４９８，４９Ｂの設定を示す。ＩＷＵ４７６からＣＬＳＦ４９１，４９３，４９４へのＡＴＭコネクション（片方向ＡＴＭコネクション）が設定されている。また、公衆網４７５の中にあるＣＬＳＦへのＡＴＭコネクション４９Ｂ（双方向ＡＴＭコネクションが通常定義される）が設定される。なお、同様のコネクションが他のサブネットワークについても設定される。ＣＬＳＦおよびＡＲＳが存在する位置は、ＩＷＵの位置に存在することも可能である。また、ＣＬＳＦとＡＲＳとが同じ位置に存在することも可能である。
【０４４２】
公衆網４７５から、ここで議論しているネットワーク内に存在する端末へ転送されるべきセル（  コネクションレス通信セル）は、一旦ネットワーク４７１内に存在する公衆網とのコネクションレス通信（ＡＴＭコネクション）を終端するサーバが存在する。公衆網４７５からみると、コネクショレス通信に関して、このサーバがアクセスポイントと定義されている。このサーバはＡＴＭコネクションを終端し、宛先端末へデータグラムを転送する。このサーバからのデータグラムの転送方式は、各端末から他の端末へのデータグラムの転送と同じ方法で実現される。
【０４４３】
本実施形態における端末のプロトコル、すなわち端末がコネクションレス通信のデータグラムを目的の端末に送信するための手続きは次の通りである。
【０４４４】
（１）  端末は、アドレスのレゾリューション要求（ＡＲ要求）を出す。これは、端末が自分の能力でアドレスをレゾリューションできない場合、例えば、アドレスレゾリューションキャッシュテーブルにエントリーが存在しない時、あるいは常に行われる。
【０４４５】
（２）  端末は、アドレスレゾリューションサーバから、該当する端末をアクセスするために用意されたＡＴＭコネクションの識別子であるＶＣＩ／ＶＰＩ情報を獲得する。
【０４４６】
（３）  端末は、獲得したＶＣＩ／ＶＰＩを付けて、ネットワークにセルを投入することで、データグラムの転送を完了する。
【０４４７】
なお、端末はデータグラムの転送に際して、特にＡＴＭネットワークで定義されているコネクション設定手続きを行う必要がない。
【０４４８】
本実施形態におけるアドレスレゾリューションサーバのプロトコルは、「バックボーンＡＲＳ主導」と「フロントエンドＡＲＳ手動」の２種類があり、それぞれ次の通りである。
【０４４９】
（ｉ）  バックボーンＡＲＳ主導
各ネットワーク４７２〜４７４に存在するＡＲＳ４８２〜４８４とネットワーク４７１に存在するＡＲＳ４８１との間にスター状のＡＴＭコネクション（双方向通信チャネル）が形成される。例えば、端末４７Ａが端末４７Ｄにデータグラムを転送するべくＶＣＩ／ＶＰＩを獲得するために、端末４７Ａは自分のネットワーク４７２のＡＲＳであるＡＲＳ４８２に端末４７Ｄのアドレス情報を持ったアドレスレゾリューション要求セルを転送する。要求セルを受け取ったＡＲＳ４８２は、受け取ったセル中に書き込まれている目的端末のアドレスが自ネットワーク４７２ではないことを解析し、ネットワーク４７１に存在するＡＲＳ４８１へ既に設定されているＡＴＭコネクション４８５を用いてアドレスレゾリューション要求セルのリレーイングを行う。他の方法として、ＡＲＳ４８２が予めＡＴＭコネクション４８５を通じて既に過去に獲得した外部ネットワークのネットワークアドレス情報と各該当するＣＬＳＦへセルを転送するためのＶＣＩ／ＶＰＩ情報をキャッシングしておくことも可能である。
【０４５０】
ＡＲＳ４８１は、受け取ったセルが持っている宛先端末４７Ｄのアドレス情報から、データグラムが転送されるべきＣＬＳＦ（ネットワーク４７４内に存在する）にデータグラムを転送するためのＶＣＩ／ＶＰＩ情報（ＶＣＩ／ＶＰＩ情報については後述する）を解析し、そのＶＣＩ／ＶＰＩ情報をＡＲＳ４８２へ転送する。ＶＣＩ／ＶＰＩ情報を受け取ったＡＲＳ４８２は、ＶＣＩ／ＶＰＩ情報を基に、端末４７Ａが使用すべきＶＣＩ／ＶＰＩ情報を返答（ＡＲ応答）する。
【０４５１】
ＡＲＳ４８１でのアドレスのレゾリューションは次のように行われる。ＡＲＳ４８１は自ネットワーク４７１が収容している端末のアドレス情報（アドレス空間情報）およびサブネットワーク４７２〜４７４のアドレス空間の情報を持っている。ＡＲＳ４８１は受け取ったアドレスレゾリューション要求セルに書き込まれているアドレスと、各サブネットワークのアドレス空間情報との比較を行い、該当する転送先ネットワークを解析する。ここで、ＡＲＳは上記比較を行う際に、宛先アドレスのホストアドレスまでを解析する必要は必ずしもなく、ネットワークアドレスまでを解析すればよいことに注意が必要である。
【０４５２】
なお、公衆ネットワーク４７５向けのデータグラムを識別する方法としては、以下の２つの方法がある。
【０４５３】
（ａ）  アドレスレゾリューションセルに書き込まれたアドレス情報が陽に公衆網４７５向けのデータグラムなのか、それとも公衆網向けではないデータグラムなのかを示している。つまり、端末はアドレスレゾリューション要求時に、それが公衆網向けかそうではないかを知っている場合で、端末はＡＲＳが公衆向けかそうでないかを陽に識別できるような形でアドレスレゾリューションセルをＡＲＳに転送する。公衆網４７５向けのアドレスではないアドレス情報であったときに、ＡＲＳ４８１のアドレスエントリーにアドレスが存在しなかったときには、アドレスが存在しないという情報がＡＲＳ４８２に送られる。
【０４５４】
（ｂ）  ＡＲＳ４８１のアドレスエントリーに受け取ったアドレスレゾリューション要求セルが持つアドレスが存在しないときには、そのアドレスは公衆網４７５に属するものであると判断する。
【０４５５】
このように、ＡＲＳ４８１はネットワーク４７１に属している端末およびサブネットワーク４７２，４７３，４７４のアドレスおよびアドレス空間の情報を持ち、アドレスのレゾリューションを行う。
【０４５６】
本実施形態におけるサブネットワーク空間のビューをＡＲＳの立場から示した図が図４９および図５０である。図４９は、ＡＲＳ４８１から見た隣接ネットワークのアドレス空間ビューである。また、図５０はＡＲＳ４８２から見た隣接ネットワークのアドレス空間ビューである。ＡＲＳ４８２からは、ＩＷＵ４７６で接続されたネットワーク５１１は複数のサブネットワークとしては当初見えていない。ＡＲＳ４８２からは、ＡＲＳ４８１との情報のやりとりを行って初めて、各サブネットワークのアドレス空間がレゾリューションされる。
【０４５７】
ＡＲＳ４８２がＡＲＳ４８１から受け取るアドレス情報（ＡＴＭレイヤアドレス情報）は、ＩＷＵ４７６から目的のサブネットに存在するＣＬＳＦへのＡＴＭコネクションの識別子（ＶＣＩ／ＶＰＩ情報で、場合によっては上位レイヤの識別情報をも含む場合がある）の情報である。例えば、端末４７Ａから端末４７Ｄへのデータグラム転送に際しては、ＣＬＳＦ４９４をアクセスするためのＡＴＭコネクション４９５，４９７の識別子を通知し（ＡＲ応答）、端末４７Ｆへのデータグラム転送に際しては、ＣＬＳＦ４９１をアクセスするためのＡＴＭコネクション４９５，４９６の識別子を通知する。なお、ＡＲＳ４８２はＡＲＳ４８１から受け取ったＶＣＩ／ＶＰＩ情報から、ＡＴＭコネクションがＩＷＵ４７６で正常にリレーイングされるようなＶＣＩ／ＶＰＩ情報を端末４７Ａに通知する。端末４７Ａに通知されたＶＣＩ／ＶＰＩ番号は、ＩＷＵ４７６において別のＶＣＩ／ＶＰＩに書き替えられる。
【０４５８】
（ｉｉ）フロントエンドＡＲＳ主導
各ネットワーク４７２〜４７４に存在するＡＲＳ４８２〜４８４とネットワーク４７１に存在するＡＲＳ４８１との間に、図４７に示すスター状のＡＴＭコネクションあるいは図５１に示すメッシュ状のＡＴＭコネクションが形成される。各ＡＲＳは、自分のサブネットワークからみた時の外部サブネットワークのアドレス空間情報およびＡＴＭコネクション情報（ＶＣＩ／ＶＰＩ）をそれぞれ図４７あるいは図５１で定義されたＡＴＭコネクションを用いて獲得している。図４７は、ＡＲＳ４８１がマスタＡＲＳのような形態であり、図５１は各ＡＲＳが独立に動作する分散型の形態であると言える。ネットワークが３階層以上にはならない場合には、図４７のようにバックボーンネットワークをマスターとする方が適切である。
【０４５９】
一方、ネットワークの階層に制限がない場合には、図４７、図５１の形態のどちらを選択するかはネットワークの形態あるいは管理形態、さらにはネットワーク内に存在するサブネットワークの数によって異なる。例えば、端末４７Ａが端末４７Ｄにデータグラムを転送するべくＶＣＩ／ＶＰＩを獲得するために端末４７Ａは自分のネットワーク４７２のＡＲＳであるＡＲＳ４８２に端末４７Ｄのアドレス情報を持ったアドレスレゾリューション要求セルを転送する。要求セルを受け取ったＡＲＳ４８２は、受け取ったセル中に書き込まれている目的端末のアドレスがネットワーク４７４であることを解析し、データグラムが転送されるべきＣＬＳＦ（ネットワーク４７４内に存在する）にデータグラムを転送するための、ＶＣＩ／ＶＰＩ情報（ＶＣＩ／ＶＰＩ情報については後述）を端末４７Ａへ転送（ＡＲ応答）する。
【０４６０】
ＡＲＳ４８２でのアドレスのレゾリューションは、次のように行われる。ＡＲＳ４８２は自ネットワーク４７２が収容している端末のアドレス情報（アドレス空間情報）およびサブネットワーク４７１，４７３，４７４のアドレス空間の情報を持っている。ＡＲＳ４８２は受け取ったアドレスレゾリューション要求セルに書き込まれているアドレスと、各サブネットワークのアドレス空間情報との比較を行い、該当する転送先ネットワークを解析する。ここで、ＡＲＳは上記比較を行う際に、宛先アドレスのホストアドレスまでを解析する必要は必ずしもなく、ネットワークアドレスまでを解析すればよいことに注意が必要である。
【０４６１】
なお、公衆ネットワーク４７５向けのデータグラムを識別する方法としては、以下の２つの方法がある。
【０４６２】
（ａ）  アドレスレゾリューションセルに書き込まれたアドレス情報が陽に公衆網４７５向けのデータグラムなのかそれとも公衆網向けではないデータグラムなのかを示している。つまり、端末はアドレスレゾリューション要求時に、それが公衆網向けかそうではないかを知っている場合で、端末はＡＲＳが公衆向けかそうでないかを陽に識別できるような形でアドレスレゾリューションセルをＡＲＳに転送する。公衆網４７５向けのアドレスではないアドレス情報であったときに、ＡＲＳ４８２のアドレスエントリーにアドレスが存在しなかったときには、アドレスが存在しないと判断される。
【０４６３】
（ｂ）  ＡＲＳ４８２のアドレスエントリーに受け取ったアドレスレゾリューション要求セルが持つアドレスが存在しないときには、そのアドレスは公衆網４７５に属するものであると判断する。
【０４６４】
このように、ＡＲＳ４８２はネットワーク４７２に属している端末およびサブネットワーク４７１，４７３，４７４のアドレスおよびアドレス空間の情報を持ち、アドレスのレゾリューションを行う。
【０４６５】
本実施形態におけるサブネットワーク空間のビューをＡＲＳの立場から示した図が図５２および図５３である。図５２はＡＲＳ４８２から見た隣接ネットワークのアドレス空間ビューであり、また図５３はＡＲＳ４８１から見た隣接ネットワークのアドレス空間ビューである。それぞれのＡＲＳからは、全てのサブネットワークのアドレス空間がレゾリューエションされている。
【０４６６】
ＡＲＳ４８２が他のＡＲＳから受け取るアドレス情報（ＡＴＭレイヤ）は、ＩＷＵ４７６から目的のサブネットに存在するＣＬＳＦへのＡＴＭコネクションの識別子（ＶＣＩ／ＶＰＩ情報であり、上位レイヤの識別情報をも含む場合がある）の情報である。例えば、端末４７Ａから端末４７Ｄへのデータグラム転送に際しては、ＣＬＳＦ４９４をアクセスするためのＡＴＭコネクション４９５，４９７の識別子を通知し（ＡＲ応答）、端末４７Ｆへのデータグラム転送に際しては、ＣＬＳＦ４９１をアクセスするためのＡＴＭコネクション４９５，４９６の識別子を通知する。なお、ＡＲＳ４８２は他のＡＲＳから受け取ったＶＣＩ／ＶＰＩ情報から、ＡＴＭコネクションがＩＷＵ４７６で正常にリレーイングされるようなＶＣＩ／ＶＰＩ情報を端末４７Ａに通知する。端末４７Ａに通知されたＶＣＩ／ＶＰＩ番号は、ＩＷＵ４７６において別のＶＣＩ／ＶＰＩに書き替えられる。
【０４６７】
ＡＲＳ間では、各サブネットワークのアドレス空間情報の交換プロトコルだけではなく、サブネットワーク間でのデータグラム通信（コネクションレス通信）に関するルーティングプロトコルが動作する。具体的には、図４８に示したようなＩＷＵとＣＬＳＦ間のＡＴＭコネクションの設定管理を行う。なお、個別のＡＴＭコネクションはＩＷＵで分離しており（  サブネットワーク内部で閉じている）、別のＡＴＭコネクションサーバプロセスおよびルーティングサーバプロセスが、ＡＴＭコネクションの経路制御ならびにＡＴＭコネクション管理（例えばＶＣＩ／ＶＰＩ管理）を行っており、ＡＲＳはこれらのサーバおよびＩＷＵと制御メッセージの交換を行い、コネクションレス通信に必要なＡＴＭコネクションの管理を行う。
【０４６８】
図５４に、ＩＷＵ４７６が持つべきＶＣＩ／ＶＰＩの書き替えテーブルの一例を示した。なお、図中で同じＣＬＳＦへセルを転送するために付加するＶＣＩ／ＶＰＩは必ずしも異なる番号にする必要はない。すなわち、ＶＣＩ／ＶＰＩ情報のみでなく、上位レイヤデータユニット中の識別子情報と組み合わせることで、宛先ＣＬＳＦが受信したセルがどのデータグラムの属するかを識別することもできる。同様に、同じ端末から転送されてくるセルに付加されたＶＣＩ／ＶＰＩは、必ずしも異なる番号にする必要はない。
【０４６９】
また、サブネットワーク内での輻輳や障害のために、通常状態で使っていたＡＴＭコネクションとは異なる経路を持つＡＴＭコネクションを使用する必要が生じる場合がある。この場合には、各スイッチのテーブルに設定するＶＣＩ／ＶＰＩおよびルーティングテーブル情報の管理制御を行う、ルーティング制御プロセス（  アドレス管理を行う制御プロセスが他のプロセスであることも可能）は、ＵＮＩポイント（ユーザーインタフェイス点）に見せるＶＣＩ／ＶＰＩ番号はサブネットワーク内の経路が変化したときでも同じ番号を維持できるように、管理制御を行う。
【０４７０】
次に、各種のサーバ（例えばＣＬＳＦ）のアクセスポイントが移動したときにも、同様に各アクセスポイントからみえるコネクション識別番号（ＶＣＩ／ＶＰＩ）が同じになるようにリブートすればよい。また、リブートに際して関係するアクセスポイントに対して、旧いアクセスのための情報をキャッシュテーブルから廃棄する要求メッセージ（必要ならば新しいアクセス情報）を転送する。後者の場合には、ＩＷＵでは、図５４に示したようなテーブルのエントリー情報を変更する必要がある（転送されたメッセージ内の情報を用いて、あるいは新しい情報を獲得するためのプロトコルを実行する）。
【０４７１】
次に、本実施形態における宛先端末へのルーティングについて説明する。各端末への最終的なデータグラムの配送は、各ＣＬＳＦが属するネットワークのみについて行う（図４８参照）。すなわち、例えばＣＬＳＦ４９１はネットワーク４７１に属している端末（ネットワーク４７２，４７３，４７４，４７５はサービスしない）へのデータグラムの配送を行う。同様に、ＣＬＳＦ４９４はネットワーク４９４内の端末のみへのデータグラムの配送を行う。各ＣＬＳＦが受け取ったデータグラムが持つネットワークアドレスが、そのＣＬＳＦの持つアドレスエントリーに存在しない場合、あるいは受信データグラムのアドレスがそのネットワークのネットワークアドレス空間の要素ではない場合には、そのデータグラムは誤って配送されたものと判断される。誤ったデータグラムの配送に対するアクションはここでは議論しない。すなわち、各ＣＬＳＦは自分が属するネットワークの端末のアドレス情報のみを持ってればよい。受け取ったデータグラムのアドレスが自ネットワークに存在する時には、適切なＡＴＭコネクションを選択して、データグラムのリレーイングを行う。
【０４７２】
図５５に、端末４７Ａから端末４７Ｄへデータグラムが転送される場合のプロトコル処理の例を示した。ＡＴＭコネクションは、ＣＬＳＦ４９４で一旦終端される。すなわち、ＣＬＳＦ４９４でＯＳＩレイヤ３のプロトコルが終端される。ＣＬＳＦ４９４でレイヤ３のプロトコル処理が行われ、データユニットはＡＴＭコネクションを用いて端末４７Ｄに転送される。このように、自サブネットワーク以外の端末へのデータグラムの転送に際しては、ただ１回のＡＴＭコネクション終端でデータグラム配送がエンド−エンドに実現される。
【０４７３】
（実施形態５−１−１）
次に、より具体的な実施形態について説明する。
【０４７４】
図５６および図５７において、端末４７Ａから端末４７Ｄにデータグラムが転送される場合の実施形態について簡単に説明する。図５６が図５０と図４９に示した管理ビューに基づいた実施形態であり、図５７が図５２と図５３に示した管理ビューに基づいた実施形態である。
【０４７５】
本実施形態におけるアドレスレゾリューションは、次のようにして行われる。
【０４７６】
端末４７Ａは端末４７Ｄへデータグラムを転送するときに、端末４７Ｄへデータグラムを転送するためのＡＴＭレイヤアドレス情報を持っていない場合には、ＡＲＳ４８２へ、端末４７Ｄのアドレス情報を持ったアドレスレゾリューション要求セルをＡＴＭコネクション５７１，５８１を用いて転送する。但し、ＡＴＭコネクション５７１，５８１はポイント−ポイントのコネクションでも、ブロードキャストコネクションでも実現可能である。アドレスレゾリューション要求セルを受け取ったＡＲＳ４８２は、アドレスレゾリューション要求セルが解析したいアドレスが自ネットワーク４７２ではないので、図５６の例ではアドレスレゾリューション要求セルをＡＴＭコネクション５７２を経由してＡＲＳ４８１に転送する。なお、ＡＲＳ４８２がアドレスレゾリューション要求セルを受け取って、ＡＲＳ４８１にその要求セルを転送するまでの手続きとしては、以下のような方式が考えられる。
【０４７７】
（１）  ＡＲＳがそのネットワーク内で発生するアドレスレゾリューション要求セルに対する応答を全て受け持つ場合には、ＡＲＳはまずアドレスレゾリューション要求セルのスクリーニングを行う。すなわち、受け取ったセルの中のアドレスが自ネットワークのアドレス空間の要素であるかどうをネットワークマスクなどを用いて検証する。もし、アドレスが自ネットワーク内のものであれば、アドレステーブルを検索して該当する端末のＡＴＭレイヤアドレス情報を返す。一方、アドレスが自ネットワーク以外であった時には、予め設定された上位のＡＲＳ、この例ではＡＲＳ４８１へ要求セルを転送する。
【０４７８】
（２）  ＡＲＳは、そのネットワークではない、つまり他のサブネットワークに属する端末に対して、データグラムを送りたい要求に対してのみ応答を行い、自ネットワーク内の端末に対するレゾリューション要求に対する応答は各転送されるべき端末自身が返答する場合には、アドレスレゾリューションの際にブロードキャストチャネルを用いる場合とポイント−ポイントコネクションを用いる場合とで異なる。ブロードキャストチャネルを用いる場合には、アドレスのスクリーニングを行った後、要求セルを取り込み、上位のＡＲＳに要求セルを転送する。一方、ポイント−ポイントコネクションを用いる場合には、原則的には無条件に上位のＡＲＳ、この例ではＡＲＳ４８１にセルを転送することができる。
【０４７９】
図５６の例で、アドレスレゾリューション要求セルを受け取ったＡＲＳ４８１は、自ネットワークが収容しているアドレスおよびアドレス空間に要求セルの持つアドレスが存在するかどうかを調べる。アドレスのエントリーに該当するアドレスが存在しない時には、公衆網向けのアドレスと判断する。例では、宛先は端末４７Ｄであるので、ＡＲＳ４７１はネットワーク４７４のアドレス空間に要求セルのアドレスが存在することを認識することができる（すなわち、ネットワーク４７４の持つアドレス空間情報を用いることができる）。端末４７Ｄのアドレスを解析したＡＲＳ４８１は、ＩＷＵ４７６からＣＬＳＦ４９４へのＡＴＭコネクションのＶＣＩ／ＶＰＩ情報（ＩＷＵ４７６から見たときのＶＣＩ／ＶＰＩ情報）をＡＲＳ４８２へ応答する。
【０４８０】
ＡＲＳ４８２は、ＩＷＵ４７６でＣＬＳＦ４９４の通じているＡＴＭコネクションにリレーイングされるべきＡＴＭコネクションの識別情報であるＶＣＩ／ＶＰＩを応答する。このＶＣＩ／ＶＰＩを用いることにより、端末４７ＡはＣＬＳＦ４９４へ直接データグラムを配送することができる。ＡＲＳ４８２が自律的にアドレスのレゾリューションを行うことができる図５７の例では、ＡＴＭコネクション５８１を通じて与えられたアドレスレゾリューション要求に対して、直接、レゾリューション情報（ＡＲ応答）を端末４７ＡにＡＴＭコネクション５８２を通じて転送することができる。
【０４８１】
本実施形態におけるデータグラムの転送は、次のようにして行われる。
【０４８２】
端末４７Ａは、ＡＴＭコネクション５７５，５８３を用いてセル（データグラム情報を持つ）をＣＬＳ４９４へ転送する。ＩＷＵ４７６，４７８は、受け取ったセルのＶＣＩ／ＶＰＩ情報を書き替えることでＡＴＭコネクションのリレーイングを行う。この処理は上位レイヤに持ち上げずＡＴＭレイヤの処理として行われるので、ＩＷＵ４７６，４７８を経由しているＡＴＭコネクション５７５，５８３はＡＴＭ終端点のない一つのＡＴＭコネクションと見ることができる。
【０４８３】
ＡＴＭコネクション５７５，５８３の終端点であるＣＬＳＦ４９４では、ネットワークレイヤの処理が行われる。ＣＬＳＦ４９４はネットワークアドレスの解析を行い、データグラムをＡＴＭコネクション５７６，５８４にリレーイングして、端末４７Ｄに転送する。
【０４８４】
このようにＡＴＭコネクションは、端末４７ＡからＣＬＳＦ４９４と、ＣＬＳＦ４９４から端末４７Ｄの２つであり、１度だけ終端される。
【０４８５】
（実施形態５−２）ＶＰＩルーティングのＡＴＭネットワークを用いた場合−その１。
【０４８６】
まず、本実施形態におけるＡＴＭレイヤのアドレス割り当て方法について説明する。ＶＰＩルーティングを行う場合には、ＶＰＩフィールドが宛先ＵＮＩを示している（ＶＰＩ−Ｆと記述する）。ＶＣＩフィールドのコーディング方法は次のように定義する必要がある。ここで、議論しているＶＣＩフィールドのコーディングは、コネクションレス通信に関係するセルの転送に関係するものであり、他のアプリケーション（コネクションオリエンテッドコネクションなど）に対しては、ここでのコーディングを必ずしも使用する必要はない。つまり、一般的には、ＶＣＩフィールドのコーディング方法は、着信端末と送信端末の間でのネゴシエーションによって行うことができるものである。ＶＣＩフィールド１６ビットは、２つの８ビットのサブフィールドから構成されるように定義し、これらをＶＣＩ−Ｆ１，ＶＣＩ−Ｆ２と記述する。
【０４８７】
本実施形態ではＡＴＭコネクションを次の通り設定する。図５８〜６０に示したアドレスレゾリューションの関連するＡＴＭコネクションの設定について説明する。各ＡＲＳ４８１〜４８４は、少なくとも各ＡＲＳが属するネットワーク４７１〜４７４が収容している端末あるいはネットワークのアドレス情報を管理している。
【０４８８】
図５８は、図４８に示したＡＲＳ４８１が主導となって（ルートとなって）各サブネットワークのアドレス情報が管理される場合である。ＶＣＩ／ＶＰＩ情報は、ＩＷＵで書き替えられＡＴＭコネクションのリレーイングが行われる。例えば、ＡＲＳ４８２からＡＲＳ４８１へのＡＴＭコネクションは、コネクション５９１，５９２とから形成される。コネクション５９１のＶＰＩ−ＦはＩＷＵ４７６のアクセスアドレスであるＶＰＩ４７６−２  であり、ＶＣＩ−Ｆ１はＡＲＳ４８２のアクセスアドレスであるＶＰＩ４８２  である。ＶＣＩ−Ｆ２は、原則として任意の値とすることが可能であるが、ＩＷＵ４７６がＶＣＩ−Ｆ２内部の情報から、受信セルがコネクション５９２へリレーイングされるべきものであることを識別することができるようにコーディングされる。一方、コネクション５９２のＶＰＩ−ＦはＡＲＳ４８１のアクセスアドレスであるＶＰＩ４８１  であり、ＶＣＩ−Ｆ１はＩＷＵ４７６のアクセスアドレスであるＶＰＩ４７６−１  である。なお、両方のコネクションでＶＣＩ−Ｆ２は原則として任意の値とすることが可能である。また、ＶＰＩ４７６−１  はネットワーク４７１とってのＩＷＵ４７６のアクセスアドレス（ＶＰＩ）、ＶＰＩ４７６−２  はネットワーク４７２にとってのＩＷＵ４７６のアクセスアドレス（ＶＰＩ）である。
【０４８９】
ＩＷＵ４７６では、受信したセルのＶＣＩ−Ｆ２とＶＣＩ−Ｆ１の情報の組から、コネクション５９２のセルに書き込むべきＶＣＩ／ＶＰＩ情報を解析する。従って、ＩＷＵ４７６はテーブルエントリーとしてＶＣＩフィールド（１６ビット）を持ち、結果としてＶＣＩ／ＶＰＩ情報を解析する機能を持つ。コネクション５９２のセルのＶＰＩ−Ｆは、ＶＣＩ−Ｆ１とＶＣＩ−Ｆ２の組み合わせで解析される。ＶＣＩ−Ｆ１には、ＶＰＩ４７６−１  が書き込まれる。また、ＶＣＩ−Ｆ２は、ＡＲＳ４８２からＡＲＳ４８１との間のＡＴＭコネクションの識別子としてコーディングされる。ＶＣＩ−Ｆ２の値は、ＡＴＭコネクション（コネクション５９１，５９２）の設定時に決定される。ＶＣＩ−Ｆ２のアサインメントは、サブネットワーク（ネットワーク４７１，４７２）内でのＶＣＩ−Ｆ２の管理を行っているプロセスでも構わないし、端末（ＡＲＳ４８１およびＩＷＵ４７６）でＶＣＩ−Ｆ２の値を管理しているプロセスでも構わない。
【０４９０】
図５９、図６０について説明する。これは図５１に示した各ＡＲＳが独自に各サブネットワークのアドレス情報が管理される場合である。例えば、ＡＲＳ４８２からＡＲＳ４８４へのＡＴＭコネクション６１７は、コネクション６０２１，６０４１，６０６１から形成される。コネクション６０２１のＶＰＩ−Ｆは、ＩＷＵ４７６のアクセスアドレスであるＶＰＩ４７６−２であり、ＶＣＩ−Ｆ１はＡＲＳ４８２のアクセスアドレスであるＶＰＩ４８２  である。ＶＣＩ−Ｆ２は、コネクション６０２１に割り当てられた識別番号であるＶＣＩ−Ｆ１とＶＣＩ−Ｆ２の組み合わせでコネクションが識別される。コネクション６０６１のＶＰＩ−ＦはＩＷＵ４７８のアクセスアドレスであるＶＰＩ４７８−１  であり、ＶＣＩ−Ｆ１はＩＷＵ４７６のアクセスアドレスであるＶＰＩ４７６−１  である。ＶＣＩ−Ｆ２は、コネクション６０６１の設定時に設定される値である。コネクション６０４１のＶＰＩ−ＦはＡＲＳ４８４のアクセスアドレスであるＶＰＩ４８４  であり、ＶＣＩ−Ｆ１はＩＷＵ４７８のアクセスアドレスであるＶＰＩ４７８−１  である。ＶＣＩ−Ｆ２は、コネクション６０４１の設定時に設定される値である。
【０４９１】
例えば、ＩＷＵ４７８では受信したセルのＶＣＩ−Ｆ２とＶＣＩ−Ｆ１の情報の組から、コネクション６０４１のセルに書き込むべきＶＣＩ／ＶＰＩ情報を解析する。ＩＷＵ４７８は、テーブルエントリーとしてＶＣＩフィールド（１６ビット）を持ち、一方、結果としてＶＣＩ／ＶＰＩ情報を解析する機能をもつ。
【０４９２】
コネクション６０４１のセルのＶＰＩ−Ｆは、ＶＣＩ−Ｆ１とＶＣＩ−Ｆ２の組み合わせで解析される。ＶＣＩ−Ｆ１には、ＶＰＩ４７８−１  が書き込まれる。また、ＶＣＩ−Ｆ２はＡＲＳ４８２からＡＲＳ４８１との間のＡＴＭコネクションの識別子としてコーディングされる（ＶＣＩフィールド情報から解析）。ＶＣＩ−Ｆ２の値は、ＡＴＭコネクション（コネクション６０２１，６０４１，６０６１）の設定時に決定される。ＶＣＩ−Ｆ２のアサインメントは、サブネットワーク（ネットワーク４７１，４７２，４７４）内でのＶＣＩ−Ｆ２の管理を行っているプロセスでも構わないし、端末（ＡＲＳ４８１，ＩＷＵ４７６，ＡＲＳ４８４）でＶＣＩ−Ｆ２の値を管理しているプロセスでも構わない。
【０４９３】
以上のようなＶＣＩ／ＶＰＩフィールドの設定方法により、複数のセルにまたがった情報をＡＲＳが他のＡＲＳに転送したときにも、受信側で問題なくデータのリアセンブリが可能となる。なお、どの端末から転送されたデータであるか、あるいはデータがアドレスレゾリューションのプロトコルに関わるものであるというようなデータ識別は、上位レイヤの識別フィールドを用いる必要がある。
【０４９４】
図６１に、端末４７Ａから端末４７Ｆ、公衆網４７５、端末４７Ｄへデータグラムを転送するために必要なＡＴＭコネクションの設定を示す。その２つの方法を以下に示す。
【０４９５】
（１）  まず、端末４７Ａから端末４７Ｆへのデータグラムの転送を説明する。この場合、２つのＡＴＭコネクションから形成される。一つは端末４７ＡからＣＬＳＦ４９１へのコネクション６２１〜３とコネクション６２４、もう一つはＣＬＳＦ４９１から端末４７Ｆへのコネクション６２５である。端末４７Ａは、ＩＷＵ４７６へ次のようなセルを転送する。すなわち、ＶＰＩ−ＦはＩＷＵ４７６のアクセスアドレスであるＶＰＩ４７６−２  、ＶＣＩ−Ｆ１は端末４７ＡのアクセスアドレスであるＶＰＩ４７Ａ  、ＶＣＩ−Ｆ２はコネクション６２１の設定時に設定された値をそれぞれ持つ。ＩＷＵ４７６で受信されたセルのＶＣＩが解析され、対応するＶＰＩ−ＦおよびＶＣＩ−Ｆ２が解析される。ＶＣＩ−Ｆ１は、ＩＷＵ４７６のネットワーク４７１にとってのアクセスアドレスであるＶＰＩ４７６−１  が書き込まれる。なお、ＶＣＩ−Ｆ２はコネクション６２４が設定される時に決められる値であり、ＩＷＵ４７６が受信したセルのＶＣＩ−Ｆ１の値、すなわち端末４７ＡのアクセスアドレスであるＶＰＩ４７Ａ  をコピーして書くことも可能である。
【０４９６】
ＣＬＳＦ４９１に到着したデータグラムは一旦セルリアセンブリが行われ、ＡＴＭコネクションが終端される。ＣＬＳＦ４９１は上位レイヤのアドレス情報を解析し、データグラムの宛先が端末４７Ｆであることを認識する。そこで、ＣＬＳＦ４９１は次のようなセルを生成し、データグラムを端末４７Ｆへ転送する。ＶＰＩ−Ｆは端末４７ＦのアクセスアドレスであるＶＰＩ４７Ｆ  、ＶＣＩ−Ｆ１はＣＬＳＦ４９１のアクセスアドレスであるＶＰＩ４９１  、ＶＣＩ−Ｆ２はコネクション６２５に割り当てられた識別番号である。なお、端末４７ＦはＶＣＩ−Ｆ１とＶＣＩ−Ｆ２とからセルの所属するデータグラムを一意に識別することができる。すなわち、データグラムのリアセンブリができる。
【０４９７】
次に、端末４７Ａから公衆網４７５へのデータグラムの転送を説明する。この場合、一つのＡＴＭコネクション（コネクション６２２＋６２６＋６２７）から形成される。端末４７Ａは、ＩＷＵ４７６へ次のようなセルを転送する。すなわち、ＶＰＩ−ＦはＶＰＩ４７６−２  、ＶＣＩ−Ｆ１はＶＰＩ４７Ａ  、ＶＣＩ−Ｆ２はコネクション６２２の設定時に設定された値をそれぞれ持つ。ＩＷＵ４７６で受信されたセルのＶＣＩが解析され、対応するＶＰＩ−ＦおよびＶＣＩ−Ｆ２が解析される。ＶＣＩ−Ｆ１は、ＩＷＵ４７６のネットワーク４７１にとってのアクセスアドレスであるＶＰＩ４７６−１  が書き込まれる。なお、ＶＣＩ−Ｆ２はコネクション６２６が設定される時に決められる値であり、ＩＷＵ４７６が受信したセルのＶＣＩ−Ｆ１の値、すなわち端末４７ＡのアクセスアドレスであるＶＰＩ４７Ａ  をコピーして書くことも可能である。ＩＷＵ４７９は、受信したセルのＶＣＩ情報から、公衆網４７５で定義されているＡＴＭコネクション６２７にアサインされているＶＣＩ／ＶＣＩを書き込み、セルを公衆網４７５へ転送する。
【０４９８】
最後に、端末４７Ａから４７Ｄへのデータグラムの転送を説明する。二つのＡＴＭコネクションから形成される。一つは端末４７ＡからＣＬＳＦ４９４へのコネクション６２３，６２８，６２９、もう一つはＣＬＳＦ４９４から端末４７Ｄのコネクション６２Ａである。端末４７Ａは、ＩＷＵ４７６へ次のようなセルを転送する。すなわち、ＶＰＩ−ＦはＩＷＵ４７６のアクセスアドレスであるＶＰＩ４７６−２  、ＶＣＩ−Ｆ１は端末４７ＡのアクセスアドレスであるＶＰＩ４７Ａ  、ＶＣＩ−Ｆ２はコネクション６２３の設定時に設定された値をそれぞれ持つ。ＩＷＵ４７６で受信されたセルのＶＣＩが解析され、対応するＶＰＩ−ＦおよびＶＣＩ−Ｆ２が解析される。ＶＣＩ−Ｆ１は、ＩＷＵ４７６のネットワーク４７１にとってのアクセスアドレスであるＶＰＩ４７６−１  が書き込まれる。なお、ＶＣＩ−Ｆ２は、コネクション６２８が設定される時に決められる値であり、ＩＷＵ４７６が受信したセルのＶＣＩ−Ｆ１の値、すなわち端末４７ＡのアクセスアドレスであるＶＰＩ４７Ａ  をコピーして書くことも可能である。
【０４９９】
次に、ＩＷＵ４７８で受信されたセルのＶＣＩが解析され、対応するＶＰＩ−Ｆ，ＶＣＩ−Ｆ１およびＶＣＩ−Ｆ２が解析される。ＶＣＩ／ＶＰＩは、ＣＬＳＦ４９４が、ネットワーク内の全ての端末（データグラムをＣＬＳＦ４９４に転送可能な端末）からのセルが同時に到着しても識別可能であるように割り振られる必要がある。
【０５００】
ＣＬＳＦ４９４に到着したデータグラムは一旦セルリアセンブリが行われ、ＡＴＭコネクションが終端される。ＣＬＳＦ４９４は上位レイヤのアドレス情報を解析し、データグラムの宛先が端末４７Ｄであることを認識する。そこで、ＣＬＳＦ４９４は次のようなセルを生成し、データグラムを端末４７Ｄへ転送する。すなわち、ＶＰＩ−Ｆは端末４７ＤのアクセスアドレスであるＶＰＩ４７Ｄ  、ＶＣＩ−Ｆ１はＣＬＳＦ４９４のアクセスアドレスであるＶＰＩ４９４  、ＶＣＩ−Ｆ２はコネクション６２Ａに割り当てられた識別番号である。なお、端末４７ＤはＶＣＩ−Ｆ１とＶＣＩ−Ｆ２とから、セルの所属するデータグラムを一意に識別することができる。すなわち、データグラムのリアセンブリができる。
【０５０１】
（２）  各ＣＬＳＦは、全てＶＰＩアドレスを獲得しており、そのＶＰＩで識別されるコネクションはすべてデータグラム通信（コネクションレス通信）に関するセルの転送に用いられるＡＴＭコネクションであるように構成する。すなわち、ＣＬＳＦサーバは、自分自身が他の端末／サーバとの通信を行うために、ＡＴＭコネクション（コネクションレスのコネクションではない）を必要とする。つまり、ＣＬＳＦは少なくとも２つ以上のアクセスアドレス（ＶＰＩ）をブート時に獲得する必要がある。
【０５０２】
同様に、ＩＷＵも全て少なくとも２つ以上のアクセスアドレス（ＶＰＩ）をブート時に獲得する。一つのＶＰＩは、コネクションレス通信のセルに関するものとして使用される。すなわち、各端末はコネクションレス通信に関するデータグラムのセルを外部ネットワークに転送するときには、コネクションレス通信用に定義されたＶＰＩ（ｆｏｒ  ＩＷＵ）をセルに付けてネットワークにセルを投入する。
【０５０３】
この時、コネクションレス通信に関するセルのＶＣＩフィールドのコーディング方法として、以下のような方法を用いる。ＶＣＩフィールドは、８ビットの２つのサブフィールドにする（ＶＣＩ−Ｆ１とＶＣＩ−Ｆ２：フィールドの定義位置については言及しない）。
【０５０４】
次に、外部サブネットワーク内で転送されるセルのコーディング手法を説明する。これは、端末が属するサブネットワークからＩＷＵを介して外部のサブネットワークにセルが転送されるときのＶＣＩフィールドのコーディングである。ＶＣＩ−Ｆ１には送信元の端末が属するサブネットワークの識別番号が書き込まれ、ＶＣＩ−Ｆ２には送信元端末のサブネットワーク内での識別番号が書き込まれる。例えば、サブネットワークの識別番号として、ネットワーク４７１における各ＩＷＵのアクセスアドレス（ＶＰＩ）をサブネットワークの識別アドレスとすることも可能である（ネットワーク４７１自身は適当にコーディングする）。また、端末の識別番号としては各サブネットワークにおける端末のアクセスアドレス（ＶＰＩ）とすることも可能である。例えば、外部のサブネットワーク内で転送される端末４７Ｄから出されるコネクションレス通信のセルのＶＣＩフールドは、ＶＣＩ−Ｆ１＝ＶＰＩ４７８−１  、ＶＣＩ−Ｆ２＝ＶＰＩ４７Ｄ  とすることができる。
【０５０５】
次に、自サブネットワーク内で転送されるセルのコーディング手法について説明する。これは、端末が属するサブネットワークのＩＷＵへセルが転送されるときのＶＣＩフィールドのコーディングである。ＶＣＩ−Ｆ１には宛先端末が属するサブネットワークの識別番号が書き込まれ、ＶＣＩ−Ｆ２には送信元端末のサブネットワーク内での識別番号が書き込まれる。例えば、自ネットワーク内で転送される端末４７Ｄから出されるコネクションレス通信のセルのＶＣＩ−Ｆ２フィールドは、ＶＰＩ４７Ｄ  とすることができる。
【０５０６】
以上のような構成をとることで、端末はデータグラムの転送に先立って行うアドレスレゾリューション手続きにおいて、宛先端末が属するサブネットワークの識別番号を獲得しさえすれば、データグラム（複数あるいは１つのセル）を転送することができる。以下、このデータグラムの転送について説明する。
【０５０７】
まず、端末４７Ａから端末４７Ｆへのデータグラムの転送を説明する。端末４７Ａは、ＩＷＵ４７６へ次のようなセルを転送する。ＶＰＩ−ＦはＩＷＵ４７６のアクセスアドレスであるＶＰＩ４７６−２  、ＶＣＩ−Ｆ１はネットワーク４７１の識別番号（例えばＣＬＳＦ４９１のアクセスアドレスであるＶＰＩ４９１  ）を用いることも可能）、ＶＣＩ−Ｆ２は端末４７ＡのアクセスアドレスであるＶＰＩ４７Ａ  に設定する。
【０５０８】
ＩＷＵ４７６で受信されたセルのＶＣＩが解析され、対応するＶＰＩ−ＦおよびＶＣＩ−Ｆ２が解析される。例えば、ＶＣＩ−Ｆ１にＣＬＳＦ４９１のアクセスアドレスＶＰＩ４９１  が書き込まれている実施形態の場合には、出力するセルのＶＰＩ−Ｆは、受信したセルのＶＣＩ−Ｆ１情報であるＶＰＩ４９１  をコピーすることで、実現できる。ＶＣＩ−Ｆ１には、ＩＷＵ４７６のネットワーク４７１にとってのアクセスアドレスであるＶＰＩ４７６−１  が書き込まれる。ＶＣＩ−Ｆ２は、トランスペアレントに設定することができる。すなわち、例えば端末４７Ａから転送されるセルのＶＣＩ−Ｆ１にＣＬＳＦ４９１のアクセスアドレスＶＰＩ４９１  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１には、ＩＷＵのアクセスアドレスであるＶＰＩ４７６−１  を書き込むという手順により、セルのリレーイングが実現される。
【０５０９】
ＣＬＳＦ４９１に到着したデータグラムはセルリアセンブリが行われ、ＡＴＭコネクションが終端される。ＣＬＳＦ４９１は上位レイヤのアドレス情報を解析し、データグラムの宛先が端末４７Ｆであることを認識する。そこで、ＣＬＳＦ４９１は、ＶＰＩ−Ｆが端末４７ＦのアクセスアドレスであるＶＰＩ４７Ｆ  であるようなセルを生成し、データグラムを端末４７Ｆへ転送する。なお、ＣＳＬＦ４９１はＶＣＩ−Ｆ１とＶＣＩ−Ｆ２とから、セルの所属するデータグラムを一意に識別することができる（データグラムのリアセンブリができる）。従って、データグラム（セル）のリレーイングをパイプライン的に行うことも可能である。
【０５１０】
次に、端末４７Ａから公衆網４７５へのデータグラムの転送を説明する。端末４７Ａは、ＩＷＵ４７６へ次のようなセルを転送する。ＶＰＩ−ＦはＩＷＵ４７６アクセスアドレスであるＶＰＩ４７６−２  、ＶＣＩ−Ｆ１は公衆網４７５の識別番号（例えばＩＷＵ４７９のアクセスアドレスであるＶＰＩ４７９  を用いることも可能）、ＶＣＩ−Ｆ２は端末４７ＡのアクセスアドレスであるＶＰＩ４７Ａ  に設定する。
【０５１１】
ＩＷＵ７６で受信されたセルのＶＣＩが解析され、対応するＶＰＩ−ＦおよびＶＣＩ−Ｆ２が解析される。例えば、ＶＣＩ−Ｆ１にＩＷＵ４７９のアクセスアドレスＶＰＩ４７９  が書き込まれている実施形態の場合には、出力するセルのＶＰＩ−Ｆは、受信したセルのＶＣＩ−Ｆ１情報であるＶＰＩ４７９  をコピーすることで、実現できる。ＶＣＩ−Ｆ１には、ＩＷＵ４７６のネットワーク４７１にとってのアクセスアドレスであるＶＰＩ４７６−１  が書き込まれる。ＶＣＩ−Ｆ２は、トランスペアレントに設定することができる。すなわち、例えば端末４７Ａから転送されるセルのＶＣＩ−Ｆ１にＩＷＵ４７９のアクセスアドレスＶＰＩ４７９  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１には、ＩＷＵのアクセスアドレスであるＶＰＩ４７６−１  を書き込むという手順により、セルのリレーイングが実現される。ＩＷＵ４７９は、受信したセルのＶＣＩ情報から、公衆網４７５で定義されているＡＴＭコネクション６２７にアサインされているＶＣＩ／ＶＰＩを書き込み、セルを公衆網４７５へ転送する。
【０５１２】
最後に、端末４７Ａから端末４７Ｄへのデータグラムの転送を説明する。端末４７ＡはＩＷＵ４７６へ次のようなセルを転送する。ＶＰＩ−ＦはＩＷＵ４７６のアクセスアドレスであるＶＰＩ４７６−２  、ＶＣＩ−Ｆ１はネットワーク４７４の識別番号（例えばＩＷＵ４７８のアクセスアドレスであるＶＰＩ４７８−１  を用いることも可能）、ＶＣＩ−Ｆ２は端末４７ＡのアクセスアドレスであるＶＰＩ４７Ａ  に設定する。
【０５１３】
ＩＷＵ４７６で受信されたセルのＶＣＩが解析され、対応するＶＰＩ−ＦおよびＶＣＩ−Ｆ２が解析される。例えば、ＶＣＩ−Ｆ１にＩＷＵ４７８のアクセスアドレスＶＰＩ４７８−１  が書き込まれている実施形態の場合には、出力するセルのＶＰＩ−Ｆは受信したセルのＶＣＩ−Ｆ１情報であるＶＰＩ４７８−１  をコピーすることで実現できる。ＶＣＩ−Ｆ１は、ＩＷＵ４７６のネットワーク４７１にとってのアクセスアドレスであるＶＰＩ４７６−１  が書き込まれる。ＶＣＩ−Ｆ２は、トランスペアレントに設定することができる。すなわち、例えば端末４７Ａから転送されるセルのＶＣＩ−Ｆ１にＩＷＵ４７８のアクセスアドレスＶＰＩ４７８−１  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１にはＩＷＵのアクセスアドレスであるＶＰＩ４７６−１  を書き込むという手順により、セルのリレーイングが実現される。
【０５１４】
次に、ＩＷＵ４７８で受信されたセルのＶＣＩが解析され、対応するＶＰＩ−Ｆ、ＶＣＩ−Ｆ１およびＶＣＩ−Ｆ２が解析される。ＩＷＵ４７８からＣＬＳＦ４９４へ転送されるセルのＶＣＩフィールドは、受信したセルのＶＣＩフィールド情報をトランスペアレントに設定することが可能である。すなわち、ＶＣＩ−Ｆ１＝ＶＰＩ４７６−１  、ＶＣＩ−Ｆ２＝ＶＰＩ４７Ａ  とすることができる。なお、ＶＰＩ−ＦはＣＬＳＦ４９４のアクセスアドレスであるＶＰＩ４９４  が設定される。ＣＬＳＦ４９４に到着したデータグラムは一旦セルリアセンブリが行われ、ＡＴＭコネクションが終端される。ＣＬＳＦ４９４は上位レイヤのアドレス情報を解析し、データグラムの宛先が端末４７Ｄであることを認識する。また、ＣＬＳＦ４９４はＶＰＩ−Ｆが端末４７ＤアクセスアドレスであるＶＰＩ４７Ｄ  であるようなセルを生成し、データグラムを端末４７Ｄへ転送する。なお、端末４７ＤはＶＣＩ−Ｆ１とＶＣＩ−Ｆ２とから、セルの所属するデータグラムを一意に識別することができる。すなわち、データグラムのリアセンブリができる。具体的には、例えばＶＣＩ−Ｆ１から送信元端末が属するサブネットワークまたは該サブネットワークを収容するＩＷＵをＶＣＩ−Ｆ２から該サブネットワークにおける識別番号として知ることができる。
【０５１５】
（実施形態５−３）一般のＡＴＭネットワークを用いた場合−その２。
【０５１６】
図６２に、本実施形態のネットワークアーキテクチャの概略図を示した。このネットワークは、２階層のネットワークで構成されている。各ネットワーク６３１−６３５は、ＩＷＵ６３６〜６３９を介してインターネットワーキングされている。ネットワーク６３１と公衆網６３５とは、ＩＷＵ６３９を介して接続されている。ＩＷＵ６３６〜６３９は、ＡＴＭコネクションを終端することなくＡＴＭセルのリレーイングを実現することができる。すなわち、受信したセルのＶＣＩ／ＶＰＩを隣接するネットワークで対応するＡＴＭコネクションに割り当てられているＶＣＩ／ＶＰＩに変換する機能を持つ。なお、ＣＬＳＦ−Ｏ、ＣＬＳＦ−ＩおよびＡＲＳは同じ装置に実装することも可能である。さらに、これらはＩＷＵ上に実現することも可能である。
【０５１７】
図６４および図６５に、アドレスレゾリューションの関連するＡＴＭコネクションの設定を示す。各ＡＲＳは、少なくとも各ＡＲＳが属するネットワークが収容している端末あるいはネットワークのアドレス情報を管理している。
【０５１８】
図６３に、端末６３Ａから（１）  端末６３Ｃ、（２）  公衆網６３５、（３）  端末６３Ｂへデータグラムを転送するために必要なＡＴＭコネクション６４１〜６４６の設定を示す。ＣＬＳＦ−Ｏ６３ＭからＣＬＳＦ−Ｉ６３Ｌ，ＣＬＳＦ−Ｉ６３Ｊおよび公衆網６３５へのＡＴＭコネクション（片方向ＡＴＭコネクション）が設定されている。なお、同様のコネクションが他のサブネットワークについても設定されている。ＣＬＳＦ−ＩおよびＣＬＳＦ−Ｏ間に設定されているＡＴＭコネクションは、図６６に示した。なお、公衆網６３５から定義されたネットワーク６３１〜６３４に属する端末へのコネクションレス通信の場合には、公衆網６３５からのコネクションレス通信に関するＡＴＭコネクションは、ネットワーク６３１に存在する、公衆網６３５からのコネクションレス通信に関するＡＴＭコネクションを終端し、データグラムをリレーイングするためのサーバで終端される。このコネクションレスに関するＡＴＭコネクションを終端するサーバについては、以下で説明する、ネットワーク内の端末から他のネットワーク内の端末へのデータグラム転送と同じ手続きを用いて、目的の端末へ、このサーバから転送される。
【０５１９】
本実施形態における端末のプロトコルについて説明する。端末は、データグラムが外部のサブネットワーク宛てのものであると判断したときには、データグラムをＣＬＳＦ−Ｏに転送する。なお、端末とＣＬＳＦ−Ｏとの間には既にＡＴＭコネクションが設定されているものとする。各端末は、自端末が属するサブネットワークのアドレス空間の情報（アドレスマスクなど）を持っており、宛先の端末が、自分のサブネットワーク内なのかそれとも外部のサブネットワークなのかを判断することができる。
【０５２０】
図６２に示したネットワーク構成の場合には、データグラム配送の方式として、例えば以下のような３つの方法を用いることができる。
【０５２１】
（１）  ＣＬＳＦ−ＯとＣＬＳＦ−Ｉとが同じアクセスポイントにあり、ＣＬＳＦと端末との間にはスター状のＡＴＭコネクションが設定されている。端末は、データグラムの転送を行うときには全てＣＬＳＦへセルを転送する。データグラムの配送は、全てＣＬＳＦが行う。すなわち、サブネットワーク内の端末同士の通信も一度ＣＬＳＦを経由する。
【０５２２】
（２）  サブネットワーク内の端末同士の通信はＣＬＳＦを介さずに実現され、外部ネットワークにある端末との通信はＣＬＳＦ−Ｏを介して実現される。
【０５２３】
（３）  外部ネットワークの端末との通信にはＣＬＳＦ−Ｏが使用され、自ネットワーク内部の端末との通信にはＣＬＳＦ−Ｉが使用される。
【０５２４】
本実施形態におけるアドレスレゾリューションサーバのプロトコルは、「バックボーンＡＲＳ主導」と「フロントエンドＡＲＳ手動」の２種類があり、それぞれ次の通りである。
【０５２５】
（ｉ）  バックボーンＡＲＳ主導
各ネットワークに存在するＡＲＳとネットワーク６３１に存在するＡＲＳ６３Ｇとの間に、スター状のＡＴＭコネクション（双方向通信チャネル）が形成される（図６４）。例えば、端末６３Ａから端末６３Ｂにデータグラムを転送するべく、ＣＬＳＦ−Ｏ６３ＭはＣＬＳＦ−Ｏ６３ＭとＣＬＳＦ−Ｉ６３Ｊとの間に設定されたＡＴＭコネクションを利用するために、そのコネクションのＶＰＩ／ＶＣＩ情報を獲得する必要がある。ＣＬＳＦ−Ｏ６３Ｍは、ＶＣＩ／ＶＰＩを獲得するために、自分のネットワーク６３２のＡＲＳであるＡＲＳ６３Ｄに端末６３Ｂのアドレス情報を持ったアドレスレゾリューション要求セルを転送する（受信したデータグラムの中に書き込まれているアドレス情報）。要求セルを受け取ったＡＲＳ６３Ｄは、受け取ったセル中に書き込まれている宛先端末のアドレスを解析し、ＡＲＳ６３Ｄが持っている情報ではアドレスのレゾリューションができないときには、ネットワーク６３１に存在するＡＲＳ６３Ｇへ既に設定されているＡＴＭコネクション６５１を用いて、アドレスレゾリューション要求セルのリレーイングを行う。
【０５２６】
ＡＲＳ６３Ｇは、受け取ったセルが持っている宛先端末６３Ｂのアドレス情報から、データグラムが転送されるべきＣＬＳＦ（ネットワーク６３３内に存在する）にデータグラムを転送するためのＶＣＩ／ＶＰＩ情報（ＶＣＩ／ＶＰＩ情報については後述する）を解析し、そのＶＣＩ／ＶＰＩ情報をＡＲＳ６３Ｄへ転送する。ＶＣＩ／ＶＰＩ情報を受け取ったＡＲＳ６３Ｄは、ＶＣＩ／ＶＰＩ情報を基に、ＣＬＳＦ−Ｏ６３Ｍが使用すべきＶＣＩ／ＶＰＩ情報を返答する（ＡＲ応答）。
【０５２７】
ＡＲＳ６３Ｇでのアドレスのレゾリューションは次のように行われる。ＡＲＳ６３Ｇは自ネットワーク６３１が収容している端末のアドレス情報（アドレス空間情報）およびサブネットワーク６３２〜６３４のアドレス空間の情報を持っている。ＡＲＳ６３Ｇは受け取ったアドレスレゾリューション要求セルに書き込まれているアドレスと、各サブネットワークのアドレス空間情報との比較を行い、該当する転送先ネットワークを解析する。
【０５２８】
なお、公衆網６３５向けのデータグラムを識別する方法としては、以下の２つの方法がある。
【０５２９】
（ａ）  アドレスレゾリューションセルに書き込まれたアドレス情報が陽に公衆網６３５向けのデータグラムなのかそれとも公衆網向けではないデータグラムなのかを示している。つまり、端末はアドレスレゾリューション要求時に、それが公衆網向けかそうではないかを知っている場合で、端末はＡＲＳが公衆向けかそうでないかを陽に識別できるような形でアドレスレゾリューションセルをＡＲＳに転送する。公衆網６３５向けのアドレスではないアドレス情報であったときに、ＡＲＳ６３Ｇのアドレスエントリーにアドレスが存在しなかったときには、アドレスが存在しないという情報がＡＲＳ６３Ｄに送られる。
【０５３０】
（ｂ）  ＡＲＳ６３Ｇのアドレスエントリーに受け取ったアドレスレゾリューション要求セルが持つアドレスが存在しないときには、そのアドレスは公衆網６３５に属するものであると判断する。
【０５３１】
このように、ＡＲＳ６３Ｇはネットワーク６３１に属している端末およびサブネットワーク６３２〜６３４のアドレスおよびアドレス空間の情報を持ち、アドレスのレゾリューションを行う。なお、ＡＲＳ６３Ｇは自分の属するサブネットワーク以外のサブネットワークの端末レベルまでのアドレス情報を持つ必要は必ずしもなく、ネットワークアドレスレベルまでの情報を持てばよい。
【０５３２】
ＡＲＳ６３ＤがＡＲＳ６３Ｇから受け取るアドレス情報（ＡＴＭレイヤ）は、ＩＷＵ６３６から目的のサブネットに存在するＣＬＳＦ−ＩへのＡＴＭコネクションの識別子（ＶＣＩ／ＶＰＩ情報で、上位レイヤの識別情報をも含む場合もある）の情報である。例えば、端末６３Ａから端末６３Ｂへのデータグラム転送に際しては、ＣＬＳＦ−Ｉ６３ＪをアクセスするためのＡＴＭコネクション６４５の識別子を通知し（ＡＲ応答）、端末６３Ｃへのデータグラム転送に際しては、ＣＬＳＦ−Ｉ６３ＬをアクセスするためのＡＴＭコネクション６４２の識別子を通知する。
【０５３３】
なお、ＡＲＳ６３ＤはＡＲＳ６３Ｇから受け取ったＶＣＩ／ＶＰＩ情報から、ＡＴＭコネクションがＩＷＵ６３６で正常にリレーイングされるようなＶＣＩ／ＶＰＩ情報をＣＬＳＦ−Ｏ６３Ｍに通知する。ＣＬＳＦ−Ｏ６３Ｍに通知されたＶＣＩ／ＶＰＩ番号は、ＩＷＵ６３６において別のＶＣＩ／ＶＰＩに書き替えられる。
【０５３４】
（ｉｉ）フロントエンドＡＲＳ主導
各ネットワークに存在するＡＲＳとネットワーク６３１に存在するＡＲＳ６３Ｇとの間に、図６４に示すようなスター状のＡＴＭコネクションあるいは図６５に示すようなメッシュ状のＡＴＭコネクションが形成される。各ＡＲＳは、自分のサブネットワークからみた時の、外部サブネットワークのアドレス空間情報およびＡＴＭコネクション情報（ＶＣＩ／ＶＰＩ）をそれぞれ図６４あるいは図６５で定義されたＡＴＭコネクションを用いて獲得している。図６４は、ＡＲＳ６３ＧがマスターＡＲＳのような形態であり、図６５は各ＡＲＳが独立に動作する分散型の形態であると言える。
【０５３５】
ネットワークが３階層以上にはならない場合には、図６４のようにバックボーンネットワークをマスターとする方が適切である。一方、ネットワークの階層に制限がない場合には、図６４、図６５の形態のどちらを選択するかは、ネットワークの形態あるいは管理形態、さらにはネットワーク内に存在するサブネットワークの数によって異なる。例えば、ＣＬＳＦ−Ｏ６３Ｍが端末６３Ｂにデータグラムを転送すべくＶＣＩ／ＶＰＩを獲得するために、ＣＬＳＦ−Ｏ６３Ｍは自分のネットワーク６３２のＡＲＳであるＡＲＳ６３ＤにＡＲＳ６３Ｂのアドレス情報を持ったアドレスレゾリューション要求セルを転送する。この要求セルを受け取ったＡＲＳ６３Ｄは、受け取ったセル中に書き込まれている宛先端末のアドレスがネットワーク６３３であることを解析し、データグラムが転送されるべきＣＬＳＦ（ネットワーク６３３内に存在する）にデータグラムを転送するためのＶＣＩ／ＶＰＩ情報（ＶＣＩ／ＶＰＩ情報については後述する）ＣＬＳＦ−Ｏ６３Ｍへ転送する（ＡＲ応答）。
【０５３６】
ＡＲＳ６３Ｄでのアドレスのレゾリューションは、次のように行われる。ＡＲＳ６３Ｄは自ネットワーク６３２が収容している端末のアドレス情報（アドレス空間情報）およびサブネットワーク６３１，６３３，６３４のアドレス空間の情報を持っている。ＡＲＳ６３Ｄは受け取ったアドレスレゾリューション要求セルに書き込まれているアドレスと、各サブネットワークのアドレス空間情報との比較を行い、該当する転送先ネットワークを解析する。
【０５３７】
なお、公衆ネットワーク６３５向けのデータグラムを識別する方法としては、以下の２つの方法がある。
【０５３８】
（ａ）  アドレスレゾリューションセルに書き込まれたアドレス情報が陽に公衆網６３５向けのデータグラムなのかそれとも公衆網向けではないデータグラムなのかを示している。つまり、端末はアドレスレゾリューション要求時に、それが、公衆網向けかそうではないかを知っている場合で、端末はＡＲＳが公衆向けかそうでないかを陽に識別できるような形でアドレスレゾリューションセルをＡＲＳに転送する。公衆網６３５向けのアドレスではないアドレス情報であったときに、ＡＲＳ６３Ｄのアドレスエントリーにアドレスが存在しなかったときには、アドレスが存在しないと判断される。
【０５３９】
（ｂ）  ＡＲＳ６３Ｄのアドレスエントリーに受け取ったアドレスレゾリューション要求セルが持つアドレスが存在しないときには、そのアドレスは公衆網６３５に属するものであると判断する。
【０５４０】
このように、ＡＲＳ６３Ｄはネットワーク６３２に属している端末およびサブネットワーク６３１，６３３，６３４のアドレスおよびアドレス空間の情報を持ち、アドレスのレゾリューションを行う。なお、ＡＲＳ６３Ｄは自分の属するサブネットワーク以外のサブネットワークの端末レベルまでのアドレス情報を持つ必要は必ずしもなく、ネットワークアドレスレベルまでの情報を持てばよい。
【０５４１】
ＡＲＳ６３Ｄが他のＡＲＳから受け取るアドレス情報（ＡＴＭレイヤ）は、ＩＷＵ６３６から目的のサブネットに存在するＣＬＳＦ−ＩへのＡＴＭコネクションの識別子（ＶＣＩ／ＶＰＩ情報で、上位レイヤの識別情報をも含む場合がある）の情報である。例えば、端末６３Ａから端末６３Ｂへのデータグラム転送に際しては、ＣＬＳＦ−Ｉ６３ＪをアクセスするためのＡＴＭコネクション６４５の識別子を通知し（ＡＲ応答）、端末６３Ｃへのデータグラム転送に際しては、ＣＬＳＦ−Ｉ６３ＬをアクセスするためのＡＴＭコネクション６４２の識別子を通知する。
【０５４２】
なお、ＡＲＳ６３Ｄは他のＡＲＳから受け取ったＶＣＩ／ＶＰＩ情報から、ＡＴＭコネクションがＩＷＵ６３６で正常にリレーイングされるようなＶＣＩ／ＶＰＩ情報をＣＬＳＦ−Ｏ６３Ｍに通知する。ＣＬＳＦ−Ｏ６３Ｍに通知されたＶＣＩ／ＶＰＩ番号は、ＩＷＵ６３６において別のＶＣＩ／ＶＰＩに書き替えられる。ＡＲＳ間では、各サブネットワークのアドレス空間情報の交換プロトコルだけではなく、サブネットワーク間でのデータグラム通信（コネクションレス通信）に関するルーティングプロトコルが動作する。具体的には、図６３に示したようなＡＴＭコネクションの設定管理を行う。なお、個別のＡＴＭコネクションは、ＩＷＵで分離しており（サブネットワーク内部で閉じている）、別のＡＴＭコネクションサーバプロセスおよびルーティングサーバプロセスが、ＡＴＭコネクションの経路制御ならびにＡＴＭコネクション管理（例えばＶＣＩ／ＶＰＩ管理）を行っており、ＡＲＳはこれらのサーバおよびＩＷＵと制御メッセージの交換を行い、コネクションレス通信に必要なＡＴＭコネクションの管理を行う。
【０５４３】
本実施形態における宛先端末へのルーティングについて説明する。各端末への最終的なデータグラムの配送は、各ＣＬＳＦ−Ｉが属するネットワークのみについて行う。すなわち、例えばＣＬＳＦ−Ｉ６３Ｌはネットワーク６３１に属している端末（ネットワーク６３２〜６３５はサービスしない）へのデータグラムの配送を行う。同様に、ＣＬＳＦ−Ｉ６３Ｊはネットワーク６３３内の端末のみへのデータグラムの配送を行う。各ＣＬＳＦが受け取ったデータグラムが持つネットワークアドレスが、そのＣＬＳＦが持つアドレスエントリーに存在しない場合、あるいは受信データグラムのアドレスがそのネットワークのネットワークアドレス空間の要素ではない場合には、そのデータグラムは誤って配送されたものと判断される。誤ったデータグラムの配送に対するアクションはここでは議論しない。すなわち、各ＣＬＳＦは自分が属するネットワークの端末のアドレス情報のみを持ってればよい。受け取ったデータグラムのアドレスが自ネットワークに存在する時には、適切なＡＴＭコネクションを選択して、データグラムのリレーイングを行う。
【０５４４】
図６７に、端末６３Ａから６３Ｂへデータグラムが転送される場合のプロトコル処理の例を示した。ＡＴＭコネクションは、ＣＬＳＦ−Ｏ６３ＭおよびＣＬＳＦ−Ｉ６３Ｊで終端される。すなわち、ＣＬＳＦ−Ｏ６３ＭおよびＣＬＳＦ−Ｉ６３ＪでＯＳＩレイヤ３のプロトコルが終端される。このように、自サブネットワーク以外の端末へのデータグラムの転送に際しては、２回のＡＴＭコネクション終端でデータグラム配送がエンド−エンドに実現される。
【０５４５】
（実施形態５−３−１）
次に、より具体的な実施形態について説明する。
【０５４６】
図６３において端末６３Ａから６３Ｂにデータグラムが転送される場合の例について簡単に説明する。
【０５４７】
本実施形態におけるアドレスレゾリューションは、次のようにして行われる。
【０５４８】
端末６３Ａは端末６３Ｂへデータグラムを転送するときに、端末６３Ｂが外部サブネットワークに属する端末であることを解析すると、ＣＬＳＦ−Ｏ６３Ｍへデータグラムを転送する。ＣＬＳＦ−Ｏ６３Ｍは受信したデータグラムのアドレス情報を解析し、端末６３Ｂ（ＣＬＳＦ−Ｉ６３Ｊ）へデータグラムを転送するためのＡＴＭレイヤアドレス情報を持っていない時には、ＡＲＳ６３Ｄへ端末６３Ｂのアドレス情報を持ったアドレスレゾリューション要求セルを転送する。
【０５４９】
ＡＲＳ６３Ｄはレゾリューション可能な情報をもっている場合には、ＡＲ要求（ＣＬＳＦ−Ｏ６３ＭからＣＬＳＦ−Ｉ６３Ｊへセルを転送するためのＶＣＩ／ＶＰＩ情報）を直接転送する。ところが、ＡＲＳ６３Ｄではアドレスのレゾリューションができない場合には、適切なＡＲＳをアクセスしてレゾリューションを行う。アドレスのレゾリューションが完了すると、結果（ＡＲ応答）をＣＬＳＦ−Ｏ６３Ｍへ転送する。
【０５５０】
本実施形態におけるデータグラムの転送は、次のようにして行われる。
【０５５１】
端末６３Ａは、ＡＴＭコネクション６４１を用いてデータグラム情報を持つセルをＣＬＳＦ−Ｏ６３Ｍへ転送する。ＣＬＳＦ−Ｏ６３Ｍは、データグラムのアドレス情報を解析し、データグラムをセル化して、セルをＡＴＭコネクション６４５を用いてＣＬＳＦ−Ｉ６３Ｊへ転送する。ＩＷＵ６３６およびＩＷＵ６３７は、受け取ったセルのＶＣＩ／ＶＰＩ情報を書き替えることで、ＡＴＭコネクションのリレーイングを行う。ＡＴＭコネクション６４５の終端点であるＣＬＳＦ−Ｉ６３Ｊでは、ネットワークレイヤの処理が行われる。ＣＬＳＦ−Ｉ６３Ｊはネットワークアドレスの解析を行い、データグラムをＡＴＭコネクション６４６にリレーイングして、端末６３Ｂに転送する。
【０５５２】
このように、ＡＴＭコネクションは端末６３ＡからＣＬＳＦ−Ｏ６３Ｍと、ＣＬＳＦ−Ｏ６３ＭからＣＬＳＦ−Ｉ６３Ｊ、およびＣＬＳＦ−Ｉ６３Ｊと端末６３Ｂの３つであり、ＡＴＭコネクションは２度終端される。
【０５５３】
（実施形態５−４）ＶＰＩルーティングのＡＴＭネットワークを用いた場合−その２。
【０５５４】
本実施形態においてＡＲＳ間で設定されるＡＴＭコネクションの実現方法は、上述した方法の場合と等しいので、ここでは説明を省略する。
【０５５５】
図６３または図６８を参照して、端末６３Ａから端末６３Ｂ，公衆網６３５，端末６３Ｃへデータグラムを転送するために必要なＡＴＭコネクションの設定について、４つの方法を説明する。
【０５５６】
ＡＴＭコネクション設定方法（１）
まず、端末６３Ａから端末６３Ｃへのデータグラムの転送を説明する。３つのＡＴＭコネクション、すなわち（１）  端末６３ＡからＣＬＳＦ−Ｏ６３Ｍへのコネクション６９１、（２）  ＣＬＳＦ−Ｏ６３ＭからＣＬＳＦ−Ｉ６３Ｌへのコネクション６９２，６９３、（３）  ＣＬＳＦ−Ｉ６３Ｌから端末６３Ｃへのコネクション６９４が形成される。端末６３ＡはＶＰＩ−Ｆ＝ＶＰＩ６３Ｍ  を持ったセルを転送する。なお、ＶＣＩ−Ｆ１は端末６３ＡのアクセスアドレスであるＶＰＩ６３Ａ  である。ＣＬＳＦ−Ｏ６３Ｍは、ＩＷＵ６３６へ次のようなセルを転送する。ＶＰＩ−ＦはＩＷＵ６３６のアクセスアドレスであるＶＰＩ６３６−２  、ＶＣＩ−Ｆ１はＣＬＳＦ−Ｏ６３ＭのアクセスアドレスであるＶＰＩ６３Ｍ  、ＶＣＩ−Ｆ２はコネクション６９２の設定時に設定された値をそれぞれ持つ。ＩＷＵ６３６で受信されたセルのＶＣＩが解析され、対応するＶＰＩ−ＦおよびＶＣＩ−Ｆ２が解析される。ＶＣＩ−Ｆ１は、ＩＷＵ６３６のネットワーク６３１にとってのアクセスアドレスであるＶＰＩ６３６−１  が書き込まれる。なお、ＶＣＩ−Ｆ２はコネクション６９３が設定される時に決められる値であり、ＩＷＵ６３６が受信したセルのＶＣＩ−Ｆ１の値、すなわちＣＬＳＦ−Ｏ６３ＭのアクセスアドレスであるＶＰＩ６３Ｍ  をコピーして書くことも可能である。ＣＬＳＦ−Ｉ６３Ｌに到着したデータグラムは一旦セルリアセンブリが行われ、ＡＴＭコネクションが終端される。ＣＬＳＦ−Ｉ６３Ｌは上位レイヤのアドレス情報を解析し、データグラムの宛先が端末６３Ｃであることを認識する。そこで、ＣＬＳＦ−Ｉ６３Ｌは次のようなセルを生成し、データグラムを端末６３Ｃへ転送する。
【０５５７】
ＶＰＩ−Ｆは端末６３ＣのアクセスアドレスであるＶＰＩ６３Ｃ  、ＶＣＩ−Ｆ１はＣＬＳＦ−Ｉ６３ＬのアクセスアドレスであるＶＰＩ６３Ｌ  、ＶＣＩ−Ｆ２はコネクション６９４に割り当てられた識別番号である。なお、端末６３ＣはＶＣＩ−Ｆ１とＶＣＩ−Ｆ２とからセルの所属するデータグラムを一意に識別することができる。すなわち、データグラムのリアセンブリができる。
【０５５８】
次に、端末６３Ａから公衆網６３５へのデータグラムの転送を説明する。２つのＡＴＭコネクション６９１と、６９２，６９５，６９６から形成される。端末６３ＡはＶＰＩ−Ｆ＝ＶＰＩ６３Ｍ  を持ったセルを転送する。ＣＬＳＦ−Ｏ６３Ｍは、ＩＷＵ６３６へ次のようなセルを転送する。ＶＰＩ−ＦはＶＰＩ６３６−２  、ＶＣＩ−Ｆ１はＶＰＩ６３Ｍ  、ＶＣＩ−Ｆ２はコネクション６９２の設定時に設定された値を持つ。ＩＷＵ６３６で受信されたセルのＶＣＩが解析され、対応するＶＰＩ−ＦおよびＶＣＩ−Ｆ２が解析される。ＶＣＩ−Ｆ１は、ＩＷＵ６３６のネットワーク６３１にとってのアクセスアドレスであるＶＰＩ６３６−１  が書き込まれる。なお、ＶＣＩ−Ｆ２はコネクション６９５が設定される時に決められる値であり、ＩＷＵ６３６が受信したセルのＶＣＩ−Ｆ１の値、すなわちＣＬＳＦ−Ｏ６３ＭのアクセスアドレスであるＶＰＩ６３Ｍ  をコピーして書くことも可能である。ＩＷＵ６３９は、受信したセルのＶＣＩ情報から公衆網６３５で定義されているＡＴＭコネクション６９６にアサインされているＶＣＩ／ＶＰＩを書き込み、セルを公衆網６３５へ転送する。
【０５５９】
最後に、端末６３Ａから６３Ｂへのデータグラムの転送を説明する。３つのＡＴＭコネクション、すなわち（１）  端末６３ＡからＣＬＳＦ−Ｏ６３Ｍへのコネクション６９１、（２）  ＣＬＳＦ−Ｏ６３ＭからＣＬＳＦ−Ｉ６３Ｊへのコネクション６９２，６９７，６９８、（３）  ＣＬＳＦ−Ｉ６３Ｊから６３Ｂへのコネクション６９９である。端末６３ＡはＶＰＩ−Ｆ＝ＶＰＩ６３Ｍ  を持ったセルを転送する。ＣＬＳＦ−Ｏ６３Ｍは、ＩＷＵ６３６へ次のようなセルを転送する。ＶＰＩ−ＦはＩＷＵ６３６のアクセスアドレスであるＶＰＩ６３６−２  、ＶＣＩ−Ｆ１はＣＬＳＦ−Ｏ６３ＭのアクセスアドレスであるＶＰＩ６３Ｍ  、ＶＣＩ−Ｆ２はコネクション６９２の設定時に設定された値をそれぞれ持つ。ＩＷＵ６３６で受信されたセルのＶＣＩが解析され、対応するＶＰＩ−ＦおよびＶＣＩ−Ｆ２が解析される。ＶＣＩ−Ｆ１は、ＩＷＵ６３６のネットワーク６３１にとってのアクセスアドレスであるＶＰＩ６３６−１  が書き込まれる。なお、ＶＣＩ−Ｆ２はコネクション６９７が設定される時に決められる値であり、ＩＷＵ６３６が受信したセルのＶＣＩ−Ｆ１の値、すなわちＣＬＳＦ−Ｏ６３ＭのアクセスアドレスであるＶＰＩ６３Ｍ  をコピーして書くことも可能である。
【０５６０】
次に、ＩＷＵ６３７で受信されたセルのＶＣＩが解析され、対応するＶＰＩ−Ｆ，ＶＣＩ−Ｆ１およびＶＣＩ−Ｆ２が解析される。ＶＣＩ／ＶＰＩは、ＣＬＳＦ−Ｉ６３Ｊがネットワーク内の全ての端末・サーバ（ＣＬＳＦなど）、すなわちデータグラムをＣＬＳＦ−Ｉ６３Ｊに転送可能な端末からのセルが同時に到着しても識別可能であるように割り振られる必要がある。
【０５６１】
ＣＬＳＦ−Ｉ６３Ｊに到着したデータグラムは一旦セルリアセンブリが行われ、ＡＴＭコネクションが終端される。ＣＬＳＦ−Ｉ６３Ｊは上位レイヤのアドレス情報を解析し、データグラムの宛先が端末６３Ｂであることを認識する。そこで、ＣＬＳＦ−Ｉ６３Ｊは次のようなセルを生成し、データグラムを端末６３Ｂへ転送する。ＶＰＩ−Ｆは端末６３ＢのアクセスアドレスであるＶＰＩ６３Ｂ  、ＶＣＩ−Ｆ１はＣＬＳＦ−Ｉ６３ＪのアクセスアドレスであるＶＰＩ６３Ｊ  、ＶＣＩ−Ｆ２はコネクション６９９に割り当てられた識別番号である。なお、端末６３ＢはＶＣＩ−Ｆ１とＶＣＩ−Ｆ２とからセルの所属するデータグラムを一意に識別することができる。すなわち、データグラムのリアセンブリができる。
【０５６２】
ＡＴＭコネクション方法（２）
ＣＬＳＦ−Ｏでは、データグラムのリアセンブリは行うが、アドレスのレゾリューションは各端末が行う。レゾリューションされた目的ネットワークのアドレス情報を端末からＣＬＳＦ−Ｏへ転送されるセルのＶＣＩ−Ｆ１に書き込む。ＣＬＳＦ−Ｏからのセルの転送（データグラムの転送）は、パイプライン的に実行することはできない。しかし、ＣＬＳＦ−Ｏでは受信データグラム内のアドレス情報から、宛先端末の属するネットワークのアドレスのレゾリューションは行う必要がない。
【０５６３】
各ＩＷＵ、ＣＬＳＦ−ＯおよびＣＬＳＦ−Ｉは、全てＶＰＩアドレスを獲得しており、そのＶＰＩで識別されるコネクションは全てデータグラム通信（コネクションレス通信）に関するセルの転送に用いられるＡＴＭコネクションであるように構成する。すなわち、ＣＬＳＦサーバおよびＩＷＵは、自分自身が他の端末／サーバとの通信を行うために、ＡＴＭコネクション（コネクションレスのコネクションではない）を必要とする。つまり、ＣＬＳＦおよびＩＷＵは少なくとも２つ以上のアクセスアドレス（ＶＰＩ）をブート時に獲得する必要がある。
【０５６４】
この時に、コネクションレス通信に関するセルのＶＣＩフィールドのコーディング方法として、以下のような方法を用いる。ＶＣＩフィールドは、８ビットの２つのサブフィールド（ＶＣＩ−Ｆ１とＶＣＩ−Ｆ２：フィールドの定義位置については言及しない）とする。
【０５６５】
本実施形態における外部サブネットワーク内で転送されるセルのコーディング手法について説明する。これは、端末が属するサブネットワークからＩＷＵを介して外部のサブネットワークにセルが転送されるときのＶＣＩフィールドのコーディングである。ＶＣＩ−Ｆ１には送信元の端末が属するサブネットワークの識別番号が書き込まれ、ＶＣＩ−Ｆ２には送信元端末のサブネットワーク内での識別番号が書き込まれる。例えば、サブネットワークの識別番号としてネットワーク６３１における各ＩＷＵのアクセスアドレス（ＶＰＩ）をサブネットワークの識別アドレスとすることも可能である（ネットワーク６３１自身は適当にコーディングする）。また、端末の識別番号としては各サブネットワークにおける端末のアクセスアドレス（ＶＰＩ）とすることも可能である。例えば、端末６３Ｂから出されるコネクションレス通信のセルのＶＣＩフールドは、ＶＣＩ−Ｆ１＝ＶＰＩ６３７−１  、ＶＣＩ−Ｆ２＝ＶＰＩ６３Ｂ  とすることができる。
【０５６６】
（ＣＬＳＦ−ＯからＩＷＵへのセル）
ＶＣＩ−Ｆ１には送信元端末の属するサブネットワークの識別番号が書き込まれ、ＶＣＩ−Ｆ２にはＣＬＳＦ−Ｏのサブネットワーク内での識別番号が書き込まれる。例えば、ＣＬＳＦ−Ｏ６３Ｍから出されるコネクションレス通信のセルのＶＣＩ−Ｆ２フィールドは、ＶＰＩ６３Ｍ  とすることができる。
【０５６７】
（端末からＣＬＳＦ−Ｏへのセル）
ＶＣＩ−Ｆ１には宛先端末の属するサブネットワークの識別番号が書き込まれ、ＶＣＩ−Ｆ２には送信元端末のサブネットワーク内での識別番号が書き込まれる。例えば、端末６３Ｂから出されるコネクションレス通信のセルのＶＣＩ−Ｆ２フィールドは、ＶＰＩ６３Ｂ  とすることができる。
【０５６８】
以上のような構成とすることで、端末はデータグラムの転送に先立って行うアドレスレゾリューション手続きにおいて、宛先端末が属するサブネットワークの識別番号を獲得しさえすれば、データグラム（複数あるいは１つのセル）を以下のように転送することができる。
【０５６９】
まず、端末６３Ａから端末６３Ｃへのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１はネットワーク６３１の識別番号（例えばＣＬＳＦ−Ｉ６３ＬのアクセスアドレスであるＶＰＩ６３Ｌ  を用いることも可能）、ＶＣＩ−Ｆ２は端末６３ＡのアクセスアドレスであるＶＰＩ６３Ａ  に設定する。
【０５７０】
ＣＬＳＦ−Ｏ６３Ｍは、ＩＷＵ６３６へ次のようなセルを転送する。ＶＰＩ−Ｆは、ＩＷＵ６３６のアクセスアドレスであるＶＰＩ６３６−２  に設定する。ＶＣＩ−Ｆ１は、受信セルのＶＣＩ−Ｆ１をそのままコピーすることができ、ネットワーク６３１の識別番号（例えばＣＬＳＦ−Ｉ６３ＬのアクセスアドレスであるＶＰＩ６３Ｌ  を用いることも可能）に設定される。ＶＣＩ−Ｆ２は、ＣＬＳＦ−Ｏ６３ＭのアクセスアドレスであるＶＰＩ６３Ｍ  に設定する。
【０５７１】
ＩＷＵ６３６で受信されたセルのＶＣＩが解析され、対応するＶＰＩ−ＦおよびＶＣＩ−Ｆ２が解析される。例えば、ＶＣＩ−Ｆ１にＣＬＳＦ−Ｉ６３ＬのアクセスアドレスＶＰＩ６３Ｌ  が書き込まれている実施形態の場合には、出力するセルのＶＰＩ−Ｆは、受信したセルのＶＣＩ−Ｆ１情報であるＶＰＩ６３Ｌ  をコピーすることで実現できる。ＶＣＩ−Ｆ１には、ＩＷＵ６３６のネットワーク６３１にとってのアクセスアドレスであるＶＰＩ６３６−１  が書き込まれる。ＶＣＩ−Ｆ２はトランスペアレントに設定することができる。すなわち、例えばＣＬＳＦ−Ｏ６３Ｍから転送されるセルのＶＣＩ−Ｆ１にＣＬＳＦ−Ｉ６３ＬのアクセスアドレスＶＰＩ６３Ｌ  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１には、ＩＷＵのアクセスアドレスであるＶＰＩ６３６−１  を書き込むという手順により、セルのリレーイングが実現される。
【０５７２】
ＣＬＳＦ−Ｉ６３Ｌに到着したデータグラムは一旦セルリアセンブリが行われ、ＡＴＭコネクションが終端される。ＣＬＳＦ−Ｉ６３Ｌは上位レイヤのアドレス情報を解析し、データグラムの宛先が端末６３Ｃであることを認識する。そこで、ＣＬＳＦ−Ｉ６３ＬはＶＰＩ−Ｆが端末６３ＣのアクセスアドレスであるＶＰＩ６３Ｃ  であるようなセルを生成し、データグラムを端末６３Ｃへ転送する。なお、端末６３ＣはＶＣＩ−Ｆ１とＶＣＩ−Ｆ２とから、セルの所属するデータグラムを一意に識別することができる。すなわち、データグラムのリアセンブリができる。
【０５７３】
次に、端末６３Ａから公衆網６３５へのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１はネットワーク６３５の識別番号（例えばＩＷＵ６３９のアクセスアドレスであるＶＰＩ６３９  を用いることも可能）、ＶＣＩ−Ｆ２は端末６３ＡのアクセスアドレスであるＶＰＩ６３Ａ  に設定する。
【０５７４】
ＣＬＳＦ−Ｏ６３Ｍは、ＩＷＵ６３６へ次のようなセルを転送する。ＶＰＩ−Ｆは、ＩＷＵ６３６のアクセスアドレスであるＶＰＩ６３６−２  に設定する。ＶＣＩ−Ｆ１は、受信セルのＶＣＩ−Ｆ１をそのままコピーすることができ、公衆網６３５の識別番号（例えばＩＷＵ６３９のアクセスアドレスであるＶＰＩ６３９  を用いることも可能）に設定される。ＶＣＩ−Ｆ２は、ＣＬＳＦ−Ｏ６３ＭのアクセスアドレスであるＶＰＩ６３Ｍ  に設定する。
【０５７５】
ＩＷＵ６３６で受信されたセルのＶＣＩが解析され、対応するＶＰＩ−ＦおよびＶＣＩ−Ｆ２が解析される。例えば、ＶＣＩ−Ｆ１にＩＷＵ６３９のアクセスアドレスＶＰＩ６３９  が書き込まれている実施形態の場合には、出力するセルのＶＰＩ−Ｆは、受信したセルのＶＣＩ−Ｆ１情報であるＩＷＵ６３９をコピーすることで実現できる。ＶＣＩ−Ｆ１には、ＩＷＵ６３６のネットワーク６３１にとってのアクセスアドレスであるＶＰＩ６３６−１  が書き込まれる。ＶＣＩ−Ｆ２は、トランスペアレントに設定することができる。すなわち、例えば、ＣＬＳＦ−Ｏ６３Ｍから転送されるセルのＶＣＩ−Ｆ１にＩＷＵ６３９のアクセスアドレスＶＰＩ６３９  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１にはＩＷＵのアクセスアドレスであるＶＰＩ６３６−１  を書き込むという手順により、セルのリレーイングが実現される。ＩＷＵ６３９は、受信したセルのＶＣＩ情報から公衆網６３５で定義されているＡＴＭコネクション６９６にアサインされているＶＣＩ／ＶＰＩを書き込み、セルを公衆網６３５へ転送する。
【０５７６】
最後に、端末６３Ａから端末６３Ｂへのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１はネットワーク６３３の識別番号（例えばＣＬＳＦ−Ｉ６３ＪのアクセスアドレスであるＶＰＩ６３Ｊ  やＩＷＵ６３７のアクセスアドレスであるＶＰＩ６３７  を用いることも可能）、ＶＣＩ−Ｆ２は端末６３ＡのアクセスアドレスであるＶＰＩ６３Ａ  に設定する。
【０５７７】
ＣＬＳＦ−Ｏ６３Ｍは、ＩＷＵ６３６へ次のようなセルを転送する。ＶＰＩ−Ｆは、ＩＷＵ６３６のアクセスアドレスであるＶＰＩ６３６−２  に設定する。ＶＣＩ−Ｆ１は受信セルのＶＣＩ−Ｆ１をそのままコピーすることができ、ネットワーク６３３の識別番号（例えばＩＷＵ６３７のアクセスアドレスであるＶＰＩ６３７−１  を用いることも可能）に設定される。ＶＣＩ−Ｆ２は、ＣＬＳＦ−Ｏ６３ＭのアクセスアドレスであるＶＰＩ６３Ｍ  に設定する。ＩＷＵ６３６で受信されたセルのＶＣＩが解析され、対応するＶＰＩ−ＦおよびＶＣＩ−Ｆ２が解析される。例えば、ＶＣＩ−Ｆ１にＩＷＵ６３７のアクセスアドレスＶＰＩ６３７−１  が書き込まれている実施形態の場合には、出力するセルのＶＰＩ−Ｆは受信したセルのＶＣＩ−Ｆ１情報であるＶＰＩ６３７−１  をコピーすることで実現できる。ＶＣＩ−Ｆ１は、ＩＷＵ６３６のネットワーク６３１にとってのアクセスアドレスであるＶＰＩ６３６−１  が書き込まれる。ＶＣＩ−Ｆ２は、トランスペアレントに設定することができる。すなわち、例えばＣＬＳＦ−Ｏ６３Ｍから転送されるセルのＶＣＩ−Ｆ１にＩＷＵ６３７のアクセスアドレスＶＰＩ６３７−１  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１にはＩＷＵのアクセスアドレスであるＶＰＩ６３６−１  を書き込むという手順により、セルのリレーイングが実現される。
【０５７８】
次に、ＩＷＵ６３７で受信されたセルのＶＣＩが解析され、対応するＶＰＩ−Ｆ，ＶＣＩ−Ｆ１およびＶＣＩ−Ｆ２が解析される。ＩＷＵ６３７からＣＬＳＦ−Ｉ６３Ｊへ転送されるセルのＶＣＩフィールドは、受信したセルのＶＣＩフィールド情報をトランスペアレントに設定することが可能である。すなわち、ＶＣＩ−Ｆ１＝ＶＰＩ６３６−１  、ＶＣＩ−Ｆ２＝ＶＰＩ６３Ｍ  とすることができる。なお、ＶＰＩ−ＦはＣＬＳＦ−Ｉ６３ＪのアクセスアドレスであるＶＰＩ６３Ｊ  が設定される。ＣＬＳＦ−Ｉ６３Ｊに到着したデータグラムは一旦セルリアセンブリが行われ、ＡＴＭコネクションが終端される。ＣＬＳＦ−Ｉ６３Ｊは上位レイヤのアドレス情報を解析し、データグラムの宛先が端末６３Ｂであることを認識する。ＣＬＳＦ−Ｉ６３Ｊは、ＶＰＩ−Ｆが端末６３ＢのアクセスアドレスであるＶＰＩ６３Ｂ  であるようなセルを生成し、データグラムを端末６３Ｂへ転送する。なお、端末６３ＢはＶＣＩ−Ｆ１とＶＣＩ−Ｆ２とから、セルの所属するデータグラムを一意に識別することができる。すなわち、データグラムのリアセンブリができる。
【０５７９】
ＡＴＭコネクション設定方法（３）
先の方法（２）において、データグラムの属するセルをパイプライン的に転送する方法である。ＣＬＳＦ−Ｏでは、データグラムのリアセンブリは行うが、アドレスのレゾリューションは各端末が行い、ＣＬＳＦ−Ｏでは受信データグラム内のアドレス情報から、宛先端末の属するネットワークのアドレスのレゾリューションは行う必要がない。レゾリューションされた目的ネットワークのアドレス情報を端末からＣＬＳＦ−Ｏへ転送されるセルのＶＣＩ−Ｆ１に書き込む。
【０５８０】
この時、コネクションレス通信に関するセルのＶＣＩフィールドのコーディング方法として、以下のような方法を用いる。
【０５８１】
（外部サブネットワーク内−方法２に同じ）
ＶＣＩ−Ｆ１には送信元端末が属するするサブネットワークの識別番号が書き込まれ、ＶＣＩ−Ｆ２には送信元端末のサブネットワーク内での識別番号が書き込まれる。
【０５８２】
（ＣＬＳＦ−ＯからＩＷＵへのセル）
ＶＣＩ−Ｆ１には宛先端末の属するサブネットワークの識別番号が書き込まれ、ＶＣＩ−Ｆ２には送信元端末のサブネットワーク内での識別番号が書き込まれる。例えば、端末６３Ａから出力されたデータグラムに関するセルは、ＶＣＩ−Ｆ２フィールドは、ＶＰＩ６３Ａ  とすることができる。
【０５８３】
（端末からＣＬＳＦ−Ｏへのセル−方法２に同じ）
ＶＣＩ−Ｆ１には宛先端末の属するサブネットワークの識別番号が書き込まれ、ＶＣＩ−Ｆ２には送信元端末の属するサブネットワーク内での識別番号が書き込まれる。
【０５８４】
まず、端末６３Ａから端末６３Ｃへのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１はネットワーク６３１の識別番号（例えばＣＬＳＦ−Ｉ６３ＬのアクセスアドレスであるＶＰＩ６３Ｌ  を用いることも可能である）、ＶＣＩ−Ｆ２は端末６３ＡのアクセスアドレスであるＶＰＩ６３Ａ  に設定する。
【０５８５】
ＣＬＳＦ−Ｏ６３Ｍは、ＩＷＵ６３６へ次のようなセルを転送する。ＶＰＩ−Ｆは、ＩＷＵ６３６のアクセスアドレスであるＶＰＩ６３６−２  に設定される。ＶＣＩ−Ｆ１およびＶＣＩ−Ｆ２は受信セルの情報をそのままコピーすることが可能である。従って、ＶＣＩ−Ｆ１はネットワーク６３１の識別番号（例えばＣＬＳＦ−Ｉ６３ＬのアクセスアドレスであるＶＰＩ６３Ｌ  を用いることも可能）に、ＶＣＩ−Ｆ２は端末６３ＡのアクセスアドレスであるＶＰＩ６３Ａ  にそれぞれ設定する。このときには、ＣＬＳＦ−Ｏ６３Ｍにおいて一旦データグラムのリアセンブリングを行うことなく、パイプライン的にセルを順次ＩＷＵ６３６へ転送することができる。
【０５８６】
ＩＷＵ６３６で受信されたセルのＶＣＩが解析され、対応するＶＰＩ−ＦおよびＶＣＩ−Ｆ２が解析される。例えば、ＶＣＩ−Ｆ１にＣＬＳＦ−Ｉ６３ＬのアクセスアドレスＶＰＩ６３Ｌ  が書き込まれている実施形態の場合には、出力するセルのＶＰＩ−Ｆは、受信したセルのＶＣＩ−Ｆ１情報であるＶＰＩ６３Ｌ  をコピーすることで実現できる。ＶＣＩ−Ｆ１には、ＩＷＵ６３６のネットワーク６３１にとってのアクセスアドレスであるＶＰＩ６３６−１  が書き込まれる。ＶＣＩ−Ｆ２はトランスペアレントに設定することができる。すなわち、例えばＣＬＳＦ−Ｏ６３Ｍから転送されるセルのＶＣＩ−Ｆ１にＣＬＳＦ−Ｉ６３ＬのアクセスアドレスＶＰＩ６３Ｌ  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１にはＩＷＵのアクセスアドレスであるＶＰＩ６３６−１  を書き込むという手順により、セルのリレーイングが実現される。
【０５８７】
ＣＬＳＦ−Ｉ６３Ｌに到着したデータグラムは一旦セルリアセンブリが行われ、ＡＴＭコネクションが終端される。ＣＬＳＦ−Ｉ６３Ｌは上位レイヤのアドレス情報を解析し、データグラムの宛先が端末６３Ｃであることを認識する。そこで、ＣＬＳＦ−Ｉ６３ＬはＶＰＩ−Ｆが端末６３ＣのアクセスアドレスであるＶＰＩ６３Ｃ  であるようなセルを生成し、データグラムを端末６３Ｃへ転送する。なお、端末６３ＣはＶＣＩ−Ｆ１とＶＣＩ−Ｆ２とから、セルの所属するデータグラムを一意に識別することができる。すなわち、データグラムのリアセンブリができる。
【０５８８】
次に、端末６３Ａから公衆網６３５へのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１は公衆網６３５の識別番号（例えばＩＷＵ６３９のアクセスアドレスであるＶＰＩ６３９  を用いることも可能）、ＶＣＩ−Ｆ２は端末６３ＡのアクセスアドレスであるＶＰＩ６３Ａ  に設定する。
【０５８９】
ＣＬＳＦ−Ｏ６３Ｍは、ＩＷＵ６３６へ次のようなセルを転送する。ＶＰＩ−Ｆは、ＩＷＵ６３６のアクセスアドレスであるＶＰＩ６３６−２  に設定される。ＶＣＩ−Ｆ１およびＶＣＩ−Ｆ２は受信セルの情報をそのままコピーすることが可能である。従って、ＶＣＩ−Ｆ１は公衆網６３５の識別番号（例えばＩＷＵ６３９のアクセスアドレスであるＶＰＩ６３９  を用いることも可能）に、ＶＣＩ−Ｆ２は端末６３ＡのアクセスアドレスであるＶＰＩ６３Ａ  に設定する。このときには、ＣＬＳＦ−Ｏ６３Ｍにおいて、一旦データグラムのリアセンブリングを行うことなく、パイプライン的にセルを順次ＩＷＵ６３６へ転送することができる。
【０５９０】
ＩＷＵ６３６で受信されたセルのＶＣＩが解析され、対応するＶＰＩ−ＦおよびＶＣＩ−Ｆ２が解析される。例えば、ＶＣＩ−Ｆ１にＩＷＵ６３９のアクセスアドレスＶＰＩ６３９  が書き込まれている実施形態の場合には、出力するセルのＶＰＩ−Ｆは、受信したセルのＶＣＩ−Ｆ１情報であるＩＷＵ６３９をコピーすることで、実現できる。ＶＣＩ−Ｆ１には、ＩＷＵ６３６のネットワーク６３１にとってのアクセスアドレスであるＶＰＩ６３６−１  が書き込まれる。ＶＣＩ−Ｆ２は、トランスペアレントに設定することができる。すなわち、例えばＣＬＳＦ−Ｏ６３Ｍから転送されるセルのＶＣＩ−Ｆ１にＩＷＵ６３９のアクセスアドレスＶＰＩ６３９  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１には、ＩＷＵのアクセスアドレスであるＶＰＩ６３６−１  を書き込むという手順により、セルのリレーイングが実現される。
【０５９１】
ＩＷＵ６３９は、受信したセルのＶＣＩ情報から、公衆網６３５で定義されているＡＴＭコネクション６９６にアサインされているＶＣＩ／ＶＰＩを書き込み、セルを公衆網６３５へ転送する。
【０５９２】
最後に、端末６３Ａから端末６３Ｂへのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１はネットワーク６３３の識別番号（例えばＣＬＳＦ−Ｉ６３ＪのアクセスアドレスであるＶＰＩ６３Ｊ  を用いることも可能）、ＶＣＩ−Ｆ２は端末６３ＡのアクセスアドレスであるＶＰＩ６３Ａ  に設定する。
【０５９３】
ＣＬＳＦ−Ｏ６３Ｍは、ＩＷＵ６３６へ次のようなセルを転送する。ＶＰＩ−Ｆは、ＩＷＵ６３６のアクセスアドレスであるＶＰＩ６３６−２  に設定される。ＶＣＩ−Ｆ１およびＶＣＩ−Ｆ２は受信セルの情報をそのままコピーすることが可能である。従って、ＶＣＩ−Ｆ１はネットワーク６３３の識別番号（例えばＩＷＵ６３７のアクセスアドレスであるＶＰＩ６３７−１  を用いることも可能）に、ＶＣＩ−Ｆ２は端末６３ＡのアクセスアドレスであるＶＰＩ６３Ａ  に設定する。この時には、ＣＬＳＦ−Ｏ６３Ｍにおいて、一旦データグラムのリアセンブリングを行うことなく、パイプライン的にセルを順次ＩＷＵ６３６へ転送することができる。
ＩＷＵ６３６で受信されたセルのＶＣＩが解析され、対応するＶＰＩ−ＦおよびＶＣＩ−Ｆ２が解析される。例えば、ＶＣＩ−Ｆ１にＩＷＵ６３７のアクセスアドレスＶＰＩ６３７−１  が書き込まれている実施形態の場合には、出力するセルのＶＰＩ−Ｆは、受信したセルのＶＣＩ−Ｆ１情報であるＶＰＩ６３７−１  をコピーすることで実現できる。ＶＣＩ−Ｆ１は、ＩＷＵ６３６のネットワーク６３１にとってのアクセスアドレスであるＶＰＩ６３６−１  が書き込まれる。ＶＣＩ−Ｆ２は、トランスペアレントに設定することができる。すなわち、例えばＣＬＳＦ−Ｏ６３Ｍから転送されるセルのＶＣＩ−Ｆ１にＩＷＵ６３７のアクセスアドレスＶＰＩ６３７−１  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１には、ＩＷＵのアクセスアドレスであるＶＰＩ６３６−１  を書き込むという手順により、セルのリレーイングが実現される。
【０５９４】
次に、ＩＷＵ６３７で受信されたセルのＶＣＩが解析され、対応するＶＰＩ−Ｆ，ＶＣＩ−Ｆ１およびＶＣＩ−Ｆ２が解析される。ＩＷＵ６３７からＣＬＳＦ−Ｉ６３Ｊへ転送されるセルのＶＣＩフィールドは、受信したセルのＶＣＩフィールド情報をトランスペアレントに設定することが可能である。すなわち、ＶＣＩ−Ｆ１＝ＶＰＩ６３６−１  、ＶＣＩ−Ｆ２＝ＶＰＩ６３Ｍ  とすることができる。なお、ＶＰＩ−Ｆは、ＣＬＳＦ−Ｉ６３ＪのアクセスアドレスであるＶＰＩ６３Ｊ  が設定される。
【０５９５】
ＣＬＳＦ−Ｉ６３Ｊに到着したデータグラムは一旦セルリアセンブリが行われ、ＡＴＭコネクションが終端される。ＣＬＳＦ−Ｉ６３Ｊは上位レイヤのアドレス情報を解析し、データグラムの宛先が端末６３Ｂであることを認識する。ＣＬＳＦ−Ｉ６３ＪはＶＰＩ−Ｆが端末６３ＢのアクセスアドレスであるＶＰＩ６３Ｂ  であるようなセルを生成し、データグラムを端末６３Ｂへ転送する。なお、端末６３ＢはＶＣＩ−Ｆ１とＶＣＩ−Ｆ２とからセルの所属するデータグラムを一意に識別することができる。すなわち、データグラムのリアセンブリができる。
【０５９６】
ＡＴＭコネクション設定方法（４）
これは方法（２）において異なるサブネットワークへのデータグラム転送をパイプライン的に行う場合の例である。同じサブネットワークに属する端末から、同一のサブネットワーク内の端末へのデータグラム転送は、パイプライン的には行うことができないが、宛先のサブネットワークが異なればパイプライン転送が可能である。この場合、ＣＬＳＦ−Ｏはある程度のバッファスペースを持っている必要がある。
【０５９７】
ＣＬＳＦ−Ｏはデータグラムのリアセンブリは行うが、アドレスのレゾリューションは各端末が行うので、ＣＬＳＦ−Ｏでは受信データグラム内のアドレス情報から、宛先端末の存在するネットワークのアドレスのレゾリューションは行う必要がない。レゾリューションされた目的ネットワークのアドレス情報は、端末からＣＬＳＦ−Ｏへ転送されるセルのＶＣＩ−Ｆ１に書き込まれている。ＣＬＳＦ−Ｏでのデータグラムの転送手順を以下に説明する。
【０５９８】
ステップ１：端末からセルを受信（データグラムに関する先頭セル）する。
【０５９９】
ステップ２：ＶＣＩ−Ｆ１に書かれた目的サブネットワークアドレス情報を解析する。
【０６００】
ステップ３：解析したサブネットワークに対して現在データグラム転送を行っているものがないかを検査する。
【０６０１】
ステップ４：ＣＬＳＦ−Ｏはデータグラムの転送の終了をＡＴＭレイヤ以上の識別コード（例えば、ＡＡＬ５であればぺイロードタイプのコーディング）を用いて認識することができる。解析したサブネットワークに対して、他のデータグラム転送が行われていないときには、受信セルを目的のサブネットワークに向けてリレーイングする。受信セルは、ＣＬＳＦ−Ｏにおいて一旦リアセンブリされることなくリレーイングされる；パイプライン転送。
【０６０２】
ステップ５：一方、解析したサブネットワークに対して他のデータグラム転送が他の端末から行われている時には、受信したセルをそのデータグラム転送が終了するまで、バッファリングしておく必要がある。他のデータグラムの転送の終了が確認されると、バッファリングしておいたセルを順次転送する。このとき、バッファリングされるセル（データグラム）はリアセンブリされる必要はないし、バッファリングされているセルの属するデータグラムの最後のセルが到着する前に、先頭のセルの転送が開始させることができる。また、適切なプロトコルをＣＬＳＦ−Ｏと端末との間で定義しておけば、バッファリングされたセルがバッファオーバーフローによって廃棄されないように、フロー制御を行うことも可能である。
【０６０３】
本実施形態では、コネクションレス通信に関するセルのＶＣＩフィールドのコーディング方法として、以下のような方法を用いる。
【０６０４】
（外部サブネットワーク内−方法２に同じ）
ＶＣＩ−Ｆ１には送信元端末が属するサブネットワークの識別番号が書き込まれ、ＶＣＩ−Ｆ２には送信元端末のサブネットワーク内での識別番号が書き込まれる。
【０６０５】
（ＣＬＳＦ−ＯからＩＷＵへのセル）
ＶＣＩ−Ｆ１には宛先の端末が属するサブネットワークの識別番号が書き込まれ、ＶＣＩ−Ｆ２には送信元ネットワークの識別番号が書き込まれる。例えば、端末６３Ａから出力されたデータグラムに関するセルは、ＶＣＩ−Ｆ２フィールドは、ＶＰＩ６３６−１  などとすることができる。
【０６０６】
（端末からＣＬＳＦ−Ｏへのセル−方法２に同じ）
ＶＣＩ−Ｆ１には宛先の端末が属するサブネットワークの識別番号が書き込まれ、ＶＣＩ−Ｆ２には送信元端末のサブネットワーク内での識別番号が書き込まれる。
【０６０７】
まず、端末６３Ａから端末６３Ｃへのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１はネットワーク６３１の識別番号（例えばＣＬＳＦ−Ｉ６３ＬのアクセスアドレスであるＶＰＩ６３Ｌ  を用いることも可能）、ＶＣＩ−Ｆ２は端末６３ＡのアクセスアドレスであるＶＰＩ６３Ａ  に設定する。
【０６０８】
ＣＬＳＦ−Ｏ６３Ｍは、サブネットワーク６３１へのデータグラム転送が他には行われていないときに、ＩＷＵ６３６へ次のようなセルを転送する。ＶＰＩ−Ｆは、ＩＷＵ６３６のアクセスアドレスであるＶＰＩ６３６−２  に設定される。ＶＣＩ−Ｆ１は受信セルの情報をそのままコピーすることが可能である。ＶＣＩ−Ｆ１はネットワーク６３１の識別番号（例えばＣＬＳＦ−Ｉ６３ＬのアクセスアドレスであるＶＰＩ６３Ｌ  を用いることも可能）に設定される。ＶＣＩ−Ｆ２は、例えばサブネットワーク６３２を表現する識別番号であるＶＰＩ６３６−１  （ＩＷＵ６３６のアクセスアドレス）とすることができる。ＶＣＩ−Ｆ２は自分のサブネットワークを識別するための識別子であればよい。このときＣＬＳＦ−Ｏ６３Ｍにおいて、一旦データグラムのリアセンブリングを行うことなく、パイプライン的にセルを順次ＩＷＵ６３６へ転送することができる。
【０６０９】
ＩＷＵ６３６で受信されたセルのＶＣＩが解析され、対応するＶＰＩ−ＦおよびＶＣＩ−Ｆ２が解析される。例えば、ＶＣＩ−Ｆ１にＣＬＳＦ−Ｉ６３ＬのアクセスアドレスＶＰＩ６３Ｌ  が書き込まれている実施形態の場合には、出力するセルのＶＰＩ−Ｆは受信したセルのＶＣＩ−Ｆ１情報であるＶＰＩ６３Ｌ  をコピーすることで実現できる。ＶＣＩ−Ｆ１には、ＩＷＵ６３６のネットワーク６３１にとってのアクセスアドレスであるＶＰＩ６３６−１  が書き込まれる。ＶＣＩ−Ｆ２はトランスペアレントに設定することができる。すなわち、例えばＣＬＳＦ−Ｏ６３Ｍから転送されるセルのＶＣＩ−Ｆ１にＣＬＳＦ−Ｉ６３ＬのアクセスアドレスＶＰＩ６３Ｌ  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１には、ＩＷＵのアクセスアドレスであるＶＰＩ６３６−１  を書き込むという手順によりセルのリレーイングが実現される。
【０６１０】
ＣＬＳＦ−Ｉ６３Ｌに到着したデータグラムは一旦セルリアセンブリが行われ、ＡＴＭコネクションが終端される。ＣＬＳＦ−Ｉ６３Ｌは上位レイヤのアドレス情報を解析し、データグラムの宛先が端末６３Ｃであることを認識する。そこで、ＣＬＳＦ−Ｉ６３ＬはＶＰＩ−Ｆが端末６３ＣのアクセスアドレスであるＶＰＩ６３Ｃ  であるようなセルを生成し、データグラムを端末６３Ｃへ転送する。なお、端末６３ＣはＶＣＩ−Ｆ１とＶＣＩ−Ｆ２とからセルの所属するデータグラムを一意に識別することができる（データグラムのリアセンブリができる）。
【０６１１】
次に、端末６３Ａから公衆網６３５へのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１は公衆網６３５の識別番号（例えばＩＷＵ６３９のアクセスアドレスであるＶＰＩ６３９  を用いることも可能）、ＶＣＩ−Ｆ２は端末６３ＡのアクセスアドレスであるＶＰＩ６３Ａ  に設定する。
【０６１２】
ＣＬＳＦ−Ｏ６３Ｍは、公衆網６３５へのデータグラム転送が他には行われていないときに、ＩＷＵ６３６へ次のようなセルを転送する。ＶＰＩ−Ｆは、ＩＷＵ６３６のアクセスアドレスであるＶＰＩ６３６−２  に設定される。ＶＣＩ−Ｆ１は受信セルの情報をそのままコピーすることが可能である。ＶＣＩ−Ｆ１は公衆網６３５の識別番号（例えばＩＷＵ６３９のアクセスアドレスであるＶＰＩ６３９  を用いることも可能）に設定される。ＶＣＩ−Ｆ２は、サブネットワーク６３２を表現する識別番号であるＶＰＩ６３６−１  （ＩＷＵ６３６のアクセスアドレス）とすることができる。ＶＣＩ−Ｆ２は自分のサブネットワークを識別するための識別子であればよい。このときには、ＣＬＳＦ−Ｏ６３Ｍにおいて一旦データグラムのリアセンブリングを行うことなく、パイプライン的にセルを順次ＩＷＵ６３６へ転送することができる。
【０６１３】
ＩＷＵ６３６で受信されたセルのＶＣＩが解析され、対応するＶＰＩ−ＦおよびＶＣＩ−Ｆ２が解析される。例えば、ＶＣＩ−Ｆ１にＩＷＵ６３９のアクセスアドレスＶＰＩ６３９  が書き込まれている実施形態の場合には、出力するセルのＶＰＩ−Ｆは、受信したセルのＶＣＩ−Ｆ１情報であるＶＰＩ６３９  をコピーすることで実現できる。ＶＣＩ−Ｆ１には、ＩＷＵ６３６のネットワーク６３１にとってのアクセスアドレスであるＶＰＩ６３６−１  が書き込まれる。ＶＣＩ−Ｆ２は、トランスペアレントに設定することができる。すなわち、例えばＣＬＳＦ６３Ｍから転送されるセルのＶＣＩ−Ｆ１にＩＷＵ６３９のアクセスアドレスＶＰＩ６３９  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１には、ＩＷＵのアクセスアドレスであるＶＰＩ６３６−１  を書き込むという手順によりセルのリレーイングが実現される。
【０６１４】
ＩＷＵ６３９は、受信したセルのＶＣＩ情報から公衆網６３５で定義されているＡＴＭコネクション６９６にアサインされているＶＣＩ／ＶＰＩを書き込み、セルを公衆網６３５へ転送する。
【０６１５】
最後に、端末６３Ａから端末６３Ｂへのデータグラムの転送を説明する。端末６３Ａは、ＣＬＳＦ−Ｏ６３Ｍへ次のようなセルを転送する。ＶＰＩ−ＦはＣＬＳＦ−Ｏ６３ＭのアクセスアドレスであるＶＰＩ６３Ｍ  、ＶＣＩ−Ｆ１はネットワーク６３３の識別番号（例えばＩＷＵ６３７のアクセスアドレスであるＶＰＩ６３７−１  を用いることも可能）、ＶＣＩ−Ｆ２は端末６３ＡのアクセスアドレスであるＶＰＩ６３Ａ  に設定する。
【０６１６】
ＣＬＳＦ−Ｏ６３Ｍは、サブネットワーク６３３へのデータグラム転送が他には行われていないときに、ＩＷＵ６３６へ次のようなセルを転送する。ＶＰＩ−Ｆは、ＩＷＵ６３６のアクセスアドレスであるＶＰＩ６３６−２  に設定される。ＶＣＩ−Ｆ１は受信セルの情報をそのままコピーすることが可能である。ＶＣＩ−Ｆ１はネットワーク６３３の識別番号（例えばＩＷＵ６３７のアクセスアドレスであるＶＰＩ６３７−１  を用いることも可能）に設定される。ＶＣＩ−Ｆ２は、サブネットワーク６３２を表現する識別番号であるＶＰＩ６３６−１  （ＩＷＵ６３６のアクセスアドレス）とすることができる。ＶＣＩ−Ｆ２は自分のサブネットワークを識別するための識別子であればよい。このときには、ＣＬＳＦ−Ｏ６３Ｍにおいて、一旦データグラムのリアセンブリングを行うことなく、パイプライン的にセルを順次ＩＷＵ６３６へ転送することができる。
【０６１７】
ＩＷＵ６３６で受信されたセルのＶＣＩが解析され、対応するＶＰＩ−ＦおよびＶＣＩ−Ｆ２が解析される。例えば、ＶＣＩ−Ｆ１にＩＷＵ６３７のアクセスアドレスＶＰＩ６３７−１  が書き込まれている実施形態の場合には、出力するセルのＶＰＩ−Ｆは受信したセルのＶＣＩ−Ｆ１情報であるＶＰＩ６３７−１  をコピーすることで実現できる。ＶＣＩ−Ｆ１は、ＩＷＵ６３６のネットワーク６３１にとってのアクセスアドレスであるＶＰＩ６３６−１  が書き込まれる。ＶＣＩ−Ｆ２は、トランスペアレントに設定することができる。すなわち、例えばＣＬＳＦ−Ｏ６３Ｍから転送されるセルのＶＣＩ−Ｆ１にＩＷＵ６３７のアクセスアドレスＶＰＩ６３７−１  が書き込まれている実施形態の場合には、（１）  受信セルのＶＣＩ−Ｆ１を送出セルのＶＰＩ−Ｆにコピーし、（２）  受信セルのＶＣＩ−Ｆ２を送出セルのＶＣＩ−Ｆ２にコピーし、（３）  送出セルのＶＣＩ−Ｆ１には、ＩＷＵのアクセスアドレスであるＶＰＩ６３６−１  を書き込むという手順によりセルのリレーイングが実現される。
【０６１８】
次に、ＩＷＵ６３７で受信されたセルのＶＣＩが解析され、対応するＶＰＩ−Ｆ，ＶＣＩ−Ｆ１およびＶＣＩ−Ｆ２が解析される。ＩＷＵ６３７からＣＬＳＦ−Ｉ６３Ｊへ転送されるセルのＶＣＩフィールドは、受信したセルのＶＣＩフィールド情報をトランスペアレントに設定することが可能である。すなわち、ＶＣＩ−Ｆ１＝ＶＰＩ６３７−１  、ＶＣＩ−Ｆ２＝ＶＰＩ６３６−１  とすることができる。なお、ＶＰＩ−Ｆは、ＣＬＳＦ−Ｉ６３ＪのアクセスアドレスであるＶＰＩ６３Ｊ  設定される。
【０６１９】
ＣＬＳＦ−Ｉ６３Ｊに到着したデータグラムは一旦セルリアセンブリが行われ、ＡＴＭコネクションが終端される。ＣＬＳＦ−Ｉ６３Ｊは上位レイヤのアドレス情報を解析し、データグラムの宛先が端末６３Ｂであることを認識する。ＣＬＳＦ−Ｉ６３Ｊは、ＶＰＩ−Ｆが端末６３ＢのアクセスアドレスであるＶＰＩ６３Ｂ  であるようなセルを生成し、データグラムを端末６３Ｂへ転送する。なお、端末６３ＢはＶＣＩ−Ｆ１とＶＣＩ−Ｆ２とからセルの所属するデータグラムを一意に識別することができる（データグラムのリアセンブリができる）。
【０６２０】
（第６の実施形態）
次に、水平型トポロジーのネットワーク構成に関する実施形態について説明する。図６９に、本実施形態のシステム構成を示す。同図に示すように、複数のサブネットワーク７０１〜７０６がＩＷＵを用いてインターネットワーキングされている。ＩＷＵは、ＡＴＭコネクションを終端することなくＡＴＭセルのリレーイングを実現することができる。すなわち、受信したセルのＶＣＩ／ＶＰＩを隣接するネットワークで対応するＡＴＭコネクションに割り当てられているＶＣＩ／ＶＰＩに変換する機能を持つ。
【０６２１】
各サブネットワーク７０１〜７０６間の接続線は、キャンパス内の接続線である場合もあるし、公衆網の専用回線／スイッチ回線である場合もある。また、図には公衆網７０７，７０８が示されているが、これは公衆網を介して定義されたネットワーク以外の端末やネットワークへのアクセスが可能であることを示している。すなわち、例えば一般の公衆網に接続された端末と通信する時には、公衆網７０７，７０８を通して行う。
【０６２２】
各サブネットワーク７０１〜７０６は、それぞれＣＬＳＦを持っており、コネクションレス通信の関係するセルのハンドリングを行うことができる。ＣＬＳＦの設定および動作と、端末間でコネクションレス通信が実現されるときの具体的な実施形態については、後述する。
【０６２３】
ネットワークの距離（ネットワーク内部の任意の点間を結ぶのに最高で幾つの中継点（サブネットワーク）を経由するかという指標）には、特に制限はない。先の実施形態で説明した２階層ネットワークでは、高々１つの中継サブネットワークを経由すると目的のサブネットワークに到達できるようなネットワークトポロジーとなっている。しかし、ここで取り扱うネットワークにおいては、このネットワークの距離に関する制約は基本的にはない。
【０６２４】
また、以下の実施形態ではアドレスレゾリューションの実現に関するＡＴＭコネクションの構成法については特には言及しない。アドレスレゾリューションの実現方法は、基本的には先の実施形態で説明した方式と同じである。すなわち、各アドレスレゾリューションサーバが対等な立場にあって、ネットワークのアドレス情報を解析する方法（図４９のようなイメージ）と、アドレスレゾリューションサーバが論理的なある階層構造（図５０のようなイメージ）を持っていて、アドレス情報の管理解析を行う方法である。また、アドレスレゾリューションサーバ間に設定されるＡＴＭコネクションであるが、これはフルメッシュ構成（図５９のような構成）から最小スパニングツリー構成（図５８のような構成）まで、任意の構成にすることが可能である。
【０６２５】
（実施形態６−１）一般のＡＴＭネットワークに適用した場合について。
【０６２６】
本実施形態におけるＡＴＭコネクションは、次の通りである。各サブネットワークに接続された端末から任意のサブネットワークに接続された端末へデータグラムを転送するために、各ＩＷＵから全てのサブネットワーク内に存在するＣＬＳＦに対してＡＴＭコネクションが設定されている。すなわち、ＩＷＵからＣＬＳＦへの（片方向ＡＴＭコネクション）ＡＴＭコネクションがフルメッシュ状に設定されている。なお、ＡＴＭコネクションの経路上に存在するＩＷＵ（中継ＩＷＵ）では、ＡＴＭヘッダ情報の書き替え（少なくともＶＣＩ／ＶＰＩ変換）が行われ、セルのリレーイングがＡＴＭレイヤの仕事として実行される。つまり、ＩＷＵの経由に際しては、原則としてＡＴＭコネクションは終端されない。
【０６２７】
なお、ＣＬＳＦが存在する位置はＩＷＵの位置に存在することも可能である。また、公衆網７０７および７０８から定義されたネットワークへデータグラムが転送されたときには、ＩＷＵ７０ＫおよびＩＷＵ７０Ｍにおいて、受信したセル（データグラムの属する）は公衆網のデータグラムコネクションを一旦終端するサーバに転送される。なお、このサーバはＩＷＵに存在することもできる。公衆網から転送されてきたデータグラムを終端したサーバは、定義されたネットワーク内の端末からのデータグラムの転送と同じで手順でそのデータグラムをリレーイングする。
【０６２８】
図８０に、公衆網７０７から端末７０Ａへデータグラムが転送される時のＡＴＭコネクションの構成を示した。公衆網７０７から転送されたデータグラムは、一旦ＣＬＳＦ−Ｐ８１１で終端され、その後ＣＬＳＦ７０１１を経て端末７０Ａへ転送される。ＡＴＭコネクションは、８１２，８１３および８１４の３つのコネクションである。
【０６２９】
（端末のプロトコル）
本実施形態における端末がコネクションレス通信のデータグラムを宛先端末に送信するための手続きは、次の通りである。
【０６３０】
（１）  端末は、アドレスのレゾリューション要求（ＡＲ要求）を出す。これは、端末が自分の能力でアドレスをレゾリューションできない場合（例えば、アドレスレゾリューションキャッシュテーブルにエントリーが存在しない時）に行われるか、あるいは常に行われる。
【０６３１】
（２）  端末は、アドレスレゾリューションサーバーから、該当する端末をアクセスするために用意されたＡＴＭコネクションの識別子であるＶＣＩ／ＶＰＩ情報を獲得する。
【０６３２】
（３）  端末は、獲得したＶＣＩ／ＶＰＩを付けてネットワークにセルを投入することで、データグラムの転送を完了する。端末はデータグラムの転送に際して、特にＡＴＭネットワークで定義されているコネクション設定手続きを行う必要がない。
【０６３３】
（ルーティング）
本実施形態における各端末への最終的なデータグラムの配送は、各ＣＬＳＦが属するネットワークのみについて行う。すなわち、例えばＣＬＳＦ７０６１はネットワーク７０６に属している端末へのデータグラムの配送を行う。同様に、ＣＬＳＦ７０３１はネットワーク７０３内の端末のみへのデータグラムの配送を行う。各ＣＬＳＦが受け取ったデータグラムが持つネットワークアドレスが、そのＣＬＳＦが持つアドレスエントリーに存在しない場合（あるいは受信データグラムのアドレスがそのネットワークのネットワークアドレス空間の要素ではない時）には、そのデータグラムは誤って配送されたものと判断される。誤ったデータグラムの配送に対するアクションはここでは議論しない。
【０６３４】
すなわち、各ＣＬＳＦは自分が属するネットワークの端末のアドレス情報のみを持ってればよい。受け取ったデータグラムのアドレスが自ネットワークに存在する時には、適切なＡＴＭコネクションを選択して、データグラムのリレーイングを行う。図７１に、端末７０Ａから端末７０Ｂへデータグラムが転送される場合のプロトコル処理の例を示した。ＡＴＭコネクションは、ＣＬＳＦ７０６１で一旦終端される。すなわち、ＣＬＳＦ７０６１でＯＳＩレイヤ３のプロトコルが終端される。ＣＬＳＦ７０６１でレイヤ３のプロトコル処理が行われ、データユニットは、ＡＴＭコネクションを用いて端末７０Ｂに転送される。このように、自サブネットワーク以外の端末へのデータグラムの転送に際しては、ただ１回のＡＴＭコネクション終端でデータグラム配送がエンド−エンドに実現される。
【０６３５】
同様に、図７３は端末７０Ａから公衆網７０８へデータグラムが転送される場合を示しており、図８１は公衆網７０７から端末７０Ａへデータグラムが転送されるときのプロトコル構成を示した。
【０６３６】
（実施形態６−１−１）
次に、より具体的な実施形態を説明する。
【０６３７】
（端末７０Ａから端末７０Ｂへのデータグラム転送について）
図７０に、ＡＴＭコネクションの構成図を示した。端末７０Ａは、データグラムの転送に際して、端末７０Ｂのアドレスのレゾリューションを行う（端末７０Ｂが属するサブネットワークのアクセスアドレス情報を解析する）。すなわち、端末７０Ｂのアドレス情報の入ったＡＲ要求メッセージをアドレスレゾリューションサーバＡＲＳへ転送する。ＡＲ要求を受け取ったＡＲＳはアドレスのレゾリューションを行った後、端末７０Ｂへセルを転送するためのＶＣＩ／ＶＰＩ情報をＡＲ応答として端末７０Ａに返送する。
【０６３８】
端末７０Ｂへセルを転送するためのＡＴＭレイヤアドレス（ＶＣＩ／ＶＰＩ）情報を獲得した端末７０Ａは、そのＶＣＩ／ＶＰＩを付加したセルをネットワークの投入する。セルは、ＩＷＵ７０ＤでＶＣＩ／ＶＰＩの変換が行われた後、ＩＷＵ７０Ｇへ転送される。同様に、ＩＷＵ７０Ｈ，ＩＷＵ７０Ｊを経由して、セルはＣＬＳＦ７０６１へ転送される。セルを受け取ったＣＬＳＦ７０６１は、データグラムが持つアドレス情報（レイヤ３）の情報を解析し、端末７０Ｂへセルを転送する。なお、ＣＬＳＦ７０６１から端末７０Ｂへのセルの転送は、ＣＬＳＦ７０６１がデータグラムに属する全てのセルを受信した後でもよいし、データグラムのレイヤ３アドレスを解析した後、パイプライン的にセルをリレーイングしてもよい。
【０６３９】
（端末７０Ａから公衆網７０８へのデータグラム転送について）
図７２に、ＡＴＭコネクションの構成図を示した。端末７０Ａは、データグラムの転送に際して、目的端末のアドレスのレゾリューションを行う（宛先端末が属するサブネットワークのアクセスアドレス情報を解析する）。すなわち、宛先端末のアドレス情報の入ったＡＲ要求メッセージをアドレスレゾリューションサーバＡＲＳへ転送する。ＡＲ要求を受け取ったＡＲＳはアドレスのレゾリューションを行った後、端末へセルを転送するためのＶＣＩ／ＶＰＩ情報をＡＲ応答として端末７０Ａに返送する。
【０６４０】
宛先端末へセルを転送するためのＡＴＭレイヤアドレス（ＶＣＩ／ＶＰＩ）情報を獲得した端末７０Ａは、そのＶＣＩ／ＶＰＩを付加したセルをネットワークの投入する。セルは、ＩＷＵ７０ＤでＶＣＩ／ＶＰＩの変換が行われた後、ＩＷＵ７０Ｅへ転送される。同様に、ＩＷＵ７０Ｍを経由してセルは公衆網７０８へ転送される。
【０６４１】
（公衆網７０７から端末７０Ａへのデータグラム転送について）
図８０に、ＡＴＭコネクションの構成図を示した。送信元端末は公衆網７０７内に存在し、公衆網７０７からのコネクションレス通信に関係するセルは、ＩＷＵ７０Ｋを経由してＣＬＳＦ−Ｐ８１１へ転送される。ＩＷＵ７０ＫのＶＣＩ／ＶＰＩ変換テーブルには、公衆網７０７においてコネクションレス通信が用いるセルに割り当てられているＶＣＩ／ＶＰＩを持ったセルが到着したときには、ＣＬＳＦ−Ｐ８１１へセルが転送されるように設定されている。
【０６４２】
ＣＬＳＦ−Ｐ８１１は一旦ＡＴＭコネクションを終端し、データグラムのレイヤ３アドレス情報を解析する。解析すべきアドレス情報がＣＬＳＦ−Ｐ８１１内のテーブルに存在しないときには、ＡＲＳに対してＡＲ要求を出す。端末７０Ａへセルを転送するためのＡＴＭレイヤアドレス（ＶＣＩ／ＶＰＩ）情報を獲得したＣＬＳＦ−Ｐ８１１は、そのＶＣＩ／ＶＰＩを付加したセルをネットワークへ投入する。セルは、ＩＷＵ７０ＧでＶＣＩ／ＶＰＩの変換が行われた後、ＩＷＵ７０Ｄへ転送される。さらに、セルはＩＷＵ７０ＤからＣＬＳＦ７０１１へ転送される。セルを受け取ったＣＬＳＦ７０１１は、データグラムが持つアドレス情報（レイヤ３）の情報を解析し、端末７０Ａへセルを転送する。なお、ＣＬＳＦ７０１１から端末７０Ａへのセルの転送およびＣＬＳＦ−Ｐ８１１からＩＷＵ７０Ｇへのセルの転送は、ＣＬＳＦ７０１１およびＣＬＳＦ−Ｐ８１１がデータグラムに属するすべてのセルを受信した後でもよいし、データグラムのレイヤ３アドレスを解析した後、パイプライン的にセルをリレーイングしてもよい。
【０６４３】
（実施形態６−２）
一般のＡＴＭネットワークに適用した実施形態について説明する。各サブネットワークに接続された任意の端末から任意のサブネットワークに接続された端末へデータグラムを転送するために、各ＣＬＳＦから全てのサブネットワーク内に存在するＣＬＳＦに対してＡＴＭコネクションが設定されている。すなわち、ＣＬＳＦ間のＡＴＭコネクションがフルメッシュ状に設定されている。なお、ＡＴＭコネクションの経路上に存在するＩＷＵ（中継ＩＷＵ）では、ＡＴＭヘッダ情報の書き替え（少なくともＶＣＩ／ＶＰＩ変換）が行われ、セルのリレーイングがＡＴＭレイヤの仕事として実行される。つまり、ＩＷＵの経由に際しては原則としてＡＴＭコネクションは終端されない。なお、ＣＬＳＦが存在する位置はＩＷＵの位置であってもよい。
【０６４４】
また、公衆網７０７および７０８から定義されたネットワークへデータグラムが転送されたときには、ＩＷＵ７０ＫおよびＩＷＵ７０Ｍにおいて、受信したセル（データグラムの属する）は、公衆網のデータグラムコネクションを一旦終端するサーバに転送される。なお、このサーバがＩＷＵに存在することもできる。公衆網から転送されてきたデータグラムを終端したサーバは、定義されたネットワーク内の端末からのデータグラムの転送と同じで手順でそのデータグラムをリレーイングする。
【０６４５】
図８２に、公衆網７０７から端末７０Ａへデータグラムが転送される時のＡＴＭコネクションの構成を示した。公衆網７０７から転送されたデータグラムは、一旦ＣＬＳＦ−Ｐ８１１で終端され、その後ＣＬＳＦ７０３１と７０１１を経て端末７０Ａへ転送される。ＡＴＭコネクションは、８３１，８３２，８３３および８３４の４つのコネクションである。
【０６４６】
（端末のプロトコルについて）
端末は、データグラムが外部のサブネットワーク宛てのものであると判断したときには、データグラムをＣＬＳＦに転送する。ＣＬＳＦは基本的に端末と同一のサブネットワーク内に位置するが、例えば隣接ノード等、他のサブネットワークに存在してもよい。なお、端末とＣＬＳＦとの間には既にＡＴＭコネクションが設定されているものとする。各端末は、自端末が属するサブネットワークのアドレス空間の情報（アドレスマスクなど）を持っており、宛先端末が自分のサブネットワーク内なのかそれとも外部のサブネットワークなのかを判断することができる。
【０６４７】
図６９に示したネットワーク構成の場合には、データグラム配送の方式として、以下のような方法がある。
【０６４８】
（１）  ＣＬＳＦと端末との間にはスター状のＡＴＭコネクションが設定されている。端末は、データグラムの転送を行うときには、全てＣＬＳＦへセルを転送する。データグラムの配送は全てＣＬＳＦが行う。すなわち、サブネットワーク内の端末同志の通信も一度ＣＬＳＦを経由する。
【０６４９】
（２）  サブネットワーク内の端末同志の通信はＣＬＳＦを介さずに実現され、一方、外部ネットワークにある端末との通信はＣＬＳＦを介して実現される。
【０６５０】
（ルーティングについて）
各端末への最終的なデータグラムの配送は、各ＣＬＳＦが属するネットワークのみについて行う。すなわち、例えばＣＬＳＦ７０６１はネットワーク７０６に属している端末へのデータグラムの配送を行う。同様に、ＣＬＳＦ７０３１はネットワーク７０３内の端末のみへのデータグラムの配送を行う。各ＣＬＳＦが受け取ったデータグラムが持つネットワークアドレスが、そのＣＬＳＦが持つアドレスエントリーに存在しない場合（あるいは受信データグラムのアドレスがそのネットワークのネットワークアドレス空間の要素ではない時）には、そのデータグラムは誤って配送されたものと判断される。誤ったデータグラムの配送に対するアクションはここでは議論しない。
【０６５１】
すなわち、各ＣＬＳＦは自分が属するネットワークの端末のアドレス情報のみを持ってればよい。受け取ったデータグラムのアドレスが自ネットワークに存在する時には、適切なＡＴＭコネクションを選択して、データグラムのリレーイングを行う。
【０６５２】
図７４に、端末７０Ａから端末７０Ｂへデータグラムが転送される場合のコネクションの構成を示した。ＡＴＭコネクションは、ＣＬＳＦ７０１１およびＣＬＳＦ７０６１で終端される。すなわち、ＣＬＳＦ７０６１およびＣＬＳＦ７０１１でＯＳＩレイヤ３のプロトコルが終端される。ＣＬＳＦ７０１１でレイヤ３のプロトコル処理が行われ、データユニットはＡＴＭコネクションを用いてＩＷＵ７０Ｄに転送される。ＣＬＳＦ７０６１でレイヤ３のプロトコル処理が行われ、データユニットはＡＴＭコネクションを用いて端末７０Ｂに転送される。このように自サブネットワーク以外の端末へのデータグラムの転送に際しては、２回のＡＴＭコネクション終端でデータグラム配送がエンド−エンドに実現される。
【０６５３】
同様に、図７５は端末７０Ａから公衆網７０８へデータグラムが転送される場合を示している。
【０６５４】
（実施形態６−２−１）
次に、より具体的な実施形態を説明する。
【０６５５】
（端末７０Ａから端末７０Ｂへのデータグラム転送について）
図７４に、ＡＴＭコネクションの構成図を示した。端末７０Ａは端末７０Ｂへデータグラムを転送するときに、端末７０Ｂが外部サブネットワークに属する端末であることを解析すると、ＣＬＳＦ７０１１へデータグラムを転送する。ＣＬＳＦ７０１１は受信したデータグラムのアドレス情報を解析し、端末７０Ｂ（ＣＬＳＦ７０６１）へデータグラムを転送するためのＡＴＭレイヤアドレス情報を持っていない時には、ＡＲＳへ端末７０Ｂのアドレス情報を持ったアドレスレゾリューション要求セルを転送する。ＡＲ要求を受け取ったＡＲＳはアドレスのレゾリューションを行った後、ＣＬＳＦ７０６１（端末７０Ｂ）へセルを転送するためのＶＣＩ／ＶＰＩ情報をＡＲ応答として、ＣＬＳＦ７０１１に返送する。
【０６５６】
端末７０Ｂへセルを転送するためのＡＴＭレイヤアドレス（ＶＣＩ／ＶＰＩ）情報を獲得したＣＬＳＦ７０１１は、そのＶＣＩ／ＶＰＩを付加したセルをネットワークの投入する。セルは、ＩＷＵ７０ＤでＶＣＩ／ＶＰＩの変換が行われた後、ＩＷＵ７０Ｇへ転送される。同様に、ＩＷＵ７０Ｈ，ＩＷＵ７０Ｊを経由してセルはＣＬＳＦ７０６１へ転送される。セルを受け取ったＣＬＳＦ７０６１は、データグラムが持つアドレス情報（レイヤ３）の情報を解析し、端末７０Ｂへセルを転送する。なお、ＣＬＳＦ７０６１から端末７０Ｂへのセルの転送は、ＣＬＳＦ７０６１がデータグラムに属するすべてのセルを受信した後でもよいし、データグラムのレイヤ３アドレスを解析した後、パイプライン的にセルをリレーイングしてもよい。
【０６５７】
（端末７０Ａから公衆網７０８へのデータグラム転送について）
図７５に、ＡＴＭコネクションの構成図を示した。端末７０Ａは公衆網７０８の目的の端末へデータグラムを転送するときに、宛先端末のアドレスのレゾリューションを行う（宛先端末が属するサブネットワークのアクセスアドレス情報を解析する）。すなわち、端末７０Ａが宛先端末のアドレス情報のレゾリューションができないときには、宛先端末のアドレス情報の入ったＡＲ要求メッセージをアドレスレゾリューションサーバＡＲＳへ転送する。ＡＲ要求を受け取ったＡＲＳはアドレスのレゾリューションを行った後、宛先端末へセルを転送するためのＶＣＩ／ＶＰＩ情報をＡＲ応答として、ＣＬＳＦ７０１１のアクセスアドレス情報を端末７０Ａに返送する。宛先が外部サブネットワークに属する端末であることを解析すると、端末７０Ａは受け取ったＶＣＩ／ＶＰＩ情報あるいは解析した結果得たＶＣＩ／ＶＰＩ情報をセルに付加して、セルをＣＬＳＦ７０１１へ転送する。
【０６５８】
ＣＬＳＦ７０１１は受信したデータグラムのアドレス情報を解析し、宛先端末へデータグラムを転送するためのＡＴＭレイヤアドレス情報を持っていない時には、ＡＲＳへ宛先端末のアドレス情報を持ったアドレスレゾリューション要求セルを転送する。ＡＲ要求を受け取ったＡＲＳはアドレスのレゾリューションを行った後、ＩＷＵ７０Ｍへセルを転送するためのＶＣＩ／ＶＰＩ情報をＡＲ応答として、ＣＬＳＦ７０１１に返送する。
【０６５９】
宛先端末へセルを転送するためのＡＴＭレイヤアドレス（ＶＣＩ／ＶＰＩ）情報を獲得したＣＬＳＦ７０１１は、そのＶＣＩ／ＶＰＩを付加したセルをネットワークの投入する。セルは、ＩＷＵ７０ＤでＶＣＩ／ＶＰＩの変換が行われた後、ＩＷＵ７０Ｅへ転送される。同様に、ＩＷＵ７０Ｍを経由して、セルは公衆網７０８へ転送される。
【０６６０】
（公衆網７０７から端末７０Ａへのデータグラム転送について）
図８２に、ＡＴＭコネクションの構成図を示した。送信元端末は公衆網７０７内に存在し、公衆網７０７からのコネクションレス通信に関係するセルは、ＩＷＵ７０Ｋを経由してＣＬＳＦ−Ｐ８１１へ転送される。ＩＷＵ７０ＫのＶＣＩ／ＶＰＩ変換テーブルには、公衆網７０７においてコネクションレス通信が用いるセルに割り当てられているＶＣＩ／ＶＰＩを持ったセルが到着したときには、ＣＬＳＦ−Ｐ８１１へセルが転送されるように設定されている。
【０６６１】
ＣＬＳＦ−Ｐ８１１は一旦ＡＴＭコネクションを終端し、データグラムのレイヤ３アドレス情報を解析する。解析すべきアドレス情報がＣＬＳＦ−Ｐ８１１内のテーブルに存在しないときには、ＡＲＳに対してＡＲ要求を出す。端末７０Ａへセルを転送するためのＡＴＭレイヤアドレス（ＶＣＩ／ＶＰＩ）情報（セルをＣＬＳＦ７０３１へ転送するためのＶＣＩ／ＶＰＩ情報）を獲得したＣＬＳＦ−Ｐ８１１は、そのＶＣＩ／ＶＰＩを付加したセルをネットワークの投入する。ＣＬＳＦ７０３１は受信したデータグラムのアドレス情報を解析し、端末７０Ａ  （ＣＬＳＦ７０１１）へデータグラムを転送するためのＡＴＭレイヤアドレス情報を持っていない時には、ＡＲＳへ端末７０Ａのアドレス情報を持ったアドレスレゾリューション要求セルを転送する。ＡＲ要求を受け取ったＡＲＳはアドレスのレゾリューションを行った後、ＣＬＳＦ７０１１（端末７０Ａ）へセルを転送するためのＶＣＩ／ＶＰＩ情報をＡＲ応答としてＣＬＳＦ７０３１に返送する。
【０６６２】
端末７０Ａへセルを転送するためのＡＴＭレイヤアドレス（ＶＣＩ／ＶＰＩ）情報を獲得したＣＬＳＦ７０３１は、そのＶＣＩ／ＶＰＩを付加したセルをネットワークの投入する。
【０６６３】
セルは、ＩＷＵ７０ＧでＶＣＩ／ＶＰＩの変換が行われた後、ＩＷＵ７０Ｄへ転送される。さらに、セルはＩＷＵ７０ＤからＣＬＳＦ７０１１へ転送される。セルを受け取ったＣＬＳＦ７０１１は、データグラムが持つアドレス情報（レイヤ３）の情報を解析し、端末７０Ａへセルを転送する。なお、ＣＬＳＦ７０１１から端末７０Ａへのセルの転送およびＣＬＳＦ−Ｐ８１１からＣＬＳＦ７０３１へのセルの転送さらにはＣＬＳＦ７０３１からＩＷＵ７０Ｇへのセルの転送は、ＣＬＳＦ７０１１，ＣＬＳＦ７０３１およびＣＬＳＦ−Ｐ８１１がデータグラムに属する全てのセルを受信した後でもよいし、データグラムのレイヤ３アドレスを解析した後、パイプライン的にセルをリレーイングしてもよい。
【０６６４】
（実施形態６−３）ＶＰＩルーティングのＡＴＭネットワークに適用した場合について。
【０６６５】
（ＡＴＭコネクション）
各サブネットワークは、８ビットからなるサブネットワーク識別番号をそれぞれ持っている。定義したネットワーク内では、この識別番号でサブネットワークを一意に識別することがきる。サブネットワークの識別番号は、Ｎｅｔｉ  と記述する。例えば、サブネットワーク７０２の識別番号はＮｅｔ７０２  である。ＩＷＵは全て両方にコネクションレス通信用のアクセスアドレス（ＶＰＩ）を獲得している。また、受信側のＣＬＳＦ（ＩＷＵから到着するセルをハンドリングするＣＬＳＦで、自分のネットワーク内の端末から来るコネクションレス通信用セルのハンドリングを行うＣＬＳＦと別の構成にすることも可能）もコネクションレス通信用のアクセスアドレス（ＶＰＩ）を獲得している。
【０６６６】
ＶＣＩ／ＶＰＩフィールドのコーディングは、次のようになる。
【０６６７】
（１）  送信端末から自ネットワークのＣＬＳＦへのセル
（１−１）  ＶＰＩ−Ｆ；ＣＬＳＦのアクセスアドレス
（１−２）  ＶＣＩ−Ｆ１；宛先ネットワークのアドレスＮｅｔｉ  または任意
（１−３）  ＶＣＩ−Ｆ２；自端末のアクセスアドレス
（２）  ＣＬＳＦ間でのセル
（２−１）  ＶＰＩ−Ｆ；次のアクセス要素（ＩＷＵまたは宛先ＣＬＳＦ）のアクセスアドレス
（２−２）  ＶＣＩ−Ｆ１；宛先ネットワークのアドレスＮｅｔｄｅｓｔｎａｔｉｏｎ
（２−３）  ＶＣＩ−Ｆ１；送信端末の属するネットワークアドレスＮｅｔｓｏｕｒｃｅ
（３）  宛先端末のネットワークのＣＬＳＦから宛先端末へのセル
（３−１）  ＶＰＩ−Ｆ；宛先端末のアクセスアドレス
（３−２）  ＶＣＩ−Ｆ１；任意の値に設定可能
（３−３）  ＶＣＩ−Ｆ２；任意の値に設定可能
なお、任意の値に設定可能というのは、宛先端末で受信したセルが確かに他の任意のアクセスポイントから到着したセルと区別できるような値となるように設定されていれば任意の値に設定可能ということである。
【０６６８】
（送信端末が存在するサブネットワーク）
まず、送信端末からＣＬＳＦまでのセルＶＣＩ／ＶＰＩフィールドのコーディングを説明する。ＶＰＩ−Ｆは、ＣＬＳＦのアクセスアドレスである。ＶＣＩ−Ｆ２は、送信端末のアクセスアドレスと定義する。ＶＣＩ−Ｆ１のコーディングは、送信端末で宛先端末の属するサブネットワークのレゾリューションを行う場合と、ＣＬＳＦで行う場合の２つの場合がある。
【０６６９】
（ａ）  送信端末がレゾリューションする；送信端末が宛先サブネットワークのアドレスをレゾリューションして、そのサブネットワークの識別番号Ｎｅｔｄｅｓｔｉｎａｔｉｏｎ  をＶＣＩ−Ｆ１に書き込む。
【０６７０】
（ｂ）  ＣＬＳＦがレゾリューションする；宛先ネットワークのレゾリューションはＣＬＳＦが行うので、この場合にはＶＣＩ−Ｆ１は任意の値とすることが可能である。
【０６７１】
次に、ＣＬＳＦからＩＷＵへのセルのＶＣＩ／ＶＰＩコーディングについて説明する。ＶＰＩ−Ｆは、ＩＷＵのアクセスアドレスである。ＶＣＩ−Ｆ１は、宛先ネットワークの識別番号に設定する（Ｎｅｔｄｅｓｔｉｎａｔｉｏｎ  ）。ＶＣＩ−Ｆ２は、送信端末のネットワークの識別番号に設定する（Ｎｅｔｓｏｕｒｃｅ）。ＶＣＩ−Ｆ１の設定方法は、送信端末で宛先端末の属するサブネットワークのレゾリューションを行う場合と、ＣＬＳＦで行う場合の２つの場合がある。
【０６７２】
（ａ）  送信端末がレゾリューションする；送信端末がＶＣＩ−Ｆ１に書き込んだ宛先ネットワークの識別番号Ｎｅｔｄｅｓｔｉｎａｔｉｏｎ  をコピーして、ＶＣＩ−Ｆ１に書き込む。
【０６７３】
（ｂ）  ＣＬＳＦがレゾリューションする；レゾリューションした値を書き込む。
【０６７４】
なお、ＣＬＳＦからＩＷＵへセルを転送するときには、同じ宛先ネットワークへの異なるデータグラムに属するセル間のインターリーブは許容されない（異なる宛先ネットワークへのデータグラムならば、セルインターリービングが可能）。すなわち、一つのデータグラムに属する一連のセルが連続して転送される。つまり、各送信端末からは任意のタイミングでセルをＣＬＳＦに向かって転送することができるが、ＣＬＳＦからは、一つのデータグラム毎にＩＷＵに向かってセルが転送される。ＩＷＵでは、受信したセルのＶＣＩ−Ｆ１に書き込まれているＮｅｔｄｅｓｔｉｎａｔｉｏｎ  を基にＶＰＩ−Ｆの値を決定する。すなわち、ＩＷＵのテーブルにはＮｅｔｄｅｓｔｉｎａｔｉｏｎ  に対応するＶＰＩ−Ｆのテーブルが設定されている。
【０６７５】
なお、ＶＣＩ−Ｆ１およびＶＣＩ−Ｆ２はトランスペアレントに転送される。また、Ｎｅｔｄｅｓｔｉｎａｔｉｏｎ  からＶＰＩ−Ｆすなわちリレーイングすべきサブネットワークを決定するルーティングプロトコルは別途実行されており、各ＩＷＵのテーブルが設定されている。
【０６７６】
（ＩＷＵ間）
ＩＷＵのテーブルに従って、セルがリレーイングされる。すなわち、受信セルのＶＣＩ−Ｆ１のＮｅｔｄｅｓｔｉｎａｔｉｏｎ  を基に次のＩＷＵへセルをリレーイングするためのＶＰＩ−Ｆを書き込む。
【０６７７】
（宛先端末が属するサブネットワーク）
宛先端末が属するＩＷＵは、受信したセルのＶＣＩ−Ｆ１を見て、受信したセルが自分のサブネットワーク宛てであることが分かる。ＩＷＵに設定されたＶＰＩ−Ｆ設定のためのテーブルには、ＣＬＳＦへセルが転送されるようなＶＰＩ番号が設定されている。ＩＷＵはそのＶＰＩをＶＰＩ−Ｆに設定して、セルをＣＬＳＦに転送する。このとき、ＶＣＩ−Ｆ１およびＶＣＩ−Ｆ２はトランスペアレントに転送される。
【０６７８】
受信したＣＬＳＦは、ＶＣＩ情報を基にデータグラムのリアセンブリを行う。このとき、異なるデータグラムの属するセルがインターリーブしてＣＬＳＦに転送されることが考えられるが、ＶＣＩフイールドの情報を用いて各データグラムをセルがインターリーブされた場合でも正常に再構築することができる。受信したデータグラムの宛先アドレス（レイヤ３アドレス）を解析して、データグラムを適切な端末に転送する。
【０６７９】
ＣＬＳＦから端末へ転送されるセルのＶＰＩ−Ｆは、端末のアクセスアドレスである。次に、ＶＣＩフィールドは端末が受信したセルがコネクションレス通信用のセルのために定義しているＶＣＩを用いる（複数定義していることも考えられる）。このＶＣＩは通常ＣＬＳＦと端末間に予め設定されている。コネクションレス用のＶＣＩが複数存在する時には、ＣＬＳＦから端末へのセルの転送を識別番号がぶつからない範囲でパイプライン的に（異なるデータグラムの属するセルをインターリーブすることができる）、転送することができる。
【０６８０】
例えば、ＶＣＩ−Ｆ１およびＶＣＩ−Ｆ２のＶＣＩフィールドフォーマットがＣＬＳＦから端末への通信で定義されているとすると、つまりサブネットワーク内での通信のＶＣＩフィールドフォーマットがこのように統一されている時には、ＣＬＳＦが受信したセルのＶＣＩ−Ｆ２をそのままＣＬＳＦから端末に転送するセルのＶＣＩ−Ｆ２に設定し、ＣＬＳＦから端末へのセルのＶＣＩ−Ｆ１には受信セルがコネクションレス通信に関わるセルであることを認識することができる値として設定すれば、完全にデータグラムがパイプライン的に処理されることができる。
【０６８１】
（具体的な例）
まず、図７４、図７８を参照して端末７０Ａから端末７０Ｂへのデータグラムの転送を説明する。３つのＡＴＭコネクションから形成される。（１）  端末７０ＡからＣＬＳＦ７０１１へのコネクション７９１、（２）  ＣＬＳＦ７０１１からＣＬＳＦ７０６１へのコネクション７９２〜７９６、（３）  ＣＬＳＦ７０６１から端末７０Ｂへのコネクション７９７である。
【０６８２】
端末７０ＡはＶＰＩ−Ｆ＝ＶＰＩ７０１１を持ったセルを転送する。なお、ＶＣＩ−Ｆ２は端末７０ＡのアクセスアドレスであるＶＰＩ７０Ａ  である。また、ＶＣＩ−Ｆ１は端末７０Ａが自分で宛先端末が属するサブネットワークのアドレス情報（Ｎｅｔ７０６  ）をレゾリューションするときには、この値Ｎｅｔ７０６  がＶＣＩ−Ｆ１に書き込まれる。ＣＬＳＦ７０１１がレゾリューションを行うときには、ＶＣＩ−Ｆ１は任意の設定が可能である。
【０６８３】
ＣＬＳＦ７０１１は、ＩＷＵ７０Ｄへ次のようなセルを転送する。ＶＰＩ−ＦはＩＷＵ７０ＤのアクセスアドレスであるＶＰＩ７０Ｄ−１  、ＶＣＩ−Ｆ１はネットワーク７０６の識別アドレスであるＮｅｔ７０６  、ＶＣＩ−Ｆ２はネットワーク７０１の識別アドレスであるＮｅｔ７０１  である。なお、ＶＣＩ−Ｆ１は受信セルの値をそのままコピーする場合（端末がＮｅｔ７０６  を解析）と、ＣＬＳＦ７０１１がＮｅｔ７０６  を解析して設定する場合とがある。
【０６８４】
ＩＷＵ７０Ｄで受信されたセルのＶＣＩ−Ｆ１が解析され、対応するＶＰＩ−Ｆが解析される。すなわち、ネットワーク７０６へ転送するようなＩＷＵに向かってセルを転送することのできるＶＰＩを解析する（テーブルに設定されている）。ＶＣＩ−Ｆ１およびＶＣＩ−Ｆ２は、受信したセルのフィールドをそのままコピーする。すなわち、ＶＣＩ−Ｆ１は宛先端末７０Ｂが属するサブネットワーク７０６のネットワーク識別番号であるＮｅｔ７０６  が書き込まれている。以降同様に、ＩＷＵでは受信したセルのＶＣＩ−Ｆ１に書かれた情報であるＮｅｔ７０６  の情報を基に適切なＶＰＩが選択され、セルがＩＷＵ７０Ｊに転送される。
【０６８５】
ＩＷＵ７０Ｊに到着したセルは、ＶＣＩ−Ｆ１情報よりセルが目的のネットワークに転送されたことを認識し、セルをＣＬＳＦ７０６１へ転送する。ＣＬＳＦ７０６１に到着したデータグラムは一旦セルリアセンブリが行われ、ＡＴＭコネクションが終端される。ＣＬＳＦ７０６１は上位レイヤのアドレス情報を解析し、データグラムの宛先が端末７０Ｂであることを認識する。そこで、ＣＬＳＦ７０６１はセルを生成し、データグラムを端末７０Ｂへ転送する。端末７０Ｂへのセルの転送は、端末７０Ｂへのコネクションレス通信チャンネルが十分存在する時には、ＣＬＳＦ７０６１のセルの受信からパイプライン的にセルを転送することが可能である。
【０６８６】
次に、図７５を参照して端末７０Ａから公衆網７０８へのデータグラムの転送について説明する。端末７０ＡはＶＰＩ−Ｆ＝ＶＰＩ７０１１を持ったセルを転送する。なお、ＶＣＩ−Ｆ２は端末７０ＡのアクセスアドレスであるＶＰＩ７０Ａ  である。また、ＶＣＩ−Ｆ１は端末７０Ａが自分で宛先端末が属するサブネットワークのアドレス情報（Ｎｅｔ７０８  ）をレゾリューションするときには、この値Ｎｅｔ７０８  がＶＣＩ−Ｆ１に書き込まれる。ＣＬＳＦ７０１１がレゾリューションを行うときには、ＶＣＩ−Ｆ１は任意の設定が可能である。
【０６８７】
ＣＬＳＦ７０１１は、ＩＷＵ７０Ｄへ次のようなセルを転送する。ＶＰＩ−ＦはＩＷＵ７０ＤのアクセスアドレスであるＶＰＩ７０Ｄ−１  、ＶＣＩ−Ｆ１は公衆網７０８の識別アドレスであるＮｅｔ７０８  、ＶＣＩ−Ｆ２はネットワーク７０１の識別アドレスであるＮｅｔ７０１  である。なお、ＶＣＩ−Ｆ１は受信セルの値をそのままコピーする場合（端末がＮｅｔ７０６  を解析）と、ＣＬＳＦ７０１１がＮｅｔ７０８  を解析して設定する場合とがある。ＩＷＵ７０Ｄで受信されたセルのＶＣＩ−Ｆ１が解析され、対応するＶＰＩ−Ｆが解析される。すなわち、ネットワーク７０８へ転送するようなＩＷＵに向かってセルを転送することのできるＶＰＩを解析する（テーブルに設定されている）。ＶＣＩ−Ｆ１およびＶＣＩ−Ｆ２は、受信したセルのフィールドをそのままコピーする。すなわち、ＶＣＩ−Ｆ１は宛先の端末が属するサブネットワーク７０８のネットワーク識別番号であるＮｅｔ７０８  が書き込まれている。以降同様に、ＩＷＵでは受信したセルのＶＣＩ−Ｆ１に書かれた情報であるＮｅｔ７０８  の情報を元に適切なＶＰＩが選択され、セルがＩＷＵ７０Ｍに転送される。ＩＷＵ７０Ｍは、受信したセルのＶＣＩ情報から公衆網７０８で定義されているＡＴＭコネクションにアサインされているＶＣＩ／ＶＰＩを書き込み、セルを公衆網７０８へ転送する。
【０６８８】
（第７の実施形態）
次に、大規模ネットワーキング構成におけるコネクションレス通信に関する実施形態について説明する。
【０６８９】
定義されたサブネットワークの数が非常に多いときには、上述したネットワークをインターネットワーキングすることで対応することができる。すなわち、隣接するネットワーク（上述した複数のサブネットワークの集合体として定義されるネットワーク）を一つのサブネットワークとして見る方法である。
【０６９０】
図８４に、ネットワーク８６１からみたネットワークの構成を示した。なお、実際のネットワークの構成は図８５に示した。このように３つのネットワーク８６２〜８６４は、ネットワーク８６１から見ると一つのサブネットワーク８５１に見える。ネットワーク８６１からみたネットワーク８５１のアドレス空間は、ネットワーク８６２〜８６４を合わせた空間が見えることになる。
【０６９１】
図８６に、ネットワークの構成要素のうち以下のデータグラム転送に関与するネットワーク構成要素を簡略化して示している。以下では、先に説明した２つのシステム構成で端末８７Ａから端末８７Ｂへのデータグラム転送および端末８７Ａから端末８７Ｃへのデータグラム転送の例を説明する。
【０６９２】
（実施形態７−１）
本実施形態は、端末が直接外部ネットワークにセルを転送することができる例である。つまり、外部ネットワークの端末にデータグラムを転送するときに自分のネットワーク内のＣＬＳＦを用いない方法である。
【０６９３】
（端末８７Ａから端末８７Ｂへのデータグラム転送について）
図８７にＡＴＭコネクションの構成を示した。これは４つのＡＴＭコネクション８８１〜８８４が構成される。端末８７Ａは、端末８７Ｂのネットワークレイヤアドレスをレゾリューションし、端末８７Ｂがネットワーク８５１に属することをレゾリューションし、同時にＣＬＳＦ８７１にセルを転送するためのＶＣＩ／ＶＰＩ情報を獲得する。詳細は前述した通りである。
【０６９４】
データグラムは、ＣＬＳＦ８７１で一旦終端され（ＡＴＭコネクションも終端される）、レイヤ３のプロトコル処理が行われる。ネットワークレイヤアドレスの解析がＣＬＳＦ８７１で行われ、端末８７Ｂがネットワーク８６３に存在することが解析され、さらにＣＬＳＦ８７２へセルを転送するためのＶＣＩ／ＶＰＩ情報が獲得される。データグラムはＡＴＭコネクション８８２を用いてＣＬＳＦ８７２へ転送される。
【０６９５】
データグラムは、ＣＬＳＦ８７２で終端され（ＡＴＭコネクションも終端される）、レイヤ３のプロトコル処理が行われる。ネットワークレイヤアドレスの解析がＣＬＳＦ８７２で行われ、ＣＬＳＦ８７３へセルを転送するためのＶＣＩ／ＶＰＩ情報が獲得される。データグラムはＡＴＭコネクション８８３を用いてＣＬＳＦ８７３へ転送される。
【０６９６】
データグラムを受け取ったＣＬＳＦ８７３は、データグラムのネットワークレイヤアドレスを解析することで、端末８７Ｂのアクセスアドレスを解析する。適切なＶＣＩ／ＶＰＩを付加されたセルは、端末８７Ｂへ転送される。
【０６９７】
このように、３回のＡＴＭコネクションの終端およびネットワークレイヤでのプロトコル処理が行われ、データグラムが端末８７Ａから端末８７Ｂへ転送される。
【０６９８】
（端末８７Ａから端末８７Ｃへのデータグラム転送について）
図８８にＡＴＭコネクションの構成を示した。これは２つのＡＴＭコネクション８９１，８９２から構成される。端末８７Ａは、端末８７Ｃのネットワークレイヤアドレスをレゾリューションし、端末８７Ｃがネットワーク８５１に属することをレゾリューションし、同時にＣＬＳＦ８７１にセルを転送するためのＶＣＩ／ＶＰＩ情報を獲得する。詳細は前述した通りである。
【０６９９】
データグラムは、ＣＬＳＦ８７１で一旦終端され（ＡＴＭコネクションも終端される）、レイヤ３のプロトコル処理が行われる。ネットワークレイヤアドレスの解析がＣＬＳＦ８７１で行われ、端末８７Ｃがネットワーク８６４に存在することが解析され、さらに、ネットワーク８６４へセルを転送するためのＶＣＩ／ＶＰＩ情報が獲得される。ここでは、ネットワーク８６２とネットワーク８６４との間にあるＩＷＵへのセルの転送が行われる。
【０７００】
このように、１回のＡＴＭコネクションの終端およびネットワークレイヤでのプロトコル処理が行われ、データグラムが端末８７Ａから端末８７Ｃが存在するネットワーク８６４へ転送される。なお、ＣＬＳＦ８７１からのデータグラムの転送先は、公衆網８６４内のＣＬＳＦであってもよい。この場合は、２回以上のＡＴＭコネクションの終端およびネットワークレイヤレベルでのプロトコル処理が行われる。
【０７０１】
（実施形態７−２）
本実施形態は、端末は直接外部ネットワークにセルを転送することができないときの例である。つまり、外部ネットワークの端末にデータグラムを転送するときに自分のネットワーク内のＣＬＳＦを一度用いる方法である。
【０７０２】
（端末８７Ａから端末８７Ｂへのデータグラム転送について）
図８９にＡＴＭコネクションの構成を示した。これは５つのＡＴＭコネクション９０１〜９０５から構成される。端末８７Ａは、端末８７Ｂのネットワークレイヤアドレスをレゾリューションし、端末８７Ａがネットワーク８５１に属することをレゾリューションし（あるいはセルをＣＬＳＦ８７４へ送ることを解析し）、同時にＣＬＳＦ８７４にセルを転送するためのＶＣＩ／ＶＰＩ情報を獲得する。詳細は前述した通りである。
【０７０３】
セルを受け取ったＣＬＳＦ８７４は、（１）  データグラムのネットワークレイヤアドレスを解析、あるいは（２）  端末８７Ａが解析した結果を利用して、セルがネットワーク８６２（ＣＬＳＦ８７１）へ転送する必要があることを認識する。同時に、ＣＬＳＦ８７１へセルを転送するためのＶＣＩ／ＶＰＩ情報を獲得し、データグラムをＣＬＳＦ８７１へ転送する。
【０７０４】
データグラムは、ＣＬＳＦ８７１で一旦終端され（ＡＴＭコネクションも終端される）、レイヤ３のプロトコル処理が行われる。ネットワークレイヤアドレスの解析がＣＬＳＦ８７１で行われ、端末８７Ｂがネットワーク８６３に存在することが解析され、さらにＣＬＳＦ８７２へセルを転送するためのＶＣＩ／ＶＰＩ情報が獲得される。データグラムはＡＴＭコネクション９０３を用いてＣＬＳＦ８７２へ転送される。
【０７０５】
データグラムは、ＣＬＳＦ８７２で終端され（ＡＴＭコネクションも終端される）、レイヤ３のプロトコル処理が行われる。ネットワークレイヤアドレスの解析がＣＬＳＦ８７２で行われ、ＣＬＳＦ８７３へセルを転送するためのＶＣＩ／ＶＰＩ情報が獲得される。データグラムはＡＴＭコネクション９０４を用いてＣＬＳＦ８７３へ転送される。データグラムを受け取ったＣＬＳＦ８７３は、データグラムのネットワークレイヤアドレスを解析して、端末８７Ｂのアクセスアドレスを解析する。適切なＶＣＩ／ＶＰＩを付加されたセルは、端末８７Ｂへ転送される。
【０７０６】
このように、４回のＡＴＭコネクションの終端およびネットワークレイヤでのプロトコル処理（３回の場合もある）が行われ、データグラムが端末８７Ａから端末８７Ｂへ転送される。
【０７０７】
（端末８７Ａから端末８７Ｃへのデータグラム転送について）
図９０にＡＴＭコネクションの構成を示した。これは３つのＡＴＭコネクション９１１〜９１３から構成される。端末８７Ａは、端末８７Ｃのネットワークレイヤアドレスをレゾリューションし、端末８７Ｃがネットワーク８５１に属することをレゾリューションし（あるいはセルをＣＬＳＦ８７４へ送ることを解析し）、同時にＣＬＳＦ８７４にセルを転送するためのＶＣＩ／ＶＰＩ情報を獲得する。詳細は前述した通りである。
【０７０８】
セルを受け取ったＣＬＳＦ８７４は、（１）  データグラムのネットワークレイヤアドレスを解析、あるいは（２）  端末８７Ａが解析した結果を利用して、セルがネットワーク８６２（ＣＬＳＦ８７１）へ転送する必要があることを認識する。同時に、ＣＬＳＦ８７１へセルを転送するためのＶＣＩ／ＶＰＩ情報を獲得し、データグラムをＣＬＳＦ８７１へ転送する。
【０７０９】
データグラムは、ＣＬＳＦ８７１で一旦終端され（ＡＴＭコネクションも終端される）、レイヤ３のプロトコル処理が行われる。ネットワークレイヤアドレスの解析がＣＬＳＦ８７１で行われ、端末８７Ｃがネットワーク８６４に存在することが解析され、さらにネットワーク８６４へセルを転送するためのＶＣＩ／ＶＰＩ情報が獲得される。ここでは、ネットワーク８６２とネットワーク８６４との間にあるＩＷＵへのセルの転送が行われる。
【０７１０】
このように、２回のＡＴＭコネクションの終端およびネットワークレイヤでのプロトコル処理（１回の場合もある）が行われ、データグラムが端末８７Ａから端末８７Ｃが存在するネットワーク８６４へ転送される。なお、ＣＬＳＦ８７１からのデータグラムの転送先は、公衆網８６４内のＣＬＳＦであってもよい。この場合は、２回以上のＡＴＭコネクションの終端およびネットワークレイヤレベルでのプロトコル処理が行われる。
【０７１１】
【発明の効果】
以上説明したように、本発明によればＡＴＭ通信方式の高速性・大容量性・コネクションオリエンテッド性という特徴を損なうことなくＡＴＭ網間の通信を実現することができる。
【０７１２】
また、本発明によればＡＴＭ網を用いたデータグラム配送を効率的に行うことができる。
【０７１３】
さらに、本発明によればＡＴＭ網に接続された端末間のコネクションレス通信（データグラム配送）を高速に行うことができる。
【図面の簡単な説明】
【図１】第１の実施形態におけるＡＴＭ網を示す図
【図２】網間接続装置１３の内部構造を示す図
【図３】ドロップテーブルを示す図
【図４】ＡＴＭ−ＬＡＮの内部の構成を示す図
【図５】ＡＴＭ−ＬＡＮ内の端末と網間接続装置内のＣＬＳＦ処理部間のＡＴＭコネクションの接続状態を示す図
【図６】図５において、ＡＴＭ−ＬＡＮ内に別にＣＬＳＦ処理部が用意されている場合を示す図
【図７】放送セルのフォーマットを示す図
【図８】ＡＲＰを行う際の放送セルのフォーマットを示す図
【図９】ＡＴＭ−ＬＡＮ内の端末と網間接続装置内の呼処理部間のＡＴＭコネクションの接続状態を示す図
【図１０】ＡＴＭ−ＬＡＮ内の端末と網間接続装置内の呼処理部間のＡＴＭコネクションの接続状態の別例を示す図
【図１１】網間接続装置内に呼処理部が存在しない場合の例を示す図
【図１２】放送の様々な形態を示す図
【図１３】第２の実施形態におけるＡＴＭ網を示す図
【図１４】網間接続装置１３４の内部構造を示す図
【図１５】ＡＴＭ−ＬＡＮ内部の構成を示す図
【図１６】ＡＴＭ−ＬＡＮ内の端末と、網間接続装置内ＣＬＳＦ処理部間のＡＴＭコネクションの接続状態を示す図
【図１７】ＡＴＭ−ＬＡＮ内の端末と網間接続装置内呼処理部間のＡＴＭコネクションの接続状態を示す図
【図１８】ＡＴＭ−ＬＡＮ内の端末と網間接続装置内呼処理部間のＡＴＭコネクションの接続状態の別例を示す図
【図１９】網間接続装置内に呼処理部が存在しない場合の例を示す図
【図２０】大規模ＡＴＭネットワークを示す図
【図２１】大規模ＡＴＭネットワークにおけるＡＴＭ−ＬＡＮの内部構成を示す図
【図２２】ＡＴＭ−ＬＡＮにおけるＶＰＩ値の割当の一例を示す図
【図２３】ＡＲＰセルフォーマットの一例を示す図
【図２４】ネットワークレイヤプロトコル識別方式の一例を示す図
【図２５】ブロードキャストチャネルを用いたＡＲＰ応答をエンド−エンドのＡＴＭコネクションを用いて行う場合のセルフォーマットの一例を示す図
【図２６】ＡＲＰの流れの一例を示す図
【図２７】ＡＲＰサーバ内のネットワークレイヤアドレスとＡＴＭアドレス（ＶＰＩ値）の対応表を示す図
【図２８】網間接続装置内ＣＬＳＦ処理部とＡＴＭ−ＬＡＮ内端末間のＡＴＭコネクション接続状態、及びＡＴＭバックボーン網における該ＣＬＳＦ処理部間のＡＴＭコネクションの接続状態の一例を示す図
【図２９】初期導入時におけるＣＬＳＦ処理部配置法の一例（フェーズ１）を示す図
【図３０】網間接続装置からＣＬＳＦ処理部へ向かうデータグラムのＡＴＭセルに付与されるヘッダ値を示す図
【図３１】ヘッダ変換の流れを示す図
【図３２】ＣＬＳＦ処理部増設時におけるＣＬＳＦ処理部配置法の一例  （フェーズ２）を示す図
【図３３】ＡＲＰサーバ内のテーブルを示す図
【図３４】網間接続装置内呼処理部とＡＴＭ−ＬＡＮ内端末間のＡＴＭコネクションの接続状態およびＡＴＭバックボーン網における該呼処理部間のＡＴＭコネクションの接続状態を示す図
【図３５】大規模ネットワークにおける呼処理方式の他の例を示す図
【図３６】ＡＴＭボードの一例を示す図
【図３７】ＶＰルーチィングにおけるＡＲＰセルの一例を示す図
【図３８】ＩＷＵ１３の内部構成の一例を示す図
【図３９】ＩＷＵ１３の内部構成の他の例を示す図
【図４０】サブネットワーク内でのデータグラム通信システムを示す図
【図４１】データグラム通信シークエンスを示す図
【図４２】データグラム送信手続きを示すフローチャート
【図４３】サブネットワーク内でのデータグラム通信システムを示す図
【図４４】データグラム通信シークエンスを示す図
【図４５】ＶＰＩルーテチングを示す図
【図４６】２階層ネットワークを示す図
【図４７】ＡＲ間のコネクションを示す図
【図４８】データグラム通信に必要なＡＴＭコネクションを示す図
【図４９】ＡＲＳ４８１からのアドレス空間ビューを示す図
【図５０】ＡＲＳ４８２からのアドレス空間ビューを示す図
【図５１】ＡＲＳ間のＡＴＭコネクションを示す図
【図５２】ＡＲＳ４８２からのアドレス空間ビューを示す図
【図５３】ＡＲＳ４８１からのアドレス空間ビューを示す図
【図５４】ＩＷＵ４７６内のＶＣＩ／ＶＰＩ変換テーブルを示す図
【図５５】データグラム転送プロトコル処理を示す図
【図５６】端末４７Ａから端末４７Ｄへのデータグラム転送を示す図
【図５７】端末４７Ａから端末４７Ｄへのデータグラム転送を示す図
【図５８】ＡＲＳ間のＶＣＩ／ＶＰＩ割り当て方式の一例を示す図
【図５９】ＡＲＳ間のＶＣＩ／ＶＰＩ割り当て方式の他の例を示す図
【図６０】ＡＲＳ間のＶＣＩ／ＶＰＩ割り当て方式の他の例を示す図
【図６１】データグラム転送のＶＣＩ／ＶＰＩ割り当て方式を示す図
【図６２】ネットワーク構成を示す図
【図６３】データグラム転送に必要なＡＴＭコネクションを示す図
【図６４】ＡＲＳ間のＡＴＭコネクションを示す図
【図６５】ＡＲＳ間のＡＴＭコネクションを示す図
【図６６】データグラム転送に必要なＡＴＭコネクションを示す図
【図６７】データグラム転送プロトコル処理を示す図
【図６８】データグラム転送例を示す図
【図６９】ネットワーク構成を示す図
【図７０】端末７０Ａ→７０Ｂのデータグラム通信例を示す図
【図７１】プロトコル処理を示す図
【図７２】端末７０Ａ→７０Ｂのデータグラム通信例を示す図
【図７３】端末７０Ａ→公衆網７０８のデータグラム通信例を示す図
【図７４】端末７０Ａ→７０Ｂのデータグラム通信例を示す図
【図７５】端末７０Ａ→公衆網７０８のデータグラム通信例を示す図
【図７６】端末７０Ａ→７０ＢのＡＴＭコネクションを示す図
【図７７】端末７０Ａ→公衆網７０８のデータグラム通信例を示す図
【図７８】端末７０Ａ→７０ＢのＡＴＭコネクションを示す図
【図７９】端末７０Ａ→公衆網７０８のデータグラム通信例を示す図
【図８０】公衆網７０８→端末７０Ａのデータグラム通信例を示す図
【図８１】公衆網７０８→端末７０Ａのプロトコル処理を示す図
【図８２】公衆網７０８→端末７０Ａのデータグラム通信例を示す図
【図８３】公衆網７０８→端末７０Ａのプロトコル処理を示す図
【図８４】ネットワーク８６１からのイメージを示す図
【図８５】ネットワーク構成を示す図
【図８６】ネットワーク構成を示す図
【図８７】端末８７Ａ→８７Ｂのデータグラム通信例を示す図
【図８８】端末８７Ａ→８７Ｃのデータグラム通信例を示す図
【図８９】端末８７Ａ→８７Ｂのデータグラム通信例を示す図
【図９０】端末８７Ａ→８７Ｃのデータグラム通信例を示す図
【符号の説明】
１１，１２…ＡＴＭ−ＬＡＮ
１３…ＩＷＵ（網間接続装置）
２１…アッド・ドロップ処理部
２２…マルチプレクサ／デマルチプレクサ
２３…ＣＬＳＦ処理部（コネクションレスサービス機能処理部）
２４…呼処理部
２５…ＩＷＵ管理部
２６…ヘッダ変換処理部
４１〜４４…スイッチノード
４Ａ〜４Ｇ…端末
９１，９２…呼処理部
１０１，１０２…呼処理部
１１１，１１２…ＡＴＭ−ＬＡＮ
１１Ａ，１１Ｂ…呼処理部
１３１〜１３３…ＡＴＭ−ＬＡＮ
１３４…ＩＷＵ（網間接続装置）
１４１…ＡＴＭスイッチ
１４２…ＣＬＳＦ処理部（コネクションレスサービス機能処理部）
１４３…呼処理部
１４４…ＩＷＵ管理部
１４Ａ，１４Ｂ…入力処理部
１４Ｘ，１４Ｙ…出力処理部
１５１〜１５７…スイッチノード
１５Ａ〜１５Ｊ…端末
１７１〜１７３…呼処理部
１８１〜１８３…呼処理部
１９１〜１９３…ＡＴＭ−ＬＡＮ
２０１…ＡＴＭバックボーン網
２０２〜２０４…ＡＴＭ−ＬＡＮ
２０Ａ〜２０Ｃ…ＩＷＵ（網間接続装置）
２１１〜２１７…スイッチノード
２１Ａ〜２１Ｊ…端末
３１１…ＡＴＭ−ＬＡＮ
３１２…ＡＴＭバックボーン網
３１Ａ〜３１Ｂ…端末
３１Ｐ…ＩＷＵ（網間接続装置）
３１Ｘ…ＣＬＳＦ処理部（コネクションレスサービス機能処理部）
３６１…ＡＴＭインタフェース
３６２…ＡＲＰフィルタ部
３６３…ＡＲＰ処理部
３６４…挿入部
３６５…バスインタフェース
４１１，４１２…端末
４１３…ＡＲＳ（アドレスレゾリューションサーバ）
４１４…ＣＬＳＦ処理部（コネクションレスサービス機能処理部）
４１５…ＩＷＵ（網間接続装置）
４１Ａ〜４１Ｃ…ＡＴＭコネクション
４６Ａ〜４６Ｅ…ＡＴＭコネクション
４７１〜４７４…サブネットワーク（ＡＴＭ網）
４７５…公衆網
４７６〜４７９…ＩＷＵ（網間接続装置）
４７Ａ〜４７Ｆ…端末
４８１〜４８４…ＡＲＳ（アドレスレゾリューションサーバ）
４８５〜４８７…ＡＴＭコネクション
４９１〜４９４…ＣＬＳＦ処理部（コネクションレスサービス機能処理部）
４９５〜４９Ｂ…ＡＴＭコネクション
５７１〜５７６…ＡＴＭコネクション
５８１〜５８４…ＡＴＭコネクション
５９１〜５９Ｃ…ＡＴＭコネクション
６０ｘｘ…ＡＴＭコネクション
６１１〜６１Ａ…ＡＴＭコネクション
６２１〜６２Ａ…ＡＴＭコネクション
６３Ａ〜６３Ｂ…端末
６３１〜６３４…サブネットワーク（ＡＴＭ網）
６３５…公衆網
６３６〜６３９…ＩＷＵ（網間接続装置）
６３Ｄ〜６３Ｇ…ＡＲＳ（アドレスレゾリューションサーバ）
６３Ｈ〜６３Ｌ…サブネットワーク外のＣＬＳＦ処理部（コネクションレスサービス機能処理部）
６３Ｍ〜６３Ｑ…サブネットワーク内のＣＬＳＦ処理部（コネクションレスサービス機能処理部）
６４１〜６４６…ＡＴＭコネクション
６５１〜６５６…ＡＴＭコネクション
６６１〜６６Ｃ…ＡＴＭコネクション
６９１〜６９９…ＡＴＭコネクション
７０１〜７０６…サブネットワーク（ＡＴＭ網）
７０７，７０８…公衆網
７０Ａ，７０Ｂ…端末
７０ｘｘ…ＣＬＳＦ処理部（コネクションレスサービス機能処理部）
７０Ｅ〜７０Ｍ…ＩＷＵ（網間接続装置）
７７１〜７７６…ＡＴＭコネクション
７８１〜７８４…ＡＴＭコネクション
７９１〜７９７…ＡＴＭコネクション
８０１〜８０５…ＡＴＭコネクション
８１１…ＣＬＳＦ処理部（コネクションレスサービス機能処理部）
８１２〜８１４…ＡＴＭコネクション
８３１〜８３４…ＡＴＭコネクション
８５１…サブネットワーク（ＡＴＭ網）
８６１〜８６３…サブネットワーク（ＡＴＭ網）
８６４…公衆網
８７１〜８７４…ＣＬＳＦ処理部（コネクションレスサービス機能処理部）
８７Ａ〜８７Ｃ…端末
８８１〜８８４…ＡＴＭコネクション
８９１〜８９２…ＡＴＭコネクション
９０１〜９０５…ＡＴＭコネクション
９１１〜９１３…ＡＴＭコネクション
【図１】
0003557200.tif 000002
【図２】
0003557200.tif 000003
【図３】
0003557200.tif 000004
【図４】
0003557200.tif 000005
【図５】
0003557200.tif 000006
【図６】
0003557200.tif 000007
【図７】
0003557200.tif 000008
【図８】
0003557200.tif 000009
【図９】
0003557200.tif 000010
【図１０】
0003557200.tif 000011
【図１１】
0003557200.tif 000012
【図１２】
0003557200.tif 000013
【図１３】
0003557200.tif 000014
【図１４】
0003557200.tif 000015
【図１５】
0003557200.tif 000016
【図１６】
0003557200.tif 000017
【図１７】
0003557200.tif 000018
【図１８】
0003557200.tif 000019
【図１９】
0003557200.tif 000020
【図２０】
0003557200.tif 000021
【図２１】
0003557200.tif 000022
【図２２】
0003557200.tif 000023
【図２３】
0003557200.tif 000024
【図２４】
0003557200.tif 000025
【図２５】
0003557200.tif 000026
【図２６】
0003557200.tif 000027
【図２７】
0003557200.tif 000028
【図２８】
0003557200.tif 000029
【図２９】
0003557200.tif 000030
【図３０】
0003557200.tif 000031
【図３１】
0003557200.tif 000032
【図３２】
0003557200.tif 000033
【図３３】
0003557200.tif 000034
【図３４】
0003557200.tif 000035
【図３５】
0003557200.tif 000036
【図３６】
0003557200.tif 000037
【図３７】
0003557200.tif 000038
【図３８】
0003557200.tif 000039
【図３９】
0003557200.tif 000040
【図４０】
0003557200.tif 000041
【図４１】
0003557200.tif 000042
【図４２】
0003557200.tif 000043
【図４３】
0003557200.tif 000044
【図４４】
0003557200.tif 000045
【図４５】
0003557200.tif 000046
【図４６】
0003557200.tif 000047
【図４７】
0003557200.tif 000048
【図４８】
0003557200.tif 000049
【図４９】
0003557200.tif 000050
【図５０】
0003557200.tif 000051
【図５１】
0003557200.tif 000052
【図５２】
0003557200.tif 000053
【図５３】
0003557200.tif 000054
【図５４】
0003557200.tif 000055
【図５５】
0003557200.tif 000056
【図５６】
0003557200.tif 000057
【図５７】
0003557200.tif 000058
【図５８】
0003557200.tif 000059
【図５９】
0003557200.tif 000060
【図６０】
0003557200.tif 000061
【図６１】
0003557200.tif 000062
【図６２】
0003557200.tif 000063
【図６３】
0003557200.tif 000064
【図６４】
0003557200.tif 000065
【図６５】
0003557200.tif 000066
【図６６】
0003557200.tif 000067
【図６７】
0003557200.tif 000068
【図６８】
0003557200.tif 000069
【図６９】
0003557200.tif 000070
【図７０】
0003557200.tif 000071
【図７１】
0003557200.tif 000072
【図７２】
0003557200.tif 000073
【図７３】
0003557200.tif 000074
【図７４】
0003557200.tif 000075
【図７５】
0003557200.tif 000076
【図７６】
0003557200.tif 000077
【図７７】
0003557200.tif 000078
【図７８】
0003557200.tif 000079
【図７９】
0003557200.tif 000080
【図８０】
0003557200.tif 000081
【図８１】
0003557200.tif 000082
【図８２】
0003557200.tif 000083
【図８３】
0003557200.tif 000084
【図８４】
0003557200.tif 000085
【図８５】
0003557200.tif 000086
【図８６】
0003557200.tif 000087
【図８７】
0003557200.tif 000088
【図８８】
0003557200.tif 000089
【図８９】
0003557200.tif 000090
【図９０】
0003557200.tif 000091